(57)【要約】【課題】身体に既に装着済みである装備に加えて余分な装置や付属品をユーザーが携帯しなくても快適かつ邪魔にならず、しかも生物学的に適った態様で装着することができる、手で把持する必要がなく手の自由を束縛しない装置を提供すること。【解決手段】眼鏡が、２本のつると２本のつるを相互接続している２個のレンズ枠部とを有しているフレームを備えており、２個のレンズ枠部のうちの一方のみに表示装置が設けられており、表示装置は使用者の通常の視線から外れた位置でレンズ枠部の上部に隣接して配備されており、表示装置はその上に画像を表示してフレームを装着している使用者に見せるよう構成され、フレームは多数の構成部から成り、多数の構成部のうちの１つはカメラであり、カメラは表示装置に画像を送信するよう構成されている。【選択図】図１３
2014013397.tif 000002
【特許請求の範囲】
【請求項１】
電子眼鏡であって、
電子眼鏡は、２本のつると２本のつるを相互接続している２個のレンズ枠部とを有しているフレームを備えており、２個のレンズ枠部のうちの一方のみに表示装置が設けられており、表示装置は使用者の通常の視線から外れた位置でレンズ枠部の上部に隣接して配備されており、表示装置はその上に画像を表示してフレームを装着している使用者に見せるよう構成されており、
フレームは多数の構成部から成り、多数の構成部のうちの１つはカメラであり、カメラは表示装置に画像を送信するよう構成されており、
電子眼鏡はマイクロフォンを更に備えており、マイクロフォンはフレームに設けられており音声を捕獲するよう構成されている、電子眼鏡。
【請求項２】
電子眼鏡システムであって、
電子眼鏡システムは２本のつると２本のつるを相互接続している２個のレンズ枠部とを有しているフレームを備えており、２個のレンズ枠部のうちの一方のみに表示装置が設けられており、
２本のつるの一方または両方が多数の電子構成部を収納しているとともに３つまたはそれ以上の別個の部位から成り、３つまたはそれ以上の別個の部位はつるの自由端の終端部、レンズ枠部に隣接して終端している前部、および、終端部と前部の間に位置している中間部を含んでおり、つるの別個の部位のうち中間部の体積が最も小さい、電子眼鏡システム。
【発明の詳細な説明】
【技術分野】
【０００１】
本発明は、電子眼鏡及び電子眼鏡システムの分野に関するものである。
【背景技術】
【０００２】
近年、携帯電話機、音楽再生装置、映像再生装置、ビデオゲーム、コンピュータ、および、多様な掌サイズの電子製品の使用が大いに増大している。これらは掌サイズであり、これら電子装置のうちコンピュータのようなものは別個のケースに入れてユーザーが携帯することが多い。目の周辺装具や目の周辺に装着するラジオ装置は元より、身体に着用可能なコンピュータも同様に、個々のフレームに一体化された、音楽再生装置のような着用可能な電子機器を創作しようとの試みが続いている。しかしながら、電子製品と人体の生物的諸相との間は断絶しているせいで、先行技術の装置は、人体と適切に相互作用するとともに解剖学的にも生理学的に人体に適っていると同時に視覚を含む五感との相互作用が十分である、有用で着用可能な電子装置を提案するのに失敗している。
【０００３】
従って、手の自由を束縛せず、尚且つ、生物学的に適合した態様で人体表面に装着することができる電子装置および電子機能を提案することが望まれる。本発明は、或る種の収斂により電子製品と人体の生物学的諸相および解剖学的諸相と人体の生体力学とを相近させると同時に、人間の五感および人体の生理学的特性を実際的な態様で相互作用させることができる、手の自由を束縛せず、交換自在で着用可能な一連の電子装置を提案している。
【０００４】
先行技術の発明によって提示されているような眼鏡フレームに電子機器、電源、または、その両方を収納することで、装置の作りが嵩張って、重く、邪魔で、不便となるが、このような眼鏡フレームは一貫してユーザーの耳にかなりの重量負荷をかけ、不快の原因となっていることがある。更に、このような重くて不恰好な眼鏡は、イヤホンおよびそれ以外の魅力を欠いたパーツが常に人目に触れることで眼鏡にとって重要な特性ともいえる優美さを奪い、しかも、職場、学校、または、正式な催事への参加を含め日常ベースの使用にも不適であるという状況から、美容上も望ましくない。
【０００５】
先行技術の発明についてのまた別な問題点は、装置が眼鏡のつるの前部に位置する蝶番を通るワイヤに依存している点である。これにより、製造プロセスが困難になり製造経費も嵩むことになる。更に、蝶番を通って延びているワイヤが眼鏡のつると一緒に繰り返し曲げ伸ばしされたせいで、ワイヤは損傷を蒙りがちとなり、製品の有効寿命を実質的に短縮してしまう。
【０００６】
大型で重い眼鏡フレーム収納式の電子装置は心地よい身体密着感と快適な使用を阻む恐れがある。米国特許出願公開第20040059212号および第20040242976号は、生物学的パラメータを無線式に測定する眼鏡を記載している。しかしながら、電子機器と無線送信機が眼鏡フレームの中に格納されているため、フレームは重く、時間経過とともに不快感を生じる原因となることがある。
【０００７】
電子機器、電源、外から見えないイヤホン、または、これらの各種組合せを取外しができない様式で格納している嵩の高い先行技術の眼鏡フレームすなわち頭部取付け式装置は、ユーザーが装置の電子機能を使っていない間でも装置を常時装着していることを必要とする。
【０００８】
先行技術はまた、「着用可能な」コンピュータを開示している。しかしながら、通例、このような装置は複雑で、実用向きではない。更に、この装置は人体にうまく適合させるのに好適な構成になっていないせいで、重量配分も良好とはいえず、装着者に不快感を感じさせるのも当たり前で、装置の長時間使用を思いとどまらせている。
【０００９】
電子機器が恒久的に埋設された衣類（例えば、帽子など）は、価格面で魅力的とは言えず、というのも、衣類を捨てることでそこに埋設された電子装置も放棄することが必要になるからである。同様に、電子装置を取替えたり上位機種に置換したい場合は、衣類を捨てる必要が生じる。
【００１０】
【特許文献１】米国特許出願公開第20040059212号
【特許文献２】米国特許出願公開第20040242976号
【発明の概要】
【発明が解決しようとする課題】
【００１１】
多くの人が多数の異なる種類の持運び可能電子装置を使用しており、例えば、携帯電話機、ＭＰ３プレイヤー、個人向けディジタル情報処理支援装置（ＰＤＡ）などがある。先行技術のまた別な欠点は、同じ眼鏡フレーム、同じ眼鏡付属品、または、同じ衣類を利用しながら複数の電子機能からユーザーが多肢選択することができる眼鏡、眼鏡付属品、または、衣類の開示をしていないことである。先行技術はまた、既にユーザーが所有している各種選択装置からユーザーが多肢選択することができる眼鏡および眼鏡付属品を開示していない。本発明を利用すれば、ユーザーは、携帯電話機、音楽再生装置、ＧＰＳ装置、および、ＰＤＡのような幾つもの掌サイズの装置を既に使用している場合には、身体に装着するタイプの新しい電子装置を購入しなくても、手持ちの装置の全てを手の自由を束縛しない装置に変えて身体に装着するタイプに変えることができる。
【００１２】
コンピュータ、ＤＶＤ再生装置、携帯電話機、ディジタル音楽再生装置、電子手帳などのような電子装置に関するまた別な問題は、これらの装置は作動状態にするのに、ユーザーは装置を握るか、または、装置を支持体（家具や床など）の上に置く必要がある点である。手で持ったり、支持体上に設置する必要のない電子装置があると非常に役に立つ。
【００１３】
更に、「掌サイズ」の装置は手で握られたままであることが必要である。携帯電話機、ディジタル音楽再生装置、ディジタル映像再生装置の或るものは手で握っていなくてもユーザーが装置を使えるようにした付属品を備えているが、このような装置や付属品の利用は厄介で、実際に使用するまで付属品を携帯して保管する必要がある。更に、イヤホンや、ディジタル再生装置を本体部に固着させるためのストラップなどのような付属品は、持ってくるのを忘れがちである。
【００１４】
更に、先行技術の電子眼鏡および電子眼鏡付属品は、構造が入換え可能式設計されていないことで、ユーザーは他の異なる機能を使うのに多数の装置を購入して形態する必要がある。これによりユーザーは、ラジオ用の電子眼鏡付属品、音楽再生装置用のまた別な電子眼鏡付属品、更には、携帯電話機用の電子眼鏡付属品を持っている必要がある。これでは、幾つもの電子眼鏡付属品を購入しなければならないユーザーの経費を増大させ、幾つもの電子眼鏡付属品を携帯しなければならない不便さを増してしまう。また、ここにきて規模の経済性を喪失したまま、複数の異なる装置を製造しなければならず、複数の異なるモデルの在庫を維持するという問題を抱え、尚且つ、多数の異なるモデルを陳列する必要性から商品棚の空きが問題を抱える製造業者の経費を増大させることになる。本発明によって提示されているように、低価格で、尚且つ、どんな電子装置とも互換性のある汎用の電子眼鏡付属品であって、ユーザーが電子眼鏡付属品を１個だけ携帯するだけでよいようにする電子眼鏡付属品を提示するのが望ましい。
【００１５】
更に、掌サイズの装置は簡単に紛失したり置き忘れ易く、見張っていなければ掌サイズの装置は盗まれ易いことがある。レストラン、航空機、タクシーなどに掌サイズの装置を置き忘れることはよくあることである。身体に既に装着済みである装備に加えて余分な装置や付属品をユーザーが携帯しなくても快適かつ邪魔にならず、しかも生物学的に適った態様で装着することができる、手で把持する必要がなく手の自由を束縛しない装置を提案するのは非常に有用である。
【００１６】
＜痛みおよび不快の問題＞
痛みが顕在化するまでに重量負荷を支えることができる人体能力は限られている。更に、痛み線維を活性化する閾値は、頚部、肩部、および、耳のような人体各部ごとにそれそれに異なっている。重量負荷パターンが生物学的に適っていない場合は、皮膚に取付けられた装置の刺激が悩ましいものとなり、皮膚内部の痛覚受容器終末が刺激を受けることになる。身体に載置された着用可能な電子器具の重量を適切に分散させることにより、抹消神経の圧受容器のみが活性状態となり、痛んでいる「侵害受容器」（後述する）は活性状態とならない。重量分布パターンが生物学的に適っている着用可能な電子装置を供与することにより、装置の重量に付随する痛みや不快は顕在化しない。
【００１７】
人体皮膚との接触に由来して、基本的に３つの感覚反応が存在する。すなわち、（１）機械刺激感覚、（２）熱刺激感覚、および、（３）侵害受容器感覚すなわち痛覚、である。神経線維は真皮を通って皮膚に入る経路を取っており、神経線維の大半は、真皮と表皮の境界部であって、感覚受容器構造の大半が存在している部分で終端している。最大級の受容器は特殊構造を全く備えていないものから構成されており、これらは痛みとは無関係な神経終末であるが、被包性神経終末は、通常は、軽触感覚および圧感覚を伴う。
【００１８】
抹消神経の軸索は分岐して、それぞれの伝達速度に応じてＡ線維、Ｂ線維、Ｃ線維となっている。Ａ線維は更に小さく分岐して、伝達速度の大きい方から順に、Ａα線維、Ａβ線維、Ａγ線維、Ａδ線維に分類される。触情報のような通常の感覚情報はＡβ線維によって伝達され、痛覚はＡδ線維およびＣ線維によって伝搬される。どのような着用可能な電子機器であれ長時間に亘って快適に装着することができるようにするには、設計と重量分布のほかに装置の重量パターンも同様に、この電子装置を支持している解剖学的領域のＡδ線維およびＣ線維を活性化することがあってはならない。
【００１９】
耳の皮膚の痛覚受容器とＣ線維とは、鼻の痛覚受容器およびＣ線維に比べると遥かに早期段階で活性状態となる。よって、ユーザーの痛覚受容器の活性化を阻止するには、出来るだけ大きな重量が鼻に加わるようにして、尚且つ、出来るだけ小さな重量しか耳には直接課されないように、生物学的に適った眼鏡の重量パターンが分配される必要がある。同様に、頚部のＣ線維、痛覚受容器、および、圧受容器は肩や胸部のＣ線維、痛覚受容器、および、圧受容器に比べて早期に活性化される。よって、痛覚受容器が活性化するまでの時間を引延ばすために、例えば着用可能なコンピュータについては、その生物学的に適った重量パターンは、肩および胸部の領域に重量を分配することと、頚部が単独で重量を支持すること、または、頚部が主として重量を支持することを回避することの両方を斟酌している必要がある。背中および肩の領域に重量を分配させる、上記以外の生物学的に適った実施形態を添付の図面と後段の詳細な説明に例示する。
【００２０】
本発明によって教示されているような良好な重量分布は、不快感や痛覚に導く機械刺激に対して高感度な侵害受容器を活性化するのを回避するのに、適正量の重量に接続される必要がある。痛みの刺激を阻止するために、解剖学的領域に付与される装置の重量は圧受容器は活性化させてもＣ線維と痛覚受容器を活性化させない程度であることが必要である。着用可能な電子機器の場合、過剰な圧力それ自体と、装置の重量が原因で生じる挫傷のような損傷を受けた細胞が放出する化学物質とによってＣ線維が活性化される。このことは、臨床的見地からも、また、着用可能な電子機器を今後身に付ける能力の点でも重要であり、というのも、Ｃ線維を活性化させた後、次回にユーザーが同じ領域にもっと軽量の装置を装着しようとした時でも、痛みが生じ、この現象は痛覚過敏と呼ばれ、潜在的に長期に亘り将来的にも装置を使用するのを阻む。
【００２１】
受容器は、神経線維に接続されているとともに皮膚に埋設されている不連続構造である。領域によっては受容器の密度が非常に高いところもあるが、受容器がほとんど存在しない領域もある。先行技術の装置を支持している解剖学的領域に代表される頚部および耳の皮膚の受容器は、機械刺激に非常に敏感で、これら受容器を励起させるのに僅か数マイクロメートルから数十マイクロメートルの変位量しか要しない。刺激は、強度が十分である場合には損傷を生じ、苦痛となる。本発明に従って重量および重量分布を適正化することにより、重量を支持している解剖学的領域の痛覚線維が活性状態になることは無く、時間経過とともにＡβ線維のような圧線維は重量に順応し、これにより装置使用中も完全に快適でいられる。
【００２２】
例示を目的として、身体の２つの解剖学的領域とそれぞれを代表する好ましい実施形態、すなわち、（１）眼鏡および帽子などのような頭部に取付けて着用可能な電子装置、および、（２）着用可能なコンピュータを説明してゆくが、これらに限定されない。眼鏡を着用する人は、通例、鼻の皮膚に凹みが出来たのには気付いても、それほどの不快感は抱かない。他方で、耳の周囲で眼鏡のつるの位置決めを微妙に誤っただけで、相当な不快感を抱く。これは、鼻の領域の皮膚には痛覚受容器とＣ線維がほとんど存在しないが、耳の周囲の皮膚には痛覚受容器とＣ線維がより高密度に集中しているせいである。
【００２３】
解剖学的領域の感度を定量化するのは可能である。１平方センチメートルあたりの耳の痛覚の受容器位置の個数は、鼻の痛覚受容器位置の個数が35から55の範囲であるのとは対照的に、120個から160個の範囲である。耳の１平方センチメートルあたりの触覚の受容器位置の個数は、鼻の触覚受容器位置の個数が90から110の範囲であるのとは対照的に、40個から70個の範囲である。
【００２４】
従来の重量の通常の眼鏡でさえ、うまく適合していなければ、耳の皮膚周辺ではこの領域の痛覚受容器の密度が高いせいで不快感を生じる。当然のことながら、電子機器、電源、または、その両方を収容している眼鏡つるで耳に重量負荷をかけると、時間経過とともに不快感と痛みが顕在化することはありそうである。よって、痛覚受容器および痛覚線維の数が少ない鼻などの他の領域に重量負荷を機械的に転置することにより、活性状態になる痛覚受容器の量は減り、装着者の快適レベルが高まる。更に、重量をより広域に分布させることにより、例えば、帽子を利用するといった方法で、痛覚線維の活性程度は少なくなり、従って、もっと重い装置でも利用することができるようになる。
【００２５】
頚部における痛覚の受容器位置の１平方センチメートルあたりの個数は、肩および胸部の痛覚受容器位置の個数が120から150の範囲であるのとは対照的に、170から200の範囲である。よって、頚部から、痛覚線維の個数の少ない肩および胸部のような他の領域に重量を機械的に転置することにより、痛覚線維の量と活性状態の受容器の量を減らすことができる。
【００２６】
着用可能な装置の問題点は、真に有用な着用可能な装置を小型化して身体の感覚や生物学的諸機能と実用態様で相互作用させる必要があるという事実により、更に複雑となる。
【課題を解決するための手段】
【００２７】
本発明は、或る種の収斂により電子製品と人体の生物学的諸相および解剖学的諸相と人体の生体力学とを相近させることを教示していると同時に、人間の五感と相互作用させることができて生物学的に適っており、痛覚線維を活性化させない（痛みを生じない）重量分布にした、手の自由を束縛しない着用可能な一連の電子装置を提案している。
【００２８】
本発明では、コンピュータ装置、映像再生装置、音楽再生装置などのような多様な着用可能な電子装置が提案されている。電子機器を収納している本発明の着用可能な機器の１つに、眼鏡が含まれている。
【００２９】
本発明は、釣合い錘のおかげで鼻領域が支持する重量負荷が他所よりも大きくなっている、重量分布が最適な眼鏡を提案しているが、釣合い錘の代表例は鼻と正反対側の後頭部側に配置されるのが好ましい電子パッケージであり、電子パッケージは眼鏡のつるの端部に固着された状態であるのが好ましい。重量を後頭部で尚且つ鼻の裏側に転置することにより、また、眼鏡のつるには軽量部分しか収容しないことにより、痛覚線維の活性化を排除または遅延させるとともに、鼻領域と比べて圧力が原因で生じる痛みに対してより敏感である耳の解剖学的領域を直接的に眼鏡のつるが圧迫することにより加えられる圧力を低減し、より良好な重量分布と快適さを得ている。
【００３０】
本発明は、肩および胸部の領域が頚部と協働して構造体を支持する態様の、より良好な重量分布を提案しているが、構造体の代表例は２本のアームが頚部の他にも肩および胸部の領域に載置される天地反転Ｕ字型構造体または天地反転Ｖ字型構造体である。２本のアームを互いから離れる方向に散開させることにより、頚部と肩および胸部の領域とに亘りより良好なバランスと重量分布で重量を分散させている。
【００３１】
本発明は、更に、重量を分散させて生物学的に適った、着用可能なコンピュータを教示している。多様な電子部品および無線部材がシステムに一体化される。従って、この着用可能なコンピュータには携帯電話機を組込むことができるが、電話ダイアルパッドがコンピュータキーボードと統合され、天地反転Ｕ字型構造体によって聴覚機能と発話機能を行えるようにすると同時に、手の自由を束縛しない通話ができるようにしている。同様に、本発明の着用可能なコンピュータまたは本発明の格納コードには、インターネットにより通信内容を受信する無線通信システムを組込むことができる。
【００３２】
本発明は、未使用時には完全小型化するシステムであって、使用時には視覚機能、聴覚機能、発話機能、および、触知機能により装置を完全対話式にすることができるシステムを提案している。Ｖ字型構造体は、形状記憶合金を含め、記憶を有する可撓性素材から製造されているのが好ましい。よって、未使用時には（例えば、携帯時またはテーブル設置時には）構造体の２つの端部は互いに折り重ねられたうえで螺旋状に捻られて、一方のアームの端部にあるキーボードを反対側のアームの端部の表示装置の上に重ねて配置し、完全小型化システムを作ることができる。本発明はまた、螺旋形状体を利用することにより卓上型としても利用することができ、螺旋形状部の垂直部分が端部で表示装置を支持し、水平部分がキーボードに接続される。
【００３３】
本発明の目的は、複数の電子機能および入換え可能な電子機能を有している、取外し自在で着用可能な電子眼鏡および頭部取付け機器を提示することである。
【００３４】
また、本発明の目的は、重量分布を最適化し、伸縮自在なアームを設けた着用可能なコンピュータを提示することである。
【００３５】
本発明の更に別な目的は、映像再生装置、音楽再生装置、ビデオゲーム、電子ブック、全地球位置把握システム（ＧＰＳ）、カメラ、ビデオカメラ、テレビ、無線電話機、携帯電話機などのような、手を自由を束縛しない、着用可能な複数の電子装置を提示することである。
【００３６】
本発明の更に別な目的は、電子機器を収納する、手の自由を束縛しない支持構造体を提示することである。
【００３７】
眼鏡は最もありふれた着用可能な装置の一例であり、成人人口の大半がサングラスか、処方を要する遠距離眼鏡または読書用眼鏡のうちいずれかを着用している。従って、本発明により、ユーザーが眼鏡を着用するにあたり、大抵において、それと分からない態様で、または、傍らで観察しても見えない状態で眼鏡に電子機能を実施させると同時に、フレームを軽量・優美・小型・美的・低価格・快適に維持するばかりか、生物学的にも適っており、どのような生活状況であっても日々の実用を満たすことができるようにすることが有用であり、かつ、望ましい。本発明の目の周辺装具は人目につきにくい（他の眼鏡のような視覚機能を保持しているのに加えて）電子装置として二様式であり、本発明の眼鏡は、外観が通常の眼鏡に見えるせいで、誰にでも使えて、また、職場、学校、自宅、または、遊興中のようなあらゆる場面で使える。
【００３８】
本発明の上記目的およびそれ以外の目的と、本発明の意図した利点の大半も同様に、添付の図面と関連づけて理解しながら後段の詳細な説明を参照すれば、より容易に明白となる。
【００３９】
添付の図面に例示されている本発明の好ましい実施形態を説明するにあたり、明瞭にするために特定の用語に依存している。しかし、本発明を選択された通りの特定の用語に限定しようとの意図は無く、特定の用語は各々が、同じような態様で作用して同じような目的を達成する技術的均等物全体を網羅するものと解釈するべきである。「電子パッケージ」という語と「電子装置」という語が使われる場合は、相互に言い換えされてもよい。
【００４０】
眼鏡のほかにも、頭部取付式の装具、帽子、目隠し、ヘルメット、サンバイザー、頚部取付式の装具、スカーフ、各種衣類などのような、多様な着用可能装具がどれも身体に装着されるが、電子的に使用可能ではなく、着用可能電子機器としても生体力学的に適っているとはいえない。本発明により、上述のような着用可能な装具に電子性能を供与して電子システムを着用可能な装具に嵌め込んで、重量分布を適性にすると同時にそのような装具の廉価・快適・優美・製造容易の特性を保有し、電子機器および電子パッケージを着用可能な装具の寸法領域内に収まり、傍から観察しても見えないようにすると同時に、着用者と装置との間の視覚的対話、音声対話、聴覚対話などの相互作用を実施できるようにするのが望ましい。
【００４１】
本発明の一例として、着用可能な装具（眼鏡、帽子などの頭部取付式装具、頚部取付式装具、衣類など）に嵌め込むにあたり着用可能な装具をそれほど改変せずに済む、超小型化電子システムが挙げられる。これは、着用可能な装具に恒久的に格納される電子システムの部品数を減じることにより達成される。電子システムの残余の部分は、傍から観察する人に見えないような態様で、着用可能な装具に取付可能な取外し自在な電子パッケージ（ＤＥＰ）の中に収められる。本発明はまた、イヤホンなどのような付属品類の必要も排除し、着用可能な装具に恒久的に付着される最も高価で他の部品よりも重い部品の個数を減じている。
【００４２】
本発明は、取外し自在な電子パッケージ（ＤＥＰ）およびＤＥＰに着脱自在に接続される、着用可能な装具（ＷＡ）を含んでいる、着用可能な電子装具を提案している。ＤＥＰとＷＡの接続には拡張可能なコードが使われるのが好ましいが、退避可能なワイヤを含んでいるスプールが使われるか、または、長く伸ばすことができるうえにバネ性能を兼備したコイル状ワイヤが使われるのが最も好ましい。ＤＥＰは着用可能な装具（ＷＡとも称する）に電子接続するように着脱自在に接続される。ＷＡには、通例は、イヤホンの電気接続部が設けられており、これはＷＡに恒久的に付着されているのが好ましい。イヤホンは退避可能なワイヤを含んでいるスプールに接続されるか、または、長く伸ばすことができるうえにバネ性能を兼備したコイル状ワイヤに接続されるのが好ましい。ＤＥＰの具体例として多様な電子装置を挙げることができるが、例えば、ディジタル音楽再生装置、無線通信装置、映像再生装置、映像記録装置、全地球位置把握システム（ＧＰＳ）などがある。
【００４３】
例示を目的として、但し、限定するやり方ではなく、本発明の好ましい実施形態を詳細に説明してゆく。取外し自在な電子眼鏡システムはＤＥＰを含んでおり、ＤＥＰはその両端の各々に１本ずつ、２本のワイヤが配備されているのが好ましい。このようなワイヤはそれぞれの自由端に電気接続部が設けられており、これら接続部が眼鏡フレームに包含されている電気接続部に着脱自在に接続される。
【００４４】
添付の特許請求の範囲に記載されているシステムの一部である眼鏡は、レンズを格納している正面部と、正面部の両端に配備された２本の眼鏡つる部とから構成されている。眼鏡つる部は各々がワイヤ、イヤホン、および、電気接続部を格納しているのが好ましい。イヤホンはフレーム構造の内側に隠されているのが好ましく、或いは、フレームの端部に隠された状態になるのが最も好ましい。イヤホンの寸法は、フレームの寸法内に収まるようにするのが好ましい。眼鏡つる部の各々に設けられた電気接続部はＤＥＰに取付けられたワイヤと着脱自在に接続される。眼鏡つる部の内側の接続部は標準化されることで、複数の異なるＤＥＰを眼鏡と接続して使うことができるようにしており、ユーザーは、眼鏡フレームが使える複数の電子パッケージのうちから任意でどれかを選ぶことができる。
【００４５】
眼鏡のつる部の電気接続部はＤＥＰの電気接続部と接続状態になると、ＤＥＰを通る回路を形成する。眼鏡つる部に接続している蝶番部を通ってフレーム正面部までワイヤを走らせる必要は無い。
【００４６】
眼鏡つる部は電気接続部、ワイヤ、および、イヤホンを固定する、または、収納するのに適した構成になっている。この好ましい実施形態はワイヤ、イヤホン、および、電気接続部を格納している眼鏡つる部を構成部材の一つに含んでいるのが好ましいが、これ以外の、例えば、軽量かつ小型のマイクロチップや小型電源などのような部品が眼鏡つる部に固定され、または、収納されていてもかまわないものと理解するべきである。更にまた、眼鏡つる部は、ビデオや写真などを撮影するカメラのマイクロ光学系、光源、マイクなどのような部品を含んでいてもよいが、主要な重量負荷の高い電子機器はフレームの外側に収容され、特に、ＤＥＰに収納されているのが好ましいものと理解するべきである。例えば、本発明の眼鏡フレームは、映像記録の用途では、眼鏡フレームの内側に収容されたカメラのマイクロ光学系と、ＤＥＰに収容された主要電子機器とを備えているようにしてもよい。レンズ、絞り、電荷結合素子（ＣＣＤ）のような小型画像センサー、および、ユーザーインターフェイスが同じフレームに格納され、各種制御装置、処理装置、電源、回路、および、液晶表示スクリーンが同じＤＥＰに格納されるようにすることもできる。
【００４７】
好ましい実施形態においては、眼鏡つる部はその構造体の内側にワイヤを収納しており、ワイヤの一端はイヤホンに直接接続されているか、または、イヤホンの電気接続部に接続されており、ワイヤの他方端には電気接続部が設けられている。電気接続部は眼鏡つる部の各々の端部に配置されているのが好ましいが、眼鏡つる部の各々の自由端に配置されているのが最も好ましい。これに代わる例として、ワイヤは、眼鏡つる部の表面の上端面で、つる部の構造体の外側に固着されるとよい。これにより、特にフレームの厚みが薄い場合には、製造プロセスをより容易にすることができる。電気接続部は眼鏡つる部の端部に収納されているのが好ましいが、電気接続部はフレームのどの部分に配置されていてもよく、例えば、眼鏡つる部の中央部に配置されていてもよい。
【００４８】
眼鏡つる部の端部の電気接続部にはまた別な電気接続部への接続手段が設けられており、特に、取外し自在な電子パッケージ（ＤＥＰ）由来の電気接続部への接続手段が設けられているのが好ましい。眼鏡つる部の自由端の電気接続部は、ＤＥＰに接続されているワイヤの自由端に接続されるのが好ましい。ＤＥＰと眼鏡フレームとの間に揺るぎない電気接続を確保するために、ＤＥＰと眼鏡フレームまたはＤＥＰと眼鏡つる部との間にラチェット機構が設けられているのが好ましい。ＤＥＰを眼鏡フレームに固着させる機構なら何であれ、利用することができるものと解釈するべきである。
【００４９】
眼鏡フレームに設けられている電気接続部はＤＥＰに格納されている複数の電子装置と接続するのに適した構成にされるが、このような電子装置の具体例として、ＭＰ３プレイヤー、ブルートゥース（Bluetooth）装置、ラジオ、映像再生装置、映像記録装置、音声記録装置、ゲーム装置、テレビ、コンピュータを導入した電子手帳、高周波反射システム、全地球位置把握システム、光源、携帯電話などが挙げられる。ＤＥＰはまた、ディジタル双眼鏡のディジタル情報記憶装置を含んでいてもよく、例えば、双眼鏡光学系が眼鏡フレームに搭載され、電子機器とメモリはＤＥＰに保管されるようにするとよい。本発明は、１つの眼鏡フレームがそこに装着されるＤＥＰ次第で複数の電子性能を受容できる電子機能を使用できるようにした眼鏡を提案している。
【００５０】
従って、本発明は、眼鏡フレームを取替えなくても、多機能を電子的に使用可能な眼鏡を提案している。この単独の軽量かつ優美で目立ちにくい電子眼鏡が音楽と映像の両方を再生することができ、またこれに代えて、ＤＥＰの種類を取替えるだけで電話の呼び出しを受けることができる。１つの電子機能を備えている１個のＤＥＰを別な電子機能を備えている別なＤＥＰと置換することに加えて、本発明は多目的でもあり、２個以上の電子装置を同じ電子パッケージに収納することができる。ＤＥＰをそれ固有の機能について特定期間に亘って使用した後で、その機能が完了してから、このＤＥＰが別なＤＥＰを収容し、または、別なＤＥＰと取替えられる。例えば、他のものより大型のＤＥＰに、ユーザーが見たいと思えばディジタル映像プレイヤーを、ユーザーが聞きたいと思えばＭＰ３プレイヤーを装備させることができ、或いは、ユーザーがブルートゥース（Bluetooth）性能だけを欲している場合にはＤＥＰを真に軽量にすることができるが、このようなＤＥＰにはマイクが装備される。多数電子機能を有するＤＥＰも利用することができ、従って、必要となるＤＥＰは１個だけとなる場合もあることが分かる。
【００５１】
本発明により、電子機器に関して余分な出費をしなくとも、また、嵩張るうえに重い頭部取付式装具を製造しなくても、眼鏡および頭部取付式装具（例えば、帽子やヘッドバンドなど）で、音楽および映像の配信などが電子的に使用可能となる。製造プロセスは簡単かつ経費節減効果も高く、眼鏡の場合であれば、最小量の軽量かつ薄い部品を収容した眼鏡つる部を取り替えるだけで、フレームにボタンなどを設けなくても、従来の眼鏡と見た目も変わらない眼鏡を使用することができる。ユーザーが音楽を聴きたい時はいつでも、また、ビデオ映像を観たい時、ゲームで遊びたい時、または、電話に出たい時はいつでも、ＤＥＰを眼鏡フレームに電気接続させるだけで、または、それ以外の頭部取付式装具に電気接続させるだけで、あらゆる機能が直ちに利用できる。ＤＥＰには、眼鏡および頭部取付式装具による生体測定値を送信する無線送信機が設けられていてもよく、これは米国特許出願公開第20040059212号および第20040242976号に記載されているようなものがある。
【００５２】
本発明はまた電子クリップ留めシステムおよび差込システムを提案しており、このようなシステムの特定寸法領域の特殊化クリップ留め部には、電子性能が備わっているとともに、一方の眼鏡つる部のクリップ留め部の一端を他方の眼鏡つる部と接続するにあたり、蝶番機構を通らない配線、すなわち、ワイヤを屈曲させる必要がない配線が設けられている。眼鏡フレームの特化型クリップ留めシステムおよび差込システムには、特殊な退避可能なイヤホンおよび特殊寸法の電気接続部が含まれている。更にまた、クリップ留めシステムの実施形態および差込システムの実施形態には２面式クリップ留め部または２面式差込部が含まれており、これらは両側（左右両側）にイヤホンを収納し、一方側は電子機器と電源を収納し、クリップ留め部の両側（左右両側）が着用者の後頭部または後頚部に沿って伸張するケーブルによって電気的に接続することができると解釈するべきである。
【００５３】
本発明の各種特徴は、頭部取付式装具および眼鏡フレームの用途をユーザーに音楽および映像を配信する手段として使用されるように最適化し、尚且つ、フレーム内には重くて嵩高で厄介な電子機器が収容されていないせいで眼鏡の着用感、見た目、重量を損なうことがないものであることが分かる。本発明は、通常の眼鏡およびそれ以外のまともな頭部取付装具を使用者が着用することができるのと同時に、退避可能なコードと一緒に特殊イヤホンを収納している特化型眼鏡つるを利用して、音楽および映像を楽しむことができるようにすることで、装具の領域全面を最適化している。
【００５４】
本発明は、電子装置および着用可能電子機器に全く新規な提案を示しているとともに、以下に列挙する多数の利点を提示している。すなわち、
（１）電子パッケージは耐用年数が短い短命ＷＡから取り外せるおかげで、電子パッケージの寿命を永らえる。
（２）破損した電子機器部品または時代遅れになった電子機器部品は新世代のものと置換することができるせいで、ＷＡの継続使用が可能となり、ＷＡの寿命を永らえる。
（３）電子機器は電子機能の使用中にのみＷＡに固定されるだけでよいせいで、ＷＡの快適さと有用性を維持しながら向上させる。
（４）電子機器は小型でＷＡの寸法領域に収めることができるせいで、着用可能な電子機器の有用性を向上させながら、その優美さと快適さも維持する。
（５）電子機器およびそれ以外の部品は傍で観察する人に見えないうえに、電子機器、ワイヤ、および、イヤホンはＷＡを改変しもせず、ＷＡに歪みを生じさせもしないせいで、ＷＡの優美さと機能を維持する。
（６）単独のＤＥＰを、眼鏡、帽子、ヘルメット、サンバイザー、目隠しなどのような多様な着用可能な装具（ＷＡ）と結合させることができるせいで、ＤＥＰの用途を拡大する。
（７）ＷＡの洗濯中など、電子パッケージを損傷の危険に晒す状況下ではＷＡからＤＥＰを取外しておくことにより、ＤＥＰの耐用性が増す。
（８）着用可能な電子装置と提携して視覚機能、発話機能、および、聴覚機能の各々をユーザーが体験することができるシステムを提供することにより、実用性が増す。
（９）電子機能を実行することができるようになったＷＡの用途を拡大する。
（１０）ＷＡそれ自体は非常に廉価でありながら電子機能を実行することができるようになったことで、ＷＡの価値が高まる。
（１１）イヤホンなどのような主要付属品を持運び保管する必要がないようにすることにより、システム使用の至便性を向上させる。
（１２）電子装置を、常時、肌身に感じて身体表面に装着しておくことにより、ＤＥＰを易々と盗まれたり置き忘れたりする可能性が限られる。
（１３）ＤＥＰはどのような寸法の着用可能な装具にでも遍く適合させることができるせいで、どのような身体サイズと体重の人についても、ＤＥＰの適合性を向上させる。
（１４）重力と身体部分が支持するおかげで、身体に電子装置を固着しなくても電子機器を適所に保持できるようにすることで、電子機器を自然に使用することができる。
【００５５】
本発明の実施形態のユーザーとして考えられる人の具体例として、医者を挙げることができる。通常、先行技術に見られるような電子機器、ボタン、または、イヤホンを装備した重くて嵩張る眼鏡を医者が善しと容認することはなさそうであり、というのも、このような特徴は受診中の患者の注意を引き易そうだからである。このような眼鏡は、奇妙である、または、脅かしであると認識されるかもしれず、医者と患者の真面目な関係を取り払いかねず、病院内や施療のサービス中には無用であるし、むしろ、場合によっては、許されないことである。（このことは、真面目な職場環境や学校でも有りがちなことである。）更に、このような奇妙で嵩張る眼鏡は他人を不必要に注意散漫にさせる恐れもある。本発明の眼鏡は（それ以外の頭部取付式装具も）音楽再生装置のような目立たない電子装置としての働きがあるので、例えば、医者は音楽再生用のＤＥＰを携帯することならあるかもしれない。昼食時に、医者も何かの音楽を聴きたいと思うかもしれず、音楽再生用ＤＥＰをフレームに接続する。次に、医者は退避可能なイヤホンを眼鏡のつるから引き出して、耳に装着する。更に、医者は余り目立たない態度で音楽を楽しむだろうが、目立たないのは、一見して明らかな部品が小さなイヤホンだけだからである。ＤＥＰは、頭部に眼鏡を保持するための通常のコードに偽装して、後頭部に置かれる。ＤＥＰをもっと上手に隠蔽するために、ワイヤおよびシステムは、ネオプレン、皮革、繊維、または、これらに類似する素材で見え難く覆われるのが好ましい。医者は、昼食を終えた後、イヤホンを眼鏡のつるの中に退避させて戻し、ＤＥＰを眼鏡つるから切離し、ＤＥＰをポケットの中に収めることができる。直ちに、電子的に使用可能な眼鏡は、眼鏡つるからコードが垂れ下がること無く、通常の眼鏡のように見えるようになる。
【００５６】
医者はまた、例えば、ＤＥＰをフレームに接続状態のままにしておくこともできる。ＤＥＰは頭部の後ろに隠れているし、ひどく目立つわけでもないので、ＤＥＰが仕事中の医者の妨げとなることはなく、患者診療の邪魔になることもない。ＤＥＰをフレームに接続したままにしておくことにより（または、カメラ使用可能なＤＥＰのような別なＤＥＰに交換することにより）、医者は、嵩張る電子機器、回路、および、ディジタル情報記憶装置はＤＥＰに収納したままで、フレームに収納された小型カメラシステムを利用することができる。これにより、医者は患者肉体の各部、例えば、癌病巣などを撮像するのに、自らが既に装着している眼鏡を使うだけでよい。写真はＤＥＰに保存され、情報解析または保管のためにコンピュータやテレビにアップロードすることができる。また、この眼鏡は眼鏡レンズ上でシリコンマイクロ表示機能が使用可能にされて画像を見ることができるようになり、医者は保存されている画像が必要な全場面を含んでいることを確かめることができる。
【００５７】
医者は昼食中はＤＥＰのＭＰ３音楽再生機能を使うことができ、仕事にはＤＥＰのカメラ機能を使うことができ、更に、帰宅してからはブルートゥース（Bluetooth）が使用可能な電話を使うことができる。よって、この眼鏡は多数の電子機能を提供することができる。帰宅後も依然として、医者は視力矯正のために眼鏡が必要であるが、その他の電子機能は全く必要ではないかもしれない。こうなると、医者は眼鏡つるの中にイヤホンを戻してから、ＤＥＰを切離す。眼鏡つるの中にイヤホンを隠して、どのＤＥＰとも接続していない状態にすれば、眼鏡は従来の眼鏡に戻る。
【００５８】
先行技術によって提案されているように、イヤホンが垂れ下がって目立ったまま、また、電子機器をフレームに収納した状態の眼鏡を一日中着用していれば、眼鏡着用者の主たる関心事は音楽を聴いたりすることであって、人の言うことに耳を貸す気はありませんよというメッセージが伝わる。本発明の眼鏡システムを利用すれば、ユーザーは、帰宅時にはＤＥＰを切離してイヤホンを隠すことができ、通常の眼鏡を着用することで、人の言うことに耳傾ける気がある気持ちが伝わる。夕食後、医者はＤＥＰディジタルビデオ再生装置にプラグを差込み、ＤＥＰに取付けられた退避可能なコードを使って、眼前に表示装置を設置して映像を観賞することができる。就寝前には、ユーザーは音声再生装置および音声記録装置のプラグを眼鏡に差込み、内蔵マイクを備えている眼鏡着用中に記録された会話を聞く。ディジタル情報記憶装置、電池、および、電子機器はＤＥＰに格納されているので、直径1 mmのマイクと薄いワイヤしか眼鏡フレームの構造体には収納されておらず、マイクロフォン集成体が見えるだけである。
【００５９】
単独のＤＥＰを多様な異なる着用可能な装具（ＷＡ）と併用することができる。例えば、就寝時には、音楽を聴きながら眠りに付きたいと思うユーザーは、仕事場で昼食時に使ったのと同じＤＥＰのＭＰ３を掴むが、このＤＥＰのＭＰ３は目下のところ、眼鏡の代わりに目隠しにプラグが差込まれている。次に、ユーザーは目隠しから引き出されているイヤホンを耳に装着して、目隠しで目を覆い、システムのスイッチを入れ、気分を沈静させる音楽を聞きながら寝入ることができる。朝目覚めた後、ユーザーはＭＰ３プレイヤーのプラグを電子的に使用可能な帽子に差込、ここでユーザーは電子的に使用可能な帽子に取付けられたＤＥＰから聞こえる音楽に耳を傾けながら、運動することができる。
【００６０】
同様に、ユーザーは天地反転Ｕ字型の着用可能なパーソナルコンピュータ（ＰＣ）を着用して空港に向かう。電子眼鏡で音楽を聴きながら、セキュリティーチェックの列に並んで待っている間や飛行機の利用便を待っている間、ユーザーは天地反転Ｕ字型のコンピュータを使ってパワーポイント（PowerPoint）プレゼンテーションのプログラムで作業する。飛行中、ユーザーは天地反転Ｕ字型の着用可能なＰＣを使って作業をしたり映画を観たりする。天地反転Ｕ字型ＰＣのキーボードおよび表示装置は、自己調節式の拡張可能なアームのおかげで、事実上、空中のどの高さにでも「浮かす」ことができる。よって、飛行中に食事が運ばれてきた場合は、ユーザーはコンピュータを閉じて映画観賞を止めたり作業を中止する必要はない。キーボードを持上げて食事のトレイ台の上方に設置している間、食事はトレイ台の上に置いたままであり、食事中も中断せずに、引き続き映画を観たり作業を続けることができる。複数の異なる着用可能電子装置を装着して多数の異なる活動および多数の異なる電子機能を行うユーザーの24時間のサイクルはここで終わる。
【００６１】
電子機器は眼鏡、帽子、目隠しなどのＷＡに着脱自在に接続されているせいで、壊れ易い電子機器を傷つけずにＷＡを洗浄および洗濯することができるが、ＷＡを廃棄処分にする場合、ユーザーは高額な電子機器を取っておいて、電子パッケージを受容するのに好適な造作の別なＷＡで再利用することができる。
【００６２】
また、本発明の一例として、着用可能な電子機器を利用する方法があり、この方法は、（１）着用可能な装具（ＷＡ）に電気コネクタおよびワイヤを取付ける工程と、（２）着用可能な装具（ＷＡ）の構造部に載置されている取外し自在な電子パッケージにＷＡの電気コネクタを着脱自在な態様で電気接続する工程と、（３）エネルギー源を活性化させて、取外し自在な電子パッケージに電源供給する工程と、（４）着用可能な装具（ＷＡ）によりユーザーに音声信号か視覚信号のうち少なくとも一方を配信する工程とを含んでいる。
【００６３】
本発明のまた別な局面は、着用可能なコンピュータを使用する方法であり、着用可能なコンピュータは天地反転Ｕ字型のパーソナルコンピュータ（ＰＣ）であり、その２本のアームで、調節できる態様で拡張可能な部分（グースネック部）と調節できる態様で位置決め可能な部分（螺旋部または蛇腹部など）を結合させており、この方法は、
（ａ）一方のアームにキーボードを接続する工程と、
（ｂ）他方のアームに表示装置を接続する工程と、
（ｃ）表示装置とキーボードの間に有線接続と無線接続を設ける工程と、
（ｄ）電源を活性化させる工程と、
（ｅ）表示装置かキーボードのいずれかの保有している処理機能を生成する工程とを含んでいる。
【００６４】
これに代わる例として、この方法は、
（ａ）一方のアームにキーボードを接続する工程と、
（ｂ）他方のアームに表示装置を接続する工程と、
（ｃ）キーボード、表示装置、または、その両方に処理装置を接続する工程と、
（ｄ）表示装置、キーボード、および、処理装置を接続するために有線接続または無線接続を設ける工程と、
（ｅ）電源を活性化させる工程と、
（ｆ）処理装置の処理機能を実行する工程とを含んでいる。
【００６５】
本発明は、着用可能な装置にＤＶＤを再生する方法を更に含んでおり、この方法は、
（ａ）一方のアームにディスクプレイヤーを接続する工程と、
（ｂ）他方のアームに表示装置を接続する工程と、
（ｃ）表示装置、ディスクプレイヤー、または、その両方に電源を接続する工程と、
（ｄ）表示装置、ディスクプレイヤー、および、電源を接続するために有線接続または無線接続を設ける工程と、
（ｅ）電源を活性化させる工程と、
（ｆ）ディスクプレイヤーの電子機能を再生する工程とを含んでいる。
【００６６】
本発明は、着用可能なコンピュータでビデオゲームを再生する方法を更に含んでおり、この方法は、
（ａ）一方のアームにビデオゲームを接続する工程と、
（ｂ）他方のアームに表示装置を接続する工程と、
（ｃ）表示装置、ビデオゲーム制御装置、または、その両方に処理装置を接続する工程と、
（ｄ）処理装置に電源を接続するため工程と、
（ｅ）表示装置、ビデオゲーム制御装置、処理装置、および、電源を接続するための有線接続または無線接続を設ける工程とを含んでおり、
接続を設ける工程（ｅ）は、
（ア）電源を活性化させる工程と、
（イ）処理装置の電子機能を実行する工程と、
（ウ）表示装置の少なくとも視覚信号を生成する工程とを更に含んでいる。
【００６７】
本発明のまた別な実施形態は、着用可能なシステムを利用して画像を観る方法であり、この方法は、
（ａ）拡張可能部分（例えば、蛇腹状部分または螺旋状部分）と可撓性部分（例えば、グースネック状部分）を連結している支持構造体の、調節可能な態様で撓み性を示すアーム（例えば、グースネックアームなど）の端部に画像化装置を固着する工程と、
（ｂ）身体の一部の周囲に支持構造体を設置する工程と、
（ｃ）画像化装置に固着された伸縮自在アームを長く伸ばす工程と、
（ｄ）目の視野軸の範囲内に画像化装置を設置する工程と、
（ｅ）電源を活性化する工程と、
（ｆ）画像化装置の電子機能を実行する工程と、
（ｇ）画像化装置の視覚信号を再生する工程とを含んでいる。
【００６８】
本発明はまた、手の自由を束縛しない着用可能な電子装置を使用する方法を備えており、この方法は、
（ａ）拡張可能な蛇腹状部分と可撓性のグースネック状部分を連結している支持構造体のアームの端部に電子パッケージを固着する工程と、
（ｂ）身体の一部の周囲に支持構造体を設置する工程と、
（ｃ）支持構造体の拡張可能部分を長く伸ばす工程と、
（ｄ）アームを調節して目線上に電子パッケージを設置する工程と、
（ｅ）電源を活性化する工程と、
（ｆ）電子パッケージの電子機能を実行する工程とを含んでいる。
【００６９】
更に、本発明の一例として、着用可能な装具（ＷＡ）を遍く、電子性能を備えた装具に変換する方法があり、この方法は、電子パッケージを収納コードに固着する工程と、ＷＡに収納コードを取付ける工程と、電源を活性化する工程と、ＷＡに固着された電子パッケージの機能を再生する工程とを含んでいる。
【００７０】
本発明の上記以外の特徴、利益、利点は添付の図面に関連づければ後段の説明から明らかになる。
【図面の簡単な説明】
【００７１】
【図１Ａ】先行技術による電子機器を収納するのに眼鏡のつるを利用して重量分散させたのを表現した眼鏡をユーザーが装着しているのを例示している斜視側面図である。
【図１Ｂ】本発明のＤＥＰ（着脱自在な電子パッケージ）を利用して重量分散させたのを表現した眼鏡をユーザーが装着しているのを例示している斜視側面図である。
【図１Ｃ】本発明の一実施形態の取外し自在な目の周辺の電子装備システムを例示している頂面斜視図である。
【図１Ｄ】ＤＥＰ（着脱自在な電子パッケージ）の好ましい実施形態を例示した平面図である。
【図１Ｅ】ＤＥＰ（着脱自在な電子パッケージ）の好ましい実施形態を例示した側面図である。
【図１Ｆ】本発明の眼鏡のつるの好ましい実施形態を例示した側面図である。
【図１Ｇ】先行技術のイヤホン集成体を例示した図である。
【図１Ｈ】本発明のイヤホン集成体の好ましい実施形態を例示した図である。
【図１Ｊ】本発明のイヤホン集成体の好ましい実施形態を例示した図である。
【図２Ａ】先行技術により重量分散させたのを表現した、ユーザーが着用可能な電子装置を頚部の周囲に着用しているのを例示している斜視正面図である。
【図２Ｂ】本発明により重量分散させたのを表現した、ユーザーが天地反転Ｕ字型の着用可能な電子コンピュータを装着しているのを例示している斜視正面図である。
【図３】本発明の目の周辺の電子装具にイヤホンの延長コードが設けられているのを例示している斜視正面図である。
【図４】眼鏡のつるの内側にイヤホンコードとイヤホンが退避状態にあるのを例示している、図３に類似した斜視正面図である。
【図５Ａ】本発明の取外し自在な電子眼鏡のまた別な実施形態を例示した斜視正面図である。
【図５Ｂ】図５Ａの発明の取外し自在な電子眼鏡のつるを例示した斜視側面図である。
【図５Ｃ】本発明の取外し自在な電子眼鏡のまた別な実施形態を例示した斜視正面図である。
【図５Ｄ】図５Ｃの発明の取外し自在な電子眼鏡のつるを例示した斜視側面図である。
【図５Ｅ】眼鏡のつるの両端の詳細を例示した斜視図である。
【図６】本発明の取外し自在な電子眼鏡システムのまた別な実施形態を例示した斜視頂面図である。
【図６Ａ】本発明の取外し自在な電子眼鏡のつる集成体の取付部材を例示した斜視側面図である。
【図６Ｂ】本発明の取外し自在な電子眼鏡のつる集成体の取付部材を例示した斜視側面図である。
【図６Ｃ】本発明の取外し自在な電子眼鏡のつる集成体の取付部材を例示した斜視側面図である。
【図６Ｄ】本発明の取外し自在な電子眼鏡のつる集成体の取付部材を例示した斜視側面図である。
【図６Ｅ】本発明の取外し自在な電子眼鏡の具体的なＤＥＰ（着脱自在な電子パッケージ）を例示した斜視背面図である。
【図６Ｆ】本発明の取外し自在な電子眼鏡の具体的なつる集成体の取付部材をユーザーが装着している場合を例示した斜視側面図である。
【図７】本発明の取外し自在な電子眼鏡システムをユーザーが装着している場合を例示した斜視背面図である。
【図８】本発明のまた別な取外し自在な電子眼鏡システムをユーザーが装着している場合を例示した斜視背面図である。
【図９】本発明の取外し自在な電子眼鏡システムをユーザーが装着している場合を例示した斜視側面図である。
【図１０】本発明の取外し自在な電子眼鏡をユーザーが装着している場合を例示した斜視頂面図である。
【図１０Ａ】本発明の取外し自在な電子眼鏡のつるを例示した斜視頂面図である。
【図１０Ｂ】本発明の取外し自在な電子眼鏡のつるを例示した斜視側面図である。
【図１１】本発明の取外し自在な電子眼鏡のまた別な実施形態を例示した頂面−側面の斜視図である。
【図１１Ａ】本発明のまた別な取外し自在な電子眼鏡の具体的な電気接続部を例示した斜視側面図である。
【図１２】本は爪みの取外し自在な電子眼鏡のまた別な実施形態を例示した斜視頂面図である。
【図１２Ａ】図１２の取外し自在な電子眼鏡システムのまた別な実施形態をユーザーが装着している場合を例示した斜視側面図である。
【図１２Ｂ】本発明の取外し自在な電子眼鏡システムの３部材片構成の実施形態を例示した斜視頂面図である。
【図１３】本発明の取外し自在な電子眼鏡システムのまた別な実施形態をユーザーが装着している場合を例示した斜視正面図である。
【図１４Ａ】取外し自在な電子眼鏡の具体的なつる集成体を例示した側面−頂面の斜視図である。
【図１４Ｂ】取外し自在な電子眼鏡の具体的なつる集成体を例示した側面−頂面の斜視図である。
【図１４Ｃ】取外し自在な電子眼鏡の具体的なつる集成体を例示した側面−頂面の斜視図である。
【図１４Ｄ】取外し自在な電子眼鏡システムの具体的な２部材片構成の実施形態を例示した斜視側面図である。
【図１５Ａ】取外し自在な電子眼鏡のまた別なつる集成体を例示した側面−頂面の斜視図である。
【図１５Ｂ】取外し自在な電子眼鏡のまた別なつる集成体を例示した側面−頂面の斜視図である。
【図１６Ａ】本発明の取外し自在な電子眼鏡を例示した側面図である。
【図１６Ｂ】本発明の取外し自在な電子眼鏡を例示した側面図である。
【図１６Ｃ】本発明の取外し自在な電子眼鏡を例示した側面図である。
【図１７Ａ】取外し自在な電子眼鏡のまた別なつる集成体を例示した側面図である。
【図１７Ｂ】取外し自在な電子眼鏡のつる集成体をユーザーが装着している場合を例示した背面図である。
【図１８Ａ】本発明の差込集成体を例示した斜視背面図である。
【図１８Ｂ】本発明の差込集成体を例示した斜視側面図である。
【図１９Ａ】本発明の差込集成体を例示した側面図である。
【図１９Ｂ】本発明の差込集成体を例示した側面図である。
【図２０】本発明のまた別な差込集成体を例示した側面図である。
【図２１】本発明のまた別な差込集成体を例示した側面図である。
【図２２Ａ】本発明のクリップ留め集成体を例示した斜視正面図である。
【図２２Ｂ】図２２Ａのクリップ留め集成体を例示した斜視側面図である。
【図２２Ｃ】図２２Ａのクリップ留め集成体をユーザーが装着している場合を例示した斜視側面図である。
【図２３】また別なクリップ留め集成体をユーザーが装着している場合を例示した斜視側面図である。
【図２３Ａ】また別なクリップ留め集成体をユーザーが装着している場合を例示した斜視頂面図である。
【図２３Ｂ】また別なクリップ留め集成体をユーザーが装着している場合を例示した斜視側面図である。
【図２３Ｃ】また別なクリップ留め集成体が着脱自在な電子パッケージ（ＤＥＰ）に接続されているのを例示した側面−頂面の斜視図である。
【図２４Ａ】本発明の眼鏡のつる集成体を例示した側面図である。
【図２４Ｂ】本発明の眼鏡のつる集成体を例示した側面図である。
【図２４Ｃ】本発明の眼鏡のつる集成体の具体的なラチェット機構を例示した側面図である。
【図２４Ｄ】本発明のまた別な眼鏡のつる集成体を例示した斜視側面図である。
【図２５Ａ】本発明のまた別な眼鏡のつる集成体を例示した斜視側面図である。
【図２５Ｂ】本発明のまた別な眼鏡のつる集成体を例示した斜視側面図である。
【図２５Ｃ】電子集成体が眼鏡のつるに収納されているのを例示した側面図である。
【図２６Ａ】本発明のまた別な眼鏡のつるを例示した側面図である。
【図２６Ｂ】本発明のまた別な眼鏡のつるを例示した側面図である。
【図２６Ｃ】本発明のまた別な眼鏡のつるを例示した側面図である。
【図２７】本発明の取外し自在な電子眼鏡システムのつる集成体および着脱自在な電子パッケージ（ＤＥＰ）を例示した頂面図である。
【図２８】眼鏡のつる集成体および着脱自在な電子パッケージ（ＤＥＰ）を包含しているキットを例示した頂面図である。
【図２９】着脱自在な電子パッケージ（ＤＥＰ）を例示した頂面図である。
【図３０】取外し自在な電子眼鏡および着脱自在な電子パッケージ（ＤＥＰ）を包含しているキットを例示した頂面図である。
【図３０Ａ】取外し自在な電子帽子および着脱自在な電子パッケージ（ＤＥＰ）を包含しているキットの頂面図である。
【図３１Ａ】本発明のまた別な眼鏡のつる集成体を例示した斜視側面図である。
【図３１Ｂ】本発明のまた別な眼鏡のつる集成体を例示した斜視側面図である。
【図３２】本発明の取外し自在な電子眼鏡のまた別な実施形態を例示している斜視頂面図である。
【図３２Ａ】図３２の取外し自在な電子眼鏡のつる集成体を例示している斜視頂面図である。
【図３３】本発明の取外し自在な電子眼鏡のまた別な実施形態を例示した正面−頂面の斜視図である。
【図３３Ａ】図３３の取外し自在な電子眼鏡のつる集成体を例示した斜視側面図である。
【図３４】本発明の取外し自在な電子眼鏡のコードを例示した斜視背面図である。
【図３４Ａ】本発明音取外し自在な電子眼鏡のコードをユーザーが装着している場合を例示した斜視側面図である。
【図３４Ｂ】取外し自在な電子眼鏡のまた別な具体的なコードを例示した斜視側面図である。
【図３４Ｃ】ブルートゥース（Bluetooth）使用可能システムの一具体的実施形態が眼鏡またはそれ以外の着用可能な装具と協働しているのを例示した図である。
【図３４Ｄ】ブルートゥース使用可能システムの一具体的実施形態が眼鏡またはそれ以外の着用可能な装具と協働しているのを例示した図である。
【図３４Ｅ】ブルートゥース使用可能システムの一具体的実施形態が眼鏡またはそれ以外の着用可能な装具と協働しているのを例示した図である。
【図３４Ｆ】ブルートゥース使用可能システムの一具体的実施形態が眼鏡またはそれ以外の着用可能な装具と協働しているのを例示した図である。
【図３４Ｇ】ブルートゥース使用可能システムの一具体的実施形態が眼鏡またはそれ以外の着用可能な装具と協働しているのを例示した図である。
【図３４Ｈ】ブルートゥース使用可能システムの一具体的実施形態が眼鏡またはそれ以外の着用可能な装具と協働しているのを例示した図である。
【図３４Ｊ】多様な特殊格納コードを例示した図である。
【図３４Ｋ】多様な特殊格納コードを例示した図である。
【図３４Ｌ】多様な特殊格納コードを例示した図である。
【図３４Ｍ】多様な特殊格納コードを例示した図である。
【図３４Ｎ】多様な特殊格納コードを例示した図である。
【図３４Ｏ】多様な特殊格納コードを例示した図である。
【図３４Ｐ】多様な特殊格納コードを例示した図である。
【図３４Ｑ】多様な特殊格納コードを例示した図である。
【図３４Ｒ】多様な特殊格納コードを例示した図である。
【図３４Ｓ】多様な特殊格納コードを例示した図である。
【図３４Ｔ】多様な特殊格納コードを例示した図である。
【図３４Ｕ】多様な特殊格納コードを例示した図である。
【図３４Ｖ】多様な特殊格納コードを例示した図である。
【図３５】本発明の取外し自在な電子眼鏡システムのカメラ型実施形態をユーザーが装着した場合を例示した斜視側面図である。
【図３６】本発明の取外し自在な頭部取付式電子装具システムを例示した側面図である。
【図３７】本発明の取外し自在な頭部取付式電子装具システムを例示した斜視側面図である。
【図３７Ａ】図３７のワイヤ集成体、スプール集成体、および、コネクタ集成体をそれぞれ例示した頂面図である。
【図３７Ｂ】頭部取付式電子装具を例示した図である。
【図３７Ｃ】取外し自在な電子ゴーグルを例示した図である。
【図３８】本発明の取外し自在な電子衣類システムを例示した斜視側面図である。
【図３９】本発明の肩取付式の着用可能な電子装具を例示している斜視側面図である。
【図３９Ａ】本発明のまた別な肩取付式の着用可能な電子装具を例示した斜視側面図である。
【図３９Ｂ】本発明のまた別な肩取付式の着用可能な電子装具を例示した斜視側面図である。
【図４０】重量が分散されて解剖学的に適った、着用可能なコンピュータを例示した図である。
【図４１】着用可能なコンピュータおよび拡張可能部分を例示した図である。
【図４２Ａ】着用可能なコンピュータシステムの調節自在で拡張可能な部分を例示した図である。
【図４２Ｂ】着用可能なコンピュータシステムの調節自在で拡張可能な部分を例示した図である。
【図４３Ａ】天地反転Ｕ字型コンピュータの拡張可能な部分の複数の具体的実施形態の一例を示した図である。
【図４３Ｂ】天地反転Ｕ字型コンピュータの拡張可能な部分のまた別な具体的実施形態を例示した図である。
【図４３Ｃ】天地反転Ｕ字型コンピュータの拡張可能な部分のまた別な具体的実施形態を例示した図である。
【図４３Ｄ】天地反転Ｕ字型コンピュータの拡張可能な部分のまた別な具体的実施形態を例示した図である。
【図４３Ｅ】天地反転Ｕ字型コンピュータの拡張可能な部分のまた別な具体的実施形態を例示した図である。
【図４３Ｆ】天地反転Ｕ字型コンピュータの拡張可能な部分のまた別な具体的実施形態を例示した図である。
【図４３Ｇ】天地反転Ｕ字型コンピュータの拡張可能な部分のまた別な具体的実施形態を例示した図である。
【図４３Ｈ】天地反転Ｕ字型コンピュータの拡張可能な部分のまた別な具体的実施形態を例示した図である。
【図４４Ａ】留め金集成体の多様な実施形態のうちの一例を示した図である。
【図４４Ｂ】留め金集成体のまた別な実施形態を例示した図である。
【図４４Ｃ】留め金集成体のまた別な実施形態を例示した図である。
【図４４Ｄ】留め金集成体のまた別な実施形態を例示した図である。
【図４５Ａ】異なる高さのキーボード操作の一例を示した図である。
【図４５Ｂ】異なる高さのキーボード操作の一例を示した図である。
【図４５Ｃ】異なる高さのキーボード操作の一例を示した図である。
【図４５Ｄ】着用可能なコンピュータの背骨形状を例示した図である。
【図４５Ｅ】着用可能なコンピュータの背骨形状を例示した図である。
【図４５Ｆ】着用可能なコンピュータの背骨形状を例示した図である。
【図４５Ｇ】着用可能なコンピュータの背骨形状を例示した図である。
【図４６】着用可能なコンピュータをユーザーが使用しているのを例示した図である。
【図４７】着用可能なコンピュータをユーザーが使用しているのを例示した図である。
【図４８】回転式歯車集成体を例示している図である。
【図４８Ａ】回転自在なキーボード集成体を例示している図である。
【図４９】着用可能なコンピュータの代替の実施形態を例示している図である。
【図５０Ａ】肩掛けホルスター様式で着用可能なコンピュータを例示している。
【図５０Ｂ】肩掛けホルスター様式で着用可能なコンピュータを例示している。
【図５０Ｃ】肩掛けホルスター様式で着用可能なコンピュータを例示している。
【図５０Ｄ】可撓性があり拡張可能なグースネック延長部の多様な図解の一例である。
【図５０Ｅ】可撓性があり拡張可能なグースネック延長部の多様な図解の一例である。
【図５１】折畳み可能なキーボードを例示した図である。
【図５１Ａ】折畳み可能なキーボードを例示した図である。
【図５２】着用可能なＣＤ再生装置を例示した図である。
【図５３】着用可能なＤＶＤ再生装置を例示した図である。
【図５４】取外し自在に着用可能な電話機を例示した図である。
【図５４Ａ】取外し自在に着用可能な電話機を例示した図である。
【図５４Ｂ】取外し自在に着用可能な電話機を例示した図である。
【図５５Ａ】Ｕ字型支持構造体を例示した図である。
【図５５Ｂ】Ｕ字型支持構造体を例示した図である。
【図５５Ｃ】Ｕ字型支持構造体を例示した図である。
【図５５Ｄ】Ｕ字型支持構造体を例示した図である。
【図５６】Ｃ字型管状支持構造体を例示した図である。
【図５６Ａ】Ｃ字型管状支持構造体を例示した図である。
【図５７Ａ】Ｃ字型管状支持構造体を例示した図である。
【図５７Ｂ】Ｃ字型管状支持構造体を例示した図である。
【図５７Ｃ】Ｃ字型管状支持構造体を例示した図である。
【図５８】Ｃ字型管状支持構造体を例示した図である。
【図５９】Ｃ字型管状支持構造体を例示した図である。
【図６０】Ｃ字型管状支持構造体を例示した図である。
【図６１】本発明による収納コードを例示している図である。
【図６２】本発明による収納コードの多様な実施形態の一例を示した図である。
【図６３】本発明による収納コードの多様な実施形態の一例を示した図である。
【図６４】本発明による収納コードの多様な実施形態の一例を示した図である。
【図６５】本発明による収納コードの多様な実施形態の一例を示した図である。
【図６６】本発明による収納コードの多様な実施形態の一例を示した図である。
【図６７】本発明による収納コードの多様な実施形態の一例を示した図である。
【図６８】本発明による収納コードの多様な実施形態の一例を示した図である。
【図６９】本発明による収納コードの多様な実施形態の一例を示した図である。
【図７０】本発明による収納コードの多様な実施形態の一例を示した図である。
【図７１】本発明による収納コードの多様な実施形態の一例を示した図である。
【図７２】電子構成部材の格納フレームの多様な代替の実施形態の一例を示した図である。
【図７３Ａ】電子構成部材の格納フレームの多様な代替の実施形態の一例を示した図である。
【図７３Ｂ】電子構成部材の格納フレームの多様な代替の実施形態の一例を示した図である。
【図７４Ａ】電子構成部材の格納フレームの多様な代替の実施形態の一例を示した図である。
【図７４Ｂ】電子構成部材の格納フレームの多様な代替の実施形態の一例を示した図である。
【図７５Ａ】電子構成部材の格納フレームの多様な代替の実施形態の一例を示した図である。
【図７５Ａ１】電子構成部材の格納フレームの多様な代替の実施形態の一例を示した図である。
【図７５Ｂ】電子構成部材の格納フレームの多様な代替の実施形態の一例を示した図である。
【図７５Ｂ１】電子構成部材の格納フレームの多様な代替の実施形態の一例を示した図である。
【図７５Ｂ２】電子構成部材の格納フレームの多様な代替の実施形態の一例を示した図である。
【図７５Ｃ】電子構成部材の格納フレームの多様な代替の実施形態の一例を示した図である。
【図７５Ｄ１】電子構成部材の格納フレームの多様な代替の実施形態の一例を示した図である。
【図７５Ｄ２】電子構成部材の格納フレームの多様な代替の実施形態の一例を示した図である。
【図７５Ｄ３】電子構成部材の格納フレームの多様な代替の実施形態の一例を示した図である。
【図７５Ｄ４】電子構成部材の格納フレームの多様な代替の実施形態の一例を示した図である。
【図７６】電子構成部材の格納フレームの多様な代替の実施形態の一例を示した図である。
【図７６Ａ】電子構成部材の格納フレームの多様な代替の実施形態の一例を示した図である。
【図７７】解剖学的に適正に成型された電話機を例示した図である。
【図７８】解剖学的に適正に成型された電話機を例示した図である。
【図７９Ａ】収納コードの代替の実施形態の一例を示した図である。
【図７９Ｂ】収納コードの代替の実施形態の一例を示した図である。
【図７９Ｃ】収納コードの代替の実施形態の一例を示した図である。
【図８０Ａ】収納コードの代替の実施形態の一例を示した図である。
【図８０Ｂ】収納コードの代替の実施形態の一例を示した図である。
【図８０Ｃ】収納コードの代替の実施形態の一例を示した図である。
【図８１Ａ】電子装置の接続安定装置を例示した図である。
【図８１Ｂ】電子装置の接続安定装置を例示した図である。
【図８１Ｃ】電子装置の接続安定装置を例示した図である。
【図８２】解剖学的に適った電子パッケージを例示した図である。
【図８３】解剖学的に適った電子パッケージを例示した図である。
【図８４Ａ】フリップ式ディジタル音楽再生装置を例示している。
【図８４Ｂ】フリップ式ディジタル音楽再生装置を例示している。
【図８４Ｃ】フリップ式ディジタル音楽再生装置を例示している。
【図８４Ｄ】フリップ式ディジタル音楽再生装置を例示している。
【図８５Ａ】本発明による収納コードの代替の実施形態の一例を示した図である。
【図８５Ｂ】本発明による収納コードの代替の実施形態の一例を示した図である。
【図８５Ｃ】本発明による収納コードの代替の実施形態の一例を示した図である。
【図８６Ａ】本発明による収納コードの代替の実施形態の一例を示した図である。
【図８６Ｂ】本発明による収納コードの代替の実施形態の一例を示した図である。
【図８６Ｃ】本発明による収納コードの代替の実施形態の一例を示した図である。
【図８６Ｄ】本発明による収納コードの代替の実施形態の一例を示した図である。
【図８６Ｅ】本発明による収納コードの代替の実施形態の一例を示した図である。
【図８７Ａ】本発明による収納コードの代替の実施形態の一例を示した図である。
【図８７Ｂ】本発明による収納コードの代替の実施形態の一例を示した図である。
【図８７Ｃ】本発明による収納コードの代替の実施形態の一例を示した図である。
【図８７Ｄ】本発明による収納コードの代替の実施形態の一例を示した図である。
【図８７Ｅ】本発明による収納コードの代替の実施形態の一例を示した図である。
【図８７Ｆ】本発明による収納コードの代替の実施形態の一例を示した図である。
【図８８Ａ】電子装置および収納コードを包含するように弾性部材を利用した代替の実施形態の一例を示した図である。
【図８８Ｂ】電子装置および収納コードを包含するように弾性部材を利用した代替の実施形態の一例を示した図である。
【図８８Ｃ】電子装置および収納コードを包含するように弾性部材を利用した代替の実施形態の一例を示した図である。
【図８９Ａ】電子装置および収納コードを包含するように弾性部材を利用した代替の実施形態の一例を示した図である。
【図８９Ｂ】電子装置および収納コードを包含するように弾性部材を利用した代替の実施形態の一例を示した図である。
【図８９Ｃ】電子装置および収納コードを包含するように弾性部材を利用した代替の実施形態の一例を示した図である。
【図９０】収納コードがヘッドバンドに取付けられているのを例示している図である。
【図９１】収納コードがヘッドバンドに取付けられているのを例示している図である。
【図９１Ａ】多様な様式の収納コードの一例を支持している接続クリップとその用途を例示している図である。
【図９１Ｂ】多様な様式の収納コードの一例を支持している接続クリップとその用途を例示している図である。
【図９２Ａ】多様な様式の収納コードの一例を支持している接続クリップとその用途を例示している図である。
【図９２Ｂ】多様な様式の収納コードの一例を支持している接続クリップとその用途を例示している図である。
【図９３】多様な様式の収納コードの一例を支持している接続クリップとその用途を例示している図である。
【図９４】多様な様式の収納コードの一例を支持している接続クリップとその用途を例示している図である。
【図９５】多様な様式の収納コードの一例を支持している接続クリップとその用途を例示している図である。
【図９６Ａ】多様な様式の収納コードの一例を支持している接続クリップとその用途を例示している図である。
【図９６Ｂ】多様な様式の収納コードの一例を支持している接続クリップとその用途を例示している図である。
【図９７】多様な様式の収納コードの一例を支持している接続クリップとその用途を例示している図である。
【図９８】多様な様式の収納コードの一例を支持している接続クリップとその用途を例示している図である。
【図９９】着用可能な装具に収納コードを恒久的に取付たのを例示した図である。
【図１００Ａ】剛性材から製造されている収納コードを例示した図である。
【図１００Ｂ】剛性材から製造されている収納コードを例示した図である。
【図１００Ｃ】剛性材から製造されている収納コードを例示した図である。
【図１００Ｄ】剛性材から製造されている収納コードを例示した図である。
【図１００Ｅ】剛性材から製造されている収納コードを例示した図である。
【図１００Ｆ】剛性材から製造されている収納コードを例示した図である。
【図１０１Ａ】剛性取付付属体を例示した図である。
【図１０１Ｂ】剛性取付付属体を例示した図である。
【図１０１Ｃ】剛性取付付属体を例示した図である。
【図１０１Ｄ】剛性取付付属体を例示した図である。
【図１０２Ａ】収納コードに電子装置を取付けたところを例示した図である。
【図１０２Ｂ】収納コードに電子装置を取付けたところを例示した図である。
【図１０２Ｃ】収納コードに電子装置を取付けたところを例示した図である。
【図１０３】ブルートゥース（Bluetooth）受信装置を収納コードに取付けたところを例示した図である。
【図１０４Ａ】収納コードに電子装置を取付けて電子装置を制御する信号受信に備えているところを例示した図である。
【図１０４Ｂ】収納コードに電子装置を取付けて電子装置を制御する信号受信に備えているところを例示した図である。
【図１０４Ｃ】収納コードに電子装置を取付けて電子装置を制御する信号受信に備えているところを例示した図である。
【図１０４Ｄ】収納コードに電子装置を取付けて電子装置を制御する信号受信に備えているところを例示した図である。
【図１０５】収納コードに電子装置を取付けて電子装置を制御する信号受信に備えているところを例示した図である。
【図１０６】収納コードに電子装置を取付けて電子装置を制御する信号受信に備えているところを例示した図である。
【図１０６Ａ】収納コードに電子装置を取付けて電子装置を制御する信号受信に備えているところを例示した図である。
【図１０６Ｂ】収納コードに電子装置を取付けて電子装置を制御する信号受信に備えているところを例示した図である。
【図１０７】収納コードの代替の実施形態を例示した図である。
【図１０８Ａ】図１０６および図１０７の実施形態と併用するための遠隔制御を例示した図である。
【図１０８Ｂ】図１０６および図１０７の実施形態と併用するための遠隔制御を例示した図である。
【図１０９】収納コードの多数の代替の実施形態の一例を示した図である。
【図１１０】収納コードの多数の代替の実施形態の一例を示した図である。
【図１１１】収納コードの多数の代替の実施形態の一例を示した図である。
【図１１２】収納コードの多数の代替の実施形態の一例を示した図である。
【図１１３】収納コードを衣類に装着する多数の代替の機構の一例を示した図である。
【図１１４】収納コードを衣類に装着する多数の代替の機構の一例を示した図である。
【図１１５】収納コードを衣類に装着する多数の代替の機構の一例を示した図である。
【図１１６】収納コードを衣類に装着する多数の代替の機構の一例を示した図である。
【図１１７Ａ】収納コードを衣類に装着する多数の代替の機構の一例を示した図である。
【図１１７Ｂ】収納コードを衣類に装着する多数の代替の機構の一例を示した図である。
【図１１８】収納コードを衣類に装着する多数の代替の機構の一例を示した図である。
【図１１９】収納コードを衣類に装着する多数の代替の機構の一例を示した図である。
【図１２０】収納コードを衣類に装着する多数の代替の機構の一例を示した図である。
【図１２１Ａ】収納コード集成体ポケットを例示した図である。
【図１２１Ｂ】収納コード集成体ポケットを例示した図である。
【図１２１Ｃ】収納コード集成体ポケットを例示した図である。
【図１２１Ｄ】収納コード集成体ポケットを例示した図である。
【図１２１Ｅ】収納コード集成体ポケットを例示した図である。
【図１２２Ａ】収納コード集成体を例示した図である。
【図１２２Ｂ】収納コード集成体を例示した図である。
【図１２２Ｃ】収納コード集成体を例示した図である。
【図１２２Ｄ】収納コード集成体を例示した図である。
【図１２３Ａ】携帯電話機に接続用アームが設けられているのを例示した図である。
【図１２３Ｂ】携帯電話機に接続用アームが設けられているのを例示した図である。
【図１２４Ａ】接続用アームが椅子の背面に配置されているのを例示した図である。
【図１２４Ｂ】接続用アームが椅子の背面に配置されているのを例示した図である。
【図１２４Ｃ】接続用アームが椅子の背面に配置されているのを例示した図である。
【図１２５】接続用アームが椅子の背面に配置されているのを例示した図である。
【図１２６Ａ】収納コード集成体の支持出入台を例示した図である。
【図１２６Ｂ】収納コード集成体の支持出入台を例示した図である。
【図１２６Ｃ】収納コード集成体の支持出入台を例示した図である。
【図１２７Ａ】収納コード集成体の出入台をのまた別な実施形態の一例を示した図である。
【図１２７Ｂ】収納コード集成体の出入台をのまた別な実施形態の一例を示した図である。
【図１２７Ｃ】収納コード集成体の出入台をのまた別な実施形態の一例を示した図である。
【図１２７Ｄ】収納コード集成体の出入台をのまた別な実施形態の一例を示した図である。
【図１２８Ａ】収納コード集成体の出入台をのまた別な実施形態の一例を示した図である。
【図１２８Ｂ】収納コード集成体の出入台をのまた別な実施形態の一例を示した図である。
【図１２８Ｃ】収納コード集成体の出入台をのまた別な実施形態の一例を示した図である。
【図１２８Ｄ】収納コード集成体の出入台をのまた別な実施形態の一例を示した図である。
【図１２８Ｅ】収納コード集成体の出入台をのまた別な実施形態の一例を示した図である。
【図１２８Ｆ】収納コード集成体の出入台をのまた別な実施形態の一例を示した図である。
【図１２８Ｇ】収納コード集成体の出入台をのまた別な実施形態の一例を示した図である。
【図１２８Ｈ】収納コード集成体の出入台をのまた別な実施形態の一例を示した図である。
【図１２８Ｉ】収納コード集成体の出入台をのまた別な実施形態の一例を示した図である。
【図１２８Ｊ】収納コード集成体の出入台をのまた別な実施形態の一例を示した図である。
【図１２８Ｋ】収納コード集成体の出入台をのまた別な実施形態の一例を示した図である。
【図１２９Ａ】湾曲形状の電話機と、それをユーザーが着用する場合の態様を実演したところを例示した図である。
【図１２９Ｂ】湾曲形状の電話機と、それをユーザーが着用する場合の態様を実演したところを例示した図である。
【図１２９Ｃ】湾曲形状の電話機と、それをユーザーが着用する場合の態様を実演したところを例示した図である。
【図１３０】湾曲形状の電話機と、それをユーザーが着用する場合の態様を実演したところを例示した図である。
【図１３１】湾曲形状の電話機と、それをユーザーが着用する場合の態様を実演したところを例示した図である。
【図１３２Ａ】アームが旋回自在に取付けられている電話機を例示した図である。
【図１３２Ｂ】アームが旋回自在に取付けられている電話機を例示した図である。
【図１３３】頚部取付け式電話機を例示した図である。
【図１３４】頚部取付け式電話機を例示した図である。
【図１３５】頚部取付け式電話機を例示した図である。
【図１３６Ａ】頚部取付け式電話機を例示した図である。
【図１３６Ｂ】頚部取付け式電話機を例示した図である。
【図１３６Ｃ】頚部取付け式電話機を例示した図である。
【図１３７】頚部取付け式電話機を例示した図である。
【図１３８】湾曲形状の電話受話器を例示した図である。
【図１３９】収納コード集成体の代替の実施形態を例示した図である。
【図１４０】剛性のＣ字型頚部支持体を例示した図である。
【図１４１】収納コード集成体を着用者の顔面付近に取付けるようにした多様な配置の一例を示した図である。
【図１４２】収納コード集成体を着用者の顔面付近に取付けるようにした多様な配置の一例を示した図である。
【図１４３】収納コード集成体を着用者の顔面付近に取付けるようにした多様な配置の一例を示した図である。
【図１４４】収納コード集成体を着用者の顔面付近に取付けるようにした多様な配置の一例を示した図である。
【図１４５】収納コード集成体を着用者の顔面付近に取付けるようにした多様な配置の一例を示した図である。
【図１４６Ａ】多様な収納コード集成体を利用して着用者に保冷パックまたは保温パックを取付ける場合を例示した図である。
【図１４６Ｂ】多様な収納コード集成体を利用して着用者に保冷パックまたは保温パックを取付ける場合を例示した図である。
【図１４７】多様な収納コード集成体を利用して着用者に保冷パックまたは保温パックを取付ける場合を例示した図である。
【図１４８】多様な収納コード集成体を利用して着用者に保冷パックまたは保温パックを取付ける場合を例示した図である。
【図１４９】多様な収納コード集成体を利用して着用者に保冷パックまたは保温パックを取付ける場合を例示した図である。
【図１５０】多様な収納コード集成体を利用して着用者に保冷パックまたは保温パックを取付ける場合を例示した図である。
【図１５１】多様な収納コード集成体を利用して着用者に保冷パックまたは保温パックを取付ける場合を例示した図である。
【図１５２】多様な収納コード集成体を利用して着用者に保冷パックまたは保温パックを取付ける場合を例示した図である。
【図１５３】多様な収納コード集成体を利用して着用者に保冷パックまたは保温パックを取付ける場合を例示した図である。
【図１５４】多様な収納コード集成体を利用して着用者に保冷パックまたは保温パックを取付ける場合を例示した図である。
【図１５５】多様な収納コード集成体を利用して着用者に保冷パックまたは保温パックを取付ける場合を例示した図である。
【図１５６】多様な収納コード集成体を利用して着用者に保冷パックまたは保温パックを取付ける場合を例示した図である。
【図１５７】多様な収納コード集成体を利用して着用者に保冷パックまたは保温パックを取付ける場合を例示した図である。
【図１５８】多様な収納コード集成体を利用して着用者に保冷パックまたは保温パックを取付ける場合を例示した図である。
【図１５９】多様な収納コード集成体を利用して着用者に保冷パックまたは保温パックを取付ける場合を例示した図である。
【図１６０】多様な収納コード集成体を利用して着用者に保冷パックまたは保温パックを取付ける場合を例示した図である。
【図１６１】多様な収納コード集成体を利用して着用者に保冷パックまたは保温パックを取付ける場合を例示した図である。
【図１６２】多様な収納コード集成体を利用して着用者に保冷パックまたは保温パックを取付ける場合を例示した図である。
【図１６３】多様な収納コード集成体を利用して着用者に保冷パックまたは保温パックを取付ける場合を例示した図である。
【図１６４】多様な収納コード集成体を利用して着用者に保冷パックまたは保温パックを取付ける場合を例示した図である。
【図１６５】多様な収納コード集成体を利用して着用者に保冷パックまたは保温パックを取付ける場合を例示した図である。
【図１６６】多様な収納コード集成体を利用して着用者に保冷パックまたは保温パックを取付ける場合を例示した図である。
【図１６７Ａ】多様な収納コード集成体を利用して着用者に保冷パックまたは保温パックを取付ける場合を例示した図である。
【図１６７Ｂ】多様な収納コード集成体を利用して着用者に保冷パックまたは保温パックを取付ける場合を例示した図である。
【図１６７Ｃ】多様な収納コード集成体を利用して着用者に保冷パックまたは保温パックを取付ける場合を例示した図である。
【図１６８】退避可能なコード集成体を例示した図である。
【図１６９Ａ】退避可能なコード集成体を例示した図である。
【図１６９Ｂ】退避可能なコード集成体を例示した図である。
【図１７０】収納コード集成体の代替の実施形態を例示した図である。
【図１７１Ａ】衣類に収納コード集成体を取付けるようにした代替の実施形態の一例を示した図である。
【図１７１Ｂ】衣類に収納コード集成体を取付けるようにした代替の実施形態の一例を示した図である。
【図１７１Ｃ】衣類に収納コード集成体を取付けるようにした代替の実施形態の一例を示した図である。
【図１７１Ｄ】衣類に収納コード集成体を取付けるようにした代替の実施形態の一例を示した図である。
【図１７２Ａ】衣類に収納コード集成体を取付けるようにした代替の実施形態の一例を示した図である。
【図１７２Ｂ】衣類に収納コード集成体を取付けるようにした代替の実施形態の一例を示した図である。
【図１７２Ｃ】衣類に収納コード集成体を取付けるようにした代替の実施形態の一例を示した図である。
【図１７３Ａ】衣類に収納コード集成体を取付けるようにした代替の実施形態の一例を示した図である。
【図１７３Ｂ】衣類に収納コード集成体を取付けるようにした代替の実施形態の一例を示した図である。
【図１７４】衣類に収納コード集成体を取付けるようにした代替の実施形態の一例を示した図である。
【図１７５Ａ】衣類に収納コード集成体を取付けるようにした代替の実施形態の一例を示した図である。
【図１７５Ｂ】衣類に収納コード集成体を取付けるようにした代替の実施形態の一例を示した図である。
【図１７６Ａ】衣類に収納コード集成体を取付けるようにした代替の実施形態の一例を示した図である。
【図１７６Ｂ】衣類に収納コード集成体を取付けるようにした代替の実施形態の一例を示した図である。
【図１７７Ａ】衣類に収納コード集成体を取付けるようにした代替の実施形態の一例を示した図である。
【図１７７Ｂ】衣類に収納コード集成体を取付けるようにした代替の実施形態の一例を示した図である。
【図１７８】衣類に収納コード集成体を取付けるようにした代替の実施形態の一例を示した図である。
【図１７９Ａ】衣類に収納コード集成体を取付けるようにした代替の実施形態の一例を示した図である。
【図１７９Ｂ】衣類に収納コード集成体を取付けるようにした代替の実施形態の一例を示した図である。
【図１７９Ｃ】衣類に収納コード集成体を取付けるようにした代替の実施形態の一例を示した図である。
【図１７９Ｄ】衣類に収納コード集成体を取付けるようにした代替の実施形態の一例を示した図である。
【図１８０Ａ】衣類に収納コード集成体を取付けるようにした代替の実施形態の一例を示した図である。
【図１８０Ｂ】衣類に収納コード集成体を取付けるようにした代替の実施形態の一例を示した図である。
【図１８１】２部式収納コードシステムを例示した図である。
【図１８２Ａ】本発明の収納コードの好ましい実施形態を例示した図である。
【図１８２Ｂ】着用可能な装具の具体例を示した図である。
【図１８２Ｃ】図１８２Ｂの側面図である。
【図１８２Ｄ】取外し自在クリップがユーザーのシャツに固着されているのを例示した図である。
【図１８２Ｅ】図１８２Ｄの取外し自在クリップの側面図である。
【図１８２Ｆ】取外し自在クリップに収納コードが繋留されているのを例示した図である。
【図１８２Ｇ】２枚のベルクロ片が互いから離隔されているのを例示した図である。
【図１８２Ｈ】ユーザーが粘着パッチを装着しているのを例示した図である。
【図１８２Ｊ】収納コードが粘着パッチに固定されているのを例示した図である。
【図１８３Ａ】収納コードの多様な固定機構の一例を示した平面図および側面図である。
【図１８３Ｂ】収納コードの多様な固定機構の一例を示した平面図および側面図である。
【図１８３Ｃ】収納コードの多様な固定機構の一例を示した平面図および側面図である。
【図１８３Ｄ】収納コードの多様な固定機構の一例を示した平面図および側面図である。
【図１８３Ｅ】収納コードの多様な固定機構の一例を示した平面図および側面図である。
【図１８４Ａ】眼鏡のつるまたはそれ以外の衣類に収納コード集成体を取付けるようにした代替の実施形態の一例を示した図である。
【図１８４Ｂ】眼鏡のつるまたはそれ以外の衣類に収納コード集成体を取付けるようにした代替の実施形態の一例を示した図である。
【図１８４Ｃ】眼鏡のつるまたはそれ以外の衣類に収納コード集成体を取付けるようにした代替の実施形態の一例を示した図である。
【図１８４Ｄ】眼鏡のつるまたはそれ以外の衣類に収納コード集成体を取付けるようにした代替の実施形態の一例を示した図である。
【図１８４Ｅ】眼鏡のつるまたはそれ以外の衣類に収納コード集成体を取付けるようにした代替の実施形態の一例を示した図である。
【図１８４Ｆ】眼鏡のつるまたはそれ以外の衣類に収納コード集成体を取付けるようにした代替の実施形態の一例を示した図である。
【図１８５】眼鏡のつるまたはそれ以外の衣類に収納コード集成体を取付けるようにした代替の実施形態の一例を示した図である。
【図１８６Ａ】眼鏡のつるまたはそれ以外の衣類に収納コード集成体を取付けるようにした代替の実施形態の一例を示した図である。
【図１８６Ｂ】眼鏡のつるまたはそれ以外の衣類に収納コード集成体を取付けるようにした代替の実施形態の一例を示した図である。
【図１８７Ａ】眼鏡のつるまたはそれ以外の衣類に収納コード集成体を取付けるようにした代替の実施形態の一例を示した図である。
【図１８７Ｂ】眼鏡のつるまたはそれ以外の衣類に収納コード集成体を取付けるようにした代替の実施形態の一例を示した図である。
【図１８８】眼鏡のつるまたはそれ以外の衣類に収納コード集成体を取付けるようにした代替の実施形態の一例を示した図である。
【図１８８Ａ】眼鏡のつるまたはそれ以外の衣類に収納コード集成体を取付けるようにした代替の実施形態の一例を示した図である。
【図１８８Ｂ】眼鏡のつるまたはそれ以外の衣類に収納コード集成体を取付けるようにした代替の実施形態の一例を示した図である。
【図１８９Ａ】眼鏡のつるまたはそれ以外の衣類に収納コード集成体を取付けるようにした代替の実施形態の一例を示した図である。
【図１８９Ｂ】眼鏡のつるまたはそれ以外の衣類に収納コード集成体を取付けるようにした代替の実施形態の一例を示した図である。
【図１８９Ｃ】眼鏡のつるまたはそれ以外の衣類に収納コード集成体を取付けるようにした代替の実施形態の一例を示した図である。
【図１８９Ｄ】眼鏡のつるまたはそれ以外の衣類に収納コード集成体を取付けるようにした代替の実施形態の一例を示した図である。
【図１８９Ｅ】眼鏡のつるまたはそれ以外の衣類に収納コード集成体を取付けるようにした代替の実施形態の一例を示した図である。
【図１８９Ｆ】眼鏡のつるまたはそれ以外の衣類に収納コード集成体を取付けるようにした代替の実施形態の一例を示した図である。
【図１８９Ｇ】眼鏡のつるまたはそれ以外の衣類に収納コード集成体を取付けるようにした代替の実施形態の一例を示した図である。
【図１８９Ｈ】眼鏡のつるまたはそれ以外の衣類に収納コード集成体を取付けるようにした代替の実施形態の一例を示した図である。
【図１８９Ｊ】眼鏡のつるまたはそれ以外の衣類に収納コード集成体を取付けるようにした代替の実施形態の一例を示した図である。
【図１８９Ｋ】眼鏡のつるまたはそれ以外の衣類に収納コード集成体を取付けるようにした代替の実施形態の一例を示した図である。
【図１９０】眼鏡のつるまたはそれ以外の衣類に収納コード集成体を取付けるようにした代替の実施形態の一例を示した図である。
【図１９０Ａ】眼鏡のつるまたはそれ以外の衣類に収納コード集成体を取付けるようにした代替の実施形態の一例を示した図である。
【図１９０Ｂ】眼鏡のつるまたはそれ以外の衣類に収納コード集成体を取付けるようにした代替の実施形態の一例を示した図である。
【図１９１】眼鏡のつるまたはそれ以外の衣類に収納コード集成体を取付けるようにした代替の実施形態の一例を示した図である。
【図１９１Ａ】眼鏡のつるまたはそれ以外の衣類に収納コード集成体を取付けるようにした代替の実施形態の一例を示した図である。
【図１９１Ｂ】眼鏡のつるまたはそれ以外の衣類に収納コード集成体を取付けるようにした代替の実施形態の一例を示した図である。
【図１９２Ａ】眼鏡のつるまたはそれ以外の衣類に収納コード集成体を取付けるようにした代替の実施形態の一例を示した図である。
【図１９２Ｂ】眼鏡のつるまたはそれ以外の衣類に収納コード集成体を取付けるようにした代替の実施形態の一例を示した図である。
【図１９２Ｃ】眼鏡のつるまたはそれ以外の衣類に収納コード集成体を取付けるようにした代替の実施形態の一例を示した図である。
【図１９２Ｄ】眼鏡のつるまたはそれ以外の衣類に収納コード集成体を取付けるようにした代替の実施形態の一例を示した図である。
【図１９２Ｅ】眼鏡のつるまたはそれ以外の衣類に収納コード集成体を取付けるようにした代替の実施形態の一例を示した図である。
【図１９２Ｆ】眼鏡のつるまたはそれ以外の衣類に収納コード集成体を取付けるようにした代替の実施形態の一例を示した図である。
【図１９２Ｇ】眼鏡のつるまたはそれ以外の衣類に収納コード集成体を取付けるようにした代替の実施形態の一例を示した図である。
【図１９２Ｈ】眼鏡のつるまたはそれ以外の衣類に収納コード集成体を取付けるようにした代替の実施形態の一例を示した図である。
【図１９２Ｊ】眼鏡のつるまたはそれ以外の衣類に収納コード集成体を取付けるようにした代替の実施形態の一例を示した図である。
【図１９２Ｋ】眼鏡のつるまたはそれ以外の衣類に収納コード集成体を取付けるようにした代替の実施形態の一例を示した図である。
【図１９２Ｌ】眼鏡のつるまたはそれ以外の衣類に収納コード集成体を取付けるようにした代替の実施形態の一例を示した図である。
【図１９２Ｍ】眼鏡のつるまたはそれ以外の衣類に収納コード集成体を取付けるようにした代替の実施形態の一例を示した図である。
【図１９２Ｎ】眼鏡のつるまたはそれ以外の衣類に収納コード集成体を取付けるようにした代替の実施形態の一例を示した図である。
【図１９３】眼鏡のつるまたはそれ以外の衣類に収納コード集成体を取付けるようにした代替の実施形態の一例を示した図である。
【図１９４Ａ】眼鏡のつるまたはそれ以外の衣類に収納コード集成体を取付けるようにした代替の実施形態の一例を示した図である。
【図１９４Ｂ】眼鏡のつるまたはそれ以外の衣類に収納コード集成体を取付けるようにした代替の実施形態の一例を示した図である。
【図１９４Ｃ】眼鏡のつるまたはそれ以外の衣類に収納コード集成体を取付けるようにした代替の実施形態の一例を示した図である。
【図１９４Ｄ】眼鏡のつるまたはそれ以外の衣類に収納コード集成体を取付けるようにした代替の実施形態の一例を示した図である。
【図１９４Ｅ】眼鏡のつるまたはそれ以外の衣類に収納コード集成体を取付けるようにした代替の実施形態の一例を示した図である。
【図１９４Ｆ】眼鏡のつるまたはそれ以外の衣類に収納コード集成体を取付けるようにした代替の実施形態の一例を示した図である。
【図１９４Ｇ】眼鏡のつるまたはそれ以外の衣類に収納コード集成体を取付けるようにした代替の実施形態の一例を示した図である。
【図１９５】眼鏡のつるまたはそれ以外の衣類に収納コード集成体を取付けるようにした代替の実施形態の一例を示した図である。
【図１９６Ａ】眼鏡のつるまたはそれ以外の衣類に収納コード集成体を取付けるようにした代替の実施形態の一例を示した図である。
【図１９６Ｂ】眼鏡のつるまたはそれ以外の衣類に収納コード集成体を取付けるようにした代替の実施形態の一例を示した図である。
【図１９６Ｃ】眼鏡のつるまたはそれ以外の衣類に収納コード集成体を取付けるようにした代替の実施形態の一例を示した図である。
【図１９６Ｄ】眼鏡のつるまたはそれ以外の衣類に収納コード集成体を取付けるようにした代替の実施形態の一例を示した図である。
【図１９６Ｅ】眼鏡のつるまたはそれ以外の衣類に収納コード集成体を取付けるようにした代替の実施形態の一例を示した図である。
【図１９７Ａ】肩支持式の天地反転Ｕ字型構造体を着用時に身体の肩で支えるようにしたのを例示した図である。
【図１９７Ｂ】肩支持式の天地反転Ｕ字型構造体を着用時に身体の肩で支えるようにしたのを例示した図である。
【図１９７Ｃ】肩支持式の天地反転Ｕ字型構造体を着用時に身体の肩で支えるようにしたのを例示した図である。
【図１９７Ｄ】肩支持式の天地反転Ｕ字型構造体を着用時に身体の肩で支えるようにしたのを例示した図である。
【図１９７Ｅ】肩支持式の天地反転Ｕ字型構造体を着用時に身体の肩で支えるようにしたのを例示した図である。
【図１９７Ｆ】肩支持式の天地反転Ｕ字型構造体を着用時に身体の肩で支えるようにしたのを例示した図である。
【図１９７Ｇ】肩支持式の天地反転Ｕ字型構造体を着用時に身体の肩で支えるようにしたのを例示した図である。
【図１９７Ｈ】肩支持式の天地反転Ｕ字型構造体を着用時に身体の肩で支えるようにしたのを例示した図である。
【図１９７Ｊ】肩支持式の天地反転Ｕ字型構造体を着用時に身体の肩で支えるようにしたのを例示した図である。
【図１９７Ｋ】肩支持式の天地反転Ｕ字型構造体を着用時に身体の肩で支えるようにしたのを例示した図である。
【図１９７Ｌ】肩支持式の天地反転Ｕ字型構造体を着用時に身体の肩で支えるようにしたのを例示した図である。
【図１９７Ｍ−１】肩支持式の天地反転Ｕ字型構造体を着用時に身体の肩で支えるようにしたのを例示した図である。
【図１９７Ｍ−２】肩支持式の天地反転Ｕ字型構造体を着用時に身体の肩で支えるようにしたのを例示した図である。
【図１９７Ｍ−３】肩支持式の天地反転Ｕ字型構造体を着用時に身体の肩で支えるようにしたのを例示した図である。
【図１９７Ｍ−４】肩支持式の天地反転Ｕ字型構造体を着用時に身体の肩で支えるようにしたのを例示した図である。
【図１９７Ｎ−１】肩支持式の天地反転Ｕ字型構造体を着用時に身体の肩で支えるようにしたのを例示した図である。
【図１９７Ｎ−２】肩支持式の天地反転Ｕ字型構造体を着用時に身体の肩で支えるようにしたのを例示した図である。
【図１９７Ｐ】肩支持式の天地反転Ｕ字型構造体を着用時に身体の肩で支えるようにしたのを例示した図である。
【図１９７Ｑ】肩支持式の天地反転Ｕ字型構造体を着用時に身体の肩で支えるようにしたのを例示した図である。
【図１９７Ｒ】肩支持式の天地反転Ｕ字型構造体を着用時に身体の肩で支えるようにしたのを例示した図である。
【図１９８Ａ】２部構成の収納コード集成体を例示している図である。
【図１９８Ｂ】２部構成の収納コード集成体を例示している図である。
【図１９９Ａ】電子装置から分離することができるうえに収納コード集成体に取付けることができるメモリ制御装置を例示した図である。
【図１９９Ｂ】電子装置から分離することができるうえに収納コード集成体に取付けることができるメモリ制御装置を例示した図である。
【図２００Ａ】本発明の好ましい実施形態が特化型収納フレームの支持構造体を備えているのを例示した図である。
【図２００Ｂ】収納コード集成体の好ましい実施形態を例示した図である。
【図２００Ｃ】代替の収納コード集成体の好ましい実施形態を例示した図である。
【発明を実施するための形態】
【００７２】
図１Ａは、先行技術の電子的に使用可能な眼鏡を例示している。電子機器１は眼鏡のつる（２）に格納され、または、鼻ブリッジ３に隣接した領域に格納されている。矢印Ａは大きな重量を表しており、この重要は耳領域２ａの皮膚を直接的に圧迫して置かれることで、耳に沿って痛覚線維の活性化を促進してユーザーに不快を誘発している。また、眼鏡つる２の電子機器１を利用して、矢印Ｂで表現されているように、鼻ブリッジ３が重みで押し下げられる。これは、眼鏡に着用者の鼻を滑り降りさせることにより、更に不快をもたらしている。
【００７３】
図１Ｂは、本発明の好ましい実施形態を例示した図である。ＤＥＰ４は後頭部に設置されるが、鼻ブリッジ３の正反対位置にくるのが好ましい。眼鏡つる５は薄くて軽量であり、内部電子機器は保有していない。頭部の反対側の第２の眼鏡つるは図示されていない。イヤホン６は軽量のコイル状ワイヤ７によって眼鏡つる５に接続されている。矢印Ｃによって表されているベクトル力はフレームを下向きに引張り、顔面の平面に対して直交する方向に鼻ブリッジ３を変位させる力を付与するが、この力はベクトル矢印Ｄで表現されている。これは、耳に付与されている重量（小さい矢印Ｅで表現されている）を低減することにより眼鏡の支持位置を、耳に比べてそれほど敏感ではない鼻に転移している。これにより、より敏感な耳の解剖学的領域の痛覚線維の活性化を制限する。
【００７４】
図１Ｃは、本発明の取外し自在な目の周辺電子装具システムを例示した頂面斜視図である。本発明の取外し自在で着用可能な電子システム１０は電子眼鏡フレーム３０と取外し自在な電子パッケージ（ＤＥＰ）２０とを備えている。取外し自在な電子眼鏡フレーム３０は２個のレンズ縁５８、６０と２本の眼鏡つる、すなわち、右つる１４および左つる１６を備えている。レンズ縁５８、６０はどのような種類のレンズでも保持することができる（例えば、処方レンズ、着色レンズ、二焦点レンズ、クリアレンズなど）。右つる１４および左つる１６は各々が２つの部分を含んでおり、すなわち、右つる１４は右正面部５２および右端部１３を含んでおり、左つる１６は左正面部５６および左端部１１を含んでいる。正面部５２、５６は、ユーザーの頭部の側面に沿ってユーザーの耳まで延びるように意図された部分の外郭を画定している。右端部１３には右自由端３７が、左端部１１には左自由端３５が設けられている。右端部１３は右イヤホン４０、右コイル状ワイヤ４８、および、右接続ワイヤ５０を格納しているのが好ましい。右接続ワイヤ５０はイヤホン４０をコイル状ワイヤ４８と接続している。左端部１１は左イヤホン４４、左コイル状ワイヤ４６、および、左接続ワイヤ５４を格納しているのが好ましい。コイル状ワイヤ４８、４６は伸び縮みすることができ、バネ性能を有している。これに代わる例として、コイル状ワイヤ４８、４６は小型バネが装填された、格納特性を有しているホイールまたはスプールに固着される。いずれの実施形態を選択するにせよ、イヤホン４０、４４は眼鏡使用時には容易に退避させられて、使用後は眼鏡つる１４、１６に戻し入れて隠蔽しておくことができる。自由端３５、３７は、着用者の耳の周囲に設置するのに好適な形状の耳部を画定している。自由端部３７には右電子コネクタ３６および右ワイヤ３８が含まれており、右ワイヤ３８は右電子コネクタ３６をワイヤ５０によりイヤホン４０に接続している。自由端部３５には左電子コネクタ３４および左ワイヤ４２が含まれており、左ワイヤ４２は左電子コネクタ３４をワイヤ５４によりイヤホン４４に接続している。
【００７５】
取外し自在な電子パッケージ（ＤＥＰ）２０は、着用者の後頭部または後頚部を横断して延びるように意図されており、電子パッケージ１２、右コード１８、および、左コード２２を備えている。右コード１８および左コード２２は電子パッケージ１２の両端に配置されているのが好ましい。右コード１８は右ワイヤ２６を収納しており、この右ワイヤは端部に電子接続部２８が設けられており、右つる１４の電子接続部３６に着脱自在に接続することができる。左コード２２は左ワイヤ２４を収容しており、左ワイヤは端部に電気接続部３２が設けられており、左つる１６の電気接続部３４と着脱自在に接続される。電子パッケージ１２は表示装置６８、メモリ６２、電源６７、「プレイ」、「ストップ」、「順送り」、「巻戻し」、「音量制御」などのような各種の標準制御ボタン６６、および、従来型のＵＳＢ接続ポート６５またはダウンロード・アップロード用のコンピュータ接続部を含んでいるのに加え、各種動作を制御するための当該技術で周知の回路基盤およびマイクロチップ（図示せず）を備えている。メモリ６２は、フラッシュメモリやハードドライブなどのような周知のシステムを備えていてもよい。電子パッケージ１２は退避可能コード７１を更に備えており、このコードは、バネが装填された、格納特性を有しているホイールまたはスプール７０に固着されているのが好ましい。これにより、使用するのに電子パッケージを容易に引き出せて、使用後には後頭部に隠蔽することができるようになる。表示装置６８は、退避可能なコード７１を延ばすことにより後頭部から目の視野軸の範囲内に持ってくることにより、例えば、再生中の楽曲名を表示することができ、或いは、映画を見せることもできる。これに代わる例として、ワイヤ７１をスプール７０に固着させる代わりに、ＤＥＰは、ＤＥＰを見るためには長く伸ばすことができて使用後は元の位置に退避されることができる格納特性を備えたコイル状ワイヤを含んでいるようにするとよい。
【００７６】
電子パッケージ１２は頭部の背後に隠蔽されたまま維持されて、着用者の視界から外れるとともに、傍で見ている人の目にも見えないようにするのが好ましい。従って、制御ボタン６６は隆起特性を有しているか、または、特殊な位置決め動作を行うことで、ユーザーが電子パッケージ１２を目で確認することができない場合でも、ユーザーがボタン６６を容易に認識して使うことができるようにするのが好ましい。例えば、電子パッケージ１２の頂面部では、第１ボタン（例えば、押しボタン）は「停止」、第２のボタンは「一時停止」、第３ボタンは「再生」のボタンである。電子パッケージ１２のボタン部分において、第１押しボタンは「巻戻し」、第２のボタンは「順送り」であるが、ダイアル式ボタンが音量を変えるように機能する。これに代わる例として、ディジタル音楽再生装置（例えば、アップル社のiPodなど）に見られるような羅針盤状のボタンが利用されてもよい。
【００７７】
バネ特性を利用して伸張させることができるコイル状コードに固着されたイヤホンに加えて、本発明はまた、特殊な寸法および特殊な長さを有しており、尚且つ、格納可能な長尺部が設けられている、バネが装填されたスプールコードを利用してもよい。イヤホンコードの好ましい直径は2.5 mmよりも短く、1.5 mmよりも短いのが好ましく、1 mmよりも直径が短いのが最も好ましい。イヤホンコードの好ましい長さは20 cmに等しいか、または、これよりも短いのがよいが、16 cmに等しいか、または、これよりも短いのが更に好ましく、10 cmに等しいか、これよりも短い長さであるのが最も好ましい。電子パッケージ１２に接続されている右ワイヤ２６と左ワイヤ２４の好ましい組合せ長さは、45 cmに等しいか、または、これよりも短い長さであり、35 cmに等しいか、または、これよりも短い長さであるのが最も好ましく、30 cmに等しいか、または、これよりも短い長さであるのが更に好ましい。ＤＥＰをより小型かつより軽量にするために、ＤＥＰに電源投入する受動手段を利用するとよいが、この場合、ＤＥＰは電磁誘導や電波などによって遠隔電源からのエネルギーを受信するものと理解するべきである。
【００７８】
図１ＤはＤＥＰ２０の好ましい実施形態の頂面図を例示しており、ＤＥＰ２０には揺り籠状の格納部７２が設けられており、この寸法は、ディジタル音楽再生装置、ラジオ、携帯電話、全地球位置把握システム（ＧＰＳ）、個人向けディジタル情報処理支援装置（例えば、パーム社のパーム電子手帳などのＰＤＡ）などのような電子パッケージ１２を着脱自在な態様で受容して保持するように設定されている。格納庫７２の右側面の放出ボタン６９は電子パッケージ１２を格納庫７２に取付けたり格納庫７２から放出するのを容易にする。放出ボタン６９はバネが装填された機構であって、揺り籠状の空洞７４に置かれると電子パッケージ１２の一部に係合してこれを保持し、必要に応じて電子パッケージ１２を放出することができるようになっているのが好ましい。右コード１８および右ワイヤ２６は自由端側に電気コネクタ２８が設けられており、右コードと右ワイヤは格納庫７２に右側面から入って、空洞７４の内部に収容されている右ワイヤ７３に接続されている。ワイヤ７３はスプール７０に接続されている。左コード２２および左ワイヤ２４には電気コネクタ３２が設けられており、これら左コードおよび左ワイヤは格納庫７２に左側で入り、空洞７４の内部に収納されている左ワイヤ７５と接続されている。ワイヤ７５はスプール７０に接続されている。格納庫７２の内部のワイヤ７３、７５、および、スプール７０は破線で図示されている。
【００７９】
図１ＥはＤＥＰ２０の側面図を例示しており、ＤＥＰ２０には揺り籠状の格納部７２が設けられており、この寸法は、電子パッケージ１２を着脱自在な態様で受容して保持するように設定されている。放出ボタン６９は電子パッケージ１２を窪み７４に保持する。空洞７４の底部のスプール７０はコイル状ワイヤ７７を備えており、コイル状ワイヤは右ワイヤ７３および左ワイヤ７５と電気接触状態にある。コイル状ワイヤ７７は電子パッケージ１２に接続されて、スプール７０により退避可能で拡張可能なワイヤとして作用し、退避可能なワイヤ７７を拡張させることによりユーザーが自らの後頭部から自分の目の視野軸まで電子パッケージ１２を持ってくることができるように図っている。電子パッケージ１２を観賞した後は、ユーザーは、例えば、緩慢な引張り動作で、スプール７０を作動させることで、退避可能なワイヤ７７を退避させて電子パッケージ１２を空洞７４の元の位置に戻すことができる。電子パッケージ１２には表示装置６８、キーパッド７９、マイクロチップ回路７８、および、電池６７が設けられている。電子パッケージ１２をより小型でより薄くするために、電源６７およびマイクロチップ回路７８ならびにそれ以外のハードウエアが格納庫７２の中に収容されるようにするとよいものと理解するべきである。ワイヤ７３はワイヤ２６および電気コネクタ３２と電気接続状態にある。この実施形態は退避可能なワイヤシステムの用途を例示している。しかしながら、バネが装填された機構の周囲に巻きつけられたコイル状ではないワイヤでも、他の構成が実施することができるのと同じ機能性を示すものと解釈するべきである。具体的には放出ボタンが好ましいが、放出ボタンは必要ではなく、バネの力を利用して電子パッケージを空洞内に固定するようにしてもよいことが分かる。
【００８０】
電子パッケージ１２は、例えば、ディジタル音楽再生装置や携帯電話などであるとよいが、スプール７０に固着された退避可能なワイヤ７７を使ってＤＥＰ２０の格納庫７２に接続される。このような構成により、ユーザーは電子パッケージ１２と視覚的に対話することができ、また、電子パッケージ１２は格納されているせいでユーザーの目には完全に触れないという事実にも関わらず、このような構成は視覚の主要な生物学的機能との相互作用を行えるようにしている。それゆえに、例えば、本発明により、ＤＥＰディジタル音楽再生装置を着用しているユーザーは退避可能なコード７７を拡張させることができ、最終的には、ＭＰ３プレイヤーとして図示されている電子パッケージ１２をユーザーが目で確認することができる。次に、ユーザーは表示装置６８を見ながら、ボタン７９を使って興味のある音楽を選択することができる。選曲をした後、ユーザーはワイヤ７７を放し、これによりＭＰ３プレイヤー１２は後頭部の空洞７４の元の位置に退避し、隠蔽された状態となる。同様に、電子パッケージ１２が携帯電話である場合、着用者は退避可能なコード７７を伸ばし、キーパッド７９を使って選局し、ＤＥＰ（携帯電話）を後頭部に戻して、傍で見ている人の目に触れない状態にすることができる。
【００８１】
眼鏡のつるに配置されているイヤホン用の電気接続部を利用することができることが分かる。よって、図１Ｆに例示されているように、眼鏡のつる１９ａはその端部１９に第１電気コネクタ２１が配備されており、電子装置との接続に備えている。眼鏡つる１９ａはまた、イヤホン用の第１電気コネクタ２１に隣接した位置に第２電気コネクタ２３が設けられている。電気コネクタ２１は、この実施形態では、ＤＥＰ２１ａを接続するために使用される雌接続部である。イヤホン集成体２３ａとの接続用の第２電気コネクタ２３も、この実施形態では雌接続部である。ワイヤ２５は第１電気コネクタ２１を電気コネクタ２３に接続している。これと同じ構造が反対側の眼鏡つるにも採用することができる。
【００８２】
図１Ｇは先行技術のシステムを例示しているが、このシステムはステレオ音響用のイヤホンを備えており、例えば、イヤホン２７はワイヤ３１によって接続され、イヤホン２９はワイヤ３３によって接続されているが、これら両ワイヤが合流してワイヤ部３９を形成しており、ワイヤ部３９は電気プラグ１２１で終端している。電気プラグ１２１は先行技術の電子装置１２１ａに着脱自在に接続されており、電子装置１２１ａには電気プラグ１２１との接続用に１個の差込口１２１ｂが設けられている。先行技術はイヤホンシステムを収斂させてユーザー身体の解剖学的構造に相近させてはいないせいで、電子装置１２１ａには差込口１２１ｂが１個しか設けられておらず、両方のイヤホン２７、２９からプラグ１２１までの通常の長さが90 cmを越える、過剰に長いワイヤが必要となる。
【００８３】
これに比べて、本発明の一局面は、ステレオ音響用の特化型イヤホンシステムである。電子機器を人体の解剖学的構造に適合させることにより、非常に短いワイヤを装備したイヤホンを利用することができる。図１Ｈに例示されているように、ステレオ音響用のイヤホンシステム４１は２個の別個のイヤホン集成体４３、４５を備えている。イヤホン集成体４３はイヤホン４３ａ、電気プラグ８５、および、コイル状ワイヤ４７を含んでおり、イヤホン集成体４５はイヤホン４５ａ、電気プラグ８７、および、コイル状ワイヤ４９を含んでおり、コイル状ワイヤ４７、４９は耳に装着するために長く伸ばすことができる。ワイヤ４７、４９の好ましい長さは15 cmに等しいか、または、これよりも短く、12 cmに等しいか、または、これよりも短いのが更に好ましく、また、10 cmに等しいか、または、これよりも短い長さであるのが最も好ましい。これは、先行技術のワイヤの90 cmという長さとは好対照である。
【００８４】
イヤホン４３ａはプラグ８５を、イヤホン４５ａはプラグ８７を備えており、プラグ８５は電気コネクタ５１に着脱自在に接続され、プラグ８７は電気コネクタ５３に着脱自在に接続される。次に、コネクタ５１はワイヤ５５に、コネクタ５３はワイヤ５７に接続されるが、ワイヤ５５は電気接続部５９で終端し、ワイヤ５７は電気接続部６１で終端する。電機接続部５９は接続部８１ａを介してワイヤ８１に、電気接続部６１は接続部８３ａを介してワイヤ８３に着脱自在に接続され、これらワイヤ８１、８３はＤＥＰ６３の各側に配備されている。ＤＥＰ６３は空洞１３７に収容され、コイル状ワイヤ１４３によって空洞１３７に固着されるが、コイル状ワイヤ１４３はワイヤ８１、８３と電気接続状態にある。コイル状ワイヤ１４３は伸び縮みさせることができ、ＤＥＰ６３を空洞１３７から取り出せるようにしている。本発明のイヤホンシステム４１は、２個の別々のイヤホンを含んでおり、本発明の多数の電子装置と併用することができるものと思われる。イヤホン集成体４３、４５は信号源に電気接続されてはおらず、それ故、また別な電気部品に接続されていない場合は、ステレオ音響を供与することはできない。これは、通例、本発明の着用可能な電子装具によって供与される。先行技術の電子装置には差込口は１個しか設けられており、一方のイヤホン集成体用の１個の電気プラグを接続することしかできない。先行技術とは異なり、また、生物学的に適った着用可能装置を創作するために、本発明は、２個の別個のイヤホン集成体を採用している方法および装置を教示しており、本発明の着用可能な電子装具は、先行技術では差込口が１個しか設けられているのに代えて、イヤホン用に２個の差込口が設けられているのが好ましい。２個のイヤホン集成体を格納している箱体を備えているステレオ音響用キットも、本発明の範囲内にあるものと解釈するべきである。
【００８５】
図１Ｊは、ステレオ音響用のまた別な特殊イヤホンシステム４１が取外し自在な電子パッケージ６３に連結されているのを例示している。イヤホンシステム４１は別個のイヤホン４３、４５を備えており、イヤホン４３はワイヤ１０１に、イヤホン４５はワイヤ１０７に取付けられている。ワイヤ１０１、１０７は非常に短いのが好ましい。イヤホン４３にはプラグ８５が、イヤホン４５にはプラグ８７が設けられており、プラグ８５は着用可能装具１１５の電気コネクタ５１に、プラグ８７は着用可能装具１１５の電気コネクタ５３に着脱自在に接続されている。コネクタ５１にはワイヤ５５が、コネクタ５３にはワイヤ５７が設けられており、これらワイヤは両方とも１個の電気プラグ８９の中で終端している。電気プラグ８９はＤＥＰ６３の電気接続部９１に着脱自在に接続されている。着用可能装具１１５（例えば、ヘッドバンド、ヘルメット、衣類、帽子などのいずれかであるとよい）にはＤＥＰ６３を保持するためのポケット１１９が設けられている。ポケット１１９はスロット１２３と、ポケット１１９の両方の壁のうち一方に固着されたコイル状ワイヤ１２５を含んでいる。ワイヤ１２５はプレート１２７で終端しているが、プレート１２７はポケット１１９の内側に収納されている。プレート１２７はマジックテープ（登録商標）式固定具からなるシステムを使って着脱自在に接続されるのが好ましいが、接続先はＤＥＰ６３の留め具１３５（これもまた、マジックテープ（登録商標）式固定具から構成されているのが好ましい）である。ワイヤ１０１、１０５の好ましい長さは15 cmに等しいか、または、これよりも短く、12 cmに等しいか、または、これよりも短い長さであるのがより好ましく、9 cmに等しいか、または、これよりも短い長さであるのが最も好ましい。このようなシステムは、また別な好ましい実施形態を例示している図３７に図示されているものに類似している態様で、着用可能な電子キャップにおいて利用することができる。退避可能なワイヤを装備した、バネが装填されたスプールは、バネが装填された機構が無くても退避特性を発揮するコイル状ワイヤで代用することができるものと理解するべきである。ポケットなどの格納領域が採用される場合、ワイヤは真直ぐで退避特性が無くてもよく、ワイヤは格納時には巻上げ位置または折畳み位置に置かれ、耳に装着するために使用している間は真直ぐに延びる。これに代わる例として、コネクタ９１がワイヤ１２５と接続されてから、ベルクロ片が電気パッドと連携利用されて電子装置に電気接続するか、または、プラグ８９がコイル状ワイヤと連携利用されて、支持用に使われているコイル状ワイヤ１２５が伸びると、プラグ８９のコイル状ワイヤも同様に伸びて、伸びている間はイヤホンと電気接続している状態に維持することができるようにしてもよい。一方のコイル状ワイヤが電気接続に用いられ、他方のコイル状ワイヤは支持に用いられる。
【００８６】
図２Ａは、先行技術により提案されている着用可能電子機器をユーザーが着用した場合を例示している。先行技術の重量分布は頚部の痛覚線維を活性化させ、不快感を誘発するとともに、装置の有用性を制限する。コンピュータのような比較的重い電子装置、または、それ以外の電子装置８０は、箱体８２に集合的に収められた電子機器、表示装置、および、それ以外の部品が頚部を取巻くカラー８４で支持されると、不快感を顕在化させ、快適な着用感を阻害する。カラー８４に開口部８４ａが設けられていた場合でさえ、先行技術のシステムは作動状態になるには開いた円部材を閉じる必要があり、ユーザーの頚部で支えるように設計されていた。この理由は、巻き付けシステムの両端が接続状態になり、例えば、頚部を巡るカラーの円、腰部を取巻くベルトの円、胸部を巡るストラップの円など先行技術に記載されているもののような円形を形成した時は常に、ベクトル力の変化が生じ、より大きな力が局所解剖学的領域に加えられ、痛覚線維を一層容易に活性化させて不快感を顕在化させる恐れがあるせいである。先行技術は、電子システム全体を一点で保持するために、かなりの圧力を１点の局所解剖学的領域に課していた。それ故、痛覚受容器はこの局種解剖学的領域内の圧力量に基づいて活性化し、先行技術の装置が使用されると不快感が生じる結果となっていた。１点の局所解剖学的領域に装置の重量負荷を維持し、身体との接触表面積をより小さくして担うにあたっては、先行技術によって提案されているような明らかな利点は存在するが、このような明白な利点も身体生物学的には悪い作用として働き、快適な使用を阻むものとなる。従って、本発明は、多数の異なる解剖学的領域に重量を分散させて、先行技術に比べて使用者の快適感を増大させた、着用可能な電子装置を思量している。
【００８７】
図２ＡのベクトルＦは頚部を押圧する大きな重量を表しており、カラーの右側の総重量と左側の総重量はベクトルＦ１およびベクトルＦ２で表現されている。その結果として生じる、ベクトルＦで表現されている左右両側の総重量は、敏感な頚部領域に圧力を生じる。更に、使用者にかかる装置の重量が適正に分散するように図っていないせいで、頚部の周囲のカラーで支持する場合は適正分布を設けるのが困難とはいえ、装置の運動が促進され、これにより、ユーザーとの接触部摩擦が生じ、ユーザーの皮膚の摩擦を増大させ、ユーザーが頚部領域に感じる不快が増す。
【００８８】
有用で、実用的で、快適な、着用可能な電子装置を提供するためには、本発明によって満たされているような一連の重要基準を満たす必要がある。まず第１に、痛みや不快感にそれほど敏感ではない領域に装置の重量を移すことが重要である。本発明の一実施形態によれば、重量転移は、例えば、鼻および肩の領域に向けて行われ、または、帽子を利用する場合などは、後頭部側に向けて実施される。
【００８９】
第２に、より簡単に使用することができるようにするために、システムは従来のコンピュータに似た機能を果たす必要があるとともに、従来のコンピュータの全部品を備えている必要がある。本発明の一実施形態においては、着用可能な電子装置は、キーボードなどの重くて大型の部材を含め、従来のコンピュータの構成部材は全て備えている。本発明の電子装置はまた、両手でタイプ入力することができるキーボードと広い視野を設けた表示装置（または、モニター）とを備えている。
【００９０】
第３に、適正な重量分布を達成するために、互いに離隔された２本のアームを使って多数の電子部品が配備されることが必要となる。第４に、両アームに撓み性に富む部分と伸縮自在な部分とを組合せて設けることで、使用中に身体の解剖学的構造に形状を一致させるとともに各部材の位置決めに順応させる必要があり、また、未使用時には小さい空間に適合する必要がある。このようにして、着用可能な電子装置の装着と使用がより実用的となる。
【００９１】
第５に、安定性と良好な重量分布を達成するために、支持構造体はコードを備えているようにしてもよく、コードは装置の一端から他方端まで切れ目無く延びており、アームごとの端部に電子構成部材を保持するようにし、また、支持構造体は滑車のような作用を実施してもよい。第６に、装置の両側の質量を同じぐらいにする必要がある。本発明の一実施形態によれば、このことは、一方側にキーボードを配置し、その反対側に表示装置を配置し、同時に、表示装置およびキーボードの寸法と重量を同じぐらいにすることで達成される。第７に、着用可能な電子機器は、例えば、ユーザーがタイプ打ちをしている最中など、使用中は安定している必要がある。これは、表示装置と電源との間の接続部に釣合い効果を生じさせることにより達成される。
【００９２】
第８に、着用可能な電子装置の重量は解剖学的領域にのみ課され、痛覚線維を一層容易に活性化する恐れのある局所圧を回避するように図っている。このように、着用可能な電子装置の重量は複数の異なる解剖学的領域に分散させられるべきである。例えば、本発明の一実施形態は、頚部、肩、胸部、および、腰部といった４箇所の異なる解剖学的領域に重量が分散される、着用可能な電子装置を提案している。
【００９３】
第９に、着用可能な電子装置（通常は電子機器と表現される）の質量の最大部分は、身体を直接押圧して載置される独立した管状構造体の両端に配置される。これにより左右両側のバランスが良くなるとともに、身体に快適となる。第１０に、装置の有用性を増すために、着用可能な電子機器は、身体に装着されていない時でも利用することができる性能を備えているようにするべきである。第１１に、着用可能な電子装具は、頚部領域、耳領域、および、それ以外の身体の敏感な領域は包囲しない、そのような領域には載置しない、または、そのような領域を加圧しないのが好ましい。
【００９４】
このような原理は図２Ｂに例示されている実施形態に組込まれており、同図では本発明の着用可能な電子コンピュータの好ましい実施形態を例示している。図２Ｂは、天地反転Ｕ字型支持構造体８８にアーム９０、９２が設けられている本発明の好ましい実施形態の重量分布を例示している。また別な実施形態では、支持構造体は天地反転Ｖ字型を呈していてもよい。アーム９０はその端部にキーボード９４が配置されている。アーム９２はその端部に表示装置９６が配置されている。よって、支持構造体８８は、頚部９３、肩９５、および、胸部９７といった３つの別個の解剖学的領域を覆う。重量は更に第４の解剖学的領域に分散させられてもよいが、その場合、箱体９６、すなわち、電源と電子機器を収納している箱体をユーザーの腰部に固着させる手段がとられる。箱体９６はケーブル９８によって支持構造体８８に接続される。アーム９０およびアーム９２を互いから離隔させることで、どの１つの特定の解剖学的領域に加えられる圧力も小さくなり、痛覚受容器の活性化を抑止することができる。
【００９５】
天地反転Ｕ字型支持構造体は装置重量を多数の解剖学的領域に分散させる。支持構造体がこのような構成を取るのは、物理的観点に基づいて、本発明では表示装置９７が具現化している質量（ｍ１）とキーボード９４が具現化している質量（ｍ２）の２つの質量（ｍ１およびｍ２）をコード９３が結んでいると同時に、ユーザーの頚部および肩によって表されている「滑車」の上を巻いてコード９３が延びている場合である。作用している力は、重力の下向きの力とコードの張力が原因である上向きの力である。質量ｍ１および質量ｍ２は加速を避けるために同じ様な値をとるべきであり、というのも、加速はユーザーの皮膚の摩擦と痛覚線維の活性化の原因となるからである。それゆえに、電子装置の各部は、コード９３の一方側の質量はコード９３の反対側の質量とほぼ同等になる態様で配置される。これにより、コード９３の両側に等しい張力または概ね等しい張力を生じる。ベクトルＧは右腕の分散力を表しており、これは３つの成分に分割され、すなわち、頚部のベクトルＧ１、肩のベクトルＧ２、および、胸部のベクトルＧ３に分割される。同じことが反対側のベクトルＨに適用できるが、分割成分はベクトルＨ１（頚部）、ベクトルＨ２（肩）、および、ベクトルＨ３（胸部）によって表されている。ベクトルＧＨはユーザーの頚部の圧力を表しており、図２Ａに例示されているような先行技術のベクトルＦよりも遥かに小さい。ベクトルＪ１およびベクトルＪ２はコード９３の張力を表しており、ベクトルＧおよびベクトルＨは概ね等しいか、または、厳密に等しいのが好ましい。よって、加速も摩擦も全く生じず、快適な使用を行える。本明細書の他の部分に記載されている関連実施形態に関与している説明および図面から、上記以外の利点および特徴も明らかになる。２本のアームを説明してきたが、本発明の教示に従って、３本以上のアームを採用しても、良好な重量分布と適正な設計を提示することができるものと理解するべきである。
【００９６】
頚部の痛覚閾値は概ね40 g/mm2 から70 g/mm2の範囲であり、肩およびその隣接領域では、痛覚閾値は凡そ60 g/mm2から100 g/mm2の範囲である。痛覚受容器は、通例は、圧力が上記限界に達するまで活性化され、それ故に、快適な装着感を供与するために、本発明の着用可能な電子機器は重量についてはこの点を斟酌している。重量分布に加えて、上記解剖学的領域によって支持される絶対最大重量は、痛覚線維が活性化するのを阻止するのに重要となる。着用可能な電子装置の快適使用および長期使用を行えるようにするために、本発明は、頚部、肩、および、胸部の圧力および痛覚閾値に基づいて、着用可能な装置の構造の適正重量、適正重量分布、および、適正設計を提案している。
【００９７】
例示を目的として、但し、限定する意図はなく、具体的な好ましい実施形態を説明してゆく。本発明の着用可能な電子システムのこの実施形態は天地反転Ｕ字型支持構造体を備えており、その寸法は（キーボードおよび表示装置が無ければ）拡張していない形状時の長さは70 cm に等しいか、または、それよりも短く、60 cmに等しいか、または、それよりも短いのがより好ましく、50 cmに等しいか、または、それよりも短いのが最も好ましいが、35 cmに等しいか、または、それよりも短いのが更に好ましい。天地反転Ｕ字型の寸法はユーザーの身体寸法で決まる。生物学的に適った着用可能なコンピュータは、背骨形状を採用しているのが好ましいが、伸縮自在な部分と可撓性のグースネック部とを兼備している。支持構造体がユーザーと接触している表面積は、長さ１センチメートルあたり約1 cm2である。これにより、約600 cm2の支持構造体がユーザーと接触することになるが、この面積は頚部、肩、および、胸部で均等に分割される。装置が支持構造体のアームの１本ごとにかける好ましい最大重量は700グラム（アーム２本で合計1400グラム）であり、この重量は、痛覚線維を活性化させずに快適な態様で、頚部、肩、および、胸部の領域で支持することができる。アーム１本について850グラムを支えることができるが、支持構造体のアーム１本で支えて快適な装着感が得られる最大重量は650グラムに等しいか、または、これよりも軽いのが好ましく、500グラムに等しいか、または、これよりも軽いのが、ユーザーの痛覚線維の活性化を最小限に抑えて最も好ましい。
【００９８】
本発明は構成部材全部が天地反転Ｕ字型支持構造体で支持されるだけで重量分布を最適化するように機能するが、本発明はまた、腰部領域などの身体領域のうち、より大きい重量を保持するのに生体力学的に適っている部位に重量を分散させてもよい。従って、支持構造体は接続コードによってユーザーの腰部に支持された格納庫に接続される。電源、マザーボード、ハードドライブ、ＤＶＤ再生装置、ＤＶＤ記録装置、および、これら以外のコンピュータ部品などのように、他の構成部材よりも重量がある部品は腰部領域に配備されるのが好ましく、ベルトのクリップ留めまたはそれ以外の固定手段によって身体の腰部領域の適所に保持されるのが好ましい。
【００９９】
図３は、本発明のまた別な、生物学的に適っている、重量が最適分散された着用可能な電子装具を例示しており、ここでは電子装具は眼鏡で代表されている。従って、図３は、着脱自在な電子眼鏡１２０に、右レンズ縁１２０、右つる１１４、左レンズ縁１１８、左つる１１６が設けられており、拡張させた右イヤホンコード１２６および左イヤホンコード１２８が付属しているのを例示している。右つる１１４は、コード１２６を格納する部分１４５、右イヤホン１２２を収容する部分１３０、格納部１３４と収容部１３０の間を接続している部分１４１、ワイヤ１４０、端部１４４の電気プラグ１４８を備えている。左つる１１６は、コード１２８を格納する部分１３６、左イヤホン１２４を収容する部分１３２、格納部１３６と収容部１３２の間を接続している部分１３３、ワイヤ１３８、および、端部１４６の電気プラグ１４６を備えている。収容部１３２の内部のコード１２８は回転シリンダー１３１に固着されて、コード１２８を摩擦を生じることなく巻きつけることができる。図３は、コード１２８、１２６がぴんと引張られていない態様で、尚且つ、着用者が使用して耳に装着するのに適したように伸びているのを例示している。コード１２８、１２６は作動時に伸び縮みして、退避可能なイヤホンコードスプールとして作用する。本発明は、イヤホン１２２、１２４の引出しと退避とを簡単かつ反復して行えるようにしている。コード１２６、１２８を自動的に格納部１３４、１３６の中の元の位置に退避させることができるようにする放出ボタン（図示せず）を使ってもよい。
【０１００】
図４は、着脱自在な電子眼鏡１３９に、右つる１７６および左つる１７４が設けられており、右イヤホンコード１５４および右イヤホン１５０が右つる１７６の中に退避状態にあり、左イヤホン１５２および左イヤホンコード１５６が左つる１７４の中に退避状態にあるのを例示している。右イヤホン１５０はワイヤ部分１６０によりコイル巻きされたコード１５４に接続されてから、右つる１７６の端部１６８に格納されているワイヤ１６４により電気コネクタ１７２に接続されている。左イヤホン１５２はワイヤ部分１５８によりコイル巻きされたコード１５６に接続されてから、左つる１７４の端部１６６に格納されているワイヤ１６２により電気コネクタ１７０に接続されている。
【０１０１】
図５Ａから図５Ｄは、本発明による眼鏡のつるの複数の異なる実施形態を例示している。図５Ａの眼鏡つる２３３、２３４は実質的に互いに同一であり、本実施形態の一方のつるの特徴を説明したものは他方のつるについても当てはまることに留意するべきである。図５Ａは、着脱自在な電子眼鏡２３０に特殊な右イヤホン２４１および左イヤホン２４０が設けられており、左イヤホン２４０はつる２３４の延長部であり、右イヤホン２４１はつる２３３の延長部であるのを例示している。この実施形態により、右イヤホン２４１および左イヤホン２４０は着用者の耳の背後に完全に隠蔽させることができる。
【０１０２】
図５Ａは、着脱自在な電子眼鏡２３０に右つる２３３および左つる２３２が設けられているのを例示している。左つる２３２は、その側面に沿って延びているコイル状ワイヤ２３４を備えている。コイル状ワイヤ２３４は２本のワイヤ２３６、２３８を含んでおり、ワイヤ２３８は電気コネクタ２４３に接続されており、ワイヤ２３６はイヤホン２４０に接続されており、従って、イヤホン２４０から電気コネクタ２４２にいたる電気回路を設けており、電気コネクタ２４２は取外し自在な電子パッケージＤＥＰ（図示せず）に着脱自在に接続されている。図５Ｂは、右つる２５０の端部２５２に部分２５４が設けられて、部分２５４はイヤホン集成体２６０に接続されているコイル状ワイヤ２５６を収容しており、また、右つる２５０の自由端２５９に部分２６１が設けられており、部分２６１は電気コネクタ２５８を格納しているのを例示している。例示を目的として、自由端２５９にはクリップ２６２が図示されているが、クリップはイヤホン集成体２６０をつる２５０の端部２５２の自由端２５９に固着している。クリップはイヤホン２６０をフレームの自由端２５９に固着する手段として設けられているが、イヤホン集成体２６０を自由端２５９に固着して保持するのに、どのような固定手段または粘着手段を使ってもよいものと理解するべきである。
【０１０３】
図５Ｃの眼鏡つる２６４、２６５は実質的に互いに同一であり、本実施形態の一方のつるの特徴の説明は他方のつるにも同様に当てはまることに留意するべきである。従って、図５Ｃにおいては、着脱自在な電子眼鏡２７０に右つる２６５および左つる２６４が設けられているのが見て取れる。この実施形態においては、退避可能なワイヤ２６６、ワイヤ２７４、ワイヤ２７６、および、電子コネクタ２６８はどれも、眼鏡つる２６４の自由端２７５に格納されている。端部２７５はスプールにより退避可能なワイヤ２６６を収容しており、ワイヤ２６６には２つの端部２７４、２７６が設けられており、ワイヤ端部２７４はイヤホン２７２に接続されており、ワイヤ端部２７６は電気コネクタ２６８に接続されている。電気コネクタ２６８は電気パッドとして機能し、ＤＥＰ（図示せず）の電気コネクタと電気接触するのに適した構成にされるとよい。図５Ｄは、端部２７６の自由端２８０にワイヤ２７９および電気コネクタ（図示せず）を格納している部分２７７と、適所にワイヤ２７９を保持するクリップ２７５とが設けられているのを例示した拡大図であるが、ここでは、ワイヤ２７９はイヤホン２７８に接続されている。これら実施形態においては、眼鏡つる２６４、２６５の厚みはイヤホンの寸法によって制約されることはなくなる。従って、眼鏡つる２６４、２６５は非常に薄くすることができる。
【０１０４】
図５Ｅにおいては、本発明の、無線信号伝達機能で特殊化された眼鏡のまた別な実施形態が見て取れるが、この無線信号伝達機能のために無線式の着脱自在な電子眼鏡システム２８９は接続ケーブル２６３および無線電子眼鏡２５１を含んで実装されており、無線電子眼鏡は右つる２５７、左つる２５５、右イヤホン２７３、および、左イヤホン２７２を備えている。無線電子眼鏡２５１は、ディジタル音楽再生装置や携帯電話などのような電子パッケージ２４５と無線連絡状態にある。接続ケーブル２６３には右電気コネクタ２８５および左電気コネクタ２８７が設けられており、右コネクタ２８５および左コネクタ２８７は無線電子眼鏡２５１の右雌電気コネクタ２６７および左雌電気コネクタ２６８と着脱自在に接続される。眼鏡つる２５５の内側には無線信号を送受信するための無線送受信機２５３、電源２４７、退避可能なワイヤ２６６、ワイヤ２６９、ワイヤ２７４、ワイヤ２７６、および、電気コネクタ２６８が配備されている。眼鏡つる２５５の端部２４３はスプールにより退避可能なワイヤ２６６を収容しており、ワイヤ２６６は２個の端部２７４、２７６が設けられており、ワイヤ端部２７４はイヤホン２７２に接続されており、ワイヤ端部２７６は電気コネクタ２６８に接続されている。右つる２５７はイヤホン２７３を備えており、イヤホンはワイヤ２４９によりつる２５７の電気コネクタ２６７に電気接続されている。送受信機２５３はつる２５５の内側に配置されており、これは端部に設置されているのが好ましいが、送受信機２５３はつるのどの部分、または、どの部分の内側に配置されてもよいものと理解するべきである。送受信機２５３はワイヤ２６９を介してスプールにより退避可能なワイヤ２６６と電気接続されており、送受信機２５３によって受信された無線信号をワイヤ２７４によりイヤホン２７２に配信し、接続ケーブル２６３によってイヤホン２７３に配信するが、その場合、本発明は音声を両方のイヤホン２７２、２７３に配信することができ、よって、ステレオ音響を体験することができるようにしている。更にまた、電源が眼鏡つる２５７の内側に配置されて、電池寿命を永らえるよう図ることもできるものと理解するべきである。接続ケーブル２６３は左つるから右つるまで延びているワイヤで代用することができるが、このような実施形態には欠点と制約があり、というのも、ワイヤが眼鏡の蝶番機構の中を通り抜けて延びている必要があるからである。
【０１０５】
図６は、本発明の着脱自在な電子眼鏡システム２９０が取外し自在な電子パッケージＤＥＰ２８１および着脱自在な電子眼鏡２８３を備えているのを例示しており、ＤＥＰと電子眼鏡は電気接続部２８６、２８８により互いに接続されている。ＤＥＰは右コード２８２、左コード２８４、および、電子パッケージ２９２を備えている。着脱自在な電子眼鏡２８３はつる３０１、３０３を備えており、眼鏡つる３０１はコイル状の退避可能なワイヤ２９６を収容しており、眼鏡つる３０３はコイル状の退避可能なワイヤ２９８を収容しており、右側端部３０８は右自由端３０４の右イヤホン２９２に接続されており、左側端部３０６は左自由端３０２の左イヤホン２９４に接続されているが、右ワイヤ端部２９３は右電気接続部２８８に接続されており、左ワイヤ端部２９５は左電気接続部２８６に接続されている。
【０１０６】
図６Ａから図６Ｄは、イヤホンを眼鏡つるの自由端に固着する具体的な実施形態を例示している。従って、図６Ａは、自由端３００にイヤホンロッド３１４およびそれに付随しているイヤーピース３１２を保持しているフック３１６とワイヤ３１８とが設けられているのを例示している。図６Ｂは、ピン−イヤホン集成体３１０がピン３２４およびイヤホン３２２を備えているのを例示している。図６Ｃは、ピン−イヤホン集成体３１０のイヤホン３２２およびピン３２４が自由端３２６に着脱自在に接続されているのを例示している。図６Ｄは、具体的な自由端集成体３２０のイヤホン３３２が自由端３３４に直接的に取付けられているのを例示しているが、ここでは、ＤＥＰのワイヤ３３６はイヤホン３３２に隣接して延びているとともに、電気コネクタとして作用する金属プレート３２８を介して自由端３３４に接続されている。図６Ｅは、電気コネクタ３４４が設けられているワイヤ部３４６および電気コネクタ３４２が設けられているワイヤ部３４８の２本のワイヤ部を備えている具体的なＤＥＰ３３０と、電子パッケージ３５２とを例示しているが、電子パッケージ３５２には再生ボタン、一時停止ボタン、停止ボタンなどの標準的な各種ボタン３６０、ポート３５８、３５６、サーチボタン３５４、および、スピーカー３５０が設けられている。
【０１０７】
図６Ｆは、着脱自在な電子眼鏡２９１をユーザー３６１が着用した場合の側面図を例示しており、この電子眼鏡はイヤホン３１５に接続されているワイヤ３１３と、眼鏡つる３０５の中央部３１９に配置されている雌電子コネクタ３１７を備えており、雌電気コネクタ３１７はＤＥＰ３２１のコード３０９の雄電気コネクタ３０７と着脱自在に、尚且つ、電気的に接続されている。ＤＥＰ３２１にはコード３０９の最上位から３分の１位置に配置されるマイクロフォン３１１が設けられており、コード３０９は携帯電話などの電子パッケージ２９２またはブルートゥース（Bluetooth）装置などの無線通信装置に電気接続されている。これに代わる例として、マイクロフォンのみならずスピーカー（聴取可能音声を発信するための）も同様に、電子パッケージ２９２に直接的に据付けられて、一体にされてもよい。ＤＥＰ３２１は、接続構造体を設けて２本のアームの個々の自由端を機械的に、電気的に、または、機械的にも電気的にも接続することにより、別な装具に固着させることができる。ＤＥＰ３２１は恒久的にコード３０９に取付けられて、この実施形態では、拡張可能なコードもスプールも全く電子パッケージに接続されてはいない。少なくとも一方の眼鏡つるに一体型スピーカーまたは一体型イヤホン集成体が設けられている。眼鏡つるはまた、内蔵式マイクを備えているようにしてもよい。コード３０９はその自由端に電気コネクタ３０７が設けられており、その反対端部はユーザー３６１の後頚部に設置された電子パッケージ２９２に接続される。雄電気コネクタまたは電気プラグを眼鏡つるに採用し、コード３０９の雄電気プラグ３０７は雌電気コネクタで代用してもよいものと理解するべきである。
【０１０８】
携帯電話を使用中、ＤＥＰに配置されているマイクが音声を捕獲し、電子パッケージの無線送信機が音声を遠隔位置に送信し、電子パッケージの受信機は可聴周波信号を受信し、音声をイヤホンに伝達する。電子パッケージはまた、送受信されている音声を記録する記録装置を備えていてもよい。よって、本発明は、ＤＥＰ携帯電話を着用しているユーザーが、発話機能を利用した電子パッケージおよび主要生物学的機能と相互作用し合えて、尚且つ、眼鏡フレームの重量を増大させない、または、眼鏡フレームの外観を変貌させないようにすることができる。
【０１０９】
図７は、着脱自在な電子眼鏡３９４をユーザー３６１が着用した場合を例示しているとともに、イヤホン３８６、３８８およびこれに付随するコイル状ワイヤ３８４、３８２がユーザー３６１の耳３９０、３９２に装着されているのを例示している。図７はまた、電子パッケージ３６４を含んでいるＤＥＰ３６２（図６ＦのＤＥＰを備えているようにしてもよい）、ワイヤ３６６、３６８、および、ユーザー３６１が着用した場合の着脱自在な電子眼鏡のつる３８０、３７８の電気コネクタ３７４、３８６に取外し自在に接続されている電気コネクタ３７０、３７２を例示している。
【０１１０】
ＤＥＰ３６２の、ディジタル音楽再生装置または携帯電話などのような電子パッケージ３６４は右つる３７８および左つる３８０に電気接続されてから更に右イヤホン３８６および左イヤホン３８８に電気接続されて、着用者の聴覚機能が電子パッケージ３６４と相互作用してそこから音声を受信することができるようにし、従って、主要生物学的機能との相互作用を実施し（電子パッケージ３６４が可聴周波信号を発信する能力を有していないけれどもこの場合の主要生物学的機能は聴覚機能である）、眼鏡のフレームの外観を変貌させることも無い。
【０１１１】
図８を参照すると、ユーザー４０１がロボットアーム４０８を備えている着脱自在な電子眼鏡システム４００を着用しており、ワイヤ３９６、３９８を装備したＤＥＰ４０２が見て取れるが、これらワイヤは電気接続部４０４により眼鏡４１２と電気回路を設けてＤＥＰ４０２を眼鏡つる４１４に接続しているとともに、ＤＥＰ４０２からの音声をロボットアーム４０８に格納されているワイヤによりイヤホン４０６に伝達している。
【０１１２】
図９は、電子パッケージ４３２を含んでいる着脱自在な電子眼鏡システム４３０をユーザー４４０が着用しているの例示した側面図であり、電子パッケージ４３２は、コード４３４の長さを自己調節することで抱き抱えるように密着する部分４３７を備えている。コード４３４は、多数の異なる頭部寸法と快適レベルとを調節することができる余得部４３５を有している。図９はまた、左レンズ縁４４８と、ワイヤ４４４および張出して耳４４１に配備されたイヤホン４４２が設けられた左つる４４６とを例示しているが、眼鏡の左つる４４６の端部４３８が電気接続部４３６によりＤＥＰ４３５のコード４３４に電気接続されて、電子パッケージ４３２と接続されるようにしている。可撓性のコイル状ワイヤはワイヤ４４４として図示されているが、イヤホンを眼鏡フレームに接続しているアームを含め、多様な硬質ワイヤおよび目立つワイヤを使ってもよいものと理解するべきである。
【０１１３】
図１０は、イヤホンと、退避可能なワイヤを装備したスプールとが眼鏡つるの同一平面に格納されて単体に仕上がっている、また別な実施形態を例示している。従って、図１０は着脱自在な電子眼鏡４５０をユーザーが着用した場合を例示しているが、ここでは、右つる４５８および左つる４５６は各々にイヤホンと退避可能なコードおよびスプールと、両方を格納する領域が１つしか設けられておらず、そのような領域は図中の右領域４６２および左領域４６０に一致する。右領域４６２および左領域４６０はイヤホン集成体（図示せず）を格納しており、これら領域内では、退避可能なコードはイヤホンに押付けて載置することになる。右つる４６２は右レンズ縁４５４に接続されて右電気接続部４６６が設けられており、左つる４６０は左レンズ縁４５２に接続されて左電気接続部４６４が設けられている。端部４６４、４６６は右耳４７０および左耳４６８によって支持されている。図１０Ａはまた別な実施形態を例示しており、ここでは、眼鏡つる４６８の端部４７６が電気コネクタ４７４を有しているとともに領域４７０に退避可能なコードを格納し、更に、領域４７０に隣接してイヤホン４７２を載置している。図１０Ｂは、図１０Ａの側面図であるが、眼鏡つる４６８の端部４８４に電気コネクタ４８２、退避可能なコード４７８を装備したスプール、および、イヤホン４８０が設けられているのを例示しており、イヤホン４８０はその一部が眼鏡つる４８４によって覆われている。
【０１１４】
図１１はまた別な実施形態を例示しており、着脱自在な電子眼鏡４９０および具体的な電気接続部５０５が描かれている。眼鏡４９０は右つる４９２、左つる４９４、右イヤホン４９６、左イヤホン４９８、右電気コネクタ５０２、左電気コネクタ５００を備えている。左つる４９４は小型電池４９５と照射用光源４９７を格納しており、この実施形態では、照射機能はＤＥＰへの取付とは無関係に実施することができる。右つる４９２の電気コネクタ５０２は、電気突起５０４およびワイヤ５０６を有している電気コネクタ５０５に着脱自在に電気接続されている。この実施形態においては、イヤホン４９６、４９８はフレームの内部に隠蔽されてはいないが、イヤホン４９６、４９８の寸法は眼鏡つる４９２、４９４の寸法に収まるものであるのが好ましい。図１１Ａは、眼鏡つる５１２と電気コネクタ５０８の間の具体的な電気接続をより詳細に例示しているが、ここでは、電気コネクタ５０８突起５１０およびワイヤ５０６から構成されている。
【０１１５】
図１２および図１２ＡはＤＥＰが長いワイヤを備えているまた別な実施形態を例示しているが、このようなワイヤは、本発明の着脱自在な電子眼鏡をアップル・コンピュータのiPod のようなディジタル音楽再生装置などの市販の装置と接続するためのものである。
従って、図１２においては、着脱自在な電子眼鏡システム５８０がＤＥＰ６１１および着脱自在な電子眼鏡５８２から構成されているのが見て取れる。ＤＥＰ６１１には右ワイヤ６０８および左ワイヤ６０８が設けられており、両方のワイヤがディジタル音楽再生装置６１２に接続されており、右ワイヤには、眼鏡つる５８４の電気コネクタ６００に取外し自在に接続されている右電気コネクタ６０４が設けられており、左ワイヤには、眼鏡つる５８６の電気コネクタ６０２に取外し自在に接続されている左電気コネクタ６０６が設けられている。この実施形態では、右ワイヤ６０８の個々の長さは15 cmよりも長く、尚且つ、75 cmよりも短いのが好ましく、25 cmよりも長く、尚且つ、65 cmよりも短いのが最も好ましい。これと同じ好ましい長さが左ワイヤ６１０にも適用される。もっと短いワイヤも使えるが、例えば、ユーザーの後頭部にＤＥＰ６１１を設置する構成のものが利用されてもよいものと理解するべきである。着脱自在な電子眼鏡５８２には右つる５８４および左つる５８６が設けられており、右つるは右イヤホン５８８と右コード５９２を、左つるは左イヤホン５９０と左コード５９４を収容しており、更にまた、右部分５９６は右電気コネクタ６００を、左部分５９８は左電気コネクタ６０２を格納している。
【０１１６】
図１２Ａは、着脱自在な電子眼鏡６２０およびＤＥＰ６１８を含んでいる着脱自在な電子眼鏡システム６２５をユーザー６１４が着用している場合を例示しており、ＤＥＰ６１８の具体例としてそこに着脱自在に搭載することができるiPodのような電子パッケージ６３４が挙げられるが、このような電子パッケージ６３４はワイヤ６３２により眼鏡つるの６１６の自由端６３０の電気コネクタ６２８を介して眼鏡つる６１６の端部６２３とワイヤ６３２により電気接続され、このような電気接続により、コイル状ワイヤ６２２によって音声をイヤホン６２４に伝達することができるようになるが、この場合、イヤホンはユーザー６１４の耳６２６に装備された状態である。この実施形態においては、図１２Ａで分かるように、電気コネクタ６２８は頚部および肩を横断してコードをより上手く設置するのに適した下向き配置にされ、iPodなどの電子パッケージを保持するのに好適になるよう図っている。この実施形態では、ＤＥＰは電子パッケージに接続される退避可能なコードを装備していないが、これは、電子パッケージをユーザーの視野の内部に置いたせいで見て触って確かめる視覚機能と触知機能が有効となるかもしれないからである。
【０１１７】
着脱自在な電子眼鏡およびＤＥＰ６１１から構成されている２部材片システムの代わりに、本発明の具体例として３部材片システムもあるものと理解するべきである。従って、図１２Ｂは、３部材片システムが電子パッケージ６０１、コード６０３、および、着脱自在な電子眼鏡６０５から構成されているのを例示しているが、ここでは、コード６０３は電子パッケージ６０１と接続するための電気接続部６０７を１個備えており、接続部に対して反対側の端部は細分化されて右コード６０９とそれに続く右電気コネクタ６１３および左コード６１１とそれに続く左電気コネクタ６１５に分かれ、右つる６１７および左つる６１９と着脱自在に接続するのに好適になるよう図っている。この実施形態では、右コード６０９および左コード６１１はそれぞれの自由端に電気接続部を有しており、電気接続部６１３はその一端で眼鏡６０５の右つる６１３と着脱自在に接続されており、電気接続部６１５はその一端で眼鏡６０５の左つる６１５と着脱自在に接続されており、これら両電気接続部の他方端には共通の電気接続部６０７が設けられて、ディジタル音楽再生装置などの電子パッケージ６０１に着脱自在に接続することができるようになっている。
【０１１８】
図１３は、ユーザー６４１がＤＥＰ６５７および着脱自在な電子眼鏡６３６を備えている着脱自在な電子眼鏡システム６４７を着用しているのを例示した正面図である。眼鏡６３６には表示装置６３９およびアンテナ６４６が設けられており、他の電子装置と無線通信を行えるようになっている。眼鏡６３６は右ワイヤ６４２および左ワイヤ６４４を介してＤＥＰ６５７に接続されており、これら左右ワイヤはＤＥＰ６５７の右コード６５６および左コード６５８に着脱自在に電気接続されている。着脱自在な電子眼鏡６３６は右つる６４３および左つる６４５と、右レンズ縁６３７および左レンズ縁６３８とを更に備えている。右レンズ縁６３７は、静止画像、ビデオ画像、コンピュータスクリーンなどを映写する表示装置６３９を備えている。表示装置６３９はワイヤ６４０（右レンズ縁６３７の内側に配置されている）により右つる６４３のワイヤに接続されている。ワイヤ６４２はＤＥＰ６５７の電子パッケージ６５５と電気接続されており、ＤＥＰ６５７から画像信号と可聴周波信号を受信することができる。可聴周波信号は、右コイル状ワイヤ６４８および左コイル状ワイヤ６５０によって右イヤホン６５２および左イヤホン６５４に送信される。画像化信号は、ワイヤ６４２およびワイヤ６４０により表示装置６３９に送信される。左つる６４５は、無線信号を受信するアンテナ６４６とワイヤ６４４を備えている。ワイヤ６４４はコード６５８によりＤＥＰ６５７と電気接続されている。例えば、無線信号がＤＥＰによって、または、フレームによって受信されると、信号が送信されてスクリーンを展開し、伝言を見ることが出来るようにする。表示装置部は固定手段を備えており、フレームに着脱自在に取付けることができるが、この実施形態においては、ワイヤ６４０は表示装置に接続するコネクタを備えている。
【０１１９】
ＤＥＰ６５５は、可聴周波信号および画像化信号を受信するための無線受信機を備えているようにしてもよい。この実施形態においては、ユーザーは、例えば、無線テレビ信号または無線ビデオ信号を受信して、本発明の眼鏡またはそれ以外の頭部取付式装具を利用して観賞することができる。例えば、ＤＥＰ６５５は航空機内ビデオシステムから信号を受信して、別個のスクリーンを必要とせずに、乗客が眼鏡６３６を使ってビデオを観賞して音声を聴取することができるようにしている。同様に、ＤＥＰ６５５はコンピュータと無線接続または有線接続することができ、眼鏡の表示装置６３９がコンピュータのスクリーンの代用を果たし、従って、機内でよく見かけるような雑多な環境でコンピュータを使って作業する場合もプライバシーが守られる。
【０１２０】
図１４Ｃは、眼鏡６８０がつる６７４およびつる６７６を備えており、眼鏡つる６７４の端部６７８に電気コネクタ６８６が、眼鏡つる６７６の端部６８２に電気コネクタ６８４が設けられている。イヤホン（図示せず）が眼鏡つる６７４、６７６に格納されている。図１４Ｂは、眼鏡つる６７４の、イヤホン７７２を格納する特定の領域７７０をより詳細に例示している。図１４Ａは眼鏡つる６６２の領域６６４に格納されているイヤホン６６８を例示しているが、ここでは、退避可能なワイヤ６６６が伸び出てイヤホン６６８を露出させている。
【０１２１】
図１４Ｄは、本発明の電子眼鏡システムの代替の実施形態を例示している。眼鏡システム６８３をユーザー６４１が着用しており、眼鏡６８３は着脱自在な電子眼鏡６８１、イヤホン集成体６９７、および、ＤＥＰ６９９を備えている。着脱自在な電子眼鏡６８１には電気コネクタ６７１、６７２が設けられている。電気コネクタ６７１は眼鏡６７９の中央部に配置されているのが好ましく、電気コネクタ６７３は眼鏡つる６７９の端部に配置されている。電気コネクタ６７１はワイヤ６７５により電気コネクタ６７３に接続されているが、ワイヤは眼鏡つる６７９の内部または眼鏡つるの外表面に配備される。電気コネクタ６７３はイヤホン集成体６９７の電気コネクタ６８５に着脱自在に接続されている。イヤホン集成体６９７は電気コネクタ６８５、アーム７７３、および、イヤホン７０１を備えている。電気コネクタ６７３はＤＥＰ６６９の電気コネクタ７７１に着脱自在に接続されて、ＤＥＰ６９９からイヤホン７０１に音声を配信することができるように図っている。この実施形態では、イヤホン集成体は眼鏡のつるに着脱自在に接続されている。一方側しか図示されていないが、両方の眼鏡つるに電気コネクタとＤＥＰからイヤホンに音声を配信するワイヤとが設けられているものと理解するべきである。アーム７７３は、退避可能なワイヤ、入れ子式の伸縮自在アーム、可撓性の折畳み可能なアームであって、多数の異なる寸法および背丈のユーザーの耳にイヤホンを装備するのに長さを調節するようになったものなどのような、各種機構を含んでいるのが好ましい。この実施形態は、眼鏡つるがワイヤと電気コネクタだけを装備しており、イヤホンは備えていない廉価なシステムを提示している。眼鏡つるの中央部の電気コネクタはその軸線が眼鏡つるに平行であり、眼鏡つるの形状をより小型にできるようにするのが好ましい。
【０１２２】
図１５Ａは、本発明による眼鏡つる集成体の一例を示している。眼鏡つる集成体６９０はハンドル６９８およびロッド７０１を備えており、ロッドはホイール７００に接続されている。ロッド７０１は溝６９２の内側を移動可能である。眼鏡つる６９０は電気コネクタ６９４およびワイヤ６９６を備えており、ワイヤはワイヤ部７０３によりイヤホン７０２に接続されている。図１５Ｂで分かるように、ハンドル７１０、ロッド７１１、および、ホイール７１２は、作動時には、溝６９２の内部を内向きに眼鏡つる７０４のコネクタ７０５に向けて移動させられてワイヤ部７１４を伸び出させて、耳７１６に装備することができるようにイヤホン７０２を露出させる。
【０１２３】
図１６Ａから図１６Ｃは、本発明による着脱自在な電子眼鏡のまた別な実施形態を例示している。着脱自在な電子眼鏡７２０はつる集成体７２４とレンズ縁７２２を備えている。図１６Ａに例示されているように、つる集成体７２４は関節アーム７３０を有しており、これは図中で張出した位置に示されている。つる集成体７２４は関節アームに取付けられたイヤホン７３２と、未使用時にイヤホン７３２を格納する領域７２５と、イヤホン７３２を電気コネクタ７２８に接続するワイヤ７２６を更に備えている。図１６Ｂは、関節アーム７３０が折畳まれているのと同時に、イヤホン７３２が眼鏡つる７２４の領域７２５に向けて移動しているのを例示している。図１６Ｃは、関節アーム７３０が完全に退避状態の位置にあるのを例示している。退避中は、関節アーム７３０およびイヤホン７３２は眼鏡つる７２４の境界域内に格納される。関節アーム７３０は、ワイヤ部７２６により電気プラグ７２８に接続されているワイヤ（図示せず）を収容している。既に概説したように、関節アームは本件では「ロボットアーム」または「入れ子式に伸縮自在なアーム」と呼ばれることがある。着脱自在な電子眼鏡７２０は、図面に例示されて既に詳述された眼鏡つるとよく似た構造を有している第２のつる（図示せず）を備えていることが分かる。
【０１２４】
図１７Ａは、本発明のまた別な実施形態を例示している。図１７Ａは、眼鏡７４０がつる集成体７４２およびレンズ縁７４３を備えているのを例示している。眼鏡つる７４２は回転式ホイール７４４を備えており、このホイールは眼鏡つる７４２に固着されているが、眼鏡つるの端部７４８と中央部７４９の間に置かれるのが好ましい。ホイール７４４は恒久的に、または、着脱自在自在にロッド７５１に取付けられる。ロッド７５１はワイヤ７４５を収容しており、電気プラグ７４６が設けられているが、このプラグはＤＥＰ７５８のワイヤ７５０および電子パッケージ７６０に着脱自在自在に接続されている。ホイール７４４のワイヤ７４５は眼鏡つる７４２のワイヤ部７４７によりコード７５２に接続されており、耳７５６に装着されているイヤホン７５４に音声を配信する。
【０１２５】
図１７Ｂは、図１７Ａの着脱自在な電子眼鏡システム７４０をユーザー７６２が着用しているのを例示している。ＤＥＰ７４１はユーザー７６２の頭部の上に配置されており、電子パッケージ７９２は右部分７８８および左部分７９０により頭部の頂に保持されている。右部分７８８および左部分７９０は、アクリルまたは硬質プラスチックなどの、安定性があって設置を容易にする剛性素材から製造されているのが好ましい。右部分７８８は右ホイール７６６の右ロッド部７６８の右電気コネクタ７７２に電気接続され、また、左部分７９０は左ホイール７６４の左ロッド部７７０の左電気コネクタ７７４に電気接続されて、右イヤホン７８０に接続されている右コード７７６および左イヤホン７８２に接続されている左コード７７８により右耳７８４および左耳７８６に音声を伝達するように図っている。電子パッケージ７９２には少なくとも１個の磁石が設けられており、神経相互作用、少なくとも１種類のレーザー光、それ以外の形態の光源であって毛髪の成長を刺激するために頭蓋に光を搬送するもの、または、これらの各種組合せの用途に付される。この実施形態では、この電子パッケージの代用として、頭蓋のもっと広い面積に光を伝搬するように表面積のもっと大きな電気装置を利用してもよい。
【０１２６】
図１８Ａは、本発明による差込式の取外し自在で着用可能な電子システムを例示しており、このシステムは眼鏡の左右つるに取付けることができる。差込システム８００は電源７９６を格納している右格納庫７９４、無線装置８０５、および、音量ボタン８０１を備えている。左格納庫７９３は電子機器７９５、ポート８０３、および、再生ボタン７９９を格納している。電子部品および電池をどのように組合わせて右格納庫と左格納庫に配備したものでも、利用することができる。右クリップ８０２は眼鏡（図示せず）の右つるにつまみ留めされ、その主要面８０９はユーザーの頭部に載置される。左クリップ７９８は左つるにつまみ留めされ、その主要面８０７はユーザーの頭部に載置される。主要面８０７、８０９は、皮膚に触れた際の快適さを向上させるために、軟質材またはラバー混入加工された素材を含んでいるとよい。差込システム８００はワイヤ８１２を更に備えているが、ワイヤは着用者の頭部に沿って延びて、右格納庫７９４と左格納庫７９３を接続している。右格納庫７９４は右アーム８０４によって右イヤホンに、左格納庫７９３は左アーム８０６によって左イヤホン８１０に接続されている。重要なのは、イヤホンにステレオ可聴周波信号を配信するのに利用できるのであれば、どのように電子機器および制御ボタンを組合わせて格納したものでも利用できる。
【０１２７】
差込システムには１個の差込構造が設けられてもよいし、または、２重の差込構造が設けられてもよいが、この２重の差込構造はワイヤによって互いに接続されている。１個の差込構造は無線通信装置（例えば、ブルートゥース（Bluetooth）装置）として機能し、差込構造の格納庫には鉤状構造が設けられて眼鏡のつるに係合するようになっているとともに、マイク、送受信モジュール、送受信回路、アンテナ、ディジタル−アナログ変換機、イヤホン集成体、イヤホン集成体のコネクタなどを更に備えている。使用時には、差込構造は眼鏡のつるとユーザーの耳に設置されたイヤホンとに係合させられる。差込装置にはユーザーの耳に直接的に設置するようにした内蔵スピーカーと、図３４Ｄの実施形態に類似している構造または耳支持体とが設けられていてもよい。従って、本発明の新規なブルートゥース（Bluetooth）装置はイヤホンを使うとともに眼鏡つるで支持する装置として機能するようにしてもよいし、または、内蔵スピーカーを利用して眼鏡つるで支持する装置として機能するようにしてもよいし、もしくは、内蔵スピーカーを利用して従来の耳で支持する装置として機能するようにしてもよい。ステレオ音声が望ましい場合、すなわち、ＭＰ３プレイヤーのように作動する差込装置が望ましい場合は、電子機器を格納するのと、２個のイヤホン集成体を利用してステレオ音声を配信するのに、２重式の差込構造が好ましい。差込構造には退避可能なスプールとイヤホンに接続されているワイヤとが設けられているとよい。本発明のまた別なブルートゥース（Bluetooth）の実施形態は、耳で支えるブルートゥースと、周囲環境に可聴周波音を発信するスピーカーと、マイク軸が設けられたマイクロフォン（内蔵式マイクの他に）またはマイク軸が設けられたマイクロフォンへの接続部とを備えている。これにより、装置は耳に装着することができる他にも、収納コードも装備しており、また別な装置に固着することもできるようになる。
【０１２８】
図１８Ｂは、眼鏡の左右のつるに設置するようにした差込システム８００を例示した側面図である。クリップ８０２は眼鏡（図示せず）の右つるに差込んで、格納庫７９４を右つるに固着させるようにしている。右格納庫７９４は電源７９６、アーム８０４、および、イヤホン８０８を収納している。クリップ７９８は眼鏡の左つるに差込んで、格納庫７９３を左つるに固着させるようにしている。左格納庫７９３は電子機器、アーム８０６、および、イヤホン８１０を収納している。ワイヤ８１２が右格納庫７９３と左格納庫７９４を接続し、着用者の頚部に沿って延びている。ワイヤ８１２はバネが装填されたスプールに接続されるが、スプールは格納庫７９４または格納庫７９３に格納されているようにするとよい。クリップ７９８、８０２は格納庫７９３、７９４よりも実質的に寸法が小さい。クリップ７９８、８０２のアームの好ましい長さは40 mmに等しいか、または、これよりも短く、30 mmに等しいか、または、これよりも短いのが好ましく、20 mmに等しいか、または、これよりも短いのが最も好ましく、10 mmに等しいか、または、これよりも短いのが更に好ましい。クリップ７９８、８０２は格納庫７９３、７９４よりも実質的に薄く、厚さが10 mmに等しいか、または、これよりも薄いのが好ましく、5 mmに等しいか、または、これよりも薄いのが更に好ましく、2 mmに等しいか、または、これよりも薄いのが最も好ましい。
【０１２９】
図１９Ａから図１９Ｂは、本発明によるクリップ留めシステムのまた別な実施形態を例示している。図１９Ａは、調節自在な鋸歯状システムを有しているクリップ留め集成体８２０が可動部材８１４、８１６から構成されているのを例示しているが、これら可動部材は、クリップ集成体８２０によって保持されている眼鏡つる（図示せず）の寸法を調節するのに互いに相対的に移動する。クリップ留め集成体８２０はイヤホン８１８を格納するための領域を更に備えている。クリップ留め集成体８２０は電子パッケージの領域を備えており、この実施形態は電子コネクタを有している必要は無い。イヤホン８１８は退避可能なコードスプール８２６に接続されているか、または、コイル状ワイヤに接続されている。退避可能なコードスプール８２６には２個のワイヤ終端部が設けられている。すなわち、ワイヤ端８２４はイヤホン８１８に接続されており、その反対のワイヤ端８２８は電気コネクタ８２９に接続されている。図１９Ｂは、使用中のクリップ留め集成体８２０が眼鏡つる８３２に固着されているのを例示しているが、眼鏡つる８３２は耳８３０に装着されている。
【０１３０】
図２０は、本発明による差込システムのまた別な実施形態を例示している。このシステムは眼鏡つる８３４に載置されるが、アーム８３５、８３７が設けられた、バネが装填されたクリップ８３６を備えている。アーム８３７は実質的に他方のアーム８３５よりも薄い、アーム８３７は着用者の頭部を押圧して載置される。アーム８３７は厚みが10 mmに等しいか、または、これよりも薄いのが好ましく、5 mmに等しいか、または、これよりも薄いのが更に好ましく、3 mmに等しいか、または、これよりも薄いのが最も好ましく、2 mmに等しいか、または、これよりも薄いのが更により好ましい。
【０１３１】
図２１は、バネが装填されたクリップ集成体の代替の実施形態を例示しているが、バネが装填されたクリップ８４４は眼鏡つる８４６に載置されているとともにアーム８５３、８４９が設けられている。アーム８５３は着用者の頭部に載置されており、上部８５１および下部８４５が設けられている。上部８５１は実質的に下部８４５よりも薄い。上部８５１は厚みが10 mmに等しいか、または、これよりも薄いのが好ましいが、5 mmに等しいか、または、これよりも薄いのがより好ましく、3 mmに等しいか、または、これよりも薄いのが最も好ましく、2 mmに等しいか、または、これよりも薄いのが更により好ましい。薄い部分またはアーム（上部８５１など）をより厚みのある部分（例えば、各種構成部材を格納している部位など）と組合せた形状は、本発明の差込式の実施形態またはクリップ留め式の実施形態のいずれにも適用することができる。アーム８５３の下部８４５は、イヤホン８４８、コイル状ワイヤ５２、および、ワイヤ８５４を格納している格納庫８５０を有しているが、ワイヤ８５４はその自由端に電気コネクタ８５６を有している。
【０１３２】
図２２Ａから図２２Ｃは、本発明のクリップ留め集成体のまた別な実施形態を例示している。図２２Ａは、小型のクリップ留め集成体８６０が格納庫８６１の内部に電子機器８６５を保有しているのを例示しているが、この電子機器８６５はディジタル音楽を再生する（または、携帯電話信号またはブルートゥース（Bluetooth）装置のような無線装置から無線信号などのような通信信号を受信する）ためのものである。格納庫８６１は退避可能なイヤホン８６２、８６３も有しており、これらイヤホンは格納庫８６１の端部に固着されているのが好ましい。格納庫８６１は、音楽再生装置、ラジオ、映像再生装置、携帯電話などのような無線装置の構成部材とブルートゥース装置のような無線通信装置の構成部材を、全部、保有している。格納庫８６１は差込式の実施形態について既に説明されたような構造および構成部材を備えていればよく、また、本発明のブルートゥース装置などの無線通信装置の実施形態について既に説明されたような構造および構成部材を備えていればよい。格納庫８６１はイヤホンを１個しか収容していないが、これは、格納庫８６１に格納されている電子装置がステレオ音声を必要としない場合などの実施例であり、ブルートゥースプロトコルの利用を含む無線通信の場合も同様である。図２２Ｂは、小型のクリップ留め集成体８６０が眼鏡のつるに取付けるためのクリップ８７３を備えているのを例示した側面図である。小型のクリップ留め集成体８６０は格納庫８６１、コード８６４、および、イヤホン８６２を備えている。図２２Ｃは、小型のクリップ留め集成体８６０がユーザー８７０が着用している眼鏡８６８ａの左つる８６８に取外し自在に固着されているとともに、退避可能なコード８６４、８６６が使用するために伸び出ているのを例示している。小型のクリップ留め集成体８６０は、電子機器８６５、電源８６７、および、ポート８６９を格納するための格納庫を備えている。左コード８６４はイヤホン８６２に接続されており、左耳８７２に装備するために伸び出ている。右コード８６６は着用者８７０の後頭部に沿って延びており、着用者８７０の右耳に装着するために第２のイヤホン（図示せず）に接続されている。本発明によれば、イヤホンに接続されている１本のコードは、その反対側のイヤホンに接続されている反対側のコードよりも実質的に長い。従って、左コード８６４の長さは15 cmに等しいか、または、これよりも短いのが好ましく、右コード８６６の長さは60 cmに等しいか、または、これよりも短いのが好ましい。左コード８６４の長さは10 cmに等しいか、または、これより短いのがより好ましく、右コード８６６の長さは45 cmに等しいか、または、これよりも短いのがより好ましい。この実施形態においては、全ての電子機器および電源が格納庫８６１の内部に配置されている。左コードおよび右コードは、使用中は長さが異なっているのが好ましい。右スプールに固着されているワイヤの長さは、左スプールに固着されているワイヤの長さとは異なっているのが好ましいが、この長さは、左コード８６４および右コード８６６について先に説明した長さであるのが好ましい。更に、コイル状のワイヤを利用してもよく、また、コード８６４、８６６と同じ構成を���襲してもよい。クリップの左コードと右コードは、例えばクリップをシャツの襟に留める場合、または、頚部の後ろ側に留める場合、もしくは、クリップを眼鏡のつるに接続されているストラップに固定する場合は、同じ長さであってもよいものと理解するべきである。ブルートゥース装置のような無線装置として作用する場合は、イヤホンは１個しか必要ではなく、従って、この実施形態においては、目の周辺の装身具のクリップは１本のイヤホンコードと１個のイヤホンしか備えていないものと理解するべきである。
【０１３３】
図１８Ａから図２３Ｃに基づいて説明されている実施形態で、例えば、差込式の実施形態やクリップ留め式の実施形態などはどのような電子パッケージを備えているようにしてもよく、より具体的に説明すると、これら実施形態が保持することができるのは、ブルートゥース（Bluetooth）装置のような無線通信装置、ディジタル音楽再生装置、ラジオ、無線電話ヘッドセットなどである。クリップ留め式の実施形態および差込式の実施形態はブルートゥース装置などの無線装置を含んでいるとよく、更に、格納庫を備えており、そこに少なくとも１個の送受信モジュール（ブルートゥース（Bluetooth）モジュールなど）と、これに付随している送信回路および受信回路、高周波回路、スピーカー（イヤホンなど）、マイク、電源、および、それ以外の共通構成部材であって、例えば、アンテナ、増幅器、電話の着信応答や音量制御などの各種機能ボタン、可聴周波コネクタ（例えば、雌コネクタ）などを収容することができる。
【０１３４】
図２３は、本発明によるクリップ留め集成体のまた別な実施形態を例示している。クリップ留め集成体８７０は、ユーザー８８０が耳８８６に装着している眼鏡８８２のつる８９２に取外し自在に固着されている。この集成体はハウジング８７６、アーム８７８、および、イヤホン８８４を含んでいる。ワイヤ８７２はコード８７４に接続されており、ＭＰ３プレイヤー８８８からの可聴周波信号を受信する。コード８７４の端部８７３は機械的に（電気的にではなく）眼鏡つる８９２の端部に固着されている。この実施形態においては、眼鏡つる８９２はワイヤも電気コネクタも備えておらず、クリップ留め集成体８７０のワイヤ８７２が眼鏡つる８９２の頂面に延びて、コード８７４に電気接続されている。
【０１３５】
図２３Ａは、クリップ留め集成体８７５を例示した頂面図であり、この集成体は両面式クリップ５６１、５６３を備えている。集成体８７５は右左それぞれの格納庫５６７、５６５、右左それぞれのロボットアーム５７５、５７３、右左それぞれのイヤホン５６９、５７１を備えており、これらは右コード５７９および左コード５７７によってディジタル音楽再生装置５８１などの電子パッケージに接続されている。
【０１３６】
図２３Ｂは、イヤホン８７５のアームが恒久的に伸びたままの状態のクリップ留め集成体８７１を例示している。クリップ留め集成体８７１は、クリップ８７３によって眼鏡のつる８７９に固着されており、ワイヤ８８１で電子装置（図示せず）に接続されている。
【０１３７】
図２３Ｃは、３部材片式の滑り嵌め集成体５８５が滑り嵌めイヤホン、眼鏡、および、ＤＥＰから構成されているのを例示している。図２３Ｃは、滑り嵌め集成体５８５が右滑り嵌め集成体５８７および左滑り嵌め集成体５８９を含んでいるのを例示しており、右滑り嵌め集成体５８７は電気接続プレート５９１を有して右つる５７２と電気接続し、左滑り嵌め集成体５８９は電気接続プレート５９３を有して左つる５７０と電気接続し、多数の異なる寸法の両眼鏡つるのを抱き抱えるように集成体を適合させている。更に、滑り嵌め集成体５８７はその右アーム５７８が右イヤホン５７７に接続されており、滑り嵌め集成体５８９はその左アーム５８２が左イヤホン５７４に接続されている。両眼鏡つる５７２、５７０は互いに実質的に同一であり、本実施形態の一方の眼鏡つるの各特長の説明が他方の眼鏡つるにも同様に当てはまるようになっていることに留意するべきである。眼鏡つる５７２は滑り嵌め集成体５８７を電気接続部５６８に接続するためのワイヤ５９５を有しており、電気接続部５６８はＤＥＰ５５６の電気接続部５６４に着脱自在に接続されている。ＤＥＰ５５６は、右つる５７２の右電気コネクタ５６８に取外し自在に接続されている右コード５５８と、左つる５７０の左電気コネクタ５６６に取外し自在に接続されている左コード５６０とを備えている。この実施形態においては、これら眼鏡つるはワイヤと電気接続部のみを備えているだけで、イヤホンは備えておらず、イヤホンは滑り嵌め集成体に格納されている。滑り嵌め集成体はＤＥＰのワイヤとの電気接続部が設けられているものとして例示されているが、ＤＥＰのワイヤは滑り嵌め集成体と一体型であってもよいものと理解するべきである。この実施形態の左右滑り嵌め集成体はイヤホンを固定しており、右ワイヤは右滑り嵌め集成体をＤＥＰに接続しているとともに、左ワイヤは左滑り嵌め集成体をＤＥＰに接続しており、ＤＥＰは音楽再生装置などの、着脱自在に取付けられた電子パッケージを備えている。
【０１３８】
本発明の好ましいクリップ留め集成体、差込集成体、および、滑り嵌め集成体によれば、眼鏡つるには極めて僅かな重量しか置かれず、というのも、眼鏡のつるは、イヤホンしか格納していないクリップ留めと軽量小型のワイヤおよびプラグとしか保持していないからである。もっと重い部品（電子機器および電源）は眼鏡つるからは離れた位置にあるＤＥＰに格納されて、後頭部に設置される。従って、本発明の集成体は、より快適でより良好な重量分布を提供する。眼鏡つるに課す重量を小さくすることにより、耳に直接付与される圧力は小さくなる。眼鏡のつるは、重ければ不快となり、時間経過とともに耳周辺の薄い皮膚に創傷を生じかねない。これに加えて、より大型で重い部材（ＤＥＰ）は眼鏡つるの端部とそこから離れた位置とで保持されるせいで、本発明は頭部で眼鏡を安定させるのを助けるとともに眼鏡フレームが鼻の上で下へ移動するのを阻止するという付加的な利点を提供している。
【０１３９】
図２４Ａおよび図２４Ｂは、本発明のつる集成体の具体的な実施形態を例示している。図２４Ａにおいては、薄いつる集成体８９０に前部８９８と端部８９４が設けられているのが見て取れるが、端部８９４は眼鏡つる８９０の屈曲点９１１で始まっている。前部８９８はレンズ縁（図示せず）に接続するためのネジ集成体８９６を有しており、端部８９４はワイヤ９０２により電気コネクタ９０６に接続されているイヤホン９０４を有している。図２４Ｂは、厚みのあるつる集成体９００に前部９１０および端部９１８と屈曲点９１１とが設けられているのを例示している。前部９１０はイヤホン９１２、ワイヤ９１４、退避可能なコイル状コード９１６、および、ネジ集成体９０８を有しており、端部９１８はワイヤ９２０および回転式電気コネクタ９２２を有している。電気コネクタ９２２は端部９１８に配置されているのが好ましいが、端部９１８の自由端に配置されているのが最も好ましい。電気コネクタ９２２は、電気コネクタをどのような位置にでも移動させることができるようにしたホイール集成体９２３に固着されており、２つの異なる位置にあるのが仮想線で具体的に図示されている。
【０１４０】
図２４Ｃは、具体的なラチェット機構集成体９２４がその端部９３８をプラグ９２６と電気接続させるようにしているのを例示している。端部９３８はワイヤ９４０と、ＤＥＰ（図示せず）のプラグ９２６を受容するための窪み９３６が設けられた差込口９３２とを有している。プラグ９２６はワイヤ９２８と、差込口９３２にプラグ９２６を取外し自在に接続するための突起部９３４が設けられたラッチ部材片９３０とを有している。図２４Ｄは、眼鏡つる集成体９２５にネジ集成体９２７が設けられて前部でレンズ縁と接続するようにしたのを例示している。端部９３３は、眼鏡つる９２５の自由端９３３に固着されて電気コネクタ９２９に隣接した位置にあるイヤホン９３１を備えている。
【０１４１】
図２４Ｄで明らかなように、電気コネクタ９２９は眼鏡つる９２５の自由端に設けられているのではなく、眼鏡つる９２５の側面に設けられている。眼鏡つるの電気コネクタは眼鏡つるのどの部位に配備されてもよいが、眼鏡つるの端部に配置されるのが好ましく、頭部とは反対方向に面している側に配置されるのが最も好ましい。このように、眼鏡つるに接続されているＤＥＰから出ているワイヤは皮膚とは反対方向に面しており、皮膚に接触することはなく、ユーザーにとっては快適さが確実に増しさえする。本発明の眼鏡つるの上記以外の好ましい特徴の１つとして眼鏡つるの端部が長くなったことが挙げられるが、眼鏡つるの端部は耳の低いほうの部位で終端し、従来の眼鏡と同様に、耳の中央部で終端することがないようにするのが好ましい。このように、ＤＥＰから出ているワイヤまたはコードはいずれも耳の背面から離れた位置に置かれることになり、快適さを確実に増している。この点で、眼鏡つるの屈曲点（領域９１１で表わされている）より後方の端部は耳に隣接している眼鏡つるの部分となり、眼鏡つるのこのような端部は5.5 cmよりも長いのが好ましく、5.5 cmから7 cmの間であるのが最も好ましく、5.5 cmから8.5 cmの間であるのが更により好ましい。このような端部の長さは、眼鏡つるの自由端から図２４Ａおよび図２５Ｂの部分９１１によって表されている屈曲している部分までの長さと定義される。
【０１４２】
図２５Ａは、本発明によるまた別な着脱自在な集成体を例示している。集成体は眼鏡つる集成体またはクリップ留め集成体として機能する。集成体９４４はイヤホン９５２、９６０を格納するための格納庫９４８、９５８と、格納庫９４８の蓋９４６と、退避可能なコード９５０、９５４を収納するための領域６５６とを備えている。図２５Ｂは、クリップ留め集成体９４４がクリップ９６７によって眼鏡つる９６４に固着されており、イヤホン（図示せず）を収容するための領域９４６、９５８を備えているのを例示している。本発明の実施形態によれば、一方のイヤホンに接続されている一方のコードは反対側のイヤホンに接続されている反対側のコードに比べると実質的に長い。従って、コード９５０の長さは15 cmよりも短いのが好ましいが、コード９５４は60 cmよりも短いのが好ましい。コード９５０は10 cmよりも短く、コード９５４は45 cmよりも短いのが最も好ましい。
【０１４３】
図２５Ｃは、電子眼鏡９５５が先行技術によって提案されているように眼鏡つる９５７に電子機器を格納しているが、本発明により提案されているような改良特性を有しているのを例示している。本発明の教示によると、眼鏡つる９５７は空洞７４を画定している揺り籠状の格納庫７２を備えており、この空洞の寸法は、ディジタル音楽再生装置、ラジオ、携帯電話などの電子パッケージ１２を着脱自在な態様で受容して保持するように設定されている。図１Ｄおよび図１Ｅの記載内容によると、電子パッケージ１２は、空洞７４に固着されているとともに長く伸ばすことができるコイル状コード９５９に接続されている。
【０１４４】
図２６Ａは、本発明のクリップ留め電子集成体を容易に取付けることができる、特殊なワイヤを装備していない眼鏡つるを例示している。眼鏡つる９８０は端部９９２と、レンズ縁（図示せず）と接続するためのネジ領域９９６が設けられた前部９９４とを有している。眼鏡つる９８０の内部の開口９９０の寸法は、差込集成体９８２のアーム９８４を受容するように設定されている。差込集成体９８２はイヤホン９８６を格納する第２のアーム９８８（点線で図示されている）を備えている。
【０１４５】
図２６Ｂは、差込集成体９８２が開口９９０の中に通して眼鏡つる９８０に固着されているのを例示している。アーム９８４はアーム９８８よりも実質的に厚みが小さいのが好ましいが、アーム９８８はイヤホン９８６、退避可能コード９９８、および、ワイヤ９８７を格納する。図２６Ｃは、本発明による差込集成体を受容するのに適した構成の眼鏡つるのまた別な実施形態を例示している。眼鏡つる１０００には、ネジ領域１０１０、端部１０１２、および、眼鏡つる１００４の端縁を越えて外側に突出している壁１００６が設けられている。壁１００６は開口１００２を画定しており、本発明による差込集成体を受容するのに適した構成となっている。眼鏡つるおよび眼鏡つるの自由端には、リング、ループ、ボタン、滑りピン、溝、これら以外の図１８３Ａから図１８３Ｅの構造のいずれかなどが設けられているものと理解するべきである。
【０１４６】
図２７は、本発明のシステムが３部材片、すなわち、右つる１０４９、左つる１０５１、および、ＤＥＰ１０３９から構成されているのを例示している。右つる１０４９は右前部１０２２にネジ領域１０４８が配置されているとともに右イヤホン１０２６、右ワイヤ１０３０、および、右雌電気コネクタ１０３４を備えており、左つる１０５１は左前部１０２４にネジ領域が配置されているとともに左イヤホン１０２８、左ワイヤ１０３２、および左雌電気コネクタ１０３６を備えており、右雌電気コネクタは右コネクタ１０３８と着脱自在に接続されることで右つる１０４９をＤＥＰ１０３９の右ワイヤ１０３０および電子パッケージ１０４６と電気接続し、左雌電気コネクタは左コネクタ１０４０と着脱自在に接続されることで左つる１０５１をＤＥＰ１０３９の左ワイヤ１０３２および電子パッケージ１０４６と電気接続するように図っている。
【０１４７】
図２８は、ＤＥＰ１０６６、右つる１０４９、および、左つる１０５１を含んでいる本発明のキットを例示している。従って、図２８においては、ＤＥＰ１０６６を格納している領域１０７０と右つる１０４９および左つる１０５１を格納している領域１０６８とを含んでいる箱体１０６０を含んでいるキットが描かれているが、右つる１０４９は右イヤホン１０６３、右ワイヤ１０６４、および、右電気接続部１０５９を有しており、左つる１０５１は左イヤホン１０６１、左ワイヤ１０６４、および、左電気接続部１０５７を有している。
【０１４８】
本発明の各種方法のうちの１つに、従来の眼鏡つるを本発明の配線を施した眼鏡つるで代用する工程があるものと理解するべきである。これにより、ユーザーは従来の眼鏡の元のレンズおよびレンズ縁はそのまま利用し、眼鏡つるだけを元のつるとよく似たつると取替えることができるようになる。本発明のつるを利用すれば、元のレンズおよびレンズ縁を装備した元の眼鏡が、ここでは、電子機能を実施することができるようになる。
【０１４９】
図２９は具体的なＤＥＰを例示している。光源に電力投入する、音楽を再生する、無線信号を受信する、映像を再生する、音声を記録する、映像を記録する、インターネット信号を受信する、インターネット信号を送信する、または、これらの各種組合せを行う等といった動作を含む機能を実施する能力を備えている装具はいずれも本発明の範囲に入り、そのような装具は、眼鏡のフレームに着脱自在に接続するようにした電気接続部が設けられて、ＤＥＰの電子パッケージとしての機能を果たすことができるものと理解するべきである。電子パッケージは収納コードに着脱自在に取付けられるようにしてもよい。光源に電力投入することは１つの電子機能であるが、説明のために、どのような電子機能も着脱自在な電子パッケージすなわちＤＥＰによって実施される機能として説明されている。更に、ＤＥＰの電子パッケージの具体例としては、音楽および映像のディジタル再生装置、小型ＣＤプレイヤー、ＤＥＰの余剰記憶装置用のＳＤカードポートを備えているカメラなどが挙げられる。ＤＥＰの機能はまた、生物学的パラメータを測定するシステムを含んでおり、具体例として、ＤＥＰはグルコースレベル、体温、眼圧、血圧、酸素、血流、または、何であれこれら以外の物理的パラメータもしくは体内に存在している化学物質を測定するのに適した構成になっているとよい。ここでもまた具体例として、アブルー（Abreu）によって発明され、米国特許出願第20040059212号および第20040242976号の公報に記載されている検知眼鏡によれば、ＤＥＰの電子パッケージは眼鏡に固着されているセンサーに接続されているが、これら特許においては、無線通信装置は眼鏡の前部から取外されて、後頭部のＤＥＰとして設置されるか、または、代替例として、独立型装置としてグルコースなどの化学物質をＤＥＰの電子パッケージが測定するようになっている。酸素を測定するために鼻の脇に複数の管を備えている眼鏡は、データを処理する電子機器と、そこから離れた位置にあるＤＥＰに格納されている表示装置とを備えており、または、代替例として、眼鏡フレームが電子機器と表示装置を備えているようにしてもよい。
【０１５０】
本発明の装置および方法により、電気機能または電子機能を実施するシステムをＤＥＰと眼鏡のフレームとの間で分担することができるようにし、よって、重量分布をより良好にすると同時に、眼鏡などの着用可能な装具が視覚機能に加えて第２の機能を実施することができるようにしている。従って、眼鏡のフレームに格納されているファン、ヒーター、または、ペルティエ装置に電力投入してユーザーを加温したり冷却したりするための電源しかＤＥＰが備えていないようにしてもよい。この実施形態では、眼鏡はイヤホンを備えておらず、眼鏡が備えているのは、冷却目的の小型ファンか熱動電装置と、ＤＥＰと接続してファンの電源として作動する電気接続部だけである。ＤＥＰは、遠隔制御装置、テレビ信号を受信するための無線受信機、および、スピーカーとしても機能することができる。これに加えて、本発明は、電源、それ以外の各種電子機器、または、その両方がＤＥＰに配置されているせいで、聴覚支援機器を小型化することができ、眼鏡のつるの端部に小型聴覚素子が１個だけ格納されている。本発明によれば、装置の一部をＤＥＰに格納し、眼鏡フレームなどの頭部取付装具に一部を格納することにより、多様な聴覚支援機器およびそれ以外の装置を極度に小型にすることができる。従って、頭部取付装具はより快適にすると同時に、多数の電子機能を提供することができる。電子機器の一部、電源、または、その両方を眼鏡フレームから離れた位置にあるＤＥＰに格納しても、眼鏡のイヤホンは、ディジタル音楽再生装置からの音声を受信しながらも外部雑音からの遮音装置として作用する。
【０１５１】
好ましい実施形態の左右両方の眼鏡つるに電気接続部とワイヤが装備されているが、眼鏡の一方のつるだけに電気接続部を設け、この電気接続部がＤＥＰから延び出ているワイヤに着脱自在に接続されるようにしてもよいものと理解するべきである。この実施形態では、ＤＥＰは左右両方の眼鏡つるに固着されているが、眼鏡つるの一方だけがＤＥＰに電気接続されて、他方の眼鏡つるはＤＥＰに機械接続されているだけにしてもよい。
【０１５２】
図２９においては、ＤＥＰ１０８０は右ワイヤ１０９４を収容している右コード１０９０と、左ワイヤ１０９６を収容している左コード１０９２とから構成されているのが見て取れるが、ここでは、右ワイヤ１０９４はその一方端が右電気コネクタ１０９８に接続されており、他方端が電子パッケージ１０８２に接続されており、また、左ワイヤ１０９６はその一方端が左電気コネクタ１１００に接続されており、他方端が電子パッケージ１０８２に接続されており、電子パッケージは、具体例として、電源１０８８、チップ１０８６、および、メモリ１０８４を備えている。
【０１５３】
図３０は、キット１１１０が着脱自在な電子眼鏡１１１２およびＤＥＰ１１２２から構成されているのを例示している。キット１１１０は着脱自在な電子眼鏡１１１２を含んでおり、眼鏡は左右イヤホン１１１４、１１１６および左右電気接続部１１１８、１１２０を備えている。ＤＥＰ１１２２は２本のワイヤ１１２４、１１２６と、これらワイヤ１１２４の端部の電気接続部１１２８およびワイヤ１１２６の端部の電気接続部１１３０とから構成されている。
【０１５４】
図３０Ａは、キット１１１１が着脱自在な電子帽子１１１３およびＤＥＰ１１２２から構成されているのを例示している。キット１１１１の着脱自在な電子帽子１１１３は、本発明に従って、イヤホンを保持する側にはパウチ１１１７が設けられており、ＤＥＰ１１２２を保持する背面側にはパウチ１１１５が設けられている。ＤＥＰ１１２２は２本のワイヤ１１２４、１１２６と、ワイヤ１１２４の端部の電気接続部１１２８およびワイヤ１１２６の端部の電気接続部１１３０とから構成されている。
【０１５５】
図３１Ａは、眼鏡つる集成体１１４０がＤＥＰのコード１１４４に接続されている端部１１４２を有しているのを例示しているが、ここでは、コード１１４４はイヤホン１１４８に接続されている。この実施形態では、イヤホン１１４８はワイヤ１１４６によりコード１１４４に接続されており、イヤホン１１４８は眼鏡つる１１４２の外側に収容されている。図３１Ｂは、眼鏡つる集成体１１５０がＤＥＰのコード１１５８の端部のプレート１１５２と眼鏡つる１１５４との間に電気接続部を有しているのを例示している。プレート１１５２は眼鏡つる１１５４の電気接続部１１５６と電気接続されているが、眼鏡つる１１５４の端部１１６０には電気接続部またはワイヤが存在しない。
【０１５６】
図３２は、着脱自在な電子眼鏡１１７０の好ましい実施形態の右イヤホン１１７８が右つる１１８２の内側に隠蔽され、その左イヤホン１１７６が左つる１１８０の構造の内側に隠蔽されているのを例示している。右つる１１８２はイヤホン１１７８を格納する部分１１７４と、ＤＥＰのコード１１８９を接続する電気接続部が設けられている端部１１９２とを含んでいる。左つる１１８０はイヤホン１１９６を格納する部分１１７２と、左レンズ縁１１８６に隣接してカメラ１１８４に接続されるワイヤ１１９６とを含んでいる。左つる１１８０は、ＤＥＰの電気接続部１１９０およびコード１１９１に接続されている端部１１９４にワイヤ１１９８を更に有している。図３２Ａは、イヤホン１１７８がつる１１８１の外壁１１８０に固着されている、また別な実施形態を例示しているが、イヤホン１１７８は眼鏡つる１１８１の端部１１９４で電気接続部１１９０に接続されている。
【０１５７】
図３３は、また別な好ましい実施形態が眼鏡つるの端部に固着されて眼鏡つるの張出し部として作用しているイヤホンを備えているのを例示している。従って、図３３で明らかなように、着脱自在な電子眼鏡１２００は左右レンズ縁１２０２、１２０４および左右つる１２０６、１２０８を含んでおり、右つる１２０６の右端部１２１０の右ワイヤ１２１３（破線で図示されている）が右イヤホン１２１４に接続されており、左つる１２０８の左端部１２１２の左ワイヤ１２１５（破線で図示されている）が左イヤホン１２１６に接続されている。右端部１２１０および右イヤホン１２１４は屈曲してイヤホン１２１４およびワイヤ１２１３に隣接している電気コネクタ１２３０を露にしているのが示されている。電気コネクタ１２３０はＤＥＰ（図示せず）のワイヤに接続するのに適した構成となっている。作動させるには、着脱自在電子眼鏡は電子パッケージに格納されている電気回路に電気接続または無線接続される必要があるが、これは、本発明の他の実施形態について説明したのと同じである。
【０１５８】
図３３Ａは、本発明による収納コードが本発明による電子的に使用可能な眼鏡に取付けられているのを例示している。図３３Ａは、眼鏡１２４０がＤＥＰ１２５０に接続されてユーザー１２４１が着用した場合を例示しているが、ここでは、ＤＥＰ１２５０は電子パッケージ１２４２、右コード１２４３、および、左コード１２４４を備えている。左コード１２４４は電気接続部１２４８により眼鏡つる１２４６に電気接続されている。眼鏡つる１２４６の端部に固着されたイヤホン１２５２のワイヤは、イヤホン１２５２がユーザー１２４１の耳１２５３に装着されている間は、伸び出た状態になっている。
【０１５９】
図３４は、本発明による着脱自在な電子コードパッケージのまた別な実施形態を例示している。この実施形態では、コード１２６６の端部のスリーブ１２８６およびコード１２６４の端部のスリーブ１２８４は伸縮自在で、電気部品すなわち電気コネクタが設けられていないのが好ましいが、眼鏡のつる（図示せず）にコード１２６６の端部とコード１２６４の端部を機械的に固着するのに利用することができる。着脱自在な電子コードパッケージ１２６０は電子パッケージ１２６２と、右コード１２６４および左コード１２６６とを備えている。電子パッケージ１２６２は、本願明細書で既に説明済みであるとともにＤＥＰについて既に説明した多数の電子機能のいずれを実施してもよい。右コード１２６４は右ワイヤ１２６８、右コードスプール、および、退避可能な右ワイヤ１２７６を収容しており、左コード１２６６は左ワイヤ１２７０、左コードスプール１２７４、および、退避可能な左ワイヤ１２７８を収容しているが、右ワイヤ１２７６は右イヤホン１２８０に、左ワイヤ１２７８は左イヤホン１２８２に接続されている。退避可能なコードスプール１２７２、１２７４は拡張可能なコイル状ワイヤまたはそれ以外のワイヤを退避させる手段で代用することができる。右コード１２６４は右スリーブ１２８４またはそれ以外の、コード１２６４を眼鏡つる（図示せず）の端部に固着させる手段を更に備えている、また、左コード１２６６は左スリーブ１２８６またはそれ以外の、コード１２６６を眼鏡つるの端部に固着させる手段を更に備えている。スリーブ１２８４、１２８６は、このような眼鏡つるの自由端を重ね合せるのに適した構成となっている。コード１２６４、１２６６は眼鏡フレームのどの部分にでも固着させることができ、例えば、コード１２６４、１２６６の端部に配置されたクリップ留め、鉤、差込式構造などのような手段により眼鏡つるの中央部のような部位に固着されるとよいものと理解するべきである。図３４に例示されている実施形態は、通常の眼鏡ならどのようなものにでも取付けることができる。従って、この実施形態を利用すれば、ワイヤや電気接続部を備えていない普通の眼鏡を、本発明の着脱自在な電子コードパッケージ１２６０に適合させることができる。コードを眼鏡のつるにより堅固に固着するために、スリーブは、例えば、ネオプレン、綿、皮革などのような伸縮自在な素材から製造されているのが好ましい。電子パッケージ１２６２はコード１２６４、１２６６に取外し自在に固着されてもよいし、または、コードに恒久的に取付けられてもよいものと理解するべきである。電子パッケージ１２６２が恒久的に取付けられている場合、また別な第３の部材片（本質的にＣ字型の管が好ましい）を利用してスリーブ１２８４、１２８６に接続することができる。これによりシステム全体を丸い部材にして、頚部などの身体部分の周囲にカラーとして装着することができるようにしてもよい。従って、本実施形態により、電子パッケージはユーザーの視界軸の内側に位置することができるようになり、電子パッケージが恒久的に取付けられている場合でも、装置は依然として容易に取外しを行うことができる。これに代わる例として、本件に記載されている本発明の他の実施形態によれば、電子パッケージ１２６２は揺り籠状の格納庫に格納され、コイル状コードまたは退避可能なスプールコードなどのような伸び縮みするコードを備えているようにするとよい。
【０１６０】
図３４Ａは、着脱自在な電子コードパッケージ１２６０をユーザー１２９０が着用しているのを例示している。コードパッケージ１２６０は通常の眼鏡１２９２には電気接続ではなく、機械接続される。電子パッケージ１２６２はユーザー１２９０の頚部に沿って設置されるが、その場合、左スリーブ１２８６が眼鏡つる１２９６の自由端１２９４を被覆する。スリーブ１２８６は、眼鏡つる１２９６にスリーブ１２８６をより良好に固着するように、弾性特性を備えているのが好ましい。退避可能なワイヤ１２７８が左コード１２６８から出て、伸張位置にあって、耳１２９８に装着されたイヤホン１２８２に接続されているのが図示されている。多様な固定手段を利用して着脱自在電子コードパッケージ１２６０を眼鏡のフレームに固着することができるが、その手段としては例えば、クリップ、溝機構、マジックテープ（登録商標）式固定具、スナップ式嵌め合い、眼鏡つるの端部に結わえて環を形成したもの（環の具体例としては、収納コード１２６０のストラップを結わえるようにした環形状や収納コード１２６０で作った相補フックの引っ掛けを受けるようにした環形状などが設けられた眼鏡つるの自由端が挙げられる）、眼鏡つる側に設けられた相補的な溝に固定する滑り機構などがある。
【０１６１】
図３４Ｂの着脱自在な電子システムは接続パウチ１２６１、接続パウチ１２６１によって機械的に固着されたＤＥＰ１２６２、および、ケーブル１２７９を備えている。接続パウチ１２６１は、スロット１２７１、１２７３が設けられたパウチ１２６３、および、アーム１２６５を備えている。アーム１２６５は伸縮自在なスリーブ１２６７として終端しており、このスリーブは眼鏡する１２６９を抱くように固着することができる。電子パッケージ１２６２はスロット１２７１に通してパウチ１２６３に挿入される。電気プラグ１２７５はスロット１２７３と通してパウチ１２６３に挿入される。ケーブル１２７９は雄プラグ、１２８３、および、スプール１３０９を備えているのが好ましい。プラグ１２７５はＤＥＰ１２６２の雌コネクタ１２８５に着脱自在に接続され、プラグ１２８３は眼鏡１２７７の雌コネクタ１２８７に着脱自在に接続される。眼鏡つる１２８９は電気コネクタ１２８７を備えており、また同時に、右つる１２８９はイヤホン１２９３、ワイヤ１３１７、スプール１３０１、および、イヤホンならびにスプールを収容する格納庫１２９７を備えており、左つる１２６９はイヤホン１２９５、ワイヤ１３１９、スプール１３０３、および、イヤホンならびにスプールを収容する格納庫１２９９を備えている。ワイヤ部１３１３はスプール１３０１に接続されて、電気コネクタ１２８７で終端している。ワイヤ部１３０５はスプール１３０３に接続されて、左つる１２８９から出て左右両方の蝶番部で２枚の金属製電気プレート集成体１３０７、１３１１を通って右つる１２９１に達していることで、レンズ縁と両つるの間に電気接点を設けている。これにより、ワイヤが蝶番を通り抜けて延在するのを回避し、恒常的な曲げ伸ばしの結果として生じる歪みを防止する。ワイヤ部１３０５は電気コネクタ１２８７で終端する。ケーブル１２７９はパウチ１２６３に恒久的に取付けられたコードによって被覆することができるものと理解するべきである。
【０１６２】
本発明はまた、ブルートゥース（Bluetooth）型のヘッドセット装置の全く新規な解決索を提案している。（「ブルートゥース（Bluetooth）装置」または「ブルートゥース型装置」という語によって伝えたいのは、ユーザーの耳に取付けてブルートゥース通信プロトコルまたはそれ以外の通信プロトコルを利用して別な電子装置と無線通信する装置のことである。）先行技術の耳に巻きつけるタイプのブルートゥース装置は巻付けアームをブルートゥース装置に装備しており、このような装置が耳の周辺で占有する空間は眼鏡つるの端部が耳に接触する空間に匹敵する。従って、眼鏡を着用している人は耳の周囲に２種類の硬質部材を装着することになり、実用した場合の付け心地が悪く、場合によっては痛みを伴い、ブルートゥース装置を耳に固着することに益が無いことも多い。本発明のこの実施形態は、いつも眼鏡を着用していて尚且つブルートゥース装置を利用したいと思う人に重要な利益を提供するものである。本発明を利用すれば、眼鏡のつるは耳に設置する必要がある唯一の部材でありながら、ブルートゥース装置またはそれ以外の無線装置がユーザーにまた別な利点も供与するのに、頭部や耳を圧迫するハードウエア類をそれ以上付加える必要がない。本発明のブルートゥース装置は身体の非常に敏感な部分、すなわち、耳などから重量負荷を他所に転じ、耳周辺の感じ易い薄い皮膚を圧迫するような装置を必要とさえしない。
【０１６３】
図３４Ｃは先行技術のブルートゥース装置１４６１を例示している。ブルートゥース装置１４６１は耳で支える部材片１４６７、マイク１４６５、および、スピーカー１４６３（または、音声を伝達するそれ以外の何らかの装置）を備えている。スピーカー１４６３は携帯電話などの第２の装置から可聴周波信号を受信する。スピーカー１４６３は装置１４６１に物理的に一体化され、耳管に嵌めるのに適した構成になっている。このような装置は、例えば、フィンランドのノキア・カンパニーや米国のモトローラ・インコーポレーティッドなどにより販売されている。周知のブルートゥース装置はいずれもイヤホン用に別個の電気コネクタを備えてはおらず、というのも、先行技術の装置は耳で保持する設計になっていたからであり、更に、外付けワイヤが無ければ音声を生成することができなかったせいである。
【０１６４】
本発明は、図３４Ｄに例示されているような改良型のブルートゥース装置を提案している。装置１４７５は外付けスピーカー（または、イヤホン）１４７１と可聴周波信号（例えば、携帯電話が発する）をユーザーの耳に伝達する外付けワイヤ１４７１ａとを備えている。特化型ブルートゥース装置１４７５は格納庫１４９３と、音響を発する２個のスピーカー集成体、すなわち、格納庫１４９３に物理的に一体化されている内蔵スピーカー１４６９および電気コネクタ１４７７により格納庫１４９３に接続されている外付けスピーカー１４７１とを備えている。これにより、外付けスピーカー１４７１を格納庫１４９３の遠隔部位に設置することができるようになる。格納庫１４９３の外側の外付けワイヤ１４７１ａは１個の外付けスピーカー（イヤホン）に接続されて、外付けスピーカー集成体１４７３を形成している。外付けスピーカー集成体１４７３は雌コネクタ１４７７により装置１４７５に着脱自在に接続されるのが好ましい。集成体１４７３は格納庫１４９３に恒久的に取付けられてもよいものと理解するべきである。外付けスピーカー集成体１４７３と内蔵スピーカー１４６９の両方がブルートゥース無線通信システム１４８１に接続しており、その詳細は本願明細書のどこかで既に説明している。ワイヤ１４８３は外付けスピーカー集成体１４７３および格納庫１４９３の電気コネクタ１４７７をブルートゥース無線通信システム１４８１に接続している。ワイヤ１４８５は格納庫１４９３の内蔵スピーカー１４６９をブルートゥース無線通信システム１４８１に接続している。ブルートゥース無線通信システム１４８１は電源と、データをブルートゥース双方向無線配信に必要な全部の部品とを備えている。特化型ブルートゥース装置１４７５は着脱自在に接続されたマイク集成体１４８７を更に備えているが、マイク集成体は音響を配信するマイク軸１４８９とマイク１４９１とを含んでいる。マイク軸１４８９はまた格納庫１４９３に恒久的に取付けるようにしてもよいものと理解するべきである。マイク軸１４９は音声管として作用し、その遠位端はコネクタ１５０１により格納庫１４９３に接続されており、コネクタ１５０１はワイヤ１４９５によりブルートゥース無線通信システム１４８１に接続されている。格納庫１４９３は内蔵式マイク（図示せず）を備えていてもよい。
【０１６５】
特化型ブルートゥース（Bluetooth）装置１４７５は耳で支える装置としての使用に適した構成となっているとよい。従って、格納庫１４９３には、耳で支える集成体１４９９を受容する開口部１４９７が更に設けられている。よって、特化型ブルートゥース装置１４７５は耳で支える装置（或る点で、先行技術の装置のような）であるとよいが、先行技術のこのような装置は耳の敏感な解剖学的領域の痛覚線維を活性化することにより不快感を増すおそれがあるが、耳を直接圧迫することのない、より快適で生物学的にも適っている装置として創作するとよい。マイク集成体１４８７は取外し可能で、他の装置と交換することができるせいで、装置１４７５を耳で支持する場合には、耳で支える集成体１４９９を利用することで、異なる寸法と異なる形態のマイク集成体を利用することができる。耳で支える応用例では、イヤホン１４７１は格納庫１４９３から切離され、より短いマイク軸１４８９のマイク集成体１４８７が使用されるのが好ましい。これに代わる例として、図１８から図２３Ｃに関連して既に説明した各種取付機構またはそれ以外の取付機構のうちのいずれか１つを利用して、装置１４７５はユーザーの眼鏡のつるに取付けることができる。格納庫１４９３は、格納庫に恒久的に取付けられる、耳で支える集成体１４９９を備えているとよい。この実施形態では、耳で支える集成体は蝶番を備えて折畳むことができ、装置１４７５を耳で支持しない場合には折り曲げて、小型形状にすることができる。
【０１６６】
図３４Ｄのブルートゥース（Bluetooth）装置の格納庫は、図１８から図２３Ｃのクリップ留め構造、差込構造、または、これ以外の構造のいずれを備えているようにしてもよい。よって、本発明の無線通信装置（ブルートゥース装置として例示されている）は多様な方法で機能することができる。すなわち、収納コードに収容される（特殊なイヤホンとマイクの集成体のおかげで）、耳で支えられる（内蔵スピーカーおよび耳で支える集成体のおかげで）、眼鏡のつるによって支持される（クリップおよび滑り嵌め機構のおかげで）などといった方法がある。
【０１６７】
図３４Ｅは、ブルートゥースシステムが特殊な目の周辺装備収容コード１５０５、特化型ブルートゥース装置１４７５を備えているのを例示した図である。ブルートゥース装置１４７５は制御ボタン１５０５、装置を作動させて別なブルートゥース装置からの信号を受信するオン・オフスイッチ１５０７、外付けスピーカー集成体１４７３のプラグ１５１１を接続する雌コネクタ１４７７、マイク集成体１４８７のマイク軸１４８９を接続する第２コネクタ１５０１を備えている。装置１４７５は電池１５１７に接続するまた別な電気コネクタ１５２１を備えているようにしてもよい。特殊な目の周辺装具収納コード１５０５は右コード１５１３および左コード１５１５を備えており、収納領域１５０９の両端に配置されているのが好ましい。右スリーブ１５１９および左スリーブ１５２１は、特殊な目の周辺装具収納コード１５０５と同様に、図３４に例示されている実施形態と同じ種類の素材から製造することができる。収納領域１５０９にはポケットが設けられており（矩形であるのが好ましい）、上部および側部を被覆する複数の弾性ストラップ１５１７から構成されているのが好ましい。これにより、ユーザーは、装置１４７５が収納領域１５０９の内部にある場合ですら、音量制御装置１５０５、オン・オフボタン１５０７、および、それ以外の制御装置および部品に触れることができるようになる。収納領域１５０９は「ポケット」と記載されているが、これはトンネル状の形状を呈して、ブルートゥース装置１４７５を右側または左側のいずれの側からでも収納領域１５０９に設置することができるようにしている。矢印１５２５は装置１４７５が左側から収納領域１５０９に設置されつつあるのを示しているが、電池１５１７は右側に設置されている。矢印１５２７は外付けスピーカー集成体１４７３がコネクタ１４７７に着脱自在に接続されつつあるのを示している。矢印１５２９はマイク集成体１４８７がコネクタ１５０１に着脱自在に接続されつつあるのを示している。ポケット１５０９の好ましい最大寸法は、長さは15 cmに等しいか、または、それよりも短く、幅は10 cmに等しいか、または、それよりも短く、高さまたは厚さは6 cmに等しいか、または、それよりも短く、更に、長さは10cmに等しいか、または、それよりも短いのが更に好ましく、幅は6 cmに等しいか、または、それよりも短いのがより好ましく、高さまたは厚さは4 cmに等しいか、または、それよりも短いのがより好ましく、また更に、長さは7 cmに等しいか、または、それよりも短いのが最も好ましく、幅は4 cmに等しいか、または、それよりも短いのが最も好ましく、高さまたは厚さは2.5 cmに等しいか、または、それよりも短いのが最も好ましい。収納領域１５０９は右コード１５１３および左コード１５１５に対して横方向に移動することができる。装置１４７５はその本体内に、固定式スピーカー集成体１４７３、固定式マイク集成体１４８７、または、その両方を備えているようにするとよい。
【０１６８】
図３４Ｆは、本発明によるブルートゥース（Bluetooth）システム１５０３をユーザーが着用した場合を例示している。ブルートゥースシステム１５０３は眼鏡収納コード１５０５の左スリーブ１５２１を備えているが、左スリーブは眼鏡つる１５３１の自由端を包囲することにより左つる１５４１に接続されている。収納コード１５０５はブルートゥース装置１４７５を保持している。イヤホン１４７１はワイヤ１４６９により耳１５３３に設置されている。これにより、ユーザーは自分の耳を嵩張る装置に圧迫されずに、ブルートゥースから可聴周波を聴取することができるようになる。マイク１４９１はマイク軸１４８９によりブルートゥース装置１４７５に接続されており、図３４Ｆに例示されているように、耳より下の位置に設置されるのが好ましい。ワイヤ１４６９およびワイヤ１４８９は１本のワイヤから構成されており、この１本のワイヤは耳の下で延びているが、端部が２本に分岐し、上の端部にはスピーカー１４７１が設けられて耳に設置され、下の端部にはマイクが設けられて耳のしたに設置されるようにするとよいものと理解するべきである。
【０１６９】
図３４Ｇは、また別な着用可能な装具が本発明のブルートゥース（Bluetooth）システム１５０３を組入れて、帽子１６０１などのような頭部取付装具のポケットに装置を格納しているのを例示している。特化型ブルートゥース装置１４７５は帽子１６０１のポケット１５３９に保持されている。ブルートゥース装置１４７５はイヤホン１６１１に接続するためのコネクタ１６０３と、マイク軸１６０７とマイク１６０９を接続するための第２コネクタ１６０５とを備えている。コネクタ１６０３とコネクタ１６０５は両方ともが装置１４７５の底部に配置され、ポケット１５０９とよく似た構成でストラップ１５１７を備えておりボタンに容易に触れることができるようにした（図３４Ｅに関連して既に説明したように）ポケットにより保持されるのが好ましい。ポケット１５３９、１５０９は、本発明により、同じようなコイル状コードと退避可能なコードスプールとを有していることで、ポケットから装置１４７５を取出してから装置を見ることができるようにするとよい。骨振動により音声を捕獲する機構がイヤホン１６１１およびスピーカー集成体１４７３に統合されてもよい。
【０１７０】
図３４Ｈは、本発明によるキットがブルートゥース（Bluetooth）装置１４７５、眼鏡収納コード１５０５、マイク集成体１４８７、および、箱体１５３５に保持されている外付けスピーカー集成体１４７３を備えているのを例示している。コード１５０５は図３４Ｇに関連して既に説明されたような帽子で代用できる、または、そのような帽子で補足できるものと理解するべきである。
【０１７１】
本発明は、ユーザーが自分の顔面の眼鏡のバランスをより優れたものにするとともに重量分布を向上させ、同時に、コードに収納力を持たせることができるようにした装具として、眼鏡のつるに固着されるコードを使う装置および方法を教示している。コードは機械的ホルダーとして作用し、電気ワイヤを必要としない。コードは、ディジタル音楽再生装置または携帯電話などの電子パッケージを保持するためのパウチまたはポケットを備えており、イヤホンが別個の単体として作用するとともに音楽再生装置に直接接続される一方で、コードの両端が眼鏡フレームの左右両側に固着されるようにするとよい。当業者には明らかでなことであるが、コードは２個以上のパウチを備えており、第２のパウチはイヤホンまたは第２の電子装置などを保持するのに利用することができる。
【０１７２】
図３４Ｊは、ポケットまたはパウチなどの収納領域１６１３を備えている、本発明の特化型眼鏡収納コード１６１１を例示しており、ここでは、２本のアーム１６１５、１６１７が収納領域１６１３の両側に１本ずつ配置されているのが好ましい。収納領域１６１３には、弾性特性を備えているポケットであって、図３４Ｅのポケット１５０９に類似してストラップ１６１７と開口１６１９を兼備しているものが設けられているのが好ましい。右アーム１６１５は右スリーブ１６２１で終端しており、左アーム１６１７は左スリーブ１６２３で終端しており、これらスリーブの形状は眼鏡のつる（またはそれ以外の物体）の自由端を包囲するように設定され、眼鏡のつるの直径またはその自由端の寸法は1.8 cmに等しいか、または、それよりも短いのが好ましく、1.0 cmに等しいか、または、それよりも短いのが最も好ましい。スリーブ１６２１、１６２３は眼鏡つるの自由端上を滑り、眼鏡つるの寸法とは無関係に包むように嵌まるようにしている。
【０１７３】
図３４Ｋは本発明のまた別な実施形態を例示している。目の周辺装具収納コード１６２７は電子パッケージを格納するための収納領域１６２９を備えている。アーム１６３１、１６３３は収納領域１６２９に固着されている。この実施形態では、アーム１６３１はループ部１６３５で終端しており、アーム１６３３はループ部１６３７で終端しており、これらループ部はシリコーンまたは何らかの変形可能な可塑材から製造されているのが好ましい。滑りリング１７６３、１７６５は、ポリ塩化ビニルなどの剛性ポリマーから製造されているのが好ましいが、リング１７６３はループ部１６３５に、リング１７６５はループ部１６３７に固着されている。リング１７６３は長軸線方向にループ部１６３５に向けて移動することができ、リング１７６５は同様にループ部１６３７に向けて移動することができ、ループを閉じるとともに、どのような寸法の眼鏡つるまたはそれ以外の物体であれ、そこに抱くように嵌まる。
【０１７４】
ポケット１６２９にはスロット１６４１ａが設けられており、また、ポケットはコード１６３９に固着されているが、これは縫いつけることにより実施されるのが好ましい（破線で図示）。退避可能なコード１６４１（コイル状コードであるのが好ましい）は支持体（例えば、ポケット１６２９の壁の一方に取付けられた硬質プラスチックであるとよい）によってポケット１６２９に固着され、コードは保持構造体１６４５で終端する。保持構造体１６４５は、マジックテープ（登録商標）面が設けられたプレートであるのが好ましい。プレート１６４５はマジックテープ（登録商標）式システム、粘着テープ、または、それ以外の固定手段によって電子パッケージ（図示せず）に着脱自在に取付けられる。
【０１７５】
ループ１６３５、１６３７は、コード１６２７を眼鏡つるまたはそれ以外の、Ｃ字型構造体などのような物体に固着するための鉤やクリップなどで代用されてもよいものと理解するべきである。コード１６２７は、作動できるようにするには、眼鏡のつるまたはまた別な物体に固着されるのが好ましい。電子パッケージは退避可能なコード１６４１（バネが装填されたスプール集成体など）を使ってプレート１６４５に固着することができるので、ポケット１６２９は好ましい実施形態では不必要であるが、退避可能なコード１６４１はコード１６３９に直接的に取付けられるものと理解するべきである。
【０１７６】
図３４Ｌは、本発明の好ましい実施形態が収納コード１６４７および電子パッケージ１６７９（ディジタル音楽再生装置など）を備えているのを例示している。目の周辺装具収納コード１６４７にはポケット１６６９と可撓性アーム１６４９、１６５１が設けられており、右アーム１６４９は伸張位置にある。アーム１６４９、１６５１の端部は本質的に図３４Ｋの実施形態に類似している。アーム１６４９は電気差込口１６６１を格納してイヤホン集成体１６５３と着脱自在に接続し、アーム１６５１は電気差込口１６６３を格納してイヤホン集成体１６５５と着脱自在に接続するが、これは矢印１６５７および矢印１６５９によって示されているとおりである。右電気差込口１６６１はアーム１６４９のワイヤ１６６５によって、ポケット１６６９の内側に配置されている支持構造体１６５３に接続されており、左電気差込口１６６３はアーム１６５１のワイヤ１６６７によって同支持構造体１６５３に接続されている。支持構造体１６５３には固定点が設けられており、これにより、電子パッケージ１６７９がポケット１６６９から引張り出されている間、イヤホン集成体１６５３、１６５５を静止状態に維持することができる。ワイヤ１６６５、１６６７は支持プレート１６５３で一緒に合流してからワイヤ部１６７１として一緒に延在しているが、このワイヤ部は電気コネクタ１６７３として終端する。コネクタ１６７３は電子パッケージ１６７９の電気コネクタ１６７５に着脱自在に接続されている。ポケット１６６９は、プレート１６８１として終端しているコイル状コード１６７９を支持するための、ポケットに糊付けされた硬質プラスチックなどのような支持構造体１６７７を更に備えている。プレート１６８１は、ベルクロ面または粘着テープなどのような、電子パッケージ１６７９の領域１６８３に着脱自在に取付けられるようにされた手段を有している。アーム１６４９、１６５１は眼鏡のつるに着脱自在に固着される。これに代わる例として、アーム１６４９、１６５１の端部はＣ字型構造体１６９３に着脱自在に固着されるが、このような構造体は重合体で製造されているのが好ましく、このように製造することで頚部−肩の領域、頭部、腕、脚、腹部などのような肉体の一部の周囲にこのシステム巻いて使用することができるように図っている。ループ部１６８５は矢印１６９７で示されているようにＣ字型構造体１６９３の端部１６８９の上を滑り、ループ部１６８７は矢印１６９９で示されているようにＣ字型構造体１６９３の端部１６９１の上を滑り、また、可塑性リング１６９３、１６９５を使って抱くように嵌るようにしている。
【０１７７】
図３４Ｍは、２部材片装置１７０１が目の周辺装具収納コード１７０３と、本質的に円筒形のＣ字型構造体１７０５とを備えているのを例示している。コード１７０３の伸縮自在な管端部１７１１は構造体１７０５の端部１７０９に着脱自在に接続されており、コード１７０３の伸縮自在な管端部１７１３は構造体１７０５の端部１７０７に着脱自在に接続されている。右コード１２６４は伸張して一部が折畳まれているのが図示されているが、伸縮自在なスリーブ１７１３はその伸張位置にあって構造体１７０５の端部１７０７に取付けられているのが例示されている。伸縮自在な管またはスリーブが眼鏡のつるの自由端を包囲すると、同じ様な重なり合いが生じる。左コード１２６６が元の位置にあって、伸縮自在なスリーブ１７１１は弛緩位置にあるのが例示されている。
【０１７８】
図３４Ｎは、右アーム１７１９、左アーム１７２１、および、支持構造体１７２３を備えている３部材片の目の周辺装具収納コード１７１５の側面図であるが、ここでは、支持構造体は電子パッケージを保持するためのパウチが例示されている。アーム１７１９、１７２１は、構造体１７２３のループ１７２７、１７２９を包囲することにより支持構造体１７２３に着脱自在に固着されている。右アーム１７１９には２つの部分が設けられており、すなわち、下位部分１７２３と上位部分１７２５が設けられている。下位部分１７２３および上位部分１７２５は、矢印１７３５によって示されているように、マジックテープ（登録商標）式固定具の表面１７３１、１７３３を使って互いに着脱自在に接続される。同じシステムを使って、アームの上位部分と下位部分が取付けられる。アーム１７１９の端部１７３９およびアーム１７２１の端部１７４１は、図３４の実施形態と同様に、管状の伸縮自在な部分で終端している。
【０１７９】
図３４Ｏは、図３４Ｎの３部材片の目の周辺装具収納コード１７１５の側面頂面図であり、右アーム１７１９、左アーム１７２１、および、支持構造体１７２３を例示している。
【０１８０】
図３４Ｐは、図３４Ｎの３部材片の目の周辺収納コードのまた別な実施形態の側面図を例示している。格納庫１７４３には空洞１７４５と、コイル状コード１７４９を支持するためのプレート１７４７とが設けられており、コイル状コード１７４９はプレート１７５１で終端している。プレート１７５１は、マジックテープ（登録商標）式固定具または粘着テープなどの、電子パッケージに着脱自在に取付けられるようにする手段を備えている。図３４Ｑは、右アーム１７１９、左アーム１７２１、および、支持構造体１７２３を包含している箱体１７５３を備えているキットを例示しており、支持構造体１７２３は電子パッケージを保持しているパウチが具体例となっている。
【０１８１】
図３４Ｒは、図３４Ｌおよび図３４Ｋの各種実施形態に類似している実施形態をユーザー１７７５が着用した場合を例示している。目の周辺装具コード１６４７はコードの余剰長さを使って調節可能な機構を備えており、異なる寸法の頭部に適合させることができるように図っている。コード１７６７のループ部１６３５は眼鏡つる１７６１の上を滑って、滑りリング１７６３により眼鏡つる１７６１にきつく固着される。コード１７６７はワイヤ１７６９を収納しており、ループ部１６３５の脇にポケット１７７１（イヤホン１７７３を格納しておくため）が配備されている。ワイヤ１７６９はイヤホン１７７３を電子パッケージ１６７９に接続している。
【０１８２】
図３４Ｓから図３４Ｖは、ネオプレンなどの素材の１片を使って、本発明による目の周辺装具収納コードを製造する工程の一例を例示している。ネオプレン素材片１７７７は同一寸法の両側部１７７９、１７８１と、１個の中央部１７８３とを含んでいる。両側部１７７９、１７８１は、平たくして置かれると、中央部１７８３と比べて寸法が小さいが、この寸法は矢印１７８３、１７８５で表されている。中心部寸法１７８５は30 cmに等しいか、または、これよりも短いのが好ましく、20 cmに等しいか、または、これよりも短いのが最も好ましいが、15 cmに等しいか、または、これよりも短いのが更により好ましい。側部寸法１７８３は8.0 cmに等しいか、または、これよりも短いのが好ましく、3.0 cmに等しいか、または、これよりも短いのが最も好ましく、1.5 cmに等しいか、または、これよりも短いのが更により好ましい。中央部１７８３には端縁１７８７、１７８９が設けられている。右側部１７７９には端縁１７９１、１７９３が設けられており、左側部１７８１には端縁１７９５、１７９７が設けられている。
【０１８３】
第１工程では、素材片１７７７が図３４Ｂのように平たくして置かれる。第２に、図３４Ｕに例示されているように、糊付けまたは縫いつけにより、コイル状コードとプレート１７９９は中央部１７８３に取付けられる。第３に、端縁１７８７は端縁１７８９に接続されており、これは縫いつけによって接続されるのが好ましく、更に第４に、両側部１７７９、１７８１の端縁が互いに付着されて（端縁１７９１は端縁１７９３に付着され、端縁１７９５は端縁１７９７に付着される）、図３４Ｓに例示されているように、各端部に管状構造が設けられ、中央管状構造も設けられる。目の周辺装具収納コード１８０３は、上述の第２工程を省いて製造され、作動することができるものと理解するべきである。図３４Ｔは、図３４Ｓ、図３４Ｔ、および、図３４Ｕに関連づけて説明された方法に従って製造されて仕上がった、目の周辺装具収納コード１８０３の斜視図である。
【０１８４】
図３５は、本発明の着脱自在な電子眼鏡システム１３２０の好ましい実施形態をユーザー１３３０が着用した場合を例示しており、ここでは、眼鏡システムは着脱自在な電子眼鏡１３００とＤＥＰ１３０２を備えている。ＤＥＰ１３０２は電子パッケージ１３２６、１３２８を備えている。着脱自在な電子眼鏡１３００は、眼鏡つる１３０６に無線カメラ１３０４を格納している。眼鏡つる１３０６はイヤホン１３０８、カメラ１３０４を電気コネクタ１３１４に接続するためのワイヤ１３１０、および、イヤホン１３０８を電気コネクタ１３１４に接続するためのワイヤ１３１２を格納している。図面は例示を目的として大型カメラを示しているが、無線カメラは小型でもよく、また、傍でユーザーを見ている人にも目立たない態様で眼鏡つるに格納することができる。この理由は、本発明によると、寸法が数ミリメートル未満である場合がある眼鏡フレームにはマイクロ光学システムおよびＣＣＤしか格納されないからである。カメラの残余の電子機器（例えば、メモリ、無線送信機、および、電源）は、ＤＥＰ１３０２の電子パッケージ１３２６に配置されている。電子機器に無線送信機を含める必要はなく、ここでは、カメラの標準的電子機器および標準的部品が使用されているものと理解するべきである。
【０１８５】
代替の実施形態はカメラ１３０４とワイヤ１３１０のみを備えており、イヤホン１３０８は備えていない。この実施形態は軍事活動で有用になると思われるが、その場合、兵士がＤＥＰを自分の眼鏡またはゴーグルに接続して、画像撮影を含む任務を実施する。この任務が完了した後、ＤＥＰは切り離されて、保存された画像がダウンロードされて吟味される。これにより、頭部取付カメラなどのような余分な装備を最小限にして監査任務を実施することができるが、というのも、本発明の軽量眼鏡がカメラを保持しており、嵩張る電子機器を格納しているＤＥＰによって良好な重量分布をもたらしているからである。
【０１８６】
本発明により、上記以外の装置を小型化して眼鏡のフレームに格納することができるが、その手段として、装置の大型で重い部品を格納するＤＥＰを利用する方法がある。本発明の眼鏡のフレームは、例えば、眼鏡のレンズ縁にコンピュータスクリーンなどの表示装置を格納することができ、一方で、主要な電算部品およびメモリは別にＤＥＰに格納される。
【０１８７】
図３６は、本発明の着脱自在な電子システムのまた別な実施形態がまた別な頭部取付式の着用可能装具、すなわち、帽子から構成されているのを例示している。着脱自在な電子帽子システム１３５０はＤＥＰ１３４２および着脱自在な電子帽子１３４０を備えている。ＤＥＰ１３４２は、格納庫１３４４に収容された電子機器および電源と、着脱自在な電子帽子１３４０の電気接続部１３４８と着脱自在に接続される電気コネクタ１３４６とを備えている。着脱自在な電子帽子１３４０は着脱自在ワイヤ１３５４に接続されているイヤホン１３５２と、ワイヤ１３５８を装備しているスプール１３５６とを備えている。ワイヤ１３５８には２つの端部が設けられており、一方の端部はイヤホン１３５２に接続されているワイヤ１３５４で表されており、他方の端部は電気接続部１３４８に接続されているワイヤ１３６０で表されている。
【０１８８】
図３７は、本発明の電気パウチシステムのまた別な実施形態を例示しており、このような電気パウチシステムは多様な着用可能な装具に採用され、例えば、頭部取付装具、衣類、それ以外の装具などが挙げられるが、パウチは着脱自在な電子帽子の様式で例示されている。着脱自在な電子帽子１３７０は線維素材１４０２によって形成されているパウチ１３８０を備えており、ボタン１３０１を使ってパウチ１３８０を封止している。パウチ１３８０はその壁の１つに穴１３７２が設けられており、この穴を通してワイヤ部１３７４がパウチ１３８０に進入している。ワイヤ部１３７４は電気プラグ１３７８（雄プラグであるのが好ましい）として一端で終端し、ワイヤ部１３７４の他方端はバネが装填されたホイールまたはスプール１３７６に固着されており、これにより、ワイヤ部１３７４が伸び縮みすることができる。スプール１３７６は帽子１３７０の反対側からワイヤ部１３７５を巻き取る。ワイヤ部１３８４はバネが装填された第２のスプール１３８６で終端しており、ワイヤ部１３８４はスプール１３８６に固着されているワイヤ部１３８８と電気接続状態にある。ワイヤ部１３８８はイヤホン１３９０で終端している。第２パウチ１４００は、封鎖パウチとして例示されているが、線維素材１４０２によって形成されており、パウチ１４００を封止するボタン１４０３を有している。ワイヤ部１３８８は穴１４０４を通してパウチ１４００に進入する。ＤＥＰ（図示せず）は、線維１４０２の内側のスロット１４０６によってパウチ１３８０に挿入することができる。イヤホン１３９０は、未使用時には線維１４０２の内側のスロット１４０８によりパウチ１４００に挿入することができる。パウチの外側のワイヤおよび部品は線維の内側方面に配置されて、本発明の電気システムおよび電子システムを傍で見ている人の視界から隠し、着用可能な装具の外観を物質的に変動させることがないようにするのが好ましい。帽子１３７０は、マイク、表示手段、または、その両方を装備してその有用性を高めている。線維素材１４０２については多様な素材を利用することができるが、例えば、ナイロン、耐磨耗性と防湿性のある綿混紡、合成素材、可塑材、キャンバス布、皮革、ネオプレン、それ以外の防湿線維または防水線維、それ以外の防湿素材または防水素材などがあり、リングおよび電気コネクタを水分から保護している。パウチ１３８０、１４００は、ボタン、ジッパー、クリップなどの封鎖機構を備えており、パウチを封止するとともに湿気または水分がパウチに入るのを阻止している。電子装置を着用可能な電子帽子１３７０に設置することにより、ユーザーは自分の耳の敏感な領域に圧力がかかるのを回避している。
【０１８９】
図３７Ａは、図３７の帽子のワイヤ、スプール、および、コネクタ集成体の概略図であり、これらは線維素材の表面に配備されるのが好ましい。この図解は、本発明の製造方法に従って、多様な頭部取付装具、衣類、および、それ以外の各種装具の上記以外の実施形態に適用することができる。パウチ、配線システム、電気コネクタ、スプール、および、イヤホンは互いに実質的に同一であり、本実施形態の左側の特徴の説明は右側についても同様に当てはまる。着脱自在な電子装具システム１４３０はＤＥＰ１４４０および着脱自在な電子帽子１４３８を備えており、システム特徴部として、パウチ１３８０、１４００、スプール１３７６、１３８６、ワイヤ１３７４、１３８４、１３８８、電気プラグ１３７８、イヤホン１３９０が挙げられる。パウチ１４００は、ボタン、ジッパー、または、ベルクロ片などのような封鎖機構１４３２を有しているのが好ましいが、このようなパウチはイヤホン１３９０を保持している。退避可能なワイヤ部１３８８はスプール１３８６に固着されており、穴１４０４を通してパウチ１４００に進入し、ワイヤ部１３８８はイヤホン１３９０で終端している。ワイヤ部１３８８はスプール１３８６によりワイヤ部１３８４に電気接続されている。ワイヤ部１３８４は固定されて伸縮せず、スプール１３７６によりワイヤ部１３７４に接続されているのが好ましい。退避可能なワイヤ部１３７４はスプール１３７６に固着され、穴１３７２を通してパウチ１３８０に進入する。ワイヤ部１３７４は雄電気プラグ１３７８として終端し、雄電気プラグ１３７８は、矢印Ａによって例示されているように、ＤＥＰ１４４０の電子パッケージ１４３６の雌電気コネクタ１４３４と着脱自在に接続されている。パウチ１３８０は、ボタン、ジッパー、または、ベルクロ片などのようなＤＥＰ１４４０を保持するための封鎖集成体１４４２を有しているのが好ましい。イヤホンのワイヤに接続されているスプールは必要ではないことがあり、ワイヤは通常の構成を有しており、解剖学的に適っていることによりワイヤは短くて済み、未使用時には折畳んでおけるものと理解するべきである。多様な装置をパウチに保持することができるが、これら装置は電気的に接続されていなくてもよい。
【０１９０】
代替の実施形態においては、プラグ１３７８はプレートにより包囲されており、ベルクロ面またはそれ以外の固定手段を備えているのが好ましく、または、プラグ１３７８の表面に付着されるのが好ましい。ベルクロ面が設けられた電子装置はプレートに着脱自在に接続されるとともにイヤホン集成体に電気接続されるが、これにより、ＧＰＳ装置、携帯電話、ディジタル式再生装置などのような電子装置をスプール集成体１３７６に接続することができるとともに、ポケット１３８０に格納することができるようになり、しかもユーザーによって取出しも行える。所望に応じて、ユーザーは電子装置をプラグ１３７８に接続し、イヤホンで音声を受信することができる。ポケット１３８０は、プラグ１３７８と電気接続されるブルートゥース（Bluetooth）装置を備えているＤＥＰを保持し、その状態で、ブルートゥース装置は携帯電話またはディジタル音楽再生装置からの無線信号を受信することができる。従って、小型のブルートゥースＤＥＰは、着用可能な装具から或る距離を隔てて格納されているブルートゥースを使用可能なまた別な装置からの信号に備えることもできる。本発明の着用可能な装具のいずれもブルートゥースＤＥＰを格納することができ、ブルートゥースＤＥＰは携帯電話から音楽を受信し、音楽の途中で電話の着信があると、呼び出しに答えて受信を行うことができるようになっている。
【０１９１】
図３７Ｂは、本発明による頭部取付装具のまた別な実施形態を例示している。着脱自在な電子巻付け式装具１８１１はＣ字型支持構造体１８１３、１８１５を備えており、これら支持構造体はイヤホン１８１７、１８１９に接続されているとともに、コード１８２１、１８２３に接続されている。巻付け式装具１８１１はまた、その構造部の内側に、または、そこに接触して、いずれかの態様でワイヤ部１８２５、１８２７を収容している。ワイヤ部１８２５、１８２７はコード１８２１、１８２３の内側で、または、そこに接触して延びており、ポケット１８３１の内側の支持プレート１８２９にイヤホン１８１７、１８１９を接続している。プレート１８２９でワイヤ１８２１、１８２３が一緒に合流してワイヤ部１８３３を形成し、このワイヤ部はコイル状コード１８３５および電気コネクタ１８３７で終端している。ポケット１８３１は、図３７および図３７Ａに例示されている実施形態のポケット構造と本願明細書のどこかに既に説明された他の実施形態のポケット構造に本質的に類似している。支持構造体１８１３、１８１５は、本願明細書に記載されている、耳で支える集成体の構成のいずれを備えていてもよい。
【０１９２】
図３７Ｃは、本発明のまた別な実施形態を例示している。着脱自在な電子ゴーグル１８４１はレンズ１８４７ａを保持している前部１８４７を含んでいるとともに、前部１８４７に沿って配置されているストラップ１８４３、１８４５と、左ストラップ１８４３を右ストラップ１８４５に接続している後部１８７５とを含んでいる。ストラップ１８４３、１８４５は本質的に類似しており、一方の説明は他方にも等しく当てはまる。ストラップ１８４３は部分１８４９、１８５１を有しており、第３部分１８５３で終端している。部分１８４９は前部１８４７に隣接して配置されており、イヤホン集成体１８５７を保持するためのポケット１８５５を備えている。イヤホン集成体１８５７はイヤホン１８６１およびワイヤ部１８５９を備えており、ワイヤ部は図では伸張位置にあるのが例示されている。
【０１９３】
部分１８４９は二次的部分１８６３、１８６５を含んでいる。二次的部分１８６３はナイロンなどのような、伸縮しない素材または伸縮性を最小限に抑えた素材を含んでおり、ポケット１８５５の壁にワイヤ部１８５９を取付ける支持構造体１８６７を格納している。二次的部分１８６５はポケット１８５５の大半を含んでおり、弾性繊維などの伸縮性のある素材で製造されているのが好ましい。部分１８５１は弾性ストラップ１８７１に固着されている拡張可能なワイヤ部１８６９を含んでいる。拡張可能なワイヤ部１８６９は蛇腹状構成またはそれ以外の何らかの構成に配置されており、弾性ストラップ１８７１の引っ張り強度および長さに適合するような構成にされて、ワイヤ１８６９に不適当な張力を生じることなく伸張させることができる。ワイヤ部１８５９は拡張可能なワイヤ部１８６９で終端し、ワイヤ部１８６９は後部１８７５の内側のワイヤ部１８７３で終端する。後部１８７５は電子パッケージ（図示せず）を保持するためのパウチ１８７７を備えている。パウチ１８７７は、図３７および図３７Ａに例示されている実施形態のポケットに本質的に類似している。イヤホン１８８１およびコイル状ワイヤ１８７９は、右ストラップ１８４５のポケット１８８３の内側にあるのが例示されている。
【０１９４】
本発明の着用可能な電子装具は、具体的には眼鏡、帽子、頚部取付装具などに代表されるが、図３５に例示されているような画像化システムが挙げられる。眼鏡や帽子などのような着用可能な装具は、襲撃者を識別するのを支援する、また別な利点を提供している。着脱自在な電子カメラ眼鏡を着用している人は、潜在的な襲撃者の顔の画像を保存することができる。襲撃者が眼鏡を取り払い、或いは、眼鏡を壊した場合でも、画像は直ちに遠隔位置に送信されるので（ＤＥＰに送信されるか、無線で送信されるか、いずれかの態様で）、襲撃者の顔は撮影されていることになる。ＤＥＰはダウンロードすることができる撮像画像を保存することができ、或いは、帽子または眼鏡のＤＥＰが、もしくは、収納コードの電子機器が信号の無線通信機能（従って、襲撃者の画像の無線送信機能）を有しているのが好ましい。これは、潜在的襲撃者には自分の写真が撮影されていたらどうしようと思わせ、襲撃中に撮影されないとも限らないと思わせるので、犯罪抑止として作用するかもしれない。本発明は眼鏡フレームにマイクロ光学系が格納されていることしか必要ではないので、子供でもこのシステムを使用することができる。カメラを持たせてやることができそうにないような子供でも、小型眼鏡フレームを着用するだけでよい。本発明の眼鏡は寸法が小型のマイクロ光学系しか保有していないので、そのような光学系は子供が着用するような小型眼鏡フレームにも容易に格納することができる。ＤＥＰが着脱自在な電子帽子として着用されている場合は、カメラを装備しているＤＥＰは側頭部に配置されるのが好ましく、ＤＥＰのパウチは帽子の側面であって背面ではない部位に配置されるのが好ましく、そうすることにより、容易に視野に納めて撮影することができる。
【０１９５】
本発明はカメラを極度に小型にすることを可能にするので、眼鏡フレームは多数のマイクロ光学システムを備えていることができ、一例として、ユーザーの後方を向いたシステムやユーザーの前方に向いたシステムがあり、従って、どの方向からやってくる襲撃者でも認識することができる。それゆえ、このシステムは襲撃者を認識することができるとともに、レイプや誘拐、または、どのような犯罪の防止でも行える。襲撃者が目に付き易いＤＥＰを看破した場合でも、襲撃者にはユーザーが無線カメラ機能を装備しているかどうかまでは分からない。従って、ユーザーがブルートゥース機能を備えているＤＥＰを装備しているのか、ＭＰ３機能を装備しているのか、または、無線カメラ機能を装備しているのかを傍で見ている人に分からなくするために、遂行中の機能を識別できない電子パッケージを装備するのが好ましい。無線カメラ機能やＧＰＳ機能を備えたＤＥＰはユーザーの位置ばかりか、記録された画像も報告する。無線カメラは画像を連続して送信することができるが、ユーザーが負担する唯一の経費と労作は、ＤＥＰに充電済み電池を維持することに関することだけである。ユーザーが或る場合に限って録音したい場合は、ＤＥＰはユーザーが要求した場合のみ録音を開始するボイス始動システムを備えているようにしてもよい。このように、「アクション」または「録音」などの暗号を使って無線カメラを始動させることができる。この機能は電力を節約するのに役立ち、また、興味を持てそうなのは、例えば、或る登山道や光景をキャンパーが記録する、もしくは、尾行されている人が襲撃者と思しき人物を記録する場合である。疑わしい行為があった場合、ユーザーはカメラを始動するのに音声指令を発するか、または、ＤＥＰの作動ボタンを押すようにして、画像の記録とＧＰＳによる位置確認の両方を行うことができる。
【０１９６】
図３８は本発明の別な実施形態を例示している。着脱自在な電子シャツシステム１４５０はユーザー１４５１（仮想線で描かれている）が着用するものであり、ＤＥＰ１４６および着脱自在な電子シャツ１４７０を備えている。カラー１４７２の左側はめくれ上がった位置にあるのが図示されて、カラー１４７２の繊維の内側面にイヤホン１４７６とスプール１４７８を維持するようにしたパウチ１４６４を図解している。ワイヤ部１４７４は耳１４７５にイヤホン１４７６を装着するように伸張している。右側では、ワイヤ部１４８４がＤＥＰ１４６０に接続されている。ワイヤ１４８４は伸張位置にあって、電子パッケージ１４８０の表示装置を見ることができる。カラー１４７２の右側に取付けられたパウチ１４６２は封鎖位置にあるのが図示されている。空洞スプール１４９８およびイヤホン１４９６がパウチ１４６２の内側に保持されている。
【０１９７】
本発明のこのような実施形態を使用するために、ユーザーはカラー１４７２の自由端をめくり上げてパウチ１４６４を露出させてから、ワイヤ部１４７４を伸張させて耳１４７５にイヤホン１４７６を装着する。同様に、ワイヤ部１４８４を引張ると、電子パッケージ１４８０がパウチ１４８６から取出されて、矢印Ｂで示されているように、両目１４８１の視野軸の範囲内に設置される。ワイヤ部１４８４は雄プラグ１４８８を備えており、このプラグは電子パッケージ１４８０の雌プラグ１４９２に接続される。ワイヤ部１５００は、スプール１４９８に固着されているが、カラー１４７２から外に出てからシャツ１４７０の胸部１５０２に進入し、スプール１４８２と接続している。左ワイヤ部１５０４はスプール１４７８に固着され、カラー１４７２上に配置されている。左ワイヤ部１５０４はカラー１４７２の上を左側から右側まで延々配置され、右ワイヤ部１５００に合流してケーブル１５０６を形成してから、スプール１４８２で終端する。
【０１９８】
この実施形態では、製造を容易にするために、パウチ１４６２、１４６４はスプールとイヤホンの両方を保持し、パウチ１４８６はＤＥＰとスプールの両方を保持するようにしている。パウチ１４８６はシャツの前面部に配置されているが、これに代わる例として、パウチ１４８６はカラー１４７２の上に配置されてもよいし、または、カラーに近接してシャツの背中面に設置されてもよい。
【０１９９】
本実施形態は退避可能なワイヤおよびスプールを使用しているが、ロボットアームに加えて標準ワイヤを使ってよいし、退避可能なワイヤとスプールのシステムの代用として入れ子式伸縮自在集成体を使って、イヤホンおよび電気プラグを伸び出させるようにしてもよいものと理解するべきである。ＤＥＰおよびイヤホンを帽子やシャツなどのような着用可能な装具に取付けるのに、パウチを利用する代わりにベルクロ固定具を使ってもよいことも分かる。
【０２００】
ほんの２・３例の実施形態を詳細に説明してきたが、上記以外の着用可能な装具に適合するように本発明を改変することもできることを、当業者なら認識するだろう。本発明に従って、多様な着用可能な装具、例えば、衣類全般（ネクタイ、上着、防寒帽、アームバンドなど）、頭部取付装具（ゴーグル、サンバイザー、ヘッドバンド、耳周りに巻く装飾品、ヘルメット、水泳用シリコーン帽、睡眠時目隠しなど）、頚部取付装具（スカーフ、襟、ネックレスなど）、および、小物類（がま口、小銭入れ、乳母車、シャツやパンツにクリップ留めできる眼鏡ケースなど）は、様々な物品を利用して、ユーザーに多数の電子機能を享受させることができる。例えば、このような装具はいずれも、本発明の収納コードを固定する繋留手段を備えているようにしてもよい。更に例示にすぎないが、本発明による着脱自在な電子的に使用可能なゴーグルであって、例えば、スキーゴーグルや水泳用ゴーグルなどのストラップの背部にパウチを設けてスプールおよびＤＥＰを保持し、ストラップの左右両側に１個ずつのパウチを設置して、本発明の他の特徴と関連してスプールおよびイヤホンを保持するようにするとよい。着用可能な装具や小物類のいずれもが相補的な繋留手段を装備し、本発明の収納コード側に取付けられた相補的な繋留手段と接続するようにしてもよい。
【０２０１】
虚像結像用の目の周辺装具、ディジタル式画像化用の目の周辺装具、および、赤外線画像化用の目の周辺装具は、本発明に従って、ワイヤを装備せずに軽量化されるとよいが、この時、目の前部には光学系とシリコンマイクロ表示装置のみが置かれ、電子機器類およびハイテク部品は着脱自在な態様または恒久的な態様で目の周辺装具の前部から離れた位置でＤＥＰに格納されるようにするとよい。従って、本発明によると、虚像結像用の目の周辺装具は、先行技術に見られるようにゲームをして遊ぶ場合でも、目の周辺装具に１本のワイヤも取付けずに完全な携帯至便性を享受できるようにする。本発明を利用すれば、ゲームを視認するのに表示装置が目の周辺装置の前部に配置され、ＤＥＰは後頭部に格納された収納式ゲーム制御装置として作動する。使用時には、拡張可能なコードが伸張されて、ユーザーの視野でゲーム制御を行えるようにする。ゲームが終了した後、拡張可能コードは退避させられ、ゲーム制御装置はＤＥＰの揺り籠状格納庫に収められる。
【０２０２】
本発明は費用効果が高い方法で装具を電子的に使用できるようにするので、着用できない物品に関連して本発明を利用するように本発明を改変することも、当業者には明白であると思われる。例えば、本発明による収納コードなどの着脱自在なシステムをバックパックに適合させるとよいが、この場合、ユーザーの目と耳に近接した位置であるという理由から、手の自由を束縛せずに音楽と電子機能を供与することができるので、バックパックの上部に設置するのが好ましい。電子的に使用可能な物品の他の具体例として、枕、肘掛け椅子の頭置き、机などがある。このような物品では、物品が本発明のＤＥＰ、イヤホン、および、それ以外の集成体を格納し、ユーザーが帽子からＤＥＰを取外して、その同じＤＥＰのプラグを机に差込んで仕事をすることができるようにしている。物品に取付けられている眼鏡のつるのような形状の１対の「アーム」を利用して、ＤＥＰが物品に取付けられる。アームまたはボタンは物品に恒久的に取付けられてもよいし、または、粘着面が設けられて着脱自在にしてもよく、例えば、机や航空機の折畳みトレイ台など、多数の品目について上述の１対のアームを使用することができるようになる。これに代わる例として、ＤＥＰを物品に取付けるのに、ベルクロ片、一連のスナップ嵌め具、一連のボタン、または、鉤と溝のシステムを利用することができる。取付け手段は重要ではないが、多様な必要に適うように（例えば、取外しを簡便にする、取付け安定性のため等）選択されるとよい。頭部の近辺にある、寝台の脇机などの多様な家具類も、本発明のシステムを受容するのに適しているかもしれない。上記以外の、例えば自転車やトレッドミルなどの各種物品も本発明の着脱自在なシステムおよび集成体を受容するのに有利な場合があるものと理解すべきであるし、このことは当業者には明らかである。
【０２０３】
退避可能なワイヤおよびスプールは音楽再生装置のような電子パッケージに取付けられて、落下させてしまうといった望ましくない危険を冒さずに、電子パッケージをユーザーの視野軸に移したり入換えたりすることができることも分かる。この実施形態では、電子パッケージに接続されている退避可能なワイヤは、収納コードのコネクタに接続するコネクタを備えている。本実施形態の収納コードは、電子パッケージが既に退避可能なワイヤ集成体を装備しているのでスプール（図２００Ｃの実施形態のものなど）を必要とはしない。
【０２０４】
本発明の原理によれば、多様な頭部取付装具、衣類、および、履物類を利用することができるものと理解するべきである。例えば、衣類はＤＥＰに着脱自在に接続することができるイヤホンおよび電気コネクタを格納することができるが、このようなＤＥＰは身に付けた１枚の衣類のどこかに配置され、イヤホンを格納している装具からは離れた位置に置かれる。
【０２０５】
一実施形態では、イヤホンおよびワイヤは襟の防水格納庫に収納されるのが好ましい。２個のＤＥＰシステムを利用することができるが、この場合、履物類の片方に固着されている一方のＤＥＰが帽子または眼鏡に固着されているもう一方の第２ＤＥＰに無線信号を送信し、足の動き、距離、温度、血液循環などの情報を第２ＤＥＰに送信することができるようにしているが、この第２ＤＥＰはユーザーに情報を与えたり、履物に取付けたＤＥＰから受信中のデータを表示するのに適した構成となっている。
【０２０６】
更に、音楽再生装置からの音声信号は無線イヤホンに送信される。更に、音楽再生装置は歩数計に接続されて、走破した距離に応じて音楽が再生されるようにしてもよい。
【０２０７】
例えば、ユーザーはルートと地形に応じて音楽をプログラムすることができ、丘の上であると分かっている３マイル先の地点に達すると、例えば、異なる音楽が始まるようにしてもよい。従って、本発明は、地形、距離、速度、予測される難易度レベルなどに一致するように音楽をプログラムすることができるようにした装置および方法を教示している。音楽または可聴周波（人の声など）は或る事象によって誘発されるが、そのような事象の具体例として、走破距離、心拍数レベル、温度レベル、地形などがある。事象という或る種の標識が、事前に選択された音楽または可聴周波を見つけ出す機能を実行する。
【０２０８】
このシステムは、音楽再生装置または画像化表示装置などのようなディジタル装置を第１装置として備えており、また、歩数計、心拍数監視装置、温度監視装置、ＧＰＳなどを第２装置として備えており、事前に選択された事象に基づいて信号を生成する第２装置が事前に選択されていた音楽を誘起する。第１装置および第２装置は有線手段または無線手段によって互いに接続されているようにするとよい。このシステムが装備している処理回路は、第２装置からの信号を識別して、保存されていた指令（楽曲名など）に基づいて第１装置で或る機能を実行する。
【０２０９】
例えば、マラソン走者は自己の心拍数レベルを利用して、走りパフォーマンスを最適にする音楽を誘発させる。競技会の初期段階で歩数計が５マイルより少ない距離を示しているのに心拍数が速過ぎる（180 bpmなど）場合は、距離と心拍数の合同信号が、もっとゆっくりした速度で走るように誘導するのにより適した楽曲を誘発する。マラソンなどにおいてルートが事前に分かっている場合、ユーザーは歩数計が測定した走破距離に基づいて音楽の種類をプログラムすることができる。システムがＧＰＳを備えている場合、地形に上り傾斜がある場合は必ず、事前に選択された景気のよい音楽や練兵係軍曹の声をプログラムが実行する。ユーザーは、第１装置のメモリに記憶されている楽曲やオーディオ記録を選択するが、このような楽曲やオーディオ記録は第２装置に従って或る誘起事象が生じると呼び出される。
【０２１０】
また別な実施形態としてはヘルメット（自転車ヘルメットまたは消防士のヘルメットなど）があり、これには、イヤホン、ワイヤ、電気接続部が恒久的に格納されている。着脱自在な電子ヘルメットシステムの一実施形態においては、ＤＥＰは消防主任と消防士の指示伝達事項またはコーチと運動選手の指示伝達事項などを通信する無線通信システムを格納しているのが好ましい。本発明は、イヤホン、ワイヤ、および、電気プラグなどの廉価な部品はヘルメットなどの頭部取付装具に恒久的に格納されるのが好ましいが高価な部品はＤＥＰに格納されるせいで、極度に費用効果の高いシステムを提案している。高額な部品は取外しができるせいで、消防士または運動選手は作業中に指示伝令を受信するために使われていたヘルメットからＤＥＰを取外すことができ、同じ消防士または運動選手が自分たちのサングラスにこのＤＥＰを接続して、例えば衛星放送ラジオ局からの無線信号を受信することで、低価格部品しか格納していない眼鏡を着用しながら音楽を楽しむことができるようになる。従って、本発明は、同じ発明を仕事と遊興の両方に同じ様に使えるという、また別なユニークな利点を提案している。本発明は、例えば、光学な無線システムを長期にわたって遊ばせておくのを避けることにより、装置の利用を最大限にすることもできる。本発明は、多目的にすることにより、同じ電子パッケージをどのような場面にでも継続して使えるようにすることができる。そうしない場合、問題のヘルメットを着用している間しか無線機能が利用できないようでは、装置の使用をかなり制限してしまうことになる。従って、本発明は、着用可能な装具に配備される部品の数を減らすことにより、着用可能な装具の装置を超小型化することで装置の使用を最大限に高める方法を提案している。本発明の収納コードは、広範な多数の異なる電子装置を受け入れることにより、上述の利点の全てを供与しながら低価格である。
【０２１１】
勿論、ヘルメットにシステム全体を恒久的に格納することも可能であり、特に、電子装置が特化されるばあい（例えば、消防用ヘルメット専用）、または、ユーザーがヘルメット以外には何も着用しなくない場合が該当する。例えば、自転車利用者は装置を自転車ヘルメットに内蔵させて、自転車を走らせている間に音楽を聴くことができるようになる。ヘルメットの収納室から装置を引き出すことにより、すなわち、退避可能なコードを利用することにより、例えば、ユーザーは装置を見ながら選局を行うことができ、次に、コードに装置を引戻させて収納室に収めることで、手の自由を束縛することなく使用することができる。
【０２１２】
本発明はまた、重い電子装置と目障りなイヤホンを恒久的に格納した先行技術の眼鏡に対して顕著な改良点を教示し、提案している。これは、電子構成部品と視覚的相互作用を行えるようにすることで達成される。図１Ｄから図１Ｅに記載されている退避可能なワイヤ集成体および揺り籠状の格納庫を利用することにより、電子機器および表示装置はユーザーの目の視野軸に入れることができる。
【０２１３】
一改良例として、蝶番機構をワイヤに通過させないようにするために、（例えば、図１３に例示されているように、表示装置がレンズ縁に格納されている場合）本発明は電磁スイッチを装備した眼鏡つるに設けた電気接続部を利用するのが好ましい。このようなスイッチの一例は、米国特許出願第20040059212号および第20040242976号に記載されているリードスイッチである。差込表示装置も利用することができ、表示装置は眼鏡のフレームと電気接続状態になり、眼鏡はＤＥＰに接続される。
【０２１４】
本発明により、生物学的パラメータを測定する多様な装置を利用することができるのが分かるが、そのような装置の具体例として、コンタクトレンズ、眼内装置、目の表層に設置される装置、および、米国特許第6,544,193号、米国特許出願第20040059212号、および、米国特許出願第20040242976号に記載されている上記以外の装置およびセンサーが挙げられるが、これら特許文献の開示内容はここに引例に挙げることにより本件の一部をなすものとする。従って、前述の特許または特許出願のいずれかに記載の装置はその各部が本来の装置とＤＥＰの間で分担して保持される。これで眼鏡に格納される電子部品の個数が制限される。
【０２１５】
米国特許第6,544,193号に記載されている受動コンタクトレンズのように、電磁誘導により別な装置に電力投入するコイルを格納している眼鏡が本発明に従って利用することができることが分かる。レンズ縁はコイルを格納することができ、電源はＤＥＰに格納されている。大型ＤＥＰまたは重いＤＥＰを特徴とする或る機能を果たす場合、小型電池は眼鏡のつるに格納され、主要電子機器類とハードドライブはＤＥＰに格納されるようにしてもよいものと、更に理解するべきである。
【０２１６】
本発明はまた、ＤＥＰを衣類に固着するための粘着剤または取付け手段を具体例として含んでおり、これはＤＥＰの重量負荷が高い場合に採用されるのが好ましい。例えば、マジックテープ（登録商標）式の取付け部材片（ベルクロ）が装備された眼鏡のＤＥＰがシャツのカラーのベルクロに付着されるようにすれば、眼鏡に加えられる重量を減じることができる。
【０２１７】
本発明により、米国特許出願第20040059212号および第20040242976号に記載されている頭部取付装具のいずれかのような、上記以外の装具も利用することができる。例えば、前述の特許出願に記載の着脱自在な電子目隠しはユーザーが着用して、そのプラグをディジタル音楽再生装置を装備したＤＥＰに差し込むようにしている。これで、ユーザーはビーチに寝転がり、自分の両目を覆って保護しながら音楽を楽しむことができる。ユーザーが寝台に横になっている場合も、本発明の目隠しを着用したまま音楽を楽しむことができるが、寝入る前にＤＥＰのプラグを抜いて、睡眠中の快適さを制約する恐れのある重い部材を取外すこともできる。
【０２１８】
本発明はまた、携帯電話、ディジタル音楽再生装置（例えば、ＭＰ３プレイヤー）、映像再生装置などの電子パッケージを受容する寸法に設定された空洞が設けられた、肩で支える格納庫や略Ｃ字型構造体などの、また別な着用可能な装具を含んでいるシステムを提案している。
【０２１９】
図３９は、着用可能な電子装置１５５０がユーザー（仮想線で図示されている）の肩上に装着されているのを例示している。肩に装着することができる電子装置１５５０は、略Ｃ字型（または、天地反転Ｕ字型）格納庫１５６０を備えているのが好ましい。Ｃ字型格納庫は少なくとも180度を占有するのが好ましい。開口１５５２の寸法は、格納庫１５６０がユーザーの頚部１５５４（または、他の肉体部分）を巻くことができるように設定される。開口１５５２は肩と頚部の間の電子装置１５５０の重量を分散させる。Ｃ字型格納庫は頚部の側面から少なくとも2.5 cmの位置に維持されるのに適した構成にされて、痛覚線維を活性化させて快適感を制限してしまう可能性を減じるのが好ましい。Ｃ字型格納庫１５６０はユーザーの頚部のくびれた部分の周囲に気持ちよく適合し、ストラップやそれ以外の固定手段に拠らずに、重力と身体部分の支持により身体の表面の適所に保持されるのが好ましい。
【０２２０】
好ましい実施形態においては、格納庫１５６０はポリマー材から形成されており、図２Ｂおよび図２Ｃに関連して既に説明したのと同じ態様で電子パッケージ１５５６を保持するための空洞１５５５を備えている。退避可能なワイヤ１５５８およびスプール１５６２は電子パッケージ１５５６に接続されている。イヤホン１５６２、１５６４は格納庫１５６０の右側と左側に正反対の様式で配備され、イヤホン１５６２はワイヤ１５６６によってスプール１５７０とスピーカー１５８８に、イヤホン１５６４はワイヤ１５６８によってスプール１５７２およびスピーカー１５８８に接続される。マイク１５７４は格納庫１５６０の端部１５７６に配置されており、格納庫１５６０のその反対端部１５８０には表示装置１５７８が配備されている。退避可能なワイヤをスプールと一緒に装備する代わりに、退避特性を有しているコイル状ワイヤも利用することができ、図３９に例示されている実施形態では、スプールは存在しない。
【０２２１】
格納庫１５６０は電源１５８２を備えており、電源は空洞１５５５に隣接して配置され、格納庫１５６０の後部に保持されているのが好ましい。例示を容易にするために、空洞１５５５および電子パッケージ１５５６は格納庫１５６０の後部に例示されているが、これらは格納庫１５６０のいずれの側に配備されてもよく、両方が両側に配備されてもよいものと理解するべきである。携帯電話などの電子パッケージ１５５６は、電気コネクタ１５９０により空洞１５５５に着脱自在に固着される。電気コネクタ１５９０はスプール１５６２に接続されている。本発明の先の説明によれば、電子パッケージ１５５６は、スプールおよび退避可能なワイヤを装備しているワイヤシステムにより、または、コイル状コードにより、もしくは、コイル状コードとスプールによる退避コードにより、イヤホンに接続される。格納庫１５６０の内部またはそこに取付けて配備された多様な部品は図示されていない標準配線システムにより電気接続されるのが分かるが、そのような部品の具体例としてイヤホン、マイク、スピーカー、電子回路、表示装置、電源、電子パッケージなどがある。
【０２２２】
装置が装着されると、マイクは着用者の口の極めて近い位置にきて、表示装置は目の視野軸に入り、例えば、電話発信者のＩＤ番号を見ることが出来るようになる。格納庫１５６０は蝶番集成体１６０８、１６１０を備えており、アーム１６１２、１６１４を互いに折り重ねることができるようにするのが好ましい。これにより、装置の寸法を約３分の２に減じることにより、装置の収納を容易にする。
【０２２３】
Ｃ字型構造体を好ましい実施形態として説明してきたが、それ以外の、正方形、５角形、その他の多角形などの各種形状を利用することができ、本発明の範囲から外れることもない。空洞１５５５または格納庫１５６０の最大幅（または、最大高さ）は15 cmに等しいか、または、それよりも短いのが好ましく、11 cmに等しいか、または、それよりも短いのがより好ましく、7 cmに等しいか、または、それよりも短いのが最も好ましい。支持構造体（ここではＣ字型構造体として例示されている）の中心点から外側端縁までの好ましい最長距離は28 cmに等しいか、または、それよりも短く、20 cm に等しいか、または、それよりも短いのが好ましく、13 cmに等しいか、または、それよりも短いのが最も好ましい。支持構造体（ここではＣ字型構造体として例示されている）の中心点から外側端縁までの好ましい最短距離は9 cmに等しいか、または、それよりも長く、11 cmに等しいか、または、それよりも長いのがより好ましく、13 cmに等しいか、または、それよりも長いのが最も好ましい。支持構造体には開口が設けられており、この構造体の内側にいは、イヤホン、ワイヤ、および、電子パッケージを受容する寸法に設定された空洞が配備されている。
【０２２４】
図３９Ａは、図３９の実施形態に類似している実施形態を例示しており、ここでは、２つの部品が追加されており、すなわち、入れ子式の伸縮自在で拡張可能なアーム１５９４によって格納庫１５６０に取付けられた大型ビデオ表示装置１５９２と、取外し可能なコード１５９６である。この実施形態の電子パッケージは映像再生装置１５９５であり、これは空洞１５５５に設置されるとともに、電気コネクタ１５９０によって接続されている。着脱自在な電子システムは作動するのに必要な電源を、車両の12 VDC煙草点火プラグ補助電圧、または、コード１５９６によるAC電気差込口から取るようにするとよく、また、未使用時には電子パッケージ１５９５を充電することができる。
【０２２５】
格納庫１５６０は複数の電子装置を格納することができ、例えば、右側には携帯電話とＭＰ３プレイヤーを、左側には電子手帳（パーム・インコーポレーティッドから入手できるパーム装置など）を格納することができるものと理解するべきである。同様に、ラジオまたはそれ以外の、本発明に記載されている電子装置を格納庫１５６０に格納することができるとともに、本発明の原理による、解剖学的に適合する着用可能な電子装具を設けることができる。
【０２２６】
図３９Ｂは、携帯電話またはコードレスフォンとして具現化することができる電子パッケージ１５５６が格納庫１５６０に電気接続されていないのを例示している。電子パッケージ１５５６は格納庫１５６０から遠隔位置に例示されている。この実施形態では、電子パッケージ１５５６は放出ボタン１５９８により空洞１５５５に機械的に保持される。電子パッケージ１５５６は無線で格納庫１５６０と通信している。好ましい実施形態では、空洞１５５５に配置されている電気パッド１６００が格納庫１５６０の電源に接続されて、電子パッケージ１５５６の内部の電池を再充電することができるようにしている。電気パッド１６００は電子パッケージ１５５６に取付けられている関連のある電気パッド（図示せず）と接触するような寸法に設定されるとともに、そのような位置に置かれている。主要電子機器、電源、携帯電話用の長距離受信機および長距離送信機、ならびに、重いうえに大型の回路（集合的に主要部品１６０２と呼ぶ）が格納庫１５６０に格納されて、携帯電話（または、コードレスフォン）の手で把持する部分を超小型化することができるようにすると同時に、小型で薄い電池と短距離通信用の低電力送受信機マイクロチップ回路のみが手で把持する部分に格納されているようにするとよい。薄いダイアルパッド１６２０、表示装置１６２２、内蔵式マイクロフォン１６２４、および、スピーカー１６２６などのような数個の非常に小型の部品のみを装備することにより、図３９Ｂに例示されているように、電子パッケージ１５５６はクレジットカードまたは小型電子計算機のような小さい寸法にすることができ、財布に入れて持ち運ぶことができる。格納庫１５６０は折畳むことができるのが好ましいので、格納庫１５６０は、本発明のクレジットカード状の携帯電話と無線通信したまま、書類入れまたは上着のポケットに保管することが出来る。
【０２２７】
眼鏡に格納されているＤＥＰ、または、それ以外の帽子などの頭部取付装具に格納されているＤＥＰに上記と同じ利点が適用され、ユーザーはクレジットカード状の携帯電話を身に付けるだけでよい一方で、携帯電話の主要部品が目に付かないように隠蔽されたうえに、ユーザーが予め着用している装具に快適に収容することができ、着用可能な装具の有用性を向上させている。
【０２２８】
図４０は、本発明の一実施形態である、適正に重量分散されて解剖学的にも適っている、天地反転Ｕ字型の着用可能なコンピュータ２０００をユーザー２００１が着用している場合を例示している。コンピュータ２０００は天地反転Ｕ字型構造２００２にアーム２００４およびアーム２００６を互いに離隔して取付けたものを備えている。アーム２００４はその端部にキーボード２００８が配置されている。アーム２００６はその端部に表示装置２０１０が配置されている。天地反転Ｕ字型構造２００２は、実質的に円筒状であるのが好ましく、少なくとも１個の調節自在に拡張させることができる屈曲可能な部分を含んでいるのが好ましい。アーム２００４は調節自在に屈曲可能な部分２０１６および調節可能に伸縮自在な部分２０１２を含んでいる。伸縮自在な部分２０１２は伸張位置にあって、留め金集成体２０１４が開位置にあるのが例示されているが、これにより伸縮自在な部分２０１２を完全に伸びきった状態にすることができる。屈曲可能な部分２０１６は伸縮自在な部分２０１２の近位で終端しているとともに、キーボード２００８に固着されている格納庫２０１８の遠位で終端している。アーム２００６は調節自在に屈曲可能な部分２０２０と調節可能に伸縮自在な部分２０２２を含んでいる。屈曲可能な部分２０２０は、屈曲位置にあるのが例示されているが、伸縮自在な部分２０２２の近位で終端しているとともに、表示装置２０１０に固着されている格納庫２０２４の遠位で終端している。天地反転Ｕ字型の着用可能なコンピュータ２００２は、伸縮自在な部分２０１２と部分２０２２の間に配置されている背面部２０２６とケーブル２０２８を更に備えている。ケーブル２０２８はコンピュータ電子機器格納庫２０３０に接続されており、格納庫はコンピュータ電子部品および電源（図示せず）を格納している。例えば、格納庫２０３０は電源、ＣＰＵ、ハードドライブ、ディスクドライブ、ＲＡＭ、ネットワークカード、ビデオカード、サウンドカード、無線送信機、モデム、ポート、表示装置２０１０のコネクタ、キーボード２００８のコネクタ、それ以外の電気コネクタ、カードスロット、および、それ以外のコンピュータハードウエアを収容している。ケーブル２０２８は退避可能なスプールコード集成体２０３２により格納庫２０３０に接続されているのが好ましい。格納庫２０３０はまた、ファンおよびそれ以外の放熱機構を備えていてもよい。表示装置２０１０はコンピュータ用の標準表示モニターやペンコンピュータ用表示装置などとして機能するものであればよい。
【０２２９】
天地反転Ｕ字型の着用可能なコンピュータの、伸縮自在な可撓性部分の好ましい実施形態を詳細に説明してゆく。図４１は、着用可能なコンピュータが、蛇腹式の管として例示されている伸縮自在な部分２０１２を含んでいるのを例示しているが、伸縮自在な部分は留め金集成体２０１４の歯２０３４によって圧縮位置に留まっている。好ましい実施形態としては調節可能に伸縮自在な背骨状部分が挙げられるが、この部分は人間の背骨構成部のように機能する。伸縮自在な蛇腹状管２０１２は、留め金集成体２０１４の歯２０３４に接続されているアーム２０３６を持上げることにより、圧縮位置から拡張させることができる。蛇腹状部分２０１２は拡張位置から圧縮位置まで軸線方向に圧縮されてから止め機構により適所に保持されるが、ここでは止め機構は留め金集成体２０１４として例示されている。蛇腹状部分２０１２はどのような素材で製造されていてもよいが、ポリマー、ラバー、または、金属から製造されているのが好ましく、シリコーンのようなポリマーまたはポリマーとラバーの混合物で製造されているのが最も好ましい。着用可能な天地反転Ｕ字型コンピュータ２０００は可撓性部分２０１６も備えており、この部分は伸縮自在であるとよいが、屈曲可能特性と可撓性特性のみを有しているのが好ましく、キーボード２００８を安定支持するのに十分に頑丈であるとよい。例えば、可撓性部分２０１６は可撓性の金属製グースネック部を含んでいてもよいが、具体的には米国ミシガン州ハンバーグ（郵便番号４８１３９）のリトゥライト・カンパニーにより製造されているものがあり、更に、多様な形状記憶合金を含んでいてもよく、可撓性部分２０１６は記憶性能があって約500グラムから600グラムの重量を支持することができる素材から作成されているようにしてもよい。
【０２３０】
可撓性の部分２０１６は格納庫２０１８の回転式ホイール２０３８の位置で終端しており、可撓性部分２０１６の一部はキーボード２００８に直接隣接して延びている。伸縮自在な蛇腹状部分２０１２は、アーム２００４をアーム２００６に接続している上位部分２０４０で終端している。上位部分はプレート２０４２を有しているのが好ましく、プレート２０４２はユーザーの頚部に支持載置される。プレート２０４２は可撓性素材から作成されているのが好ましく、このような素材はポリマーまたはラバーのようにユーザーの頚部の形状に一致させることができ、２つの機能を備えている。すなわち、（１）重量を分散させて頚部に載置される表面積を広げ、従って、痛覚線維をより容易に活性化させる恐れのある局所圧を低減する機能、および、（２）着用可能なコンピュータ２０００を使用してキーボード２００８でタイプ打ちをしている最中に、本発明の滑車システムのコードの運動に対する耐性を増大させる機能、である。
【０２３１】
上位部分２０４０は伸縮自在ではなく、従来のイヤホン集成体およびマイク２０４８に接続する電気コネクタ２０４６を格納している。上位部分はその左右両側にイヤホン（図示せず）のための２つのコネクタが設けられており、左右両側に１個ずつポケットが設けられているとともに、スピーカーが１個設けられているものと理解するべきである。更にまた、上位部分２０４０はその全体が、本発明の着用可能なコンピュータの長さを拡張するための蛇腹状管から構成されているものと理解するべきである。上位部分２０４０は第２の伸縮自在な蛇腹状部２０２２で終端しており、この部分は伸張位置にあるのが例示されているが、更にまた、伸縮自在な部分２０１２と本質的に同じ特性を有している。伸縮自在な蛇腹状部分２０２２は留め金集成体２０５０と歯２０５４を有しており、これらは矢印２０５６により例示されている全開位置にあるのが図解されているが、これにより蛇腹状部２０２２は完全に伸びきることができる。蛇腹状部分２０２２は可撓性部分２０２０で終端しており、この部分は本質的に可撓性部分２０１６と同じ特性を有している。可撓性部分２０２０は、格納庫２０１８に類似している格納庫２０５２で終端している。格納庫２０５２は表示装置２０１０に接続されている。キーボード、表示装置、マイク、スピーカーなどのような、着用可能なコンピュータの多様な部品を電気的に接続する配線２０７０は、天地反転Ｕ字型構造２００１の内部に収納されるのが好ましい。天地反転Ｕ字型構造２００１の最大寸法は直径が4.0 cmに等しいか、または、それよりも短いのが好ましく、3.5 cmに等しいか、または、それよりも短いのがより好ましく、2.5 cmに等しいか、または、それよりも短いのが最も好ましい。キーボード２００８は、ケーブル２０２８によりコンピュータ電子機器格納庫２０３０に着脱自在に接続されているのが好ましい。
【０２３２】
使用中は、着用者は止め機構を使って、着用可能なコンピュータ２０００を、解剖学的構造に適合した小型形態から使用のための拡張形態に変動させる。具体的な止め機構は留め金集成体２０１４を備えている。歯２０３４を持上げることにより、部分２０１２を伸張させることができる。次に、回転ホイール２０３８を利用して、キーボードが垂直位置から水平位置へ回転させられる。続いて、可撓性のグースネック部２０１６が調節されて、キーボードを適切な角度で適切な高さに位置決めする。本質的に、表示装置２０１０を目線上に設置するのに、同じ工程が反対側にも適用される。適切な位置決め完了後、電源スイッチを押すことにより、天地反転Ｕ字型の着用可能なコンピュータ２０００が作動されるが、スイッチはコンピュータ電子機器格納庫２０３０に配置されているのが好ましい。
【０２３３】
形状を記憶し、長く延びる性能を備えている蛇腹状部分すなわち背骨状部分はグースネック部分を必要とせずに使うことができるものと理解するべきである。従って、図４２Ａは、圧縮状態の調節自在に伸縮可能な部分を例示しており、ここでは蛇腹状部２０５８、２０６０として図解されている。蛇腹状部２０５８は表示装置２０６４に接続されており、蛇腹状部２０６０はキーボード２０６２に接続されているが、キーボードは更にコンピュータ電子機器格納庫２０６６に接続されている。図４２Ｂは、伸縮自在な蛇腹状部２０５８が伸張して屈曲した位置にあるのを例示しているとともに、伸縮自在な蛇腹状部２０６０が使用のために伸張状態にあるのを例示している。蛇腹状部２０５８、２０６０は、ビニル、ラバー、シリコーンなどの管状カバーにより被覆されて、快適さを向上させることができる。
【０２３４】
本発明による着用可能なコンピュータの伸縮自在部分は伸び縮みするために蛇腹状の管を利用しているが、それ以外の伸縮自在な手段を利用することもできる。図４３Ａから図４３Ｈは複数の具体的実施形態を例示しており、天地反転Ｕ字型コンピュータ２０００の伸縮自在部分を図解している。図４３Ａは、入れ子式集成体またはアンテナ集成体２０６８が閉位置にあるのを例示しており、図４３Ｂは、入れ子式集成体２０６８が伸張位置にあるのを例示している。図４３Ｃは、歯と溝の集成体２０７０のプレート２０７２、２０７４が部分的に伸張位置にあるのを例示している。プレート２０７２はプレート２０７４の頂面を滑動し、前後運動を利用しながら、歯２０７６が溝２０７８によって保持される。図４３Ｄはバネ集成体２０８０を例示しており、バネは留め金集成体２０８２により圧縮位置に維持される。留め金集成体２０８２が緩められると、バネ２０８１が解放され、アームを伸ばす。図４３Ｅは関節アーム集成体２０８４を例示しており、アームは部分的に延びて表示装置２０４９に接続されている。図４３Ｆは滑りプレート集成体２０８６を例示しており、複数のプレート２０８８および複数のピン２０９０が部分的に伸張した位置にある。複数のプレート２０８８は互いに積載され、引張られると、最上位プレートが外れて、集成体２０８６の長さを増す。図４３Ｇは、脊柱状集成体のボール関節集成体が３つの位置を取っているのを例示している。すなわち、圧縮位置２０９４、伸張位置２０９６、および、屈曲位置２０９８である。図４３Ｈは集成体２０９８の切取り断面図を例示している。
【０２３５】
図４３Ａから図４３Ｈから分かるように、幾つかの伸縮自在な集成体は伸縮自在な集成体と可撓性のある集成体の両方として機能する。伸縮自在部分の内側に格納されたワイヤ（１本または複数本）は格納庫の形状に応じて拡張するのに適した構成となっているものと理解するべきである。例えば、蛇腹状管は蛇腹形状を呈しているワイヤを格納している。
【０２３６】
留め金集成体により、ユーザーの必要に応じて、キーボードと表示装置を複数の異なる高さに調節することができる。図４４Ａは、留め金集成体２１００の歯２１０２が伸縮自在な蛇腹状部２１０４を圧縮位置に保持しているのを例示している。図４４Ｂは、蛇腹状部２０１４が部分的に伸張した位置にあるのを例示している。図４４Ｃは、伸び特性を有しているとともに滑りアーム２１０８、２１１０を備えている自己調節式留め金集成体２１０６が伸張位置にあるのを例示しているが、歯２１１２は蛇腹状部２１０４を圧縮位置に保持する。図４４Ｄは、蛇腹状部２１０４が部分的に伸張して、アーム２１０８の一部がアーム２１１０と重なり合っているのを例示している。留め金集成体はアームを有しているが、このアームはカンチレバーとして機能するのが好ましい。
【０２３７】
図４５Ａおよび図４５Ｂは、図４４Ａから図４４Ｄの留め金集成体によってキーボードが異なる高さにされるのを例示している。図４５Ａは、ユーザーが天地反転Ｕ字型コンピュータ２０００を着用し、コンピュータの伸縮自在な部分２０１２が部分的に伸張した位置にあるのを例示しており、伸縮自在部２０１２はキーボード２００８を上腹部２１１２の高さに設置している。矢印２１２２はタイプ打ちの最中に起こる可能性のある下向きの動きを例示しており、本発明の滑車システムを考慮すると、キーボード２００８に固着されているアーム２００４のコードの張力が上昇し、この結果として、表示装置２０１０を保持している反対側のコードの加速と動きを生じることがある。タイプ打ちの最中に表示装置２０１０がどんな風であれ動くのを最小限に抑えるために、コンピュータ電子機器格納庫２０３０に接続されているケーブル２１１６はコネクタ２１２０に固着されているのが好ましく、それ故、タイプ打ちの最中の反対側のコードの張力の潜在的上昇を打ち消す。矢印２１２１は、アーム２１１６をコンピュータ電子機器格納庫２０３０に接続することにより表示装置側の張力が上昇するのを例示している。この実施形態では、Ｕ字型管構造体の内部における表示装置２０１０から出ているワイヤおよびキーボード２００８から出ているワイヤはコネクタ２１２０で終端している。コンピュータ電子機器格納庫２０３０（破線で図示されている）は、図解されているように、上着のポケット２１１９によって保管されるようにしてもよいし、または、財布にしまう、バックパックに収める、ベルトにクリップ留めする等といった何か別な便利な態様で保管されてもよい。
【０２３８】
図４５Ｂは、本発明の着用可能なコンピュータの好ましい実施形態をユーザー（仮想線で図示されている）が着用した場合であって、完全に伸びきった位置にあるのを例示している。蛇腹状部２０１２は完全に伸びきっており、止め機構２１１４は完全に開いている。可撓性のグースネックアーム２０１６はキーボード２００８を安定位置に保持して、腰の高さでタイプ打ちをすることができるようにしている。表示装置２０１０はユーザーの目の視界の範囲内に保持されている。接続ケーブル２１１６はコンピュータ電子機器格納庫２０３０をコネクタ２１２０に着脱自在に接続するが、コネクタ２１２０は表示装置２０１０に接続されている可撓性部分２０２０の端部に配置されている。電子機器格納庫２０３０は本実施形態では必須ではないものと理解するべきである。コンピュータ構成部材は全てがキーボードおよび表示装置に配備することができ、重量はキーボードと表示装置の間で同じ態様で分担されるのが好ましい。
【０２３９】
着用可能なコンピュータは、調節自在に位置決め可能なアームと調節可能に伸縮自在なアームとを兼備しており、これらアームはＵ字型構造の両側に配置されている。着用可能なコンピュータに多様な支持手段を利用することができるものと理解するべきである。従って、図４５Ｃは、ユーザーが表示装置２０１０ａを装備した天地反転Ｕ字型コンピュータ２０００を着用しているのを例示しているが、表示装置２０１０ａは身体上に載置されるようにした２脚システム２０１０ｂを有している。キーパッド用に３脚を利用することもできるが、このような３脚は１枚の衣類に固着されたクリップによって適所に保持される。図４５Ｄは、着用可能なコンピュータ２０００ａの好ましい脊柱形状部を例示しているが、コンピュータは３脚固定具２０１０ｄを有している表示装置２０１０ｃを備えており、調節自在に伸縮自在な部分２０１２ａは圧縮状態になっているが、その反対の調節自在に伸縮自在な部分２０１２ｂは伸張位置にある。着用可能なコンピュータ２０００ａとは別個の、携帯型の掌サイズの各種装置など、どのような種類の止め集成体または止め機構を利用してもよいが、ここではクリップ２０１２ｃとして具現化されている。
【０２４０】
図４５Ｅは、箱体２０００ｂを含んでいるキットを例示しており、ここでは、天地反転Ｕ字型構造体２０００ｃに２本のアーム２０００ｄ、２０００ｅが設けられており、アーム２０００ｄには保持構造体２０００ｇが設けられて表示装置を保持し、アーム２０００ｅには保持構造体２０００ｆが設けられてキーボードを保持するように図っており、このキットには表示装置２０１０、キーパッド２００８、および、ケーブル２０００ｈを装備したコンピュータハードウエア部も含まれている。
【０２４１】
図４５Ｆは、着用可能なコンピュータの好ましい脊柱形状部を例示している。脊柱形状部により、脊柱分節２００１ａ（長さを縮めた）および脊柱分節２００１ｂ（長さを増した）に見られるようにアームの長さを増すことができるが、直径が増すことはなく、この場合、分節は各々の長さを増す手段として、各部品を接続している球状体２００１ｃの寸法を減じる方法をとっている。管状の形状により、より快適な着用が行えるようになる。図４５Ｇは脊柱形状部の切り取り図であり、第１部分２００１ｂが第２部分２００１ａよりも長く延びていられることを例示している。
【０２４２】
更にまた、本発明の着用可能なコンピュータはストラップとして装着することができ、余分にポケットを付加えた幅広の改良例として作成された吊り帯としても装着することができるものと理解するべきである。グースネックアームにスクリーンが装着されるが、このアームによりスクリーンは頚部を横断して垂れ下がった状態に設置することができるようになるが、頚部を巻くことで安定性を更に増すことができる。スクリーンは着脱自在で、テーブルの上に設置することもできるし、または、椅子の背もたれ等からぶら下げることもできる。ユーザーの身体の側面に固着された主要ポケットがハードドライブ、マザーボード、モデム、ＵＳＢカードなどを保管する。キーボードは端部にクリップを装備した２本の脚部を有しており、このクリップはベルトに付着してキーボードを支持する。キーボードはその前方裏側に、パッド（１枚または３枚）に取付けられた３脚を備えており、パッドは胃の上に載置されて脚を支える。キーボードは、テーブルの上にセットして使うこともできるし、膝上に載せて使うこともでき、未使用時に保管するための専用ポケットが備わっている。
【０２４３】
本発明はまた、キーボード上でタイプ打ちをするのに両手を使いながら背中を下に寝転がったまま行う方法を教示している。本発明のこの方法および装置はキーボードおよび表示装置をどのような角度でどのような位置にでも設置することができ、着用可能なコンピュータは身体がどの位置にあっても、例えば、寝転がっていてでも、使うことができる。図４６は、着用可能なコンピュータ２０００をユーザーが着用し、寝転がってタイプを打っているのを例示している。コンピュータは既に説明した部品を装備しており、例えば、キーボード２００８、表示装置２０１０、天地反転Ｕ字型構造体２００２、可撓性部分２０１６、２０２０、および、コンピュータ電子機器格納庫２０３０を備えている。可撓性部分２０１６、２０２０はキーボード２００８および表示装置２０１０を捻っていずれの方向にでも向けることができ、また、所望の解剖学的構造位置に設置することができる。表示装置が目線上にあるのを例示のために、表示装置２０１０はユーザーの顔面に近い位置にあるのが図示されているが、キーボードは両手と肘という解剖学的構造と調和してタイプを打てる位置に維持されている。ケーブル２１３０は電気コネクタ２１３２によりコンピュータ格納庫２０３０をキーボード２００８に着脱自在に接続している。コンピュータ格納庫２０３０は、ユーザーのズボンにクリップ留めすることにより腰の高さに維持することができ、また、ＤＶＤ再生記録装置２１３４は、床に置いたまま、ケーブル２１３６によりコンピュータ格納庫に着脱自在に接続される。
【０２４４】
使用していない時は、着用可能なコンピュータ２０００の伸縮自在部分は圧縮され、表示装置およびキーボードは垂直位置に保持されて、身体の解剖学的構造に適合させられる。使用中は、システムは伸張されて、表示装置およびキーボードは垂直位置から水平位置まで移動させられる。
【０２４５】
図４７は、天地反転Ｕ字型コンピュータ２０００をユーザーが着用しているのを例示しており、伸縮自在部分が装置を携帯するために完全に圧縮状態にされているとともに、コンピュータ格納庫２１１８から切り離されている。本発明によれば、完全に圧縮状態にされると、着用可能なコンピュータ２０００は通常の上着の下でほとんど見えず、表示装置２０１０とキーボード２００８の一部のみが認識できる。上着の特殊なポケットはコンピュータ２０００を保管することができ、傍で見ている人には目立たない。
【０２４６】
図４８は、回転式ホイール集成体２１２４をより詳細に例示しており、この集成体は可撓性のグースネック部２１２６をキーボード２００８に接続している。ホイール集成体２１２４ははめば歯車として機能し、矢印２１２８で例示されている360度の角回転を行う。これによく似た回転式ホイール集成体が反対側の表示装置にシステムのアームを接続しているようにするとよい。回転式ホイール集成体は、２軸以上の回転を行うための球状集成体で代用することができる。図４８Ａは、可撓性部分２１２６に相対的なキーボード２００８の２位置間切替えがホイール集成体２１２４の回転が原因で生じていることを例示している。可撓性部分２１２６（破線で示す）はキーボード２００８の下側に延びている。従って、ホイール集成体２１２４の回転によりキーボード２００８を解剖学的構造に適合している垂直位置（仮想線で示す）から使用のための水平位置に移動させることができる。
【０２４７】
本発明による着用可能なコンピュータは、デスクトップ型の形状に変換することができる。図４９は、着用可能なコンピュータ２０００がデスクトップ型の形状を呈しているのを例示しており、伸縮自在な部分は完全に伸びきっており、図４４Ｃの滑り留め金集成体２１０６が支持構造体として利用されて、伸縮自在部をより安定させるよう図っている。Ｕ字型構造体２００２は、本発明の着用可能なコンピュータを螺旋形状に変えてデスクトップ型実施形態にするのに適した構成である。
【０２４８】
図５０Ａおよび図５０Ｂは本発明の原理の一実施形態が肩掛けホルスター式の着用可能なコンピュータ２１５０により具現化されているのを例示しているが、上半身右側から左側まで連続して延びているコード２１５２により、コンピュータの重量は上半身の右側と左側の間および両肩の間で分散されているのに加えて、背中にも同様に分散されている。コード２１５３にはアーム２１５２、２１５４が設けられており、一方のアームの端部にキーボード２００８が、もう一方のアームの端部に表示装置２０１０が配備されている。図５０Ａは、肩掛けホルスター式コンピュータ２１５０に右ストラップ２１５６および左ストラップ２１５８と右ポケット２１６０および左ポケット２１６２とが設けられているのを例示した正面図であり、右ポケットにはスロット２１６４が、左ポケットにはスロット２１６６が設けられている。ポケット２１６０から延びている可撓性アーム２１５２はコイルの巻きが延びてキーボード２００８を保持し、ポケット２１６２から延びている反対側の可撓性アーム２１５４もコイルの巻きが延びて表示装置２０１０を保持している。矢印Ｊ１および矢印Ｊ２はアーム２１５２およびアーム２１５４に均等に分散された張力を表している。
【０２４９】
図５０Ｂは、ホルスター式の着用可能なコンピュータ２１５０の背面側を例示している。ストラップ２１６８はポケット２１６２に固着されており、ストラップ２１７０はポケット２１６０に固着されている。ストラップ２１６８は水平ストラップ部分２１７２によりストラップ２１７０に接続されているが、この部分は調節可能なバックル領域２１７４を有している。ワイヤ部分２１７６はストラップ２１６８、２１７２、２１７０を通って連続して延びており、ポケット２１６０の内側のワイヤ部２１７８で終端しているとともにキーボード端側のポケット２１６２の内側のワイヤ部２１８０で終端している。ワイヤ２１７６、２１７８、２１８０と、これら以外の、衣類や帽子などのワイヤはリボン式であって、可撓性に富み、巻き上げ位置のほうが容易に収容することができるようになっているのが好ましい。従って、ワイヤ部２１７８、２１８０は巻き上げ部２１８２、２１８４を有しているのが好ましく、この巻上げ部を伸ばしたり巻戻したりして多数の異なる寸法のユーザーにぴったり合わせるようにすることができる。ワイヤ２１７６も調節可能なバックル領域２１７４に巻上げ部２１８６を有しており、寸法を調節するよう図っている。重量をより良好に分散させるために、例えば、電源が調節可能なバックル領域２１７４の背面側に格納されるようにするとよいものと理解するべきである。これにより、多数の異なる解剖学的領域に重量を分散させることができるようになり、この場合は背中であるが、電源がベルトにクリップ留めされれば、重量を腰部領域に分散させることもできることが分かる。着用可能なコンピュータ２１５０の残余の部分および構成が図５０Ｃに記載されている。
【０２５０】
図５０Ｃは肩掛けホルスター式コンピュータ２１５０を概略的に例示している。ワイヤ部２１８０はポケット２１６２の内側の可撓性のコイル状グースネック部２１８８で終端しているが、このグースネック部の端部にはキーボード２００８が設置されている。ワイヤ部２１７８はポケット２１６０の内側の電気コネクタ２１９０で終端しており、これはコンピュータ格納庫２０３０のコネクタ２１９２と着脱自在に接続されている。可撓性のグースネック部２１９４はその遠位部は表示装置２０１０で終端しており、その近位部はポケット２１６０の内側の支持プレート２１９６のワイヤ部２１９８で終端している。ワイヤ部２１９８は、プレート２１９６に固着されている可撓性のグースネック部２１９４の上位端で終端している。ワイヤ部２１９８の反対端は電気接続部２２００で終端しており、この接続部はコンピュータ格納庫２０３０のコネクタ２２０２に着脱自在に接続されている。支持プレート２１６０はポケット２１６０の壁のうちの１枚に取付けられており、金属または硬質可塑材から製造されているとともに、重量のうち約650グラムを安定位置に支持するのに適した構成になっているのが好ましい。図４５Ｃのポケット２１６０、２１６２、および、可撓性のグースネック部２１８８、２１９４は互いに実質的に同一であり、本件の表示装置側の特徴を説明したものはキーボード側にも同様に当てはまる。
【０２５１】
図５０Ｄはポケット２１６２の切取り側面図である。可撓性に富む伸縮自在な部分２１８８は、例えば、金属製のグースネックなどであり、同図では本来のコイル状位置にあり、使用中は容易に巻きを伸ばせるようにするとともに安定性が得られるように、また、ポケット２１６２に保管されている間は小型に維持されるように、螺旋状に巻かれているのが好ましい。キーボード２００８は仮想線で螺旋状の伸縮自在部２１８８の頂面の位置にあって小さく収納することができるのが例示されているが、伸縮自在部２１８８はプレート２１６０に固着されている。本実施形態のポケット２１６２の特徴の説明はポケット２１６０にも同様に当てはまる。図５０Ｅはポケット２１６２の切取り正面図であり、キーボード２００８が可撓性で伸張自在な部分２１８８の頂面に載置されており、この部分２１８８はプレート２１６０上に支持されているのが図示されている。
【０２５２】
キーボード２００８は薄膜型のキーボードであって、上半身の解剖学的構造に合わせて装備することができる寸法になっているのが好ましい。キーボードおよび表示装置の好ましい重量は、先の説明にあるように、痛覚線維を活性化させることがないような重量である。折畳み式ではないキーボードの好ましい最大寸法は18 cm×11 cm×1.5 cmであり、16 cm×10 cm×1.0 cmであるのがより好ましく、15 cm×9 cm×0.7 cmであるのが最も好ましい。キーボード２００８のキーの個数は幾つでもよいが、約50キーから約84キーであるのが好ましい。英語以外の多数の言語の文字にキーを適応させてもよい。本発明は両手で使う設計のキーボードを採用するのが好ましいが、もっと小型のキーボード、クワーティ式キーボード、および、クワーティ式ではないキーボードを採用してもよい。折畳めるキーボードの利用も考えられる。キーボード２００８は電話通信用の番号をダイアルするのに適した数字キーを備えているとよい。キーボード２００８はスピーカーを装備しているほかにも、電子機器や無線通信用の（携帯電話、ラジオ通信、衛星通信、インターネット通信などを含む）無線送受信機も同様に装備していてもよい。無線通信用の構成部材は格納庫２０３０に収容するとよい。
【０２５３】
表示装置２０１０は能動マトリクス液晶表示装置であって、キーボード２００８に寸法および重量が類似しているのが好ましい。キーボード２００８および表示装置２０１０は天地反転Ｕ字型構造体２００１に恒久的に固着されてもよいし、または、着脱自在に固着されてもよい。表示装置２０１０の好ましい最大寸法は16 cm×10 cm×0.9 cmであり、15 cm×9.0 cm×0.6 cmであるのがより好ましく、14 cm×8.0 cm×0.5 cmであるのが最も好ましい。表示装置２０１０はキーボード２００８と同じ寸法であるのが好ましい。キーボード２００８はビデオゲーム制御システムで代用することができるが、例えば、ビデオゲームの画像が表示装置２０１０に表示されるようなものと置換されるとよい。キーボード２００８および表示装置２０１０は無線式で、ブルートゥース（Bluetooth）通信プロトコルにより着用可能なコンピュータの他の構成部材と通信することができるようにしてもよい。キーボード２００８および表示装置２０１０は折畳み式であってもよい。本発明の着用可能なコンピュータの多様な構成部材間の接続は有線であってもよいし、無線であってもよいものと理解するべきである。表示装置２０１０はビデオカメラ、写真撮影カメラ、または、インターネットや映像電話で画像を転送するのに適したウエブカメラを装備していてもよい。
【０２５４】
セルラー電話（または、何らかの携帯電話、コードレスフォン、衛星電話など）と一体型の折畳み式キーボードを本発明の着用可能なコンピュータの一部として利用することができる。この実施形態では、キーボード２００８は折畳み可能であり、音声、データ、または、その両方を送信する送信機を備えている。図５１は、折畳み式のキーボード・電話集成体２２００がキーボード本体部２２０２、送信機２２０６に接続された数字キーパッド２２０４、および、複数の可撓性印刷回路２２０８を備えているのを例示している。キーボード本体部２２０２は複数のキーを有しており、これらは複数のブロック２２１６に区分けされて、ブロックは折畳まれて積み重なる。可撓性印刷回路２２０８はキーボード本体部２２０２の表示装置２２１０に接続されている。数字キーパッド２２０４は送信機２２０６に接続されているが、表示装置２２１０はキーパッド２２０４に隣接した真上に設置されているとともに、キーパッド２２０４はキーパッド本体部２２０２の端に配置されて、電話通信用に使われる。ブロックが折畳み位置にある場合、数字キーパッド２２０４は折畳み式キーボード２２００の外面となる。可撓性回路２２０８はワイヤ２２１６により電気コネクタ２２１４に接続される。電話用数字キーパッド２２０４は送信機２２０６により無線通信する。図５１Ａは、折畳み式キーボード集成体が折畳み位置にあって、キーパッド２２０４が集成体２２００の前面に配置されているのを例示している。
【０２５５】
本発明の着用可能なコンピュータには多様な入力装置を組込むことができる。例えば、仕事で使っている間は、バーコードリーダーや高周波タグリーダーなどを利用して、使用中に得られたデータを即時計算して解析することで生産性を向上させることができる。
【０２５６】
天地反転Ｕ字型の肩掛けホルスター型の着用可能なコンピュータの具体的実施形態をここまでに説明してきたが、前述したもの以外の構成と前述した身体部分以外の部分とを使って、胸部ストラップ、背中側ストラップ、アームストラップ、腰周りのベルトなどを利用することでコンピュータを支持するようにしてもよいが、それでも尚且つ、本発明の範囲から外れることはないものと理解するべきである。
【０２５７】
本発明の着用可能なコンピュータは２つの部品を利用して実現されるが、その手段として、格納庫２０３０に保管されている構成部材をキーボード２０００８および表示装置２０１０に統合する方法がある。例えば、ハードドライブ、ＣＭＯＳ、ＣＰＵ、ＲＡＭなどをキーボードモジュールに統合し、サウンドカード、ビデオカード、ネットワークカード、電源などは反対側の表示装置モジュールに統合するようにするとよい。例えば、ＤＶＤ生成記録装置を格納している着脱自在なモジュールを使ってキーボードモジュールに着脱自在に接続することで、利用できる電子構成部材の個数を増大させることができる。
【０２５８】
図５２は、着用可能なＣＤ再生装置２２３０が天地反転Ｕ字型構造体２２６０を備えているのを例示しているが、このような構造体はＣＤ再生装置に隣接して配備される伸縮自在部２２３２、および、第２部分２２３６を備えている。第２部分２２３６は断面が実質的に円筒状であるのが好ましい。部分２２３６は伸縮自在であり、アーム２２４４で終端しているのが好ましいが、アームは電池２２４０などの電源を保有している格納庫２２３８で終端している。伸縮自在部２２３２は蛇腹式形状を有しており、この部分は止め集成体２２４２により圧縮位置に維持される。伸縮自在な蛇腹状管２２３２は可撓性であるのが好ましく、止め集成体２２４２のアーム２０４４を持上げることにより、圧縮位置から伸張して、ＣＤプレイヤー２２３４を取り扱えるようにすることができる。
【０２５９】
部分２２３６は電気差込口２２５０およびイヤホン２２５４を格納しているパウチ２２４６と、電気差込口２２５２およびイヤホン２２５６を格納しているパウチ２２４８とを備えている。ＣＤプレイヤー２２３４にはＣＤ領域２２３４ａやフラッシュカード領域２２５８ａなどが設けられており、フラッシュカード２２５８や何であれそれ以外のメモリ記憶媒体を受容することができるよう図っている。ワイヤ２２６２は構造体２２６０の表面またはその内側に配備されて、ＣＤプレイヤー２２３４を電源２２４０と接続している。
【０２６０】
図５３は、本発明による着用可能なＤＶＤプレイヤーを例示している。着用可能なＤＶＤプレイヤー２２７０はユーザー２２７２が着用するが、天地反転Ｕ字型構造体２２８０を備えている。天地反転Ｕ字型構造体（本発明による他の着用可能な装置や本明細書中で既に説明した装置と同様に、ユーザーの頚部の両側に少なくとも２本のアームが各側１本ずつ配備されている場合は、Ｕ字型以外の多様な形状を取ることもできる）は、伸縮自在部２２７６を有しているアーム２２８２と、伸縮自在部２２７４を有しているアーム２２８４とを備えている。伸縮自在部２２７４、２２７６は中央部２２７８によって互いに接続されているが、この中央部は伸縮性が無いのが好ましい。構造体２２８０の残余の部分は本質的に図４１の実施形態に類似している。アーム２２８４は表示装置２２８８（または何であれ好適なスクリーン）に接続されており、アーム２２８２はＤＶＤプレイヤー２２８６（または、何であれそれ以外のディスクプレイヤーまたはメモリカードプレイヤー）に接続されており、プレイヤー２２８６はケーブル２２９２により更に電源２２９０に接続されているが、この電源は腰の高さに保持されているのが好ましい。
【０２６１】
図５４は、取外し自在で着用可能な電話機２３００が薄型電話２３０６として例示されている図である。着用可能な電話機２３００はアーム２２９６、２２９８が設けられた天地反転Ｕ字型構造体２２９４を備えており、アーム２２９６の伸縮自在部２３０２は機械的ホルダー２３０４に隣接して配置されている。機械的ホルダー２３０４は、携帯電話やコードレス電話などのような着脱自在に保持するタイプの電話機２３０６に好適な爪型の形状を呈しているのが好ましい。爪２３０４の歯２３０８は携帯電話２３０６のホイール集成体２３１０の頂面を滑動し、電話機２３０６を構造体２２９４に固着させる。スピーカー電話２３１２がホルダー２３０４に隣接して配備されている。マイク２３１４がスピーカー電話２３１２の正反対位置に配備されており、着用可能な電話２３００を使う際に身体の解剖学構造に合う理想的な装備を行えるようにして、聞いたり発話したりするのに備えており、これは図５７Ａおよび図５７Ｂに示されているとおりである。
【０２６２】
ホイール組立体２３１０はワイヤ２３２２により電話機２３０６の回路と電気接触状態になる。ホルダー２３０４はワイヤ２３１８により格納庫２３１６に電気接続される。格納庫２３１６は電源２３１４および電気パッド２３２０を格納し、電池２３１４が電話機２３０６に電力供給することができるようにしている。図面では着脱自在な電話を例示しているが、本発明のシステムに恒久的に固定される電話機も考えられるものと理解するべきである。このような実施形態においては、電話機２３０６はホルダー２３０４に恒久的に取付けられており、天地反転Ｕ字型電話機２２９４は受話器として作用する。電話機は再充電のための揺籃状架台（図示せず）に収容されるが、この場合、電気パッド２３２０は電話機２３０６に再充電するための揺籃状架台のパッドに接触するのに適した構成にされる。電話機２３０６は従来のコードレス電話または携帯電話であるとよい。ホルダー２３０４は、電話機２３０６の標準コネクタと接続するための（ケーブルで接続されるのが好ましいが）標準電気コネクタを装備しており、それにより、回路を閉じて電池２３１４から電話機２３０６に電力供給することができるものと理解するべきである。
【０２６３】
図５４Ａは、図５４の着脱自在な電話機に天地反転Ｕ字型構造体２３２６が設けられているのを例示しているが、ここでは、Ｕ字型構造体は配線を装備しておらず、また、支持構造体として機能するだけであり、電話機には電源は備わっておらず、ホルダー２３２４も電気配線が設けられておらず、機械的ホルダーとして作用する。それ以外の特徴で、例えば、構造体２３２６の伸縮自在部などは、本質的に図５４の実施形態に類似している。
【０２６４】
図５４Ｂは着脱自在な電話機２３３８を例示しており、電話機の天地反転Ｕ字型構造体２３４０は全体が蛇腹状部材から構成されており、このような蛇腹状部は同図では圧縮状態にあって、それにより小型になって容易に収納できるのが例示されている。完全に圧縮状態になった構造体２３４０の寸法は、電話機２３０６の寸法に等しいか、または、それよりも僅かに大きい。
【０２６５】
図５５Ａは、天地反転Ｕ字型支持構造体２３５０が伸縮自在部２３４２を止め集成体２３６０と一緒に備えているのを例示している。伸縮自在部２３４２はホルダー２３４４の位置で終端しており、ホルダー２３４４には空洞２３４６が設けられているとともに、携帯電話、ディジタル音楽再生装置、ディジタル式映像再生装置などのような電子パッケージを保持するのに適した可動爪２３４８が設けられているのが好ましい。支持構造体２３５０は伸縮自在部２３４２に隣接した位置にポケット２３５２が配備されており、ここにはイヤホン２３５８を収容するのが好ましい。支持構造体２３５０はその反対端部の位置の、余分の電池２３５６を収納するための格納庫２３５４で終端している。この実施形態においては、支持構造体２３５０は電気配線も電気接続部も装備していない。ホルダー２３４４はバネが装填された集成体を備えており、爪２３４８によって着脱自在に保持されている電子パッケージをより容易に放出することができるようにするのが好ましい。図５５Ｂを参照すると、ホルダー２３４４は肩平面に関して45度の角度に設置され、マイク２３６６とユーザーの口（図示せず）の間に解剖学的に適合関係を設け、マイク２３６６が口から出る発話音を最適受信する状態にするのが好ましい。ホルダー２３４４は、図５５Ｂに例示されているように、プレート２３７０を支持する相対角度を変動させるための蝶番を備えているものと理解するべきである。ユーザーが選局したい場合は、図５５に見られる止め集成体２３６０が緩められ、伸縮自在部２３４２が伸張し、ホルダー２３４４をユーザーの目線上に置く。調節可能に収縮自在な部分はバネが装填された機構を含め後退可能な機構として機能し、使用後に収納位置（小さく纏った位置）まで後退させることができるものと理解するべきである。例えば、ダイアルパッドを使って電話番号をダイアルした後で、伸縮自在部はその小さく纏まった位置まで戻る。
【０２６６】
図５５Ｃは、図５５の天地反転Ｕ字型構造体の一実施形態を例示しているが、構造体は伸縮自在部を備えていない。この実施形態においては、ホルダー２３４４はプレート２３４７で終端する伸縮自在なコード２３４５を有している。プレート２３４７は電子パッケージに着脱自在に接続されるようにした手段を備えている。このような手段にはベルクロ、クリップ、粘着テープなどがある。伸縮自在なコード２３４５はバネが装填されたスプール集成体２３５１を備えているようにするとよい。これに代わる例として、コード２３４５は、バネが装填されていない退避可能なコイル状コードから構成されているようにするとよい。図５５Ｄに例示されているように、コード２３４５を適所に維持する、バネを装備していない機構と退避可能なコイル状コードを併用する場合、ホルダー２３４４は電子パッケージを保持するためのアーム２３５３（バネは図示されていない）と放出ボタン（図示せず）とを備えているのが好ましい。図５８に記載されているものを含め、どのような電子パッケージであれ、プレート２３４７に固着させることができる。これに代わる例として、アーム２３７３は、ホルダー２３４４で終端しているが、長く伸ばされてユーザーがホルダー２３４４を目で確認することができる長さにすることで、例えば、見ながら電話のダイアルをし、ディジタル式映像再生装置のビデオ画像を観賞することができるようにするとよい。反対側のアーム２３７４も長さを増して寸法調整を行い、両方のアームの平衡をとり、張力を同じぐらいにすることができる。この実施形態では、ホルダー２３４４は伸縮自在なコードまたはプレート２３４７を必要とはしない。
【０２６７】
図５６は、Ｃ字型の管状支持構造体２３８０をユーザー２３８３（仮想線で例示）が着用しているのを例示している。支持構造体は伸縮自在部２３８４を備えており、この部分は右側では伸縮自在ではない部分２３８６で終端しており、左側では伸縮自在でない部分２３８８で終端している。ケース２３９０は携帯電話などのような電子パッケージ２４００を受容するのに適した構成になっており、上記部分２３８６に配置されている。ケース２３９０は折畳み式であるのが好ましく、肩平面に関して45度の角度に設置されるのが好ましい。ケース２３９０には携帯電話２４００を受容する開口２３９８が設けられている。ケース２３９０にはプラグ２３９６を受容する開口２４０２も設けられており、このプラグは携帯電話２４００のイヤホンコネクタ２４１０と着脱自在に接続される。ケース２３９０はアンテナ２４１２を受容する開口２４０４も設けられている。ワイヤ２３９２は部分２３８６の表面に配備されるか、または、その内側に配備され、ユーザーの耳に装備されているのが図示されているイヤホン２３９４で終端し、ワイヤ２３９３の反対端部は電気プラグ２３９６で終端するが、このプラグはケース２３９０の内側に配備されるのが好ましい。右側の伸縮自在ではない部分２３８６はイヤホン２３９４を収容するポケット２４１４を含んでいるのが好ましく、左側の伸縮自在ではない部分２３８８には、余分の電池２４０８を収納するための格納領域２４９６が設けられているのが好ましい。
【０２６８】
図５６Ａは、図５６支持構造体の改変例をユーザー２３８２（仮想線で図示）が着用しているのを例示している。構造体２４２０は、機械コネクタ２４２６によって着脱自在に接続されている部分２４２２、２４２４を含んでいるが、この接続は雌ネジ集成体を利用するのが好ましい。部分２４２２は、左側の部分として例示されているが、少なくとも180度の弧を巻いて延びているのが好ましく、部分２４２４は、折畳んだ状態から完全に開いた状態になると、真直ぐで長さは15 cmを越えるのが好ましい。部分２４２４はケース２３９０を備えているが、ケースは折畳まれた位置にあって携帯電話２４００を保持している。ケース２３９０の反対側では、部分２４２４はホイール集成体２４２６と、部分２４２４をベルトに固着するための爪２４２８が設けられて、ケース２３９０が肩で支える構造体または腰部で支える構造体として機能することができるようにしている。折畳みみ式ケース２３９０の代用として折畳むことのできないケースを利用することができ、このようなケースは本質的に矩形の携帯電話を維持するように形状が矩形であるのが好ましいと理解するべきである。
【０２６９】
図５７Ａおよび図５７Ｂは、図５４Ａから図５６Ａの実施形態を例示しており、また、より具体的には図５６および図５６Ａの実施形態をユーザーが着用しているのを例示している。図５７Ａは、ユーザー２４３２が着用可能な電話機２３４０を装着しているのを例示しており、着用可能な電話機は伸縮自在な部分２３４４が設けられているＣ字型構造体（伸縮自在部は図中では圧縮状態に例示されている）と、電子パッケージ２３４６を保有しているケースとを備えており、電子パッケージは折畳み式電話機として例示されている。ケースおよび電話機２３４６は、解剖学的に口２３５２と耳２３５４に隣接した位置で肩２３４８上に正確に設置されている。反対側のアーム２３５６は、余分な電子、イヤホン、または、その両方を収納している格納庫２３５８で終端しており、それにより、右側と左側の張力の平衡を保っている。図５７Ｂは、図５７Ａのケースと電話機２３４６が45度の角度で開いた位置にあるのをユーザーが着用している場合を例示している。電話機２３４６のマイク２３６０は口２３５２からの発話音を拾うために解剖学的に口の近位に設置されるが、スピーカー２３６２は耳２３５４に対して最適な解剖学的位置にある。イヤホン（図示せず）は、解剖学的に適合させたおかげで短いケーブルしか必要としない。図５７Ｃは、着用可能な電話機２３４０をユーザーが着用している生活に即した図を示しており、ここでは、電話機は手の自由を束縛せずに電話の音声を聞くのに最適な解剖学的位置装着を行える角度に置かれている。
【０２７０】
本発明の教示に従って、解剖学的に適った着用可能な電子装具として多様な電子装置を着脱自在にまたは恒久的に取付けることができるものと理解するべきである。図５８は、１個の物理的装置として着用可能な支持構造体２３８０に恒久的に取付けることができる複数の電子装置、または、支持構造体に着脱自在に接続することができる複数の電子装置であって、それぞれがここに記載されている解剖学的基準を達成する目的があるのが例示されている。構造体２３８０は電子コネクタを収容するためのポケット２４０９、２４１１と右アーム２４０１および左アーム２４００とを備えている。右アーム２４０１は伸縮自在な部分２４０３および可撓性に富む部分２４０５を含んでいる。左アーム２４００は格納庫２３９５で終端している。可撓性の部分２４０５は格納庫２４０２で終端しているが、これは電子装置と着脱自在に接続されているのが好ましい。これに代わる例として、ホルダー２４０２は電子装置と恒久的に接続されているとよい。例示されている電子装置としては、携帯ビデオゲーム２３８２、音楽再生装置２３８４、ＧＰＳ２３８６、映像再生装置２３８８、ディジタルブック２３９０、個人向けディジタル情報処理支援装置（ＰＤＡ）２３９２、監視装置２３９４（肉体の任意の生物学的パラメータを監視する装置を含む）、通信装置２３９６、画像化装置２３９７、音声装置２３９９などが挙げられる。電子装置は構造体２３８０に接続されており、更に、反対側のアーム２４００に配置されている格納庫２３９５に電気接続されているのが好ましく、格納庫２３９５には電源２３９８が収納されている。これに代わる例として、電子装置は機械ホルダー２４０２によって機械的に構造２４００に固着されているにすぎない。電子装置はホルダー２４０２に接続する手段を備えており、この場合、電子装置と雄−雌関係になる嵌込み集成体を利用する手段か、または、電子装置を保持する構造体と併せて本発明の各種実施形態を利用する手段が好ましい。
【０２７１】
この図に関連して使用され、本願明細書の他のどこかで使われているような「映像再生装置（または、ビデオ再生装置、ビデオプレイヤー）」という語は、従来のテレビ、ディジタル式映像再生装置、ディジタル式放送テレビなどを含んでいるが、これらに限定されるものではない。「音楽再生装置（または、音楽プレイヤー）」という語はカセットプレイヤーやＣＤプレイヤーなどを含んでおり、ディジタル音楽再生装置であるのが好ましい。「ＰＤＡ」という語は何であれ掌サイズのコンピュータを含んでいる。「監視装置（モニター、モニター装置）」という語はグルコース監視装置などの何らかの医療装置を含んでいる。「通信装置」という語はラジオ通信、電話、インターネットコンテンツの無線受信機、衛星信号の無線受信機、無線送信機、無線受信機、無線通信装置、双方向ラジオ通信、画像化処理を含む上記以外の通信装置、画像化処理を含まない上記以外の通信装置などを含んでいる。「画像化装置」という語はビデオカメラ、写真撮影カメラ、ディジタルカメラ、双眼鏡などを含んでいる。「音声装置」という語は従来型マイク、無線マイク、音声記録装置などを含んでいる。
【０２７２】
格納庫２３９５は信号電源を保管するか、または、電子機器と電源を兼備して保管することができる。例示を目的として、格納庫２３９５は恒久的態様または取外しできる態様で無線送信機を保管することができる。ホルダー２４０２は電子装置を保持するためのプレート２４０６（仮想線で図示）で代用することができるが、保持手段としてベルクロ、クリップ、または、それ以外の保持手段を利用することができるものと理解するべきである。構造体２３８０は、イヤホン集成体を格納するためのポケット２４１１、２４０９と電源（図示せず）を収納するための格納庫とを更に備えているとよい。電子機器および電子装具を組合せたものを利用してもよいものと理解するべきである。これ以外にも多数の用途および応用例が当業者には明白となる。例えば、電子装置はＰＤＡ２３９２であるとよいし、格納庫２３９５はＰＤＡ２３９２と電気接続される歩数計を格納することができる。ユーザーは肩および頚部の周囲に構造体２３８０を装着して運動を始め、格納庫２３９５に収めた歩数計または運動監視装置からの情報が得られるとＰＤＡ２３９３に送信され、実時間でユーザーにフィードバック情報を提供するようにソフトウエアを使って改変処理される。例えば、ＰＤＡ２３９２が運動ルーチンに問題を検出した場合、ＰＤＡはユーザーに警告を発することができるとともに、問題を修正するのに必要な手順の画像を供給する。次に、ユーザーは伸縮自在な部分を伸張させてＰＤＡの表示を目で見て、運動ルーチンをどのように実施するのかを段階的に理解することができる。ユーザーは運動期間全般に亘りずっと手を伸ばしたままで手順を見ながら運動を続けることができる。音声システムを使って、ユーザーに手順または運動ルーチンを変更するように告げることもできる。屋外で運動をする場合、ＰＤＡまたは格納庫２３９５は、天候条件などの情報や伝言までも受信する無線受信機を備えているとよい。格納庫２３９５は電源のほかに制御装置およびボタンを装備しており、反対側のアームがテレビで終端しているようにしてもよい。格納庫２３９５は画像およびビデオ会議の無線受信機を備えており、反対側のアームが表示装置およびカメラを保有しているようにしてもよい。
【０２７３】
図５９は、着用可能なビデオゲーム２４２０が天地反転Ｕ字型構造体２４３０を備えているのを例示しており、このような構造体は右アーム２４２２および左アーム２４２４を備えており、両アームは中央部２４２６によって接続されている。左アーム２４２４は伸縮自在な部分２４２８および可撓性の部分２４３０を含んでいる。可撓性の部分２４３０は電気コネクタ２４３２を装備しているとともに機械的な雄の嵌合式ホルダー２４３４で終端している。電気コネクタ２４３２はゲーム制御装置２４５４のケーブル２４５２に着脱自在に接続されている。右アーム２４２２は伸縮自在な部分２４３６と可撓性の部分２４３８を含んでいる。可撓性の部分２４３８は電気コネクタ２４４０、２４４２を装備している。コネクタ２４４０は部分２４３８の端部に機械的ホルダー２４４４と共同して配備されているとともに、表示装置２４４６に着脱自在に接続されている。電気コネクタ２４４２は部分２４３８の右側に配置されているとともに、電子箱体２４５０のケーブル２４４８に着脱自在に接続されているのが好ましい。ワイヤ２４２６は構造体２４３０の表面またはその内側に配備されて、ケーブル２４５２およびコネクタ２４３２によりゲーム制御装置２４５４を電気コネクタ２４４２に接続しているが、他方で、コネクタ２４４２は電子箱体２４５０に接続されている。ワイヤが部分２４３８の表面またはその内側に配備されているとともに、表示装置２４４６を電気コネクタ２４４２に接続している。電気コネクタ２４４２は表示装置２４４６とゲーム制御装置２４５４の両方をケーブル２４４８により電子箱体２４５０に接続することで、システムおよび電源を作動させることができるようにしている。箱体２４５０は、電源２４６６に加えて、中央処理装置とコプロセッサ２４６０、ディスクドライブ２４６２（または、メモリ媒体を読み取るドライブまたはシステム）、メモリ領域２４６４を備えているのが好ましい。構造体２４３０には別個のイヤホンを収めるためのポケット２４６８、２４７０が設けられており、またその代替例として、イヤホン集成体を着脱自在に接続するための１個の差込口２４７２が設けられている。１個の差込口２４７２を設けることで、２個のイヤホンに１個のプラグを装備している先行技術のイヤホン集成体を使用することができるようになる。
【０２７４】
本発明の着用可能な装具はいずれも差込口が１個設けられており、これは先行技術の装置で提案されているのと同じであるが、その目的として、本発明の着用可能な電子装具に先行技術のイヤホン集成体を使うことができるようにするためであると理解するべきである。
【０２７５】
図６０は、図５９のビデオゲームの改変された実施形態であり、右アーム２４７６に電気コネクタ２４７４が１個だけ設けられている構造体２４３０を備えており、このコネクタは表示装置２４７８に着脱自在に接続されている。構造体２４３０は左アーム２４８２にも電気コネクタ２４８０が設けられている。コネクタ２４８０はゲーム制御装置２４８４に着脱自在に接続されている。この実施形態においては、電子箱体は省かれており、電子機器類と電源が制御装置２４８４と表示装置２４７８の間で均等に分散されて、両機器は各々が同じ重量となるように図っている。表示装置２４７８は電源２４８６を格納しているのが好ましく、制御装置２４８４はディスク読取り装置２４８８のほかにＣＰＵとコプロセッサ２４９０、メモリ、および、それ以外の回路（図示せず）も同様に格納しているのが好ましい。制御装置２４８４は、制御装置２４７４、２４８０およびワイヤ２４９２により表示装置２４７８および電源２４８６に作動可能に接続された状態で、ディスク２４９０を受容して読み込みを行う。
【０２７６】
本発明は、手で把持して使う多様な装置を手の自由を束縛せずに済むようにする方法および装置を教示している。本発明の着用可能な電子装具は自動車の12 VDC煙草点火用プラグ補助電圧、または、コードによるAC電気差込口からの電源で作動することができ、着用可能な電子装具は未使用時に充電することができるものと理解するべきである。更にまた、部品間の通信は有線で行われるのが好ましいが、無線であってもよいものと理解するべきである。更に、生物学の分野および電子工学の分野の進歩も、本発明に従って有利に利用することができるようになるものと理解するべきである。本発明は着用可能な電子装置を教示しているが、これは、そのような装置が身体に装着され、電子機器であるために電気エネルギーを必要とするということを意味している。本発明は上述のような着用可能な電子装置を教示していることから、また、人体は１個の電気回路であって、体内の電気回路を利用するには身体に接触する必要があることを考慮して、身体の広い面積に接触することにより静止位置にある着用可能な電子機器は、身体に接触している最中に再充電が行われるのに適した構成にすることができる。同様に、身体に接触することにより右アームと左アームの間が接続されて電気回路として作用し、従って、右アームと左アームを接続するのにワイヤは１本も必要ではない。
【０２７７】
図６１は、本発明による収納コードの一実施形態の斜視図である。収納コード３０００はスリーブ３００１、３００２、イヤホン３００３、３００４、および、電子パッケージ３００５を備えている。他の実施形態に関連して既に先に説明されているように、電子パッケージ３００５はイヤホン３００３、３００４に電気接続されている。電子パッケージ３００５も、退避可能なコード（図示せず）を利用して、任意で収納コード３０００に接続される。
【０２７８】
電子パッケージ３００５が収納コード３０００内の格納位置から移動させられてユーザーの視野軸に持ってこられても、電子パッケージは退避可能なコードで依然として収納コード３０００に緩く取付けられたままである。これにより、電子パッケージ３００５を収納コード３０００上の元の位置に戻すのが容易になる。電子パッケージ３００５を収納コード３０００に相関的に移動させても、ワイヤ３００６、３００７を移動させることはなく、または、収納コード３０００にイヤホン３００３、３００２を接続することにはならないのが好ましい。すなわち、ワイヤ３００６、３００７は収納コード３０００に繋留されている。よって、電子パッケージ３００５が移動させられても（退避可能コードに取付けられているか否かに関わらず）、イヤホンが引張られてユーザーの耳から外れることはない。
【０２７９】
スリーブ３００１、３００２はラバーまたはネオプレンなどのような弾性材から作成されているのが好ましく、そのため、スリーブは取外すことができるが、眼鏡のつるに堅固に付着されている。開口３００８、３００９の寸法は、眼鏡のつるの上またはその周囲に抱くように嵌る程度に設定されるが、直径は約2 mmから15 mmの間であるのが好ましく、5 mmから12 mmの間であるのがより好ましい。或る好ましい実施形態では、収納コード３０００は眼鏡に取付けられる。これに代わる例として、後段でより詳細に説明されるように、開口３００８、３００９は眼鏡以外の、帽子などの着用可能な装具、または、壁や航空機の食事用トレイ台などの物体に配置された眼鏡つるのような付属品に取付けることができる。
【０２８０】
図６２は、図６１の収納コード３０００をユーザー３０１０が今まさに着用しようとしているところを例示している。ユーザー３０１０は眼鏡３０１１を着用しているところであり、眼鏡にはつる３０１２が備わっている。収納コード３０００は、スリーブ３００２が開口３００８から眼鏡つる３０１２の端部に被さってその上を滑る用意が出来ている。
【０２８１】
図６３は、図６１の収納コード３０００をユーザー３０１０が着用して使用しているところを例示している。スリーブ３００２は眼鏡つる３０１２に既に取付けが完了しており、ユーザー３０１０の頭部の背後の適所に収納コード３０００を保持している。イヤホン３００４は既に耳３０１３に装着完了しており、ユーザー３０１０は電子パッケージ３００５から伝達されてくる音響を聴くことができる。
【０２８２】
図６４は、本発明による収納コードの平面図である。収納コード３０２０はスリーブ３０２１、３０２２およびイヤホン３０２３、３０２４を備えている。電子パッケージ３０２５（この実施形態では、ＭＰ３プレイヤーまたはそれ以外のディジタル式記録フォーマット再生装置として例示されている）が収納コード３０２０に着脱自在に取付けられている。取付け方法は機械的取付けと電気的取付けの両方である。この実施形態における機械的取付け手段はベルクロ（図示せず）であり、ベルクロは電子パッケージ３０２５の下側の収納コード３０２０に設置されている。電子パッケージ３０２５はＵ字型の取付けフレーム３０２６を利用して、収納コード３０２０に機械的な態様で着脱自在に取付けられている。
【０２８３】
取付けフレーム３０２６は硬質素材から作成され、特に、硬質可塑材から作成されるのが好ましく、また、その寸法は、電子パッケージ３０２５がフレームの内側を滑動することができるような大きさに設定されているが、ここでは、取付けフレーム３０２６の最上位端縁が電子パッケージ３０２５の端縁と僅かに重なり合って、摩擦嵌めにより電子パッケージを適所に保持する。電子パッケージ３０２５は退避可能なコード（図示せず）により収納コード３０２０に電気的に取付けられる。退避可能なコードはポケット３０２７に保管され、特に、スプール（図示せず）に巻いて保持されるのが好ましい。イヤホン３０２３、３０２４は、ポケット３０２７の内側で収束するワイヤ（図示）を利用して、電子パッケージ３０２５に電気接続される。
【０２８４】
図６５は、本発明による収納コードのまた別な実施形態の斜視図を例示している。収納コード３０３０は、スリーブ３０３１、３０３２、イヤホン３０３３、３０３４、および、電子パッケージ３０３５を備えている。収納コード３０３０は格納ポケット３０３６、３０３７を更に備えており、これらポケットを使ってイヤホン３０３３、３０３４を保管する。スリーブ３０３１、３０３２は収納コード３０３０の主要本体部３０３８と同じ素材から作成することができるが、同じ素材で作成されている必要はないものと理解するべきである。例えば、主要本体部３０３８は皮革から作成され、スリーブ３０３１、３０３２はネオプレンから作成されるとよい。
【０２８５】
図６６は、本発明による収納コードのまた別な実施形態の斜視図である。この実施形態においては、収納コード３０４０は２種類の素材から作成される。スリーブ３０４１、３０４２は、ネオプレンまたはラバーなどのような弾性材から作成される。主要本体部３０４３は金属から作成されており、そのような金属素材は収納コード３０４０の外観を格式の高いものにし、礼服を着用しながら使用するのにふさわしいものにする。イヤホン３０４４、３０４５は、電子パッケージ３０４８に電気接続されて、収納コード３０４０に恒久的に取付けられたスプール３０４６、３０４７に保持されるが、コードは一部がスリーブ３０４１、３０４２に取付けられ、また別な一部は主要本体部３０４３に取付けられている。この実施形態では、他の実施形態と同様に、イヤホンはワイヤではなく関節アームを使って収納コードに接続されるのがよいと理解するべきである。
【０２８６】
図６７は、本発明による収納コードのまた別な実施形態の斜視図である。図６６の実施形態と同様に、収納コード３０５０は２種類の素材から作成される。エラストマー材から作成されたスリーブ３０５１、３０５２と金属から作成された主要本体部３０５３が接合部材３０５４、３０５５により接合される。関節アーム３０５６、３０５７は電子パッケージ３０５８に電気接続される。イヤホン３０５９、３０６０は関節アーム３０５６、３０５７に着脱自在に電気接続される。従って、未使用時には、イヤホンは収納コードから取外すことができるため、見えないところに保管することができる。
【０２８７】
収納コード３０６１の特殊な構成が図６８に例示されている。この特殊構成のまた別な詳細として、２層設計のコードがある。層は柔軟素材（ネオプレン）の厚い層３０６２ａと柔軟素材の薄い層３０６２ｂから形成されている。薄い層は厚い層よりも寸法が大きい。これら２種類の層の間にはワイヤが配備されている。第１層すなわち厚いほうのネオプレン層３０６２ａは小さなネジ（図示せず）で滑動用傾斜面を固定し、電子装置を受容している。第２層すなわち薄いほうの層３０６２ｂ（長さはより大きく、一緒に縫合されてスリーブ３０６３、３０６４を形成しているアームを含んでいる）は第１層の底面に縫い付けられている。
【０２８８】
この設計は快適さを供与して、ワイヤまたはネジが身体に接触することはない（ワイヤおよびネジはネオプレンまたはそれ以外の柔素材の２層の間に配置される）。これにより、スリーブはより薄手のネオプレン材から作成することができるようになり（耳の周囲にはネオプレンの量が少ないほどよく、痛覚線維の活性化も少ない）、厚手のネオプレンはネジやワイヤなど、何であれ硬いものが身体に触れるのを阻止することにより快適さを増すことができる。電子機器を保有している電子パッケージの箱体３０６６は、実際に、厚手のネオプレンにネジ留めされる。スリーブを形成している柔素材の非常に薄い層がそれとは異なる素材の２つの層の間に挟まれてもよいものと理解するべきである。
【０２８９】
スリーブ３０６３、３０６４はネオプレン３０６２ｂの端縁と端縁を合わせてかがり縫いすることにより作成され、かがり目３０６５を残している。電子パッケージ３０６６はネオプレン３０６２ａの部分に固着される。従って、かがり目３０６５と電子パッケージ３０６６はネオプレン３０６２ａの同じ側に位置する。よって、収納コード３０６１をユーザーが着用すると、電子パッケージ３０６６とかがり目３０６１の両方がユーザーの皮膚とは反対側に向き、ユーザーが感じる不快感を最小限に抑える。
【０２９０】
図６９は、図６８の収納コードの一部を例示している。イヤホン３０６７はワイヤ３０６９によって電子パッケージ３０６６に電気接続される。イヤホン３０６７は一部を中空スリーブ３０６３の内側に押し込むことにより収納される。マイク３０６８はワイヤ３０６９に接続されているため、イヤホン３０６７がユーザーの耳に装備されると、マイク３０６８がユーザーの声を拾って電子パッケージ３０６６（この場合は、携帯電話）に伝達する。
【０２９１】
図７０は、本発明による収納コードのまた別な実施形態の斜視図である。この実施形態においては、電子パッケージ（図示せず）は収納コード３０７１のポケット３０７０に固着される。ポケット３０７０はフラップ３０７２によって蓋をされるが、蓋はボタン３０７３、３０７４によって固着される。電子パッケージは、ポケット３０７０の中に収容されるとワイヤ３０７７、３０８８によってイヤホン３０７５、３０７６に電気接続される。ワイヤ３０７７、３０８８はイヤホン３０７５、３０７６からスプール３０７９の中を通って延びるが、スプールでワイヤはワイヤ３０８０に電気接続される。ワイヤ３０８０はスプール３０７９から電気コネクタ３０８１を通って延び、電気コネクタは電子パッケージに接続される。収納コード３０７１は、スリーブ３０８２、３０８３を利用して眼鏡（または、眼鏡つる状のコネクタ）に接続される。
【０２９２】
図７１は、本発明による収納コードの一実施形態を例示しているが、これは図７０に例示されている実施形態に類似している。両実施形態の差異は、収納コード３０８４を着用可能な装具に取付けるにあたり、スナップ留め具３０８５、３０８６を着用可能な装具側に取付けられた相補的スナップ留め具に取付けることによって実施される点である。着用可能な装具は、例えば、帽子や上着などがよいかもしれない。これに代わる例として、スナップ留め具３０８５、３０８６はまた別な装具、例えば、航空機のトレイ台や壁などに取付けられた相補的スナップ留め具に取付けられるとよい。この実施形態では、収納コード３０８４には、眼鏡に取付けるためのスリーブが設けられていない。
【０２９３】
図７２は、本発明による収納フレームの概略図を例示している。収納フレーム３０９０は滑り傾斜面構造３０９１およびスプールホルダー３０９７を備えている。スプール３０９２はスプールホルダー３０９７の内側に配備されており、ワイヤ３０９３を保持している。ワイヤ３０９３はコネクタ３０９４で終端し、コネクタは電子パッケージ（図示せず）に接続するのに適した構成となっている。コネクタ３０９４は電気コネクタか単なる機械的コネクタのいずれであってもよい。スプール３０９２がイヤホンに接続されるワイヤを保持するようにするとよい。
【０２９４】
構造体３０９０は電子パッケージを受容するような形状にされ、電子パッケージの最上位端縁が滑動して、滑り傾斜面構造３０９１の縁３０９５の下に潜り込む。電気コネクタ３０９４が電子パッケージに嵌め込まれて接続される。安定ピン３０９６は電子パッケージに設けられた穴に嵌め込むのに適した構成になっており、構造体３０９０の中で電子パッケージを安定させるのに役立つ。図７３Ａに例示されている実施形態では、電子パッケージはスプール３０９２によりイヤホン３０９９、３１００に電気接続されている。また別な実施形態では、接続は機械的接続のみであり、音声またはデータは電子パッケージから無線で配信される。
【０２９５】
収納フレーム３０９０は本発明による収納コードに取付けられる。ユーザーは、電子パッケージを目で確認したいと思えば、電子パッケージを滑らせて構造体３０９１から外に出し、自分の見えるところまで持ってくるが、この時、ワイヤ３０９３は電子パッケージとの接触を維持するためにスプール３０９２から伸び出している。スプール３０９２は、後退すると電子パッケージも一緒に構造体３０９１の中に引戻す。
【０２９６】
これは図７３Ａに例示されており、同図では、電子パッケージ３０９８はコネクタ３０９４により収納フレーム３０９０に電気接続されるか、または、その内部で合体させられる。イヤホン３０９９、３１００はワイヤ３１０１、３１０２により印刷回路基盤３１０３に接続される。印刷回路基盤３１０３から出てスプール３０９２までワイヤが延びていることにより、ワイヤ３１０１、３１０２、印刷回路基盤３１０３、ワイヤ３１０４、スプール３０９２、ワイヤ３０９３、および、コネクタ３０９４を介してイヤホン３９０９９、３１００を電子パッケージ３０９８に電気接続することができる。安定ピン３０９６は電子パッケージ３０９８の空洞３１０５に挿入される。
【０２９７】
図７３Ｂは、図７３Ａの実施形態を例示しており、電子パッケージ３０９８が収納フレーム３０９０から外に引き出されている点を例外として、図７３Ａとほぼ同じである。電子パッケージ３０９８は収容フレーム３０９０から引き離され、ワイヤ３１９３がスプール３０９２から引き出される。しかしながら、ワイヤ３１０１、３１０２が印刷回路基盤３１０３によって固定されているせいで、イヤホン３０９９、３１００はユーザーの耳から引き出されることはない。
【０２９８】
図７４Ａは、本発明による収納フレームの代替の実施形態を例示している。この実施形態においては、電子パッケージ３１０６はコネクタ３１０８によって収納フレーム３１０７に電気的および機械的に接続される。コネクタ３１０８はコイル状ワイヤ３１１３、印刷回路基盤３１１４、および、ワイヤ３１１１、３１１２を介してイヤホン３１０９、３１１０に接続される。
【０２９９】
図７４Ｂに例示されているように、電子パッケージ３１０６が収納フレーム３１０７から引き離されると、コイル状ワイヤ３１１３はコイルの巻きが解ける（巻きが伸びる）。しかしながら、印刷回路基盤３１１４がワイヤ３１１１、３１１２を固定しているせいで、ワイヤがユーザーの耳からイヤホン３１０９、３１１０を引き離すことはない。
【０３００】
本発明により、前述のように電子パッケージが収納コードから引き離されると、電子パッケージを収納コードに接続している退避可能なワイヤに張力が加えられる。これは、退避可能なワイヤがコネクタを引張って電子パッケージとの接続を切断してしまうかもしれないという危険があることを意味している。よって、電子パッケージのコネクタを固着する手段を設けるのが有用となる。
【０３０１】
図７５Ａおよび図７５Ａ１は接続安定装置３１１５の両側面を例示しており、接続安定装置は十字型で、本発明による収納コードから延びているコネクタピン３１１７を固定するためのクリップ３１１６を備えている。安定装置３１１５のアーム３１１８、３１１９、３１２０、３１２１は電子パッケージの４辺に固定される。これは、図７５Ｂ、図７５Ｂ１、図７５Ｂ２に例示されており、これらの図では、電子パッケージ３１２２の端縁はアーム３１２３によって固着されている。
【０３０２】
一実施形態では、接続安定装置３１１５の寸法は、複数の異なる寸法の電子パッケージに固着させることができるようにするために変動させることができる。当業者には分かることだが、接続安定装置３１１５の十字型は好ましい実施形態にすぎず、これ以外の形状も考えられるが、その場合の唯一の要件は、装置は電子パッケージに固定することができなければならず、接続ピンを固定することができなければならないということである。図７５Ｄ２は、接続安定装置３１２５の一部であるクリップのより詳しい細部を例示している。ホルダーアーム３１１６ａはコネクタ３１２６を銜え込む。
【０３０３】
図７５Ｃは、電子パッケージ３１２４が接続安定装置３１２５に取付けられているのを例示しているが、接続安定装置はコネクタ３１２６を電子パッケージ３１２４に固着させている。コネクタ３１２６はワイヤ３１２８によりスプール３１２７に取付けられている。接続安定装置３１２５はワイヤ３１２８の張力が電子パッケージ３１２４から外へコネクタ３１２６を引き出すのを阻止している。
【０３０４】
図７５Ｄ１は、コネクタ３１２６がアーム３１１６ａに向けて移動して図７５Ｄ２における係合状態になるまでを例示している。図７５Ｄ３および図７５Ｄ４は、同じ動きをそれぞれに頂面図で示したものである。
【０３０５】
音楽再生装置、電話機、ＧＰＳなどのような電子装置の寸法および形状はブランドごとに異なっている。本発明により、複数の異なる電子装置のみならず複数の異なるブランドの同等電子装置も同様に、収納コード集成体を使えば利用することができるようになる。電子コネクタが接続安定装置に着脱自在に取付けられるようにすることにより、複数の接続安定装置を利用することができるようになり、本発明の収納コードを使えば、複数の異なる電子装置を利用することができるようになる。従って、図７５Ａから図７５Ｄ４は、接続安定装置３１１５のアーム３１１６に向けてコネクタ３１２６が移動するのを例示している。接続安定装置３１１５の寸法は、ディジタル音楽再生装置、携帯電話、ＧＰＳ装置、または、それ以外の何らかの電子装置を受容するように設定されている。接続安定装置はコネクタに恒久的に取付けることができるものと理解するべきである。
【０３０６】
この実施形態においては、接続安定装置は代用ができず、或る装置の特定ブランドおよび特定モデルに適合するよう設計されている。従って、収納コードは、同一特定寸法かつ同一特定形状である装置しか受容できない。更に別な実施形態としては、調節可能なアームを備えていることで、複数の異なる寸法および形状の複数の装置を固定することができるようにした接続安定装置がある。
【０３０７】
また別な実施形態においては、電気コネクタなどのようなコネクタは、電子パッケージまたは電子装置に恒久的に取付けられる。恒久取付けにより、退避可能なコードによって張力が加えられた場合でも、コネクタが電子パッケージを引張り出すことが阻止される。よって、この実施形態においては、接続安定装置は必要ではない。電子パッケージは、ワイヤを装備している（退避可能なスプールワイヤで終端するのが好ましい）コネクタに恒久的に固着される。
【０３０８】
接続安定装置の代替の実施形態が図７６に例示されている。図７６は、スプール格納庫３１２９およびスライド傾斜面構造３１３０を例示している。スプール３１３１はワイヤ３１３２を含んでおり、ワイヤはコネクタ３１３３に接続されており、コネクタは電子パッケージ３１３４にプラグが差し込まれているのが例示されている。安定化ループ３１３５がコネクタ３１３３の周囲に設置されている。安定化ループ３１３５は、図７６Ａにより詳細に例示されているが、小型の鉤３１３６を備えており、この鉤を使って電子パッケージ３１３４に設けられたループ３１３７にフック留めする。安定化ループ３１３５、３１３７は、適切に取付けられれば、ワイヤ３１３２の張力を吸収し、コネクタ３１３３が電子パッケージ３１３４から引き抜かれるのを阻止する。コネクタのワイヤの周囲に固着されたストラップなどのような上記以外の接続集成体も考えられるが、ストラップにマジックテープ（登録商標）式固定具の表面部材が設けられて、これが電子装置に設けられたマジックテープ（登録商標）式固定具の表面部材に接続される。コネクタと電子パッケージとの間の接続を安定したものにする上記以外の手段も考えられるが、そのような手段も本発明の範囲に入るものと理解するべきである。
【０３０９】
図７７は、本発明のまた別な局面による、解剖学的に適正な形状にされた電話機を例示している。電話機３１３８は携帯電話か通常のコードレスフォンのいずれであってもよい。本体部３１３９は湾曲していることで、その形状をユーザーの頭部または身体の形状に一致させることができる。表示装置３１４０およびキーボード３１４１は電話機３１３８の外側湾曲面に配置されている。
【０３１０】
通例、解剖学的に適している装置は、痛覚受容器を活性化する圧力が無い場合には、次のような直径を有していることになる。すなわち、頭部については直径50 cmから80 cmであり、55 cmから75 cmであるのが好ましく、頭部の直径について最も好ましいのは60 cmから70 cmであるが、これは年齢で決まる。解剖学的に適している頚部装置の好ましい直径は30 cmから50 cmであり、35 cmから45 cmであるのが好ましい。
【０３１１】
頭部および頚部などの人体は完全に丸いわけではなく、従って、解剖学的に適している装置の代替の実施形態は２元的形状面が設けられており、この場合、中央部分は本質的に平坦で、縁周辺部は湾曲しており、身体各部に形状を一致させている。
【０３１２】
図７８に例示されているように、電話機３１３８は、矢印３１４３で示されているように、ケース３１４２に滑り込ませることができる。ケース３１４２はその一端に電気コネクタ３１４４が配置されている。電話機３１３８がケース３１４２に挿入されると、電気コネクタ３１４４は雌電気コネクタ３１４５に挿入される。ケース３１４２は前述の発明に従って収容コードに取付けることができる。その場合、電気コネクタ３１４４はイヤホンなどのような他の付属品類に電気接続される。
【０３１３】
電話機、カメラ、音楽再生装置などの（これらに限定されないが）電子装置は解剖学的に適正な形状にすることができる（すなわち、身体にぴったり合うように成型される）ものと理解するべきである。
【０３１４】
図７９Ａは、本発明による収納コードの一部を例示した斜視図である。湾曲したディジタル音楽再生装置３１４６は、表示装置および制御装置３１４８を備えているが、構造体３１５０およびスプールホルダー３１５１を利用して、収納コード３１４９に着脱自在に取付けられる。スプールホルダー３１５１は、図７２に関連づけて説明されているのと同じ内部構造を有しているとよい。
【０３１５】
図７９Ｂおよび図７９Ｃは、図７９Ａの収納コードの側面図および頂面図であり、収納コード３１４９、湾曲形状のディジタル音楽再生装置３１４６、構造体３１５０、および、スプールホルダー３１５１を例示している。ディジタル音楽再生装置３１４６はスプールホルダー３１５１の電気接続部（図示せず）によりイヤホン３１５２、３１５３に電気接続されている。収納コード３１４９は、例えば、スリーブ３１５４、３１５５を利用して、眼鏡に着脱自在に取付けられるとよい。
【０３１６】
図８０Ａ、図８０Ｂ、および、図８０Ｃは本発明のまた別な収納コードの斜視図、側面図、および、頂面図である。この実施形態においては、湾曲形状の電話機３１５６は、構造体３１５８およびスプールホルダー３１５９を利用して、収納コード３１５７に固着されている。スリーブ３１６０、３１６１を利用して、眼鏡（図示せず）またはそれ以外の着用可能な装具または物体に収納コード３１５７を固着させるとよい。湾曲形状の電話機３１５６は、スプール、印刷回路基盤（図示せず）などを利用して、ワイヤ３１６４、３１６５によりイヤホン３１６２、３１６３に電気接続されるとよい。マイク３１６６はワイヤ３１６５に機械的かつ電気的に接続されている。
【０３１７】
図８１Ａ、図８１Ｂ、図８１Ｃは、本発明による接続安定装置のまた別な実施形態を例示している。図７５Ａから図７５Ｃに例示されている実施形態に類似しているが、接続安定装置３１６７は一連のアーム３１６８、３１６９、３１７０、３１７１、３１７２を備えており、これらアームは、図８１Ｂに例示されているように、電子パッケージ３１７３の周囲に巻きつけて使用される。電気コネクタ３１７４はアーム３１７２に固着されており、従って、図８１Ｃに例示されているように、ワイヤ３１７５を利用して電子パッケージ３１７３が伸び出しされる場合にも、電気コネクタ３１７４は適所に保持されている。
【０３１８】
図８２は、本発明による解剖学的に適している電子パッケージのまた別な実施形態の側面図である。この実施形態では、電子パッケージ３１７６は別個の分節３１７７、３１７８、３１７９、３１８０を含んでおり、これらは蝶番で一緒に連結されている。この実施形態は、可撓性に富んでいる電子パッケージを備えているとともに、関節ハードウエア、可撓性回路、および、可撓性格納庫を備えている。図８３では、電子パッケージ３１７６は「屈曲」しており、分節３１７７、３１７８、３１７９、３１８０の蝶番が開いて互いに離隔し、曲線状の、解剖学的に適したプロファイルを生じている。
【０３１９】
図８４Ａ、図８４Ｂ、図８４Ｃ、図８４Ｄは、解剖学的に適しているフリップ式のディジタル音楽再生装置を例示している。ディジタル音楽再生装置３１８３は分節３１８４、３１８５を含んでおり、これら分節は蝶番３１８６で接続されている。表示スクリーン３１８１は分節３１８４上の位置があてがわれ、制御機構３１８２は分節３１８５上があてがわれる。分節３１８４、３１８５は蝶番３１８６を中心として旋回させられて、小型の電子パッケージを提供することができる。
【０３２０】
図８５Ａ、図８５Ｂ、図８５Ｃは、本発明による収納コードのまた別な実施形態を例示している。この実施形態においては、収納コードはクリップ３１８７によりユーザーに固着されている。クリップはイヤホンと、退避可能なコードを装填したスプール（図示せず）の格納庫とを備えており、アーム３１８７ｃ、３１８７ｄ、３１８７ｅによってパッド３１８７ｂ上にディジタル音楽再生装置３１８７ａを保持するのが好ましい。
【０３２１】
図８６Ａから図８６Ｅは、図８５の収納コードの変形例を例示しており、ここでは、電子パッケージは、パッド３１８７ｂを備えている掴み具３１８７ａを用いて収納コードに固着されている。掴み具３１８７ａは複数の異なる寸法の電子パッケージに適合するように調節することができる。電子パッケージを収納コードに固着する他の手段も利用することができ、例えば、図８７Ａから図８７Ｆの３本の偏倚フックまたはアーム３１８７ｃで電子装置を押さえ付ける例、図８８Ａから図８８Ｃの弾性バンド３１８７ｄで電子装置を押さえ付ける例、および、図８９Ａから図８９Ｃの弾性網パウチ３１８７ｅで電子装置を押さえ付ける例に見られるようなものが利用できるものと理解するべきである。マイクはイヤホン用のワイヤと電気的および機械的に一体にされている。
【０３２２】
図９０は、本発明による収納コードのまた別な実施形態の斜視図である。この実施形態においては、収納コード３１８９のスリーブ３１８８は固着手段３１９０に取付けられており、この事例では、固着手段はヘッドバンド３１９１に取付けられている。固着手段３１９０は眼鏡のつるの端部のように成型された棒状構造として図示されているが、具体例としてスナップ嵌め式ボタンやベルクロ片などがあり、恒久的にか、または、着脱自在にか、いずれかの態様でヘッドバンド３１９１に取付けられる。この実施形態は図９１に接続された形態で例示されている。
【０３２３】
図９１Ａおよび図９１Ｂは、本発明の収納コードと併用するための取付クリップの頂面図および側面図である。取付け付属具３１９２は丸天井部材３１９３に接続されており、この丸天井部材は任意でクリップ３１９５を中心として矢印３１９４で図示されているように回転することができる。クリップ３１９５が着用可能な装具に取付完了すると、本発明による収納コードのスリーブが取付け付属具３１９２に取付けられて、収納コードをユーザーに固着する。図９２Ａおよび図９２Ｂに例示されているように、取付け付属具３１９２は伸縮自在であってもよい。取付け付属具３１９２はその端部にスナップ嵌めボタン、ベルクロ面、および、それ以外の固定手段が設けられており、収納コード側の相補的固定手段に取付けられるようになっている。次に、図９３に例示されているように、クリップがヘッドバンド３１９６などのような着用可能な装具に取付けられる。更に、この実施形態の具体例としては、少なくとも１個のクリップおよび１本の収納コードを包含しているキットが挙げられる。
【０３２４】
取付け付属具３１９７、３１９８を回転させて下向きにすることにより、収納コード３１９９を取付けるにあたり、コードがユーザーの後頚部側ではなくてユーザーのあごの下を巻くようにして取付けることも考えられる。これは図９４に例示されている。図９５は、本発明により、クリップ３２００がシャツ３２０１またはそれ以外の着用可能な装具に取付けられて収納コード３２０２を取付けることができるようにした態様を例示している。
【０３２５】
図９６Ａおよび図９６Ｂは、本発明による収納コードと併用するヘアバンドを例示している。ヘアバンド３２０３はその端部に取付け付属具３２０４、３２０５を備えている。
取付け付属具３２０４、３２０５は、矢印３２０６で例示されているように回転することができる。図９７は、ヘッドバンド３２０８に取付けられている収納コード３２０７を例示している。
【０３２６】
本発明により、取付け付属具を着用可能な装具に恒久的に取付けて、スリーブやスナップ嵌めボタンなどを備えている収納コードに着用可能な装具を和合させることもできる。これは図９８に例示されており、自転車ヘルメット３２０９が取付け付属具３２１０を備えているのを図解している（また、同じ様なものが反対側にも設けられているが、図示されていない）。これで、収納コード３２１１を取付けて使用に付すことができる。
【０３２７】
これに代わる例として、図９９に例示されているように、本発明の収納コードはヘルメット３２１２などのような着用可能な装具に恒久的に取付けることができる。ユーザーは電子パッケージ３２１３を引張り出してそれを目で見てから、退避可能なコード（図示せず）の支援で電子パッケージを元の位置に戻すことができる。
【０３２８】
図１００Ａから図１００Ｆは、本発明による収納可能なコードのまた別な実施形態を例示した幾つかの図を例示している。この実施形態においては、収納コード３２１４は剛性材から作成されており、ユーザーの頚部または肩（もしくは、それ以外の身体部分）の周囲に適合する形状になっている。イヤホンは、図示のように、ワイヤまたはアームを利用して取付けられるようにしてもよい。このような実施形態においては、収納コードは新たな着用可能な装具に取付けずとも利用することができる。
【０３２９】
図１０１Ａから図１０１Ｄはユーザーの耳の周囲に剛性の取付け付属具を固着するシステムを例示しているが、このようなシステムが有用となるとすれば、ユーザーが帽子やシャツを着用していない場合である。同様に、収納コードの両端部はユーザーの耳の周囲に適合するように成型されて、収納コードをユーザーに固着させることができるようになっている。付属具には折畳み可能な部分が設けられており、例えば、マイクを特定位置に設置することができるように図っている。付属具のアームはその自由端にスナップ嵌めボタン、ベルクロ面、または、それ以外の固定手段が設けられており、これは収納コード側の相補的固定手段に取付けることができる。
【０３３０】
図１０２Ａおよび図１０２Ｂは、本発明による収納コードのまた別な実施形態を例示している。この実施形態においては、収納コード３２１５の全ての構成要素が柔軟で、ユーザーの快適さを最大限に向上させている。電子パッケージ３２１６はポケット３２１７に格納されており、ポケットは開放状態のままでも（図に例示されているように）、封鎖可能にされていても（ジッパー、ボタン、または、それ以外の封鎖機構）、いずれであってもよい。退避可能なスプール３２１８が封を閉じたのポケット３２１９に格納されており、ワイヤ３２２２、３２２３を介してイヤホン３２２０、３２２１と電気接続されている。
【０３３１】
図１０２Ａおよび図１０２Ｂは、本発明のまた別な実施形態が互いに異なる長さのイヤホンコードを含んでいるのを例示している。図１０２Ｂに例示されているように、イヤホンコードの露出部分の長さは同じである。しかしながら、図１０２Ａは、イヤホンコード３３２２の全長（露出部分と露出していない部分）がイヤホンコード３３２３の全長（露出部分と露出していない部分）よりも短いのを例示している。
【０３３２】
図１０２Ｃは、本発明による収納コードのまた別な実施形態を例示している。この実施形態においては、スナップ嵌めボタン３２１５ａは両アーム３２１５ｂの各々の端部に配置されており、例えば、着用可能な装具の側に取付けられている相補的ボタンに固定するようになっているとよい。図１０２Ｃは、退避可能なコードを装填したスプール３２１９ａが露出しているのを例示したポケット３２１７の切取り図であるが、ここでは、コードは伸張した位置にあって、電子パッケージ３２１６がポケット３２１７の外側に置かれている。
【０３３３】
図１０３は、本発明のまた別な有用な実施形態を例示している。この実施形態においては、収納コード３２２４は、ブルートゥース（Bluetooth）受信機３２２５などのような着脱自在な無線装置を装備しており、このような受信装置は近隣にあってブルートゥースが使用可能な、例えば、ＭＰ３プレイヤーや電話機などのような装置３２２５ｂ、３２２５ｃからの信号を受信することができる。ブルートゥース受信機３２２５はこのような信号を受け取るとそれらを音声としてイヤホン３２２５ａによりユーザーに配信する。これにより、ユーザーは複数の電子装置を身近に置いたままで（例えば、上着のポケットの中や書類鞄の中など）、複数の電子装置を同時に使用することができる。ユーザーは、受信機に配置された簡易ボタン３２２５ｄを操作することにより、どの装置が自分の耳に音声を配信するかを決めることができる。この実施形態では、収納コードはマイクを装備していてもよく、また、収納フレームにマイクとの接続部（図示せず）が設けられていてもよいが、このようなマイクはブルートゥース受信機側の相補的接続部からの信号を受信するのに好適な構成となっている。
【０３３４】
図１０４Ａから図１０４Ｄに例示されているまた別な実施形態においては、ブルートゥース（Bluetooth）受信機、または、それ以外のＡＭラジオ受信機またはＦＭラジオ受信機３２２５ｆなどのような受信機によって代表される無線装置が、収納コード３２２５ｅに設けられたコネクタに接続されてもよいし、または、そこに恒久的に取付けられてもよいが、このような無線装置はまた別な電子パッケージ３２２５ｇからの信号を受信するコネクタを装備している。従って、ディジタルプレイヤーは、例えば、収納コードに取付けられているブルートゥース装置と接続することにより無線通信が可能にされるようになっているか、または、収納コードに取り付けられているＦＭラジオ受信機と接続することによりＦＭラジオ通信能力を有するようになる。この実施形態には２種類のコネクタが設けられており、すなわち、収納フレームに第１コネクタが１個、収納フレームに格納されている電子パッケージに第２コネクタが１個、装備されているとよい。
【０３３５】
図１０５は、収納コード３２２４に搭載されているブルートゥース（Bluetooth）受信機３２２５として例示されている無線装置が多数の発信源３２２５ｈ、３２２５ｊから信号を受信し、これら発信源からユーザーに音声を配信することができる態様を例示している。ブルートゥース装置３２２５は収納コードに着脱自在に取付けられて、収納コードのコネクタに接続されるのが好ましい。
【０３３６】
図１０５で分かるように、収納コードのイヤホンコードとマイクを一体型にすることにより、本発明は、マイクを保管するための格納庫を必要とはしない特化型の新規なブルートゥース装置を提示している。ブルートゥース装置は収納コードに格納されて、図７２に例示されているようにコネクタによって接続される。
【０３３７】
ブルートゥース（Bluetooth）装置が収納コードのコネクタに接続された後で、ブルートゥース装置とマイクを装備したイヤホンのワイヤとの間に電気接続が設けられる。ブルートゥース装置の差込口は収納コードのコネクタを受信するのに適した構成になっており、この場合、コネクタはオーディオプラグとして図示されている。従って、本発明のブルートゥース装置は、その構造部にマイクを装備している必要がないために構成が単純で価格も安くなり、それは、装備されているマイクが内蔵マイクであるかブルートゥースに有線接続されているマイクであるかを問わない。
【０３３８】
イヤホンを備えている収納コードによって、本発明のブルートゥース（Bluetooth）装置はスピーカーを必要としない。従って、本発明のこのようなブルートゥース装置は、無線信号（例えば、オーディオ信号など）を受信する受信機と、オーディオ信号をブルートゥース装置のオーディオ用差込口に搬送する受信回路およびワイヤとを備えており、ここでは、オーディオ用差込口は収納コードのコネクタに接続されており、このコネクタはイヤホンに接続している。
【０３３９】
このように、ブルートゥース（Bluetooth）装置は音声をイヤホンに配信する。マイクがイヤホンコードと一体にされているせいで、音声信号はブルートゥース装置まで逆搬送することができるが、この音声信号の搬送は、送信回路と音声信号はもう１つの別なブルートゥースが使用可能な装置に送信するための送信機によって行われる。
【０３４０】
スピーカーもマイクも装備していない場合、ブルートゥース（Bluetooth）装置の格納庫は少なくとも１個のオーディオコネクタしか格納しておらず、このような格納庫には送信機と受信機のモジュールは備えられており、また、このモジュールに付随する送受信回路、電源、および、それ以外の共通部品であって、例えば、増幅器、アンテナ、および、着信に応答したり音量制御をするための各種機能ボタンも装備されている。この実施形態に加えて、本発明はそれ以外の新規な無線通信装置も図１８から図２３Ｃおよび図３４Ｄから図３４Ｇで教示している。
【０３４１】
図１０６は、本発明による収納コードのまた別な実施形態を例示している。この実施形態においては、電子パッケージ３２２６は着脱自在な赤外線放射遠隔制御装置３２２７（テレビ遠隔制御装置に類似している）を利用して制御することができるが、そのような制御装置は、未使用時は、収納コードに格納することができる。赤外線受信装置３２２７は電子パッケージ（図示しているような）に配置されてもよいし、或いは、好ましくは、受信装置３２２７ａのようにイヤホンワイヤのうちの１本に取付けられるか、または、収納コードに搭載された受信機３２２７ｂのように取付けられてもよい。図中の位置にある場合は、遠隔制御装置を利用して作動させるほうが容易である。電子パッケージ３２２６の収納コードは、指つまみ用の窪み３２２７ｄ、３２２７ｅが設けられているホルダー３２２７ｃに退避可能に取付けられている。
【０３４２】
図１０６Ａは、ユーザー３２２７ｆが収納コード３２２７ｈに接続されている眼鏡３２２７ｇを着用しており、赤外線遠隔制御装置３２２７ｉが信号３２２７ｊを発信して電子パッケージの機能を制御しているのを例示している。赤外線受信装置３２２７ｋはイヤホンまたはスピーカー３２２７Ｌ（Ｌは図中では小文字）の表面に配置されている。図１０６Ｂは図１０６Ａに類似しているが、赤外線受信装置３２２７ｋは収納コード３２２７ｈのアームに配置されている。
【０３４３】
図１０７は、先に説明したものに類似している実施形態を例示しているが、但し、退避可能なコードが無いせいで、イヤホンに接続したままでいるためには電子パッケージが収納コード上で静止している必要がある点を例外とする。これは、電子パッケージを制御する唯一の実用手段は遠隔制御であることを意味している。このような構成により、収納コードの部品個数を最小限に抑えている。
【０３４４】
図１０８Ａおよび図１０８Ｂは、図１０６および図１０７の実施形態と併用するための遠隔制御装置を例示している。遠隔制御装置は使用時には発信方向がユーザーの方を向いているせいで、図１０８Ａに例示されているように、装置に通常現れるパターンとは数字が逆になり、すなわち、制御装置がユーザーに照準を当てると、図１０８Ａのように「正逆反転」する。本発明は、図１０８Ｂで分かるように、数字および文字（英数符号）の上の部分が赤外線放射装置から遠い方を向く、新規な遠隔制御装置を教示している。これに代わる例として、赤外線放射装置３２２８は装置の主要軸線に直交する軸線沿いの先の方向を照準とすることで、装置を向けると、赤外線信号がＬ字型形状を描くようにユーザーの方へ後ろ前を向くようにしてもよい。
【０３４５】
図１０９は、電子パッケージ３２２９ａが恒久的に取付けられている場合の収納コード３２２９を例示している。充電ポート３２２９ｂは電子パッケージを充填するために設けられている。
【０３４６】
図１１０は、また別な実施形態を例示している。この実施形態では、電子パッケージは電話機である。しかしながら、電話機の最も重量があり最も嵩張る部品（例えば、電池３２２９ｄ、長距離アンテナ３２２９ｅ、および、これに付随する、ブルートゥース（Bluetooth）モジュールなどのような無線通信モジュール（図示せず）など）は収納コード３２２９ｆに恒久的に取付けられる。ユーザーの手の届く必要がある電話の部品（例えば、ダイアルパッドや表示装置など）は、ブルートゥースプロトコルを利用してシステムの残余の部分と通信する小型で着脱自在な装置３２２９ｃの上に取付けられたままである。これは、図３９に関連して既に説明したシステムに類似している。このような集成体は、携帯電話に制御ボタンおよびダイアルパッドのインターフェイスの機能を果たさせて、電話自体の寸法はクレジットカード程度にすることができる。２種類の送信装置が考えられる。すなわち、（１）掌サイズの装置に無線送信機が搭載された無線装置、および、（２）掌サイズの装置が収納コードに有線接続されている有線装置、である。
【０３４７】
図１１１は、収納コードが電子パッケージを保管しない代わりに、ワイヤ３２３０により電話システムなどのまた別なシステムと通信する実施形態を例示している。この実施形態では、収納コードはヘッドセットとして機能するだけであり、マイクおよびスピーカーを装備していてもよい。
【０３４８】
図１１２は、電子パッケージが雑音排除信号を生成することで、本来なら騒々しい環境（例えば、航空機内など）でユーザーに静寂を提供するのを支援する実施形態を例示している。この信号３２３２は、有線または無線のいずれかで受信機３２３４に送信される。受信機は赤外線受信機およびバッテリー電源を装備している。
【０３４９】
図１１３および図１１４は、一連の嵌め合いボタン３３３１、３３３２を利用して帽子３２３６に接続される、本発明による収納コードを例示している。多数のボタンは電子機器を堅固に把持することを確保するとともに帽子の寸法を調節自在にし、同時に、収納コードを抱くように身体に密着させておくことを可能にする。これは、ハイキングでよく利用されるように、電子パッケージが双方向ラジオである場合には特に有用な構成である。図１１４では、マイク３３３３により、ユーザーは発話をして、その音声を帽子３２３６に固着されている双方向ラジオにより転送させることができるようになる。通常は、双方向ラジオは垂直アンテナを本体の一部として装備している。本発明の特殊な双方向ラジオは折畳み可能なアンテナを備えており、図１１３で分かるように、小型システムおよび寸法を減じた装置を帽子の背面に快適に格納することができる。
【０３５０】
図１１４では、アンテナは畳まれていたのを開いて伸張した位置にあるのが分かる。使用時には、アンテナの軸線はラジオの格納庫の軸線に直交しており、従って、ラジオシステムの全長を最小限に抑える。これは、アンテナがラジオの先端に設置されて全長が増している先行技術の双方向ラジオとは逆である。
【０３５１】
図１１５では、特化された帽子３４００の２本のアーム３４０２、３４０４が端部３４０６、３４０８に固定されているため、アームの自由端が互いを指しているのが例示されている。収納コード集成体３４１０は多様な実施形態で前述のように使用される。しかしながら、収納コード集成体の背面には、帽子３４００の固定端部３４０６、３４０８の間の距離に対応して２個の穴が互いから離隔して配されている。矢印３４１２の方向に収納コード集成体を移動させることにより、収納コード集成体はそれ自体とアーム３４０２、３４０４の相互係合により、帽子３４００の側面に取付けることができる。
【０３５２】
図１１６においては図１１５の代替の実施形態が例示されているが、ここでは、マジックテープ（登録商標）の２組の固定具３４１４が帽子３４００の側面に配置されて、収納コード集成体３４１０と協働する。収納コード集成体３４１０はその裏側に２組の相互対面式のマジックテープ（登録商標）式固定具が設けられて、帽子側に取付けられたマジックテープ（登録商標）式固定具と係合する。
【０３５３】
図１１７Ａおよび図１１７Ｂにおいては、自転車ヘルメット３４１に複数の互いから離隔された開口３４１８ａ、３１８ｂ、３４１８ｃ、３４１８ｄが設けられているのが例示されている。収納コード集成体３４２０の裏側にはクリップ３４２２が配置されている。クリップの両アームは互いから離隔されており、矢印３４２４の方向に移動させてヘルメットの上面と係合させることにより、陥凹部３４１８ｂ、３４１８ｃに嵌合する。前述のように、イヤホン３４２６はユーザーの耳に挿入することができる。この実施形態においては、図１１７Ａで分かるように、収納コードは剛性プレートを備えているようにしてもよい。
【０３５４】
図１１８では、シャツ３４２２に２個の互いから離隔されたボタンまたはスナップ嵌め部材３４２６が設けられているのが例示されている。図１１９を参照すると、収納コード集成体３４２８はその裏側に、２個の対応するボタンまたはスナップ嵌め部材（図示せず）が図１１８の２個のボタン３４２６の離隔距離に等しい距離だけ互いから離して設けられているのが例示されている。本実施形態の収納コードは、２個の退避可能なコードスプールが設けられた特殊な構成を呈しており、スプールの一方はイヤホン用であり、もう一方は電子パッケージ用である。上の矢印は天を指しており、これは、イヤホンを引張った場合の移動方向である。下の矢印は地を指しており、電子装置を引張った場合の移動方向を示している。図１２０に例示されているように、収納コード集成体３４２８は使用に付すためにユーザーによってシャツ３４２２に取付けられたものである。
【０３５５】
スナップ嵌めボタン集成体のイメージは、収納コードの下位部分に２重円で示されている。
【０３５６】
図１２１Ａから図１２１Ｅに例示されているような代替の実施形態においては、収納コード集成体ポケット３４３０はその片方のポケットには電子装置３４３２を入れる空間が設けられ、その同じポケットの上のポケットには２本の退避可能なコード３４３４、３４３６を入れる空間が設けられている。イヤホン３４４０も上のポケット３４３８に収容されている。イヤホンはコードにより退避可能なコード機構３４３６に接続されているが、電子構成部材３４３２がコードにより退避可能なコード機構３４３４に接続されている。
【０３５７】
図１２１Ａにおいては、電子構成部材３４３２と、マイク３４４２を装備したイヤホン３４４０とがポケット３４３０、３４３８の外側の伸張位置に例示されている。ポケットの裏側にはピン３４４４が配置されて、シャツまたはそれ以外の衣類の表面に集成体を固定している。図１２１Ｄに例示されているように電子構成部材が集成されてパッケージにされると、見た目に美しく喜ばしい、着用可能な集成体が形成される。図１２１Ｅに例示されているように、集成体は着用者のシャツ３４４６に固着されている。
【０３５８】
図１２２Ａから図１２２Ｄでは、集成コード集成体３４５０が例示されている。集成体の片側には、ＭＰ３プレイヤーのような電子装置３４５４およびイヤホン３４５６を受容するための受容部３４５２が配置されている。集成体の反対側には、携帯電話３４６０を受容するための個室３４５８が設けられている。２個の個室３４５４、３４６０が集成体３４５０の両側で片側に１室ずつ配置されている。図１２２Ｃは、携帯電話３４６０が個室内部に取付けられて退避可能なコード集成体３４６２に接続されているのを例示している。集成体３４５０の片側には、ＭＰ３プレイヤー３４５４と、ＭＰ３プレイヤー３４５４の退避可能なコード集成体３４６２と、イヤホン３４５６の退避可能なコード集成体３４６４とが格納されている。
【０３５９】
ＣＰＵ３４６６はＭＰ３プレイヤーと電話機３４６０の両方を制御しているため、例えば、ＭＰ３プレイヤー３４５４の再生中に電話の呼び出しを受けた場合、再生動作は一時的に中断または停止されて、電話の呼び出しに応答することができる。電話呼び出しが終わったことを検出すると同時に、ＣＰＵがＭＰ３プレイヤー３４５４の再生動作を再開する。
【０３６０】
図１２３Ａおよび図１２３Ｂにおいては、携帯電話３４７０には２本の接続アーム３４７２が設けられているのが例示されている。アーム３４７２は先に例示して説明したような収納コード集成体と協働するのに適した構成にされ、ユーザーの頚部を巻いて収納コードを繋留し、ユーザーの正面に携帯電話３４７０がぶら下るようになっている。アーム３４７２の両端にはスナップ嵌めボタンやベルクロ面などが設けられていてもよい。
【０３６１】
図１２４Ａから図１２４Ｃと図１２５には、航空機の座席などのような椅子３４７６の背面に収納コード集成体３４７４を取付けるための機構が例示されている。折畳み式で退避可能な２本の互いに平行な突出アーム３４７８が椅子３４７６の背面から突出している。収納コード集成体３４７４の両端部が矢印３４８０の方向に移動させられて、両アーム３４７８の自由端３４８２に係合している。図１２４Ｃに例示されているように、収納コード集成体３４７４および電子構成部材３４８４は椅子の背面からぶら下げられるようになっている。これに代わる例として、図１２５に例示されているように、２本の支持アーム３４８６、３４８８が椅子３４８６の異なる高さに配置されている。この構成では、収容コード集成体３４９０の両端部３４９２、３４９４がアーム３４８６、３４８８に固定される。
【０３６２】
図１２６Ａから図１２６Ｃにおいては、プラットホーム３４９６は、収納コード集成体３５０２の自由端３５００に係合するように旋回アーム３４９８を備えているのが例示されている。自由端３５００はアーム３４９８の上に被さるように強制され、図１２６Ｃで分かるように、適所に配備されて、特定位置および特定配置で収納コード集成体を配置させる。再充電ポート３５０４およびＵＳＢ接続部３５０６はプラットホーム３４９６にあって、収納コード集成体３５０２およびそれに付随する電子機器を大規模増幅システムと接続するか、または、単に収納コード集成体のポート３５０８により第２のステレオイヤホン集成体を接続する目的を担っている。ポート３５０８により、長いほうのイヤホンコードを収納コードに接続することができるようになる。これにより、収納コードが身体から遠い位置に配備される場合、例えば、ビデオ映像を観賞する場合には、長いほうのイヤホンを使うという選択をユーザーが行えるようになる。アーム３５９８の自由端にはスナップ嵌めボタンやベルクロ面などが設けられて、収納コード側の相補的固定手段を支える。
【０３６３】
図１２７Ａから図１２７Ｄにおいては、プラットホーム３４９６は万能接続部３５１２により旋回自在にロッド３５１０に取付けられる。図１２７Ｃおよび図１２７Ｄに例示されているように、プラットホーム３４９６は旋回して、所望位置に適合するように、どの特定位置にでも進むことができる。
【０３６４】
同様に、図１２８Ａから図１２８Ｄにおいては、プラットホーム３４９６はここでもロッド３５１０の頂端に搭載されている万能継手３５１２に取付けられる。しかしながら、この実施形態においては、三脚集成体３５１４はロッド３５１０の下端を支持し、三脚および収縮自在なロッド集成体３５１０の高さ分だけ、プラットホーム３４９６を持上げるようにしている。
【０３６５】
図１２８Ｅから図１２８Ｋにおいては、プラットホーム３４９６はその後端の自由端３５１８で取付けられているＵ字型ロッド３５１６により支持される。図１２８Ｉに例示されているように、プラットホームは平らに置かれてもよいが、図１２８Ｊに例示されているように約70個の角度に傾斜させられたり、図１２８Ｋに例示されているように90度の角度に傾斜させられてもよい。図１２４から図１２８Ｋに例示されている集成体により、収納コードを手の自由を束縛しない映像観賞用ステーションにすることができる。
【０３６６】
図１２９Ａから図１２９Ｃにおいては、解剖学的に適合する湾曲形状の電話機３５２０の代替の実施形態が例示されている。湾曲形状の電話機は図１２９Ａの揺り籠状部材３５２２に取付けられる。図１２９Ｂの頂面図に示されているように、電話機３５２０は揺り籠状部材３５２０に載置されて、呼出しダイアルをするようにキーパッド３５２４が露出した状態にある。これに代わる例として、図１２９Ｃに例示されているような電話機の裏側には、電話機が専用キーパッド３５２６とディジタル表示装置３５２８を備えている。電話機の一端はスピーカー部３５３０であり、反対端はマイク部３５３２である。電話機３５２０は、その曲率のせいで、図１３０に例示されているように、着用者の後頚部に設置することができる。
【０３６７】
スピーカー部３５３０およびマイク部３５３２は電話の中央部から剛性コードによって伸縮自在に張り出して、着用者の後頚部に電話機が設置されると、スピーカーは着用者の耳の脇に置かれ、マイクは着用者の口に隣接した位置に張り出す。このような集成体の配置は図１３１により良好に例示されている。電話機には剛性コードを格納する複数の空洞が設けられている。
【０３６８】
また、平たい電話機を代用にすることもでき、身体部分の周囲に固着するための伸縮自在なアームが設けられているとよいとも理解するべきである。張り出していない位置にある電話機が占める長さは15 cmから30 cmの間であるのが好ましい。
【０３６９】
図１３２Ａおよび図１３２Ｂにおいては、電話機３５５０が中央部３５５２、旋回自在に取付けられて自由端にマイク３５５６を装備した第１アーム３５５４、および、旋回自在に取付けられたもう一本の別な第２アーム３５５８を備えているのが例示されており、第２アームには、退避可能なコード３５６２によって接続されている着脱自在に取付けられたイヤホンが設けられている。図１３２Ｂに例示されているように両アームが外向きに旋回させられると、電話機はユーザーの後頚部に載置することができる形状になる。この位置で、電話機３５５６およびイヤホン３５６０は通信用に使われる。しかしながら、図１３２Ａに例示されているようにアームが畳まれると、第２マイク３５６４および第２スピーカー３５６６の使用時には、平坦面３５６８がユーザーの耳に当接支持された状態に維持することができる。よって、マイクおよびスピーカーの冗長性により、本発明の電話機はユーザーの肩を跨いで垂れ下げられるような形態で使用されてもよいし、または、通常の電話機のようにアームを折畳んだ状態で使用されてもよい。
【０３７０】
図１３３では、首巻式電話機３５７０のマイク３５７２が旋回自在なアーム３５７４の自由端に設けられ、耳掛け部材３５７６が退避可能なワイヤ３５７８に接続されているのが例示されている。図１３４により詳細に例示されているように、電話機３５７０の馬蹄形の剛性部は着用者の頚部を巻いて伸張することができる。図１３５に例示されているような代替の実施形態においては、電話機の一端３５８０は厚みが減じられたせいで重量が軽くなっているうえに、折畳めるので、着用者のポケットの中に電話機を入れておくことができる。
【０３７１】
図１３６Ａおよび図１３６Ｂに例示されているような代替の実施形態においては、馬蹄形の電話機３５８２は着脱自在に取付けられたキーパッド３５８４を備えており、このキーパッドにはスピーカーと耳クリップ３５８６が設けられており、着用者の耳３５８８を巻いて適合するするとともに、着脱自在なコード３５９０によって電話機に接続されるようになっている。コード３５９０を伸張させることにより、キーパッドは着用者の正面位置に置かれ、目で確認しながら電話番号をダイアルすることができるようにするとともに、電話の接続中は、着用者の耳３５８８の周囲に設置することができるようになっている。マイク３５９２は旋回アーム３５９４の自由端に置かれている。キーパッドは馬蹄形の電話機のどの位置にでも配置することができる。
【０３７２】
図１３７では、剛性の馬蹄形支持体３５９６には２個の着脱自在に搭載された耳掛け部材３５９８が設けられており、これらは退避可能なコード３６００により剛性の支持体３５９６に接続されている。終端アーム３６０２は剛性支持体３５９６に旋回自在に取付けられており、頚部で支える電話機の全寸法相当部を折畳むようになっている。電子構成部材パッケージ３６０４は、その具体例として音楽装置があるが、電話機の後部に取付けられるとともに、剛性的に接続されてもよいし、動作を容易にするには退避可能なコードで接続されてもよい。
【０３７３】
図１３８には、湾曲形状の電話ハンドセット３６０６にキーパッド３６０８および表示装置３６１０が設けられているのが例示されているが、表示装置はハンドセットの一方面に配置されている。その裏面には、点線で例示されているように、スピーカー３６１２およびマイク３６１４が置かれている。ハンドセットの曲率半径は着用者の後頚部に適応している。スピーカーおよびマイクをキーパッドおよび表示装置とは反対側に設置することにより、電話機は２元的な目的用途に使え、着用者の頚部に取付けることもできるし、手で把持されてもよい。
【０３７４】
図１３９においては、収納コード集成体３６１６は、ＦＭ送信機３６２０が取付けられた、ＭＰ３プレイヤーなどのような音楽装置３６１８を備えている。音楽装置３６１８およびＦＭ送信機３６２０は収納コード集成体に着脱自在に搭載されて、この送信機３６２０から収納コード集成体に取付けられているＦＭ信号受信機３６２２にＦＭ信号を送信することにより、音楽装置３６１８をユーザーが携帯したままで、収納コード集成体３６２２のＦＭ受信機送信された信号をイヤホン３６２４で再生することができる。
【０３７５】
図１４０においては、剛性のＣ字型頚部支持体３６２６が着用者の頚部に着脱自在に取付けられているのが例示されている。掴み集成体３６２８は電気構成部材３６３０と協働するが、この電子構成部材はホルダー３６２６に退避自在なコード３６３２によって接続されている。電子構成部材３６３０が掴み構造体３６２８と相互作用すると、可聴信号が退避可能なイヤホン３６２４に配信され、電子装置からの通信が着用者に中継される。例えば、全地球位置把握用の衛生追跡装置はイヤホン３６２４により言葉で着用者に指令を送り、車の運転道順を知るのを支援することができる。これに代わる例として、または、これに加えて、電子通信装置３６３０は、マイク３６３６およびイヤホン３６３４によって使用される電話機であってもよい。
【０３７６】
図１４１から図１４４には、着用者の顔面に隣接した位置に構造体を取付けるための多様な配置が収納コード集成体３６３８の使用を含んでいることを例示しており、収納コード集成体には電子構成部材３６４０およびイヤホン３６４２が設けられている。収納コード集成体３６３８は着用者の正面にヘッドライト集成体３６４４を固着するために使用されるが、電池および電気接続部は着用者の後頭部の電子構成部材３６４０に格納されている。これは着用者の顔面に配分される重量分配を最小限に抑える。
【０３７７】
同様に、図１４２および図１４３では、双眼鏡または拡大装置の集成体３６４６を配置するために収容コード集成体３６３８が使用されており、光照射力と倍率を得るための電気接続部は電子構成部材３６４０に封入されている。これに代わる例として、拡大装置がディジタル能力または電子工学的能力を必要としないのであれば、機械作動可能な拡大装置を収納コード集成体に搭載して、図１４３に例示されているように、着用者の邪魔にならない位置に拡大装置３６４６を容易に移動させることができるようにするとよい。
【０３７８】
図１３４に例示されている代替の実施形態においては、剛性の収納コード集成体３６４８は、着用者の目を覆う視覚表示装置３６５０を支持するために利用することができる。電子構成部材は着用者３６５２の後頭部で支持することができ、音声は退避可能なコード３６５６によってイヤホン３６５４に送信される。電力コード３６５８が電源３６６０に接続されて、電子構成部材３６５２に電力供給できるようにするとよい。また、ゲーム制御装置３６６２がコード３６６４により電子構成部材３６５２に接続され、または、ワイヤレス信号３６６６を電子構成部材３６５２の受信機に送信するようにするとよい。
【０３７９】
図１４５では、剛性支持体３６７０は、旋回自在な結合装置３６７４により着用者の両目の正面でビデオスクリーン３６７２を支持することができる。ビデオスクリーン３６７２の表示部の電子機器類は着脱自在な電子機器室３６７６に格納することができる。電子機器室３６７６はディジタル画像処理装置または全地球位置把握用の衛生受信機を備えており、画像をビデオスクリーン３６７２に伝搬することができる。電子機器室３６７６の反対側には、着脱自在な携帯電話３６７８が搭載されており、この携帯電話は電気接続すれば、イヤホン３６８０により音声を聞くことができる。
【０３８０】
本発明のまた別な目的は、脳を冷却または加温するために頚部領域、頭部領域、または、その両方の領域に冷却熱または温熱を付与するための新規な熱パッドを提案することである。
【０３８１】
本発明の更なる目的は、頚部領域を被覆する熱パッドを固着し、繋留し、または、その両方を行うのに適した構成の収納コードを提案することであるが、熱パッドはまた、頭部、頚部、および、肩の各領域にまで拡大させてもよい。脳に伝達される熱エネルギーを最大量に供給するのに最適な頭部の部位は後頚部側であるが、後頚部側は広く、頭部の他の部分に比べて熱絶縁性の小さい領域であり、それは、頭蓋骨のような厚い骨が存在せず、帽状腱膜と呼ばれる組織の厚い層が存在しないせいである。更に、頚部領域の皮膚の表面に極めて近い部位は頭部の他の部分に比べて、頚動脈が走っているからである。
【０３８２】
好ましい実施形態は、頚部を被覆する拡張熱パッドが装備された収納コードを備えており、この場合、頚部の皮膚のみが熱エネルギーに晒されて、外側に面している熱パッドの残余の部分は熱絶縁状態が良好で、嚢の内部に設置されたゲルまたは氷の温度上昇を阻止している。例示のために、図中にはメッシュ体が外部環境に対面しているのが描かれているが、これはパウチの内側の熱パックを示すためである。しかしながら、外部環境に対面しているどの部分も熱絶縁素材であるのが好ましい。収納コードの熱パッド容器はその多様な部分にわたって輻射熱反射フィルムを含んでいてもよく、また、同じ領域または他の部分にわたって熱絶縁体を含んでいてもよいが、これらが一緒になって皮膚領域の指向性冷却または指向性加温を容易にする。
【０３８３】
本発明の頚部領域温熱装置は独立型装置として作用してもよいし、または、電子装置を保有している収納コードで繋留されてもよい。本発明の頚部領域温熱装置または頚部領域温熱パッドは、頚部領域に付与されて、選択的脳冷却または選択的脳加温を容易にすることで、高体温症および低体温症を治療する。脳は、熱が原因で誘発された損傷に対して最も敏感な器官であるが、低体温症罹患中は収納コードにより頚部に熱を付与することにより保護され、高体温症罹患中は熱を除去することにより保護される。脳以外の身体部分の温度は変動させる必要がないかもしれないので、冷却処置または加温処置は選択的に行われる。このことは、卒中またはそれ以外の脳損傷に罹っている患者を治療するために脳を冷却する場合には特に重要となる。脳組織の大半が水分であり、脳を冷却または加温するのに必要な熱を除去したり付与する処置は、ＢＴＵ（英国熱量単位）に基づく周知の公式を利用して厳密に算定される。ＢＴＵは１ポンドの水の温度を華氏１度だけ上昇させるのに必要なエネルギーの量であるが、１ポンドの水を華氏１度分だけ温度低下させると、水は１ＢＴＵのエネルギーを放出する。
【０３８４】
脳の過剰な高温または可能な低温を熱治療することを目的とした収納コードの熱パッドの具体例として、コンマ、バナナ、または、円の形状など、実質的に凸面の熱嚢（または、熱パケットまたは熱パック）を受容するパウチが挙げられるが、この熱パウチは頚部全体を完全に上から覆う関係にあるのが好ましく、熱嚢はその外壁と内壁が氷、ゲル状物質、水、固体などで充填されるように封鎖された空洞を画定し、頚部の表層の皮膚領域および頚部および肩に隣接している領域を冷却または加温する。
【０３８５】
具体的な脳冷却装置または脳加温装置の例として、頚部の解剖学的構造に適合して形状一致するのに適した構成の温熱パッド、温熱パック、低温パッド、低温パックが挙げられるが、これらは可撓性に富んでいるのが好ましい封鎖されたパッドと、パッド内に充填されるゲルとから構成されており、ゲルは水、氷点降下剤、および、増粘剤を含んでおり、氷点降下剤は、プロピレングリコール、グリセリン、および、これらの混合物であって、ポリアクリル酸ナトリウム、安息香酸ナトリウム、ヒドロキシ安息香酸、および、これらの混合物などの各種化合物に関与する物質を含んでいるグループから選択される。これ以外の冷却装置または加温装置、各種化合物、および、硝酸アンモニウムと水の混合物などのゲルも冷却剤として使用するほかにも温熱剤としても使用することができるが、温熱剤は鉄粉、水、活性炭、バーミキュライト、塩、および、パージ天然ミネラル粉末の各種混合物などを含む。これに加えて、ペルチエ装置などの電気装置や蛇行循環水（液）チャネルなどが、収納コードに固定されて使用され、または、収納コードの一体部分として使用される。この実施形態においては、電気部品の具体例としては、電気部品を加温冷却する蛇行経路内の水を移動させるための小型モーターがあり、電子機器類の具体例としては、恒久的に、または、取外し可能な態様で収納コードに格納されたマイクロプロセッサがあり、本発明のＤＥＰの他の各種実施形態を具現化する。
【０３８６】
図１４６Ａは好ましい眼鏡型の熱パック収納コード３７００を例示しており、この熱パックコードは本明細書では「眼鏡型低温パック」「眼鏡型温熱パック」と呼ばれ、眼鏡と併用するのに適した構成にされており、眼鏡のつるに固定するための２本のスリーブ３７０２と、熱嚢３７０６を保有する手段が設けられている中央部分３７０４とを備えている。熱嚢を保持する手段であって、収納コードの中央部分にネット３７０８が配備されたものであれば、どのようなものでも利用することができる。眼鏡型の収納コードは、具体例として２つのネットパウチまたはネットポケット３７０８を備えており、パウチ状に形成されたメッシュ構造体を利用して熱嚢３７０６を収容している。
【０３８７】
メッシュ構造体は、片面が皮膚と接触し、その反対側面がシンシュレート（THINSULATE）、ポリウレタン層、ポリプロピレン層、マイラー（MYLAR）などのような熱絶縁物質を含んでいるパウチであるのが好ましい。図中の左側のパウチは熱パック３７０６を保有しているのが描かれており、右側パウチは空であるが、今まさに熱パック３０７６を受容しかかっているのが示されている。皮膚に対面するパウチ部分は、何らかの方法で、熱嚢と皮膚の間に配備される物質ができるだけ少なくなるようにして、熱嚢から皮膚に熱エネルギーを障害なく伝達することができるようになっている。パウチは熱嚢と皮膚の間に全くどんな物質も介在させないようにしてもよく、この実施形態では、熱嚢はポケットの外辺部の突縁によりポケット内にうまく収容されるが、突縁は安定性を得るために或る程度の弾性を有しているのが好ましい。図１４６Ｂは、熱嚢３７０６を把持するためのリップ３７１０を例示している。リップ３７１０は熱が熱嚢３７０６に伝達されるのを防止しており、従って、熱源がユーザーの手に触れるのを阻止している。
【０３８８】
図１４７は、１個の低温パック装置または温熱パック装置３７０６を詳細に例示した斜視図であるが、パック装置は後頚部に付与される装置として表されており、概ね凸状の表面３７１２と本質的に平坦な面または僅かに凸状の面３７１４とを有しているパッドを備えているのが好ましく、これら表面は端部が従来の態様で封鎖されて或る量のゲル状物質３７１６を封入するようになっているが、ゲル状物質は後頭部および後頚部の解剖学的構造にパッド形状を極めて近似させるのに十分な量だけ、パッド内に充填される。
【０３８９】
図１４８は、本発明の低温パックまたは温熱パック３７０６の特殊な凸状面３７１２と、後頭部および後頚部に形状が一致する表面３７１８とを例示している。低温パックまたは温熱パックはリップ、取っ手、または、ポケットに出し入れためにパックを容易に掴めるようにするための何らかの手段を備えているのが好ましい。
【０３９０】
低温パック装置または温熱パック装置は枕状の形状を呈しているが、この形状より、皮膚とは反対側の面すなわち外部環境に対面している面をより良好に成形加工することができるようになり、また、嚢に付着させられる部分はラバーまたは可塑材（硬質ラバーまたは硬質可塑材が好ましい）から作られた硬い部材を含んでおり、嚢は軟質可塑材から製造されて、嚢はゲルを含有するとともに、外部から圧力が加えられると変形することができる。皮膚に対面する嚢の面はその外辺部に粘着性部分を含んでおり、頚部の皮膚により良好に寄り添うように図っている。両面テープなど、皮膚に適した粘着剤が利用されるとよい。
【０３９１】
好ましい実施形態のうちの或るものについては、熱パックは使用前に冷凍庫またはそれ以外の冷却装置に入れられて、低温パッドとしての使用に備えるようにするか、または、温熱パッドとして使用するには、温水に入れられることになる。熱パッドは可塑材の頑丈で可撓性に富む容器を備えているのが好ましい。熱パッドの内側の素材は、広範な温度レベルにわたって一貫してゲル状の相を維持するようなゲルであるのが好ましい。凍結するまで低温にすることができるゲルで、尚且つ、加温中は熱を吸収するものは多数存在する。このようなゲルは異なる種類のものも多数ある。そのうちの或るものは凍ると固相となり、或るものは華氏零度でも軟質である。凍結した水とアルコールの混合液のような低温パックも利用することができる。これに代わる例として、熱パッドはその熱嚢の内壁と外壁が内部で可塑材と並列状態にさせられて、氷、または、水などの液体を充填するための空洞を画定するが、氷や水は嚢に設けられた開口部から入れられる。この場合、嚢はラバー材または耐水性素材で封鎖されるのが好ましい。
【０３９２】
可撓性の可塑材はゲルを含有するのに好ましい素材であると説明したが、ビニル、綿、レーヨン、ラバー、熱可塑材、剛性ポリマー、各種素材の混合物などのような素材または繊維のいずれでも利用することができるものと理解するべきである。パッド構造体の寸法および形状は、後頭部および後頚部の特殊な解剖学的部位に適合させるのに好適なように設定されており、また、このような解剖学的領域の特定の幾何学的形状に一致させるのに好適なように設定されている。
【０３９３】
ポケットの内側で熱嚢を着脱自在に固着させて利用することにより、熱嚢は元の温度に戻っても容易に取出すことができる。よって、夏期には、最初は冷たかった嚢も、熱力学の第２法則に従って必ずや暖かくなり、そうなった時でも、この嚢は容易に冷たい嚢と取替えることができる。従って、本発明の一例として、少なくとも１個の熱パックを保有する熱絶縁性容器を含んでいるキットがある。このキットも収納コードを含んでいるとともに、電子装置も含んでおり、更には、着用可能な装具を含んでいてもよい。キットは熱絶縁性容器と、それ以外の物品を保管する箱体とを含んでいてもよい。
【０３９４】
パッド型治療装置では、当該技術で従来公知の冷却装置または加温装置ならどんなものでも利用することができるが、その一例として、身体領域に熱を伝搬または伝達するのに適した構成の管を通して温水または冷水を流動させるものがある。管は温熱装具または眼鏡フレームに取付けることができ、汲出し機構が頭部装具または眼鏡に取付けられて、管を通して連続して水を流し続けることができるようにしている。パッドは複数の管に接続されており、これら管にはコネクタが設けられており、これらコネクタが頭部装具または眼鏡に固定された収納コードに取付けられた水温制御装置および循環装置に接続している。温水または冷水はこれら複数の管を通って循環するが、管は互いに連絡状態になっており、頚部領域から熱を伝達すなわち除去する。
【０３９５】
クリップ、弾性バンド、マジックテープ（登録商標）式固定具などを使って、収納コード式熱パッドを適所に固着するとよい。本件で言及された支持構造体のいずれを利用して収納コード式熱パッドを適所に固着してもよいが、例えば、粘着部材を利用してもよい。具体例を挙げると、熱パックはクリップ状の機構を備えており、これで収納コードに固定されるとよく、また、熱パックは眼鏡フレームのつるに固着されてもよい。
【０３９６】
ヘルメットや帽子などの頭部取付装具は頚部を覆う拡張部を備えており、この拡張部には本発明の熱嚢を収容するポケットが設けられている。熱パウチが設けられた拡張部は、頭部取付創部に恒久的に取付けられてもよいし、または、そこに着脱自在に接続されていてもよい。拡張部は、頚部領域から熱を伝達する、すなわち、熱を除去する冷却装置または加温装置を備えている。頭部取付装具はまた、拡張部が無くても、熱嚢を収容するのに適した構成にするとよい。この実施形態では、頭部取付装具には熱嚢を収容することができる窪みまたは空洞が設けられている。このような拡張部または空洞が設けられているヘルメットは、スポーツをする時に有用となる場合がある。熱嚢は、肉体活動の最初は、空洞またはポケットが設けられた拡張部に固着されている。休憩時に、熱嚢は取出され、所望温度の新しい熱嚢と交換されるが、例えばこれは、夏期にサッカー競技者の脳の温度を低下させるためであったり、或いは、冬季競技会中にスキーヤーの脳を暖めるためである。
【０３９７】
代替の実施形態としては、収納コードに固定されて水を供給することで蒸発作用により頚部慮域を冷やすようにした熱パッドが挙げられる。この場合、冷たいと感じられるのは、頚部領域で皮膚から直接に気化熱放射で冷えるからであるか、または、保水した物質のおかげである。
【０３９８】
選択的脳冷却または選択的脳加温を目的として頚部領域を冷却または加温するのに、冷却装置または加温装置が利用されるが、該当領域の解剖学的構造に形状を一致させる成形自在な装置であって、皮膚を冷却または加温するための指向性温度制御特性を備えている装置を利用するのが好ましい。例えば、電気的作用、チップ、半導体、ポリマーなど、当該技術で従来公知の装置を含むどのような加温装置、過熱装置、または、冷却装置であれ、更にまた、ここに引例に挙げることにより本件の一部を成す米国特許第6,544,193号に記載の装置も同様に、頚部領域に設置して脳を冷却または加温するために使われる収納コードに接続される支持構造体、または、そのような収納コードの一部である支持構造体において、好適な構成にすることができる。
【０３９９】
本発明は、伝熱性を変える表面を設けるとともに熱反射特性を有するようにすることで有用な冷却時間および加温時間を永らえることができるようにした梱包構成物に装備される、成形自在な熱パッドまたは成形自在な熱パックを提案している。熱パッドまたは熱パックの構成および素材は、後頚部、後頭部、または、目と鼻の間の皮膚上の部位に一致する形状にパッドまたはパックの形状を成形し、その形状を維持することができるようにする。本件に開示されている素材は、摂氏10度から摂氏140度の範囲の温度に対して可撓性を保つことができる。
【０４００】
図１４９は、本発明の眼鏡型の熱パック収納コード３７２０をユーザー３７２２が着用して使用しているところを例示した側面図である。スリーブ３７２４は眼鏡のつる３７２６に既に取付けられて、熱パック３７２８が後頭部および頚部の皮膚に添って配置されるように収納コード３７２０を保持しているが、熱パックの位置は頚部領域であるのが好ましい。この実施形態は、外部環境に対面しているとともに熱嚢を覆っている熱絶縁性素材３７３０を含んでおり、上記熱絶縁性素材の一例として装甲材があり、このような素材は軍隊および治安維持軍の人員を銃撃から保護すると同時に精神活動と肉体活動の両方について適切な脳内温度を維持することができるようにする。
【０４０１】
図１５０は、図１４９の代替の実施形態が熱パックパウチに隣接した位置に別なパウチまたはポケット３７３２を備えているのを例示している。熱パック３７３４はゲル３７３６を含有した嚢を備えているのが示されているが、この嚢には２つの面が設けられており、片方の第１面は皮膚に対面して後頚部に設置されており、もう一方の第２面はまた別なポケットに対面している。この付加的なポケットが収容する内容物の具体例としては、本発明の各種実施形態のうちのいずれであってもよく、例えば、電子装置３７３８を収容することもあり、更に、このポケットはスプールやワイヤなどの他の部品を装備していてもよい。
【０４０２】
図１５１は、本発明の熱パック収納コードの代替の実施形態をユーザー３７４０が着用して使用しているところを例示した側面図であるが、フック３７４２とアーム３７４４が設けられて耳の輪郭部の周囲を巻く包囲部材を備えており、フックは耳に固着されており、アームは頭部の側面に沿って配置されている。スリーブ３７４６は既にアームに装着済みであり、熱パック３７４５が後頭部および後頚部の皮膚に添って配置されるように収納コードを保持しており、熱パックの設置位置は頚部領域であるのが好ましい。収納コードはアームの恒久的に付着されて単体構造を形成しているものと理解するべきである。この実施形態では、アームは多数の異なる寸法の頭部に適合させるための調節機構を備えていてもよい。
【０４０３】
頭部を包囲するリング形状を採用することもでき、或いは、頭周り以外の顔面や額などといった部分を含む形状を採用することができるが、但し、該当領域の解剖学的構造部に熱パックの形状を一致させて寄り添わせることができる場合に限るが、この場合の該当領域は特に頚部領域を指しているものと理解するべきである。複数の異なる頭部寸法に適合させるために、本発明の一例としてスリットが設けられた実施形態が挙げられるが、このようなスリットの端縁にはベルクロ面が設けられて複数の異なる位置で封鎖を設けるようにしており、従って、装置の寸法の増減を行えるように図ってている。このようなスリット構成は、頚部熱パック、頭部と頚部の熱パック、および、リング状熱パックなどの実施形態のいずれにでも適用することができる。
【０４０４】
熱パックは成形自在であり、容器または嚢が使用温度範囲にわたって頚部領域の解剖学的領域に形状を一致させるように変形可能な素材か、または、そのように柔軟な素材で構成されている。熱嚢の中央の本質的に僅かに凸状を呈している領域は、頚部領域における密な相互作用と直接触による熱エネルギー伝達を斟酌したものであるが、熱低温パックまたは熱加温パックそれ自体の凸状領域という特殊形状は人ごとに異なる解剖学的構造の形状に応じて僅かに変化させることができるものと認識するべきである。
【０４０５】
図１５２は、単体で作用する熱パック収納コードを例示している背面図であり、収納コードは、電子装置３７５６を備えている収納コード３７５４と、収納コード３７５４に恒久的に取付けられている熱パック３７５２とを備えており、熱パック収納コードは帽子３７５８に固定されてユーザー３７６０に着用されている。スナップ嵌めを帽子側の相補的なスナップ嵌めに取付けることにより、収納コードは帽子に取付けられる。図中では、熱パックの複数のパウチのうちの１つに、今まさにそこに設けられたスロット３７６４を通して熱嚢３７６２が入れられようとしているところである。熱パックはアーム３７６６によって収納コードに接続されておらず、アームは熱パックを上下動させて頚部領域に熱パックをより良好に位置決めすることができるように調節可能に伸縮自在であるのが好ましい。
【０４０６】
図１５３は、熱パック収納コードが２つの部分、すなわち、電子装置３７７０を備えている収納コード３７６８および収納コードに着脱自在に固定されている熱パック３７７２から構成されているのを例示しており、ここでは、収納コードは帽子３７７４に固定されてユーザー３７７６が着用している。熱パックは収納コードに取付けるための手段を備えているが、２本のアーム３７７８を有しているのが好ましい。アームはそれぞれの自由端に、収納コードへの取付けを行うための取付手段が設けられており、取付手段にはマジックテープ（登録商標）固定具やスナップ嵌めボタンなどがある。熱パックは、着脱自在に取付けられることで、パウチを装備している必要がなく、加温素材または冷却素材を蓄えた封鎖嚢を備えている。嚢は拡張部３７８０を有しており、拡張部は頚部の大半と頚部に隣接している肩の一部を包囲することができる。熱パックはいずれもこのように包囲する拡張部を有していればよいが、着脱自在に取付けられる熱パックとして使用されるのが好ましい。
【０４０７】
収納コードが備えているイヤホン３７８２がユーザーの耳に配備されているのが例示されているが、これにより、ユーザーは音楽を楽しみながら低温症および高温症から脳を保護することができる。この方法はまた帽子から収納コードを取外すことを含んでいるが、そうするために、収納コードボタンをそれと相補関係にあるスナップ嵌めボタンから外してから、帽子側に取付けられている同じスナップ嵌めボタンを使って熱パックのアームの自由端側にある相補的なスナップ嵌めボタンに取付けるとよい。これにより、ユーザーは同じ着用可能な装具を使って、熱調節による快適感と安全を得るばかりか、趣味に興じることもできる。アームは調節可能に伸縮自在であり、熱パックを上下に動かすことで頚部、肩、後頭部に熱パックをより良好に設置することができるようにするのが好ましい。
【０４０８】
図１５４は、帽子３７８４をユーザー３７８６が着用しており、熱パック収納コード３７８８が熱パックを着用可能な装具に取付けるための取付手段３７９０と熱嚢を収容するための少なくとも１個のパウチ３７９２とから構成されているのを例示している。この実施形態はここでは２個のパウチとして例示されており、すなわち、左側に１個、右側に１個が設けられており、取付手段はマジックテープ（登録商標）式固定具として例示されている。帽子には熱パック収納コードを固定するのに適した構成のベルクロ部３７９６が設けられている。
【０４０９】
熱パック収納コードは、また別な装具に固定するための上部３７９８と、熱パックを収容する下部３８００とを備えている。熱パックを収容する下部はパウチを備えているが、これに代わる例として、熱パックはゲルを充填した一体型嚢から構成されており、パウチは備えていないのが好ましい。この実施形態では、熱パック収納コードは熱伝達能を有しているとともに、主として熱パックとして作用する。収納コード下部のパウチ部分を上部の固定用部分に接続するのに、熱パウチの位置を調節するための調節可能な手段が利用される。この実施形態では、収納コード上部は着用可能な装具への固定手段を備えているとともにそのように機能し、この固定手段はそれに対して相補的である、着用可能な装具側に設けられた取付手段または固定手段に付着される。
【０４１０】
図１５５は、図１７４の帽子３７８４をユーザーが着用しており、ボタン３８０４により熱パック３８０２が帽子に取付けられているのを例示しており、熱パックの下部が頚部に皮膚に寄り添っているのを例示している。
【０４１１】
図１５６は、眼鏡型の熱パック収納コード３８０６が２つの部分、すなわち、電子装置３８１０を備えている収納コード３８０８と収納コードに固定されてその下に配備された熱パック３８１２とから構成されているのを例示している。眼鏡型の熱パック収納コードには、眼鏡のつるに固定するための２つのスリーブ３８１４と電子装置を収容するための手段を備えている中央部とが設けられている。収納コードの中央部に電子装置を収容するのであれば、どのような手段が利用されてもよい。眼鏡型の熱パック収容コードには、具体例として、１個のパウチまたはポケットが設けられており、パウチ状に形成されたメッシュ構造体を利用して熱バッグを収容している。
【０４１２】
収納コードが本発明の原理どおりに多様なハードウエアを保持する手段を備えていることを考慮し、また更に、ワイヤなどのよって熱エネルギーを電気生成する手段が小型であることを斟酌して、本発明は熱エネルギーを電気生成する処理と化学生成する処理を組合せて提案する。プロピレングリコールおよびこれによく似た化合物などの化学物質は、別な物体に伝達することができる熱エネルギーを効率よく維持する。熱生成ワイヤ、導電性ポリマー、ガスベースのシステム、および、熱動電システムなどのような電気手段を利用して温度を上下させることができ、更に、本願では電気熱エネルギーシステムと呼ばれることもある。それらのような電気熱エネルギーシステムの電気部品、電子部品、または、その両方が収納コードに格納されている。
【０４１３】
従って、図１５７は、電気と化学を組合せた熱エネルギー生成システム３８１６を例示している。このようなシステムは、同図では、ワイヤ３８２０を備えているパウチ３８１８として例示されており、そのようなワイヤは収納コード３８２２で回路に接続されている。温度センサー３８２４はパウチの温度を測定するためにパウチ内に包含されている。収納コード内の電算処理装置３８２６は、電気熱エネルギーシステムの温度を上下させて温度レベルについてユーザーに知らせる（可聴報知が好ましい）のに適した構成になっている。センサーおよび電気システムから出ているワイヤはアーム３８２８を介して収納コード内の回路および処理装置に接続している。ワイヤ３８３０は、回路をイヤホン３８３２に接続して、温度レベルを報告するようにしている。
【０４１４】
電算処理装置はまた、温度レベルおよび熱エネルギーの伝搬レベルを自動制御することができ、このようにして、閉ループシステムを作っている。電気に拠らず、化学にのみ基づいたシステムなどのような熱パウチではセンサーを利用することができるのが分かる。この実施形態では、センサーは熱嚢の温度を測定し、熱嚢の温度が変動した場合は、この熱嚢を所望の温度の新たな熱嚢と取り替える時機が来たことをセンサーがユーザーに知らせる。図中の熱嚢３８３４は今まさにパウチに入れられるばかりであり、収納コードは電子装置３８３６（音楽再生装置）を収容している。
【０４１５】
図１５８は、電子熱パックの代替の実施形態をユーザー３８３８が着用しているのを例示しており、電子熱パックは電子部と熱パック部とを備えており、この実施形態では、熱パックを着用可能な装具３８４４に固着するのに、収納コードは剛性アームおよびクリップシステム３８４２で代用される。この実施形態は２個のクリップの間に中央部３８４０を更に備えており、本発明の原理によれば、中央部は電子パッケージ３８４６のホルダーとして作用する。この実施形態では、コードは本質的に剛性のアームで代用されるが、そのようなアームは電子装置を格納している中央部を有しており、コードは片側に２個のクリップ集成体を備えている。ワイヤ３８４４はアーム３８５０により中央部３８４０に達している。中央部は退避可能なコード、イヤホン接続部、熱エネルギー生成システム、および、それ以外の本発明どおりの各種部品を備えているとよい。クリップまたはそれ以外のクランプ集成体を利用して、装置を帽子のバンドまたは何であれ着用可能な装具に固着することができる。
【０４１６】
図１５９は、熱パック収納コードの代替の実施形態をユーザー３８５２が着用しているのを例示しており、この代替例は、ＧＰＳシステム３８５６と熱パック部３８５８とを格納している収容コード３８５４を備えており、熱パックは電気システムを備えている。熱パックには、収納コード３８５４に着脱自在に接続された２本のアーム３８６０、３８６１が設けられており、一方の第１アーム３８６０は機械的に接続されており、第２アーム３８６１は機械的かつ電気的に接続されている。電気システムは、アームの端部に配置されている電気コネクタ３８６２により収納コードに着脱自在に電気的に接続されている。
【０４１７】
本発明の原理に従った脳冷却装置または脳加温装置の具体例としては、温熱パッドまたは低温パッドを収容している熱パック、もしくは、頚部の特性解剖学構造に適合して形状一致するのに適した構成のパックが挙げられる。熱パックは熱嚢を収容するためのパウチを収容するのが好ましく、熱嚢は可撓性に富み、パッドとして封鎖され、パッド内にゲルを内包しているのが好ましく、皮膚に接触する熱嚢の表面は実質的に凸状の形状を呈している。熱パックは収納コードの一部であってもよいし、または、頭部取付装具の拡張部であってもよい。
【０４１８】
従って、図１６０は、ヘルメットとして例示されている頭部取付装具をユーザー（仮想線画）３８６６が着用しているところを示しており、頭部取付装具は後部に拡張部３８６８を有しており、拡張部はパウチを備えており、ここに熱嚢３８７０を収容して保持するようにしている。ヘルメット用の特殊な熱嚢が考えられるが、そのような熱嚢はヘルメットにより良好に適合するように、嚢の寸法を大きくしたうえに幾何学的形状を変えるとよい。外部環境、パウチの背面部、または、その両方に対面している部分をここでは「後部」と呼んでいるが、この部分は熱絶縁性素材を含んでいるのが好ましく、装甲材を含んでいるのが最も好ましい。パウチを装備した拡張部はヘルメットに恒久的に取付けられるように例示されているが、パウチを装備した拡張部はヘルメットに着脱自在に固定することもできるが、その場合、例えば、拡張部背面側に取付けられたベルクロ片であって、ヘルメットの後部に取付けらた相補的なベルクロ片と組になるものを利用することができるものと理解するべきである。
【０４１９】
本発明の熱パックは頚部に加えて頭部を覆い、ここでは頭部熱パックまたは頭部熱帽と呼ばれるものと理解するべきである。従って、図１６１は頭部熱裏材、頚部熱裏材、または、頭部熱帽３８７２がゲルを含んでユーザー（仮想線画）の頭部および頚部に設置されているのを例示しているが、頭部熱パックの形状および寸法は本発明に従って頭部および頚部の解剖学的構造の形状および寸法に一致する。頭部熱パックの好ましい厚さは2 mm以上40 mm未満であり、4 mm以上20 mm未満であるのがより好ましく、5 mm以上10 mm以下であるのが最も好ましい。
【０４２０】
頭部熱パックの製作は、頭部および頚部に密に添った状態を維持するように行われる。具体的な製造プロセスは、頭部の頂に適合するように、頭部寸法の球体、または、通常の頭部よりも僅かだけ大きい寸法の球体、すなわち、第１の鋳型を利用して薄い可撓性可塑材を成形して第１面を作成する工程を含んでいる。その次の第２工程は、第１の鋳型よりも直径が小さい鋳型を利用して第２面を作成することを含んでいる。これに代わる例として、第１面および第２面の２つの面の直径は同じであるが、一方の寸法を他方の寸法よりも大きくして嚢の形状を作る。この後の工程は、２つの面の端縁と端縁を接続することを含んでおり、ゲルを充填するための開口を残して接続するのが好ましい。次の工程は開口を封鎖することを含んでいる。また別な工程は、封鎖が完全であるか、嚢の内部の流体または物質が不足していないかを確かめるために嚢を検査する工程を含んでいてもよい。
【０４２１】
図１６２は、ヘルメット３８７８の内側に適合する構成の頭部熱パック３８７６が今まさに自転車ヘルメットの内側に設置されなんとしているところを例示している。頭部熱帽の表面は、例えば、マジックテープ（登録商標）式固定具３８８０などの固定手段を備えており、これはここではヘルメットの内側の頂端と側面のマジックテープ（登録商標）領域（図示せず）に該当する。
【０４２２】
頭部取付帽はヘルメットの内側全面を裏打ちして整合するのが好ましく、従って、快適感と緩衝作用があるのみならず、熱調節による快感も同様に得られる。
【０４２３】
図１６３は、透明材で製造されたヘルメット３８８２が本発明の頭部熱帽３８８４を収容しているのを例示しており、熱帽ゲルが透けて見える。頭部熱帽はヘルメットの設計に適する構成にされるとよいが、図示のように、ヘルメットの穿孔が設けられた領域３８８６は頭部熱帽の部分を備えていない。
【０４２４】
図１６４は、また別な頭部熱パック３８８８をユーザー３８９０（仮想線画）が着用して頭部に載せたのを例示した側面斜視図である。
【０４２５】
図１６５は、頭部の幾何学的中心位置にある頭部熱パック３８９２の背面断面図であり、頭部熱パックがユーザー３８９４の頭部に載せたところを例示している。解剖学的構造に適合させるために、熱パックはその部分ごとに寸法が異なっており、この寸法変動は頭部熱パックの高さを出した断面で見て取れるが、耳に隣接した頭部中央と後頭部を被覆している長い部分とでは厚みが異なる。頭部熱パックの厚さは例示のために実際よりも強調されている。
【０４２６】
図１６６は、頭部の幾何学的中心位置にある頭部熱パック３８９６の側面断面図であり、後頭部および後頚部を覆う長い部分を例示している。
【０４２７】
本発明の着用可能な装具用の熱パックは多様な形状を有しているものと理解するべきである。従って、図１６７Ａ、図１６７Ｂ、図１６７Ｃはまた別な着用可能な装具に適した熱パックのまた別な実施形態を例示しており、具体的にはシャツのカラー３８９８として表現されている。図１６７Ａは、固定手段３９００を備えているシャツのカラーがマジックテープ（登録商標）で構成されているのを示している。図１６７Ｂは、皮膚に対面する熱パック３９０２の面とは反対側の熱パック面に配置された相補的なマジックテープ（登録商標）により熱パック３９０２がカラーに配置され、適所に保持されているのを例示している。図１６７Ｃは、シャツのカラーがスナップ嵌めボタンからなる固定手段を装備しているのを例示している。熱パックは皮膚に対面する側に粘着手段３９０６を備えているとよいが、粘着手段は熱パックの端縁に置かれるのが好ましく、この実施形態を利用している最中には熱パックを安定して皮膚に密に添わせることができるよう図っている。
【０４２８】
頭部熱パックは収納コードまたは熱パックカラーに接続された熱パックと組合わせることができる。本発明に開示されている多様な実施形態のどのような組合せも、本発明の範囲に入るものと理解するべきである。
【０４２９】
ＤＥＰは制御ボタンを備えたメモリ装置として作用するが、圧縮のためのＭＰフォーマットを利用して音楽を再生するのが好ましく、収納コードに格納されている電子機器類に装着されると、ファイルが解凍されて音楽が再生されるものと理解するべきである。制御ボタンを装備したメモリ装置により、メモリ装置に保存されている情報に関連して選曲が行えるようになるとともに音量調節を行うことができるようになる。メモリ装置が収納コードの電子機器類に接続されると、予めプログラムされたものに従ってメモリに保存されているプログラムが機能を実行するとともに音量調節を行い、制御ボタンと一緒にメモリ装置を利用することで、予めプログラムされたものに従って選曲し直す。本発明の制御ボタンを装備したメモリ装置はプロセッサと電源をを備えている。これに代わる例として、本発明のメモリ装置は、ホスト装置などのような別個の装置から得られたエネルギーに拠って作動する。収納コードは、制御メモリ装置から情報を受信し、その情報を保存し、または、その両方を行うためのＵＳＢコネクタおよびを備えているようにしてもよい。収納コードの電子部のソフトウエアは聴取可能な音楽ファイルを解凍して増幅することができる。本発明のメモリ装置はまた、従来のコンピュータ、オーディオシステム、画像化システム、または、これらの各種組合せに接続されるのに適した構成になっているとよい。
【０４３０】
本発明は、本発明の上述した複数の異なる部分を組合せた多様なキットを含んでいる。具体的なキットの一例は、少なくとも１個の熱パックを収容した熱絶縁性容器を備えている。また別なキットは、着用可能な装具および収納コードを箱体に格納して含んでいるとともに、熱パックを格納した熱絶縁性容器、または、本発明の上述した複数部分のうちのいずれかの何らかの組合せを格納した熱絶縁性容器を更に含んでいることもある。
【０４３１】
左右イヤホンコードは互いに長さが同じであるが、左右イヤホンコードの長さはスプールの巻き始め部分から収納コードの端部のイヤホンまで互いに異なる長さであるのが好ましく、一方のコードは他方のコードよりも短くするとよい。しかしながら、左右コードの見かけの部分は同じ長さであるのが好ましい。
【０４３２】
電子パッケージは、衛星信号および無線インターネット信号などの無線信号は何であれ、受信するのに適した構成にされる。収納コードは通常の目の周辺装具のレンズの色を変えることを含め、他にも幾つもの機能を提供することができるが、それは、眼鏡のフレームを軽量かつ優美に維持しつつも、大型の電気部品と電池は他所に格納することができるからであることが分かる。
【０４３３】
写真撮影能力を備えているディジタル双眼鏡も考えられるが、その場合、収納パケットおよびフレームに格納された電子機器類が支持するのは双眼鏡レンズだけで済む。目の周辺装具の収納コードに取付けられたディジタル双眼鏡も前頭部装着ライトの実施形態と同じ態様で利用することができる。
【０４３４】
インターネット無線能力を備えている追跡装置も本発明の実施形態のいずれとも統合することができる。幾つかの実施形態に開示されているカメラまたはマイクはレーザーまたは光源と交換し、または、そこにレーザーまたは光源を追加して、ゴルフやプール競技などのプロ活動またはスポーツなどで直線に合せたり距離を読む際に、視野軸をレーザー光の線と整列させることができるようになる。発光レーザーのみを目の脇に配置して、残りの部分は収納コードに格納される。
【０４３５】
各種電子装置のどのような組合せでも利用できるうえに、着用可能な各種装具の組合せおよび各種支持構造体の組合せも、どのようなものを利用してもよい。例えば、Ｃ字型カラーはＣ字型構造体の片側にＧＰＳを備え、反対側に音楽再生装置を備えているようにするとよい。
【０４３６】
収納コードに格納された電子装置が記録装置を備えているようにしてもよく、この場合、小型で別個のマイクが顔面の脇に設置され、残りの大型部品およびメモリは収納コードに格納される。超音波装置が収納コードに格納され、或る音響を発信することにより犬の攻撃から身を守り、走って逃げる人が装置を握っている必要がないようにすることができる。収納コードは動きセンサーを更に備えており、背後に誰かがいるのを看破するほかにも、赤外線センサー、匂い検出装置、または、その両方を装備して、匂いを解析したり、生体化学兵器などの或る種の化学成分が存在しているのを分析することができる。
【０４３７】
皮膚に添わせるせいで、収納コードは生体データを獲得することができる多様な生体監視装置を備えていてもよい。これに加えて、収納コードにイオン導入装置を適合させることにより、更には皮膚に接触するコード表面に薬剤を浸透させるパッチを設置することによっても、皮膚に浸透させて薬物を投与することもできるが、例えば、インシュリンおよびグルコースを投与するためのインシュリンポンプを格納するとよい。音声を創部句するマイクを利用して、更に、イヤホン集成体を使って増幅音声を配信することにより、改良型の補聴器も実現することができる。同様に、ズーム機能、拡大機能、または、その両方を備えたカメラも、各種パーツを頭部の前後に分配して重い部品は収納コードに配備するようにすれば、利用することができる。
【０４３８】
格納することができるうえに、後頭部および後頚部という配置場所が利用できる上記以外の装置として、頚部領域を按摩する軽動装置がある。空気清浄機の電気機器を上記Ｃ字型装置の頚部周囲と鼻に隣接した辺りに配備するとよい。収納コードに歩数計を格納して距離を算定することができるが、同様に、距離および速度を算定するのに適した構成のＧＰＳを格納してもよい。
【０４３９】
新規な後退可能なコードスプールが本発明には必要である。コードスプールは、両端のうち一方がコネクタで終端し、他方がスピーカーまたはイヤホンで終端しているワイヤを備えている。ワイヤの一方端のみが格納庫の外側に露出している。格納庫の開口が、スプールに固着されたワイヤの反対端を露出させるように形成されている。ワイヤの反対端はイヤホンのワイヤに接続されている。開口はスプールの中央に配置されており、それによりワイヤは露出している。コードを引張っている間もイヤホンを静止させたままにするために、固定点が必要となる。従って、スプールのワイヤの端部は、イヤホンから張出しているワイヤの端部に固定されている（例えば、半田付けされている）。この新規な集成体は一方向に引張ることができるようにし、イヤホンを静止状態に保ちながら、スプールに接続さえた電子パッケージを引出すことができるようになっている。
【０４４０】
図１６８は、退避可能なコードスプール集成体３９２１の格納庫３９２１に開口３９２０が設けられて、ワイヤ３９２４の端部３９２６を露出しているのを例示している。固定用の部分３９２２は半だ付けされた接続部として表現されている。固定用部分３９２２は固定点として作用する。ワイヤ３９２４（破線で例示されている）は２つの端部３９２６、３９２８を備えており、端部３９２６は固定用部分３９２２で終端し、イヤホン３９３２に接続されている。反対端３９２８はコネクタ３９３０で終端している。固定用の部分３９２２はイヤホン３９３３に接続されているワイヤ３９３１を受容する。
【０４４１】
２本の退避可能なワイヤおよび２個のスプールを連続して使用してもよいものと理解するべきである。図１６９Ａは、１本のワイヤすなわち第１ワイヤおよびスプール３９３４が電子パッケージ３９３８に接続されており、別なワイヤ、すなわち、第２ワイヤおよびスプール３９３６がイヤホン３９４０に接続されているのを例示している。電子パッケージはパウチ３９４２の内部に配置されている。
【０４４２】
図１６９Ｂは、２スプール式の集成体３９４４に２個のスプール３９４６、３９４８が設けられているのを例示している。スプールは各々が専用の固定用部分３９５０、３９５２を備えており、ワイヤがスプール３９４６またはスプール３９４８から張出した際にワイヤに張力が加わるのを防止している。スプール３９４６のワイヤ３９５４の端部はスプール３９４８のワイヤ３９５６の端部に接続されている。
【０４４３】
図１７０は、本発明の収納コードのまた別な実施形態を例示している。この実施形態では、右ワイヤ３９６０および左ワイヤ３９６２（破線で例示されている）はスプール（図示せず）から張出しているが、右ワイヤは右アーム３９６４の内側に、左ワイヤは左アーム３９６６の内側に配備されている。アーム３９６４、３９６６は耳固定部で終端しているが、この部分は図中では右耳スピーカー３９６８に巻きつく右フック３９６７、左耳スピーカー３９７０に巻きつく左フック３９６９として表現されている。この実施形態においては、収納コードは耳で支えるスピーカーによって身体に固着される。
【０４４４】
図１７１Ａから図１７１Ｃは、本発明の収納コードのまた別な実施形態を例示している。この実施形態では、収納コードにはアームが設けられていない。図１７１Ｃは、電子パッケージ３９７４を格納している収納コード３９８０の外側面３９７２が目で見ることができ、イヤホン３９７６、３９７８が収納コード３９８０の左右に１個ずつ配置されているのを例示している。この実施形態では、収納コードは本質的にソーセージ型で（または、楕円形）、アームを備えていない。収納コードの左右両側は右端縁および左端縁にボタンやマジックテープ（登録商標）式固定具などのような固定手段（図示せず）が設けられている。図１７１Ｂは、収納コード３９８０の両側に２個のボタンまたはスナップ嵌め３９８２、３９８４が互いに離隔されて設けられているのを例示している。図１７１Ａは、帽子３９８６をユーザー３９８８が着用したところの背面を例示しており、帽子には相補的なボタンまたはスナップ嵌め３９９０、３９９２が２組、互いに離隔して設けられている。図１７１Ｄは、相互係合するボタンまたはスナップ嵌め（図示せず）を利用して帽子３９８６の背面に収納コード３９８０が係合しているのを例示している。イヤホン３９７６、３９７８はユーザーの耳に配置されている。
【０４４５】
本発明は、電子的に使用可能な帽子などの着用可能な装具を製造する方法およびシステムと、着用可能な装具を電子装置に係合してそれを保有するのに適した構成の着用可能な装具に転換させる方法およびシステムを更に教示している。収納コードおよび着用可能な装具を含んでいる２部式のシステムが利用される。例示を目的として説明すると、２つの好ましい実施形態の具体例が挙げられるが、（１）帽子などの頭部取付装具であって、相補的な形状のスリーブが設けられた収納コードを受容する２本のアームを備えているもの、（２）帽子などの頭部取付装具であって、２組のボタン、２組のスナップ嵌め、または、２組のベルクロマジックテープ（登録商標）式固定面を備えており、相補的な形状のボタンまたはベルクロ面を装備した収納コードを受容するようにしたもの、である。フック、ピン、襟ピン、安全ピンなどを含め、どのような固定用手段を利用してもよい。
【０４４６】
従って、図１７２Ａから図１７２Ｃは、本発明の収納コードのまた別な実施形態を例示しているが、収納コード４００４を着用可能な装具４００６に固定するのに、ボタンはベルクロマジックテープ（登録商標）式固定具などのようなマジックテープ（登録商標）部４０００、４００２で代用される。
【０４４７】
本発明は、組になる対の片側と他方側で異なる量のベルクロマジックテープ（登録商標）式固定具を使うことを含んでいる装置および方法を教示している。収納コードに取付けられたマジックテープ（登録商標）部４００８、４０１０は、着用可能な装具に取付けられたマジックテープ（登録商標）部４０００、４００２よりも面積が広く、頭の寸法がいろいろ異なるせいで帽子を調節して直径を増減させても、常時、抱くような快適なぴったり感を与えることができる。
【０４４８】
図１７３Ａは帽子４０１２および収納コード４０１４の側面図であり、帽子のボタン４０１８に固定するために収納コードが矢印４０１６の方向に移動させられているのを例示している。図１７３Ｂは、収納コード４０１４が帽子４０１２に固定されており、イヤホン４０１８がユーザーの耳に装備されているのを例示している。
【０４４９】
図１７４は、収納コード４０２０に２本のスリーブ４０２２、４０２４が設けられており、今まさに帽子４０３０（仮想線で図示）の２本のアーム４０２６、４０２８に係合させられつつあるのが例示されている。
【０４５０】
本発明により、電子機器類の重量を身体の解剖学的領域に移すことで重量を支えるのに不快感無くより良好に適合するようにすることで、複数の生物学的に適った着用可能な電子機器を製作することができる。本願明細書で既に開示されているが、カメラの電子機器が幾つかの部分に細分化されるとよい。また別な実施形態としては、留め金機構が設けられたカメラがあり、帽子のつばにカメラを固着するのが好ましい。カメラは収納コードに格納されている電子機器にワイヤによって接続されている。収納コードはボタンが設けられた端部を備えており、帽子に取付けられている相手方のボタンと嵌合させられる。
【０４５１】
従って、図１７５Ａは、帽子４０３２がボタン４０４４が設けられた固定用機構４０３４と収納コード４０３８とを備えているのを例示しており、収納コードは電子機器４０４０を格納させた後部と、ボタン４０３６が設けられた中間部４０４２と、ビデオ撮影用または写真撮影用のものなどのカメラ４０４８が設けられた前部とを含んでいる。ワイヤは中間部４０４２をカメラ４０４８に接続しており、ワイヤは長さを調節することができ、または、長さが一定である。ワイヤは退避可能なスプールに接続され、この実施形態はまた別な第２スプールを備えており、これは中間部４０４２に配置されるのが好ましい。図１７５Ａの実施形態はイヤホンを必要とはせず、収納コードの中間部はカメラを作動させるためのボタンを備えているものと理解するべきである。固定用機構４０３４は、図９１Ａから図９８について説明された固定手段のいずれを備えていてもよい。
【０４５２】
カメラ４０４８は光源（レーザー光を含む）、マイク、スクリーンなどで代用されてもよいものと理解するべきである。帽子の固定用手段は帽子に恒久的に取付けられて帽子と一体型にされてもよいし、または、帽子にクリップを着脱自在に取付けるためのクリップ機構を備えていてもよい。図１７５Ｂは、収納コード４０３８およびカメラ４０４８が帽子４０３２に固定されており、留め金機構４０５０が帽子のつば４０５２に固着されているのを例示している。
【０４５３】
また別な実施形態には、ボタン、マジックテープ（登録商標）面部分、アームとスリーブなどのような相補的な固定手段が設けられたサンバイザー４０５４がある。従って、図１７６Ａは、サンバイザー４０５４として例示されている頭部取付装具にボタン４０５６が設けられており、収納コード（図示せず）側に設けられた相補的ボタンを受容するようになっているのを例示している。図１７６Ｂは、ボタン固定機構により収納コード４０５８がバイザー４０５４に固定されているのを例示している。収納コードは留め金機構４０６４が設けられたスクリーン４０６０を備えており、サンバイザーのつば４０６２に対してスクリーン４０６０を保持している。スクリーン４０６０はボタン固定部で終端しているワイヤと収納コード４０５８の中間部の内側のワイヤ４０６６（破線で図示されている）によって収納コード４０５８に接続されている。
【０４５４】
図１７５Ａおよび図１７５Ｂと同様に、収納コードには３つの部分が設けられている。
しかしながら、前部はスクリーンで代用されており、中間部はマイクとイヤホンを備えている。この実施形態は、ディジタル視認システムまたは表示装置付き携帯電話などのような複数の異なる電子装置を利用して機能する。このシステムはカメラも備えている。アップル社のiPod（登録商標）などのようなディジタル画像化装置は収納コードに格納することができ、視覚信号はバイザーのつばに固着されたスクリーンに伝搬され、可聴周波信号はイヤホンに搬送されるものと理解するべきである。システムは着脱自在に取付けられるシステムとして例示されているが、本発明の収納コード視認システムは、頭部取付装具などのような着用可能な装具と一体にすることができるとともに、着用可能な装具に恒久的に取付けることができ、電子パッケージは収納コードの後部に恒久的に取付けられてもよいし、着脱自在に取付けられてもよいものと理解するべできある。
【０４５５】
図１７７Ａおよび図１７７Ｂは、図１７６に例示されている収納コードに類似している収納コードを例示している。しかしながら、サンバイザーは帽子で代用されており、スクリーンは、より良好に目で見ることができるようにバイザーつばの幾何学的中心で、尚且つ、ユーザーの目から最も遠い距離にスクリーンを設置するための特殊なフック機構を備えている。スクリーンには、スクリーンを目から更に遠い位置に設置するための伸縮自在なアームを装備している。より長いつばから構成されている特殊つば、または、伸縮自在なつばの一部から構成されている特殊つばも考えられるが、この特殊つばであれば、スクリーンを最も快適に観賞することができる位置に置くことができるようにするとともに、観賞に備えて調節可能な機構を設けることができる。
【０４５６】
図１７７Ａは、スクリーン４０６８に接続されているフック集成体４０６６が収納コードの前部に設けられているのを例示している。帽子に固定された収納コードの中間部４０７０は着脱自在に取付けられる可撓性マイク４０７２を備えているとともに、スピーカー４０７６のほかにも表面マイク４０７４を備えている。帽子は、スクリーン４０６８に対してワイヤを支持するための第２の留め金またはフック４０７９を備えている。帽子つばの表面には滑動自在な機構が見えているが、この機構はここでは滑動自在プレート４０７８として例示されており、視認距離を調節するためのものである。プレート４０７８は図１７７Ｂでは伸張している。スクリーン４０６８は収納コードに着脱自在に取付けられるものと理解するべきである。スクリーン４０６８は蝶番（図示せず）または折畳み機構を備えており、折畳まれた位置にある場合は、スクリーンを帽子つばに支持させる位置に置くように図っている。図１７７Ａの収納コードは本発明のブルートゥース（Bluetooth）装置のいずれかを備えており、また、恒久的に取付けられたブルートゥース装置を中間部４０７０に備えている。
【０４５７】
図１７８は、２部式の収納コードシステムのための着用可能な装具が準備されており、装具の後部４０８０には収納コードが格納されているのを例示している。収納コードは電子スピーカーとスクリーンの集成体４０８２が設けられており、この集成体はポート４０８４を装備している。ポート４０８４は着用可能な装具のコネクタ４０８６と着脱自在に接続されている。収納コードが備えているペグは、帽子に取付けられた嵌め合いペグに固定されている。ここに開示されている実施形態のどの一部であれ、また、その全部であれ、着用可能な装具に恒久的に取付けられるものと思量される。
【０４５８】
多様な固定機構が考えられる。図１７９Ａは、帽子４０８８の固定機構が可動アーム４０９０から構成されており、アームはボタン４０９２で終端して収納コードに取付けられている嵌め合いボタン４０９４を受容する。図１７９Ｂは、固定機構の詳細を例示している。可動アーム４０９０が帽子の端縁に格納されている。図１７９Ｃは、収納コードが帽子に固定されているのを例示している。図１７９Ｄは、アームを備えているクリップ４０９８にボタン４０９２が設けられているのを例示している。クリップは帽子の端縁に取付けられており、ボタン４０９４が設けられている収納コードのアームはクリップの相補的ボタン４０９２に固定される。
【０４５９】
本発明は、イヤホン４１０２およびイヤホンのワイヤ４１０４を通過させるための開口部が設けられた新規な帽子４１００を教示している。従って、図１８０Ａは大きなつばが設けられた帽子の後部を例示している。収納コード４１０６は帽子の後部に固定されている。この実施形態では、帽子に設けられた２個の開口部４１０８は、イヤホンの左右ワイヤを通過させるために必要である。図１８０Ｂは図１８０Ａの帽子の側面図である。
【０４６０】
収納コードは接続構造部に固着させて身体の一部を包囲することができるが、例えば、頚部を囲んでネックレスとして作用する。従って、図１８１は２部式の収納コードシステム４１１０が収納コード４１１２と接続構造部４１１４を備えているのを例示している。収納コードは２本のアームを備えている。アームはそれぞれの端部にボタン４１１８が設けられている。収納コードのアームの各々のボタンは、接続構造部４１１４の右側および左側に設けられた嵌め合いボタン４１２０に固定される。接続構造体には位置調節用の２本の可動アーム４１２２が設けられている。矢印１２４は、接続構造の嵌め合いボタンに向けて収納コードのアームを移動させる方向を示しており、これにより、本質的に円形の構造を形成する。
【０４６１】
図１８２Ａは、本発明の収納コード４１２６の好ましい実施形態を例示している。収納コードは本質的に形状が矩形であり、固定面には複数のペグまたは突起部４１２８が設けられているとともに、後部外面には電子パッケージ４１３０およびスプール４１３２が設けられている。スプールは、イヤホン４１３６で終端しているワイヤ４１３４に接続されている。ワイヤは、スプール４１３２に装填されたワイヤ（図示せず）に電子パッケージ４１３０を接続している。
【０４６２】
図１８２Ｂは、帽子の背面で具体的に例示されている着用可能な装具が嵌め合いペグ１３８を備えており、収納コードに固定するようになっているのを例示している。図１８２Ｃは図１８２Ｂの側面図である。
【０４６３】
図１８２Ｄは、ユーザーのシャツに着脱自在なクリップ４１４０が固着されているのを例示している。クリップには、収納コードの突起部と相互係合する突起が設けられている。図１８２Ｅは図１８２Ｄの着脱自在なクリップの側面図を示している。
【０４６４】
図１８２Ｆは、着脱自在なクリップに収納コードが固定されて、ユーザー（仮想線画）が着用しているのを例示している。収納コードに設けられているペグの個数は着用可能な装具に設けられているペグの個数よりも多く、異なる寸法の複数のユーザーがいる場合でも、収納コードを調節できるようにするとともに、収納コードを抱くように適合させることができる。図１８２Ｇは、２枚のベルクロパッチ４１４２が互いから離隔されて、収納コード側に取付けられた相補的なベルクロ面を受容しているのを例示している。
【０４６５】
図１８２Ｈは、心電図をとるために電極を保持する粘着材によく似た態様で、ユーザーの胸部４１８６に粘着パッチ４１８４が取付けられているのを例示している。本発明の粘着パッチには、収納コードの嵌め合いボタンを受容するためのボタン領域４１８６が設けられている。図１８２Ｊは、収納コード４１２６がユーザーの胸部に取付けられた粘着パッチに固定されており、イヤホンコードが収納コードの頂部に配置されているとともに、イヤホンがユーザーの耳に装着されているのを例示している。
【０４６６】
図１８３Ａから図１８３Ｅは、本質的に矩形または長円形の収納コード４１２６の多様な固定機構の平面図および側面図である。図１８３Ａは、ペグとベルクロ固定具とを組合せたものを例示している。図１８３Ｂはペグと丸型ボタンとを組合せたものを例示している。図１８３Ｃは滑りピンと鍵穴の窪みとを組合せたものを例示している。図１８３Ｄは滑り板と丸型ボタンとを組合せたものを例示している。図１８３Ｅは正方形ボタンと丸型ボタンとを組合せたものを例示している。
【０４６７】
スリーブを利用して眼鏡のつるの端部に係合させるのには制約がある場合があり、というのも、眼鏡つるは必ずや寸法がまちまちで、ワイヤフレームなどの場合の非常に細い寸法（2 mm）からサングラスのプラスチックフレームなどの場合の非常に太い寸法（20 mmまでにもなる）までの範囲におよぶからである。これにより、収納コードを汎用態様で使用するのが阻害されるが、というのも、スリーブの直径は或る眼鏡つるには大きすぎ、別な眼鏡つるにはきつすぎるからである。ユーザーが互いに異なる直径の少なくとも２種類の異なる収納コードを購入し、例えば、視力矯正レンズのワイヤフレーム用とサングラスのプラスチックフレーム用に合わせることが必要になる。ユーザーが２つ目のサングラスを持っている場合、または、２つ目の読書用眼鏡を持っている場合は、それら眼鏡にぴったり合わせるのに、ユーザーはもう１つ別な収納コードを持っている必要が生じるかもしれない。幾つかの収納コードが必要となることで、本発明はユーザーにとっては経費が嵩み、その上、着用する眼鏡を変えるために複数の収納コードを携帯する必要があって不便である。更に、製造業者は直径がいろいろ異なるスリーブを装備した収納コードを製造する必要が生じ、製造業者にとってはコスト高につき、棚卸しや保管棚空間の維持が困難になる。
【０４６８】
本発明は、上記のような問題点を解決し、１種類の収納コードを汎用に付すことができるようにするとともに、どのような寸法の眼鏡つるでも受容するのに適合させる方法および装置を教示している。このような方法および装置は、接続用スリーブと接続用スリーブに取付けるのに適した構成である収納コードとを利用する工程を含んでいる。接続用スリーブには２つの端部が設けられており、収納コードに接続する方の端部の寸法は一定で、収納コードのアームを受容する寸法に設定されており、反対側の端部の寸法は変動させることができ、眼鏡のつるを受容する寸法に設定されている。収納コードは接続用スリーブの端部を受容する寸法に設定された、本質的に剛性の部分で終端しているのが好ましい。
【０４６９】
従って、図１８４Ａは、収納コード４１８８、３種類の接続用スリーブ４１９０、４１９２、４１９４、および、眼鏡の３種類のつる４１９６、４１９８、４２００を例示しており、スリーブとつるの寸法はいろいろ異なっている。収納コードにはイヤホンと電子パッケージが装備されており、電子パッケージはスプールで終端しているワイヤにより収納コードに恒久的に取付けられている。収納コードには２つの部分が設けられており、すなわち、電子パッケージに固着するのに適した構成の中央部と、両側に配備された２本のアーム４２０２が設けられている。アームは具体的には２種類の異なる素材を含んでおり、例えば、近位部４２０４では軟質素材を、自由端４２０６には剛性部を含んでおり、接続用スリーブに一層良好に固着するように丸みを帯びた端部４２０８が設けられているのが好ましい。３種類の接続用スリーブ４１９０、４１９２、４１９４は収納コードのアーム４２０２を受容するための一端は、どれも寸法が同じである。眼鏡つるの３つの端部は次のように表現することができる。すなわち、細いワイヤフレーム４１９６、中間サイズのプラスチックフレーム４１９８、および、サングラスのプラスチックフレームの膨脹端４２００である。接続用スリーブの反対端はつるの寸法に一致する寸法に設定されており、スリーブ４１９０は、例えば3 mmと細いアームを備えており、ワイヤフレーム４１９６のつると係合し、スリーブ４１９２は、例えば、6 mmと中間寸法であり、接続用スリーブ４１９４は、例えば12 mmと、大型のプラスチックフレームに適合する大型のアームを備えている。矢印４２１０は、接続用スリーブを眼鏡つるに向けて移動させる方向を示しており、矢印４２１２は接続用スリーブを収納コードのアーム４２０２に向けて移動させる方向を示している。
【０４７０】
従って、低価格で、可撓性に富み、携帯が容易である接続用スリーブを得ることにより、どのような寸法の眼鏡つるについても、収納オードを汎用で使用することができる。この実施形態では、電子パッケージは収納コードに恒久的に取付けられているため、接続用スリーブが無くても、ユーザーは３種類の収納コードを購入して持ち歩く必要がなくなる。
【０４７１】
図１８４Ｂは、収納コードと３種類の接続用スリーブを相互接続するのにボタン４２１４、４２１６を使用する、上記とよく似た構成を例示している。収納コードは右イヤホン、内蔵式マイクを装備した左イヤホン、および、コネクタで終端しているワイヤを装填したスプールを備えている。コネクタは、複数の電子装置に接続するのに適した構成になっており、電子装置は具体的には音楽再生装置４２２２、携帯電話４２２０、ブルートゥース（Bluetooth）装置などのような無線通信装置４２１８として挙がっている。音楽再生装置および携帯電話は、矢印で示されているように、収納コードのコネクタ４２２６を受容する電気ポート４２２４を備えている。本発明の特化型ブルートゥース装置は電源、無線送信機、着脱自在に取付けられるマイクロッド、および、電気コネクタに接続される電気回路を備えている。電気回路は収納コードから出ているコネクタ４２２６と接続して、ブルートゥース装置をイヤホンに接続するのに適した構成になっている。先行技術のブルートゥース装置は、イヤホンの電気コネクタおよびこれに付随する、イヤホンのワイヤのマイクに着脱自在に接続するようにした電気コネクタ（図１８４Ｂに例示されている雌コネクタなど）は備えていない。
【０４７２】
図１８４Ｃは図１８４Ｂの実施形態によく似たものを例示しているが、ボタンはマジックテープ（登録商標）式の固定具４２３０、および、スリーブに接続されたストラップ４２３２で代用され、収納コードはブルートゥース装置などの、恒久的に取付けられた無線通信装置を備えている。図１８４Ｄは、帽子として例示されている着用可能な装具が恒久的に、または、着脱自在に固着されたスリーブ４２３４を備えており、このスリーブで収納コードのアーム４２３６を受容するようにしているのを例示している。
【０４７３】
図１８４Ｅは、接続用スリーブのまた別な実施形態が１対の左右接続用スリーブから構成されているのを例示しているが、スリーブは各々がスナップ嵌めボタン４２３８として例示されている固定手段から構成された付属具を備えている。図１８４Ｆは図１８４Ｅに類似しているが、付属具が、ボタン４２４０として例示されている複数の固定手段から構成されている。このような付属具として、ベルクロマジックテープ（登録商標）式固定具やペグなどのような固定手段をどのように組合せたものでも利用することができる。
【０４７４】
電子パッケージを収納コードに取付けることにより（着脱自在に取付けるのが好ましいが）、１つの同じ収納コードで、いろいろ異なる電子パッケージを入換えて使うことができるようになり、また、１つの電子パッケージを、いろいろ異なる種類の収納コードに入換えて使うことができるようになる。従って、図１８５は具体的に２種類の電子パッケージを例示しており、すなわち、音楽再生装置４２４２とブルートゥース装置４２４４を例示している。図中、３種類の収納コードが例示されている。すなわち、可撓性に富み、アームにボタンは設けられているがスプールは装備されていない収納コード４２４６、パウチ、着用可能な装具に固着するためのピン（破線で図示されている）、スプール、クランプとして例示されている調節自在アームを備えている収納コード４２４８、剛性板と自転車ヘルメットに固着するためのクリップを装備した収納コード４２５０である。収納コードは各々が電子パッケージと接続するためのコネクタ４２５２を装備している。電子パッケージは各々がコネクタを受容するための差込口４２５４を装備している。２種類の電子パッケージは、矢印で示されているが、どの収納コードにでも入換え可能に接続することができる。
【０４７５】
電子パッケージは雌コネクタを備えているものとして例示され、また、収納コードが雄コネクタを装備しているものとして例示されているが、電子パッケージが雄コネクタを備えており、収納コードが雌コネクタを装備しているようにしてもよいものと理解するべきであり、更に、コネクタは、電子パッケージに配置された電気パッド、収納コードに配置された電気パッド、または、その両方に配置された電気パッドなどのようなパッドを備えていてもよいものと理解するべきである。
【０４７６】
図１８６Ａは、キット４２６０が箱体４２６２、接続用スリーブ４２６４、収納コード４２６６、および、ディジタル音楽再生装置として例示されている電子パッケージ４２６８を含んでいるのを例示している。図１８６Ｂは、また１つ別なキット４２７０がブルートゥース装置などのような無線通信装置４２７４、３種類の接続用スリーブ４２７６、および、着脱自在なマイク４２８を備えている収納コード４２７２を含んでいるのを例示している。図１８６Ｂのキットは収納コードおよび接続用スリーブしか含んでいなくてもかまわず、この実施形態では、アーム４２０２は内臓式マイクを装備していてもよい。本発明の多様な実施形態をどのように組合せたものでも、キットとして一緒に組合わせて収めることができる。
【０４７７】
図１８７Ａは、収納コード４２８２をユーザー４２８０が着用し、また、収納コードがフック４２８４に接続されて耳の周りを巻いているのを例示しており、ワイヤ４２８６は電子パッケージ４２８８から収納コードまで延びている。フック４２８４としては、図１０１Ａから図１０１Ｄの集成体を挙げてもよい。
【０４７８】
図１８７Ｂは、収納コード４２９０がマイク４２９２およびイヤホン４２９４を備えており、ユーザーが着用しているとともにスリーブ４２９６によって眼鏡のつるに接続されているのを例示している。ワイヤ４２９８は伸張されて、携帯電話として例示されている電子パッケージ４３００に接続されているが、ここでは携帯電話は収納コード４２９０から取外されている。
【０４７９】
図１８８は、２つの部分から構成された本発明の収納コードシステム４３０２のまた別な実施形態を例示している。２つの部分とは、すなわち、ボタン４３０８が設けられたアーム４３０６を有している収納コード４３０４と、眼鏡のつる４３１２の周囲を巻いているストラップ４３１０である。ストラップの両端は互いにスナップ嵌めボタン４３１４で接続している。ストラップの外部はボタンなどのような固定手段を有しており、固定手段が収納コード側の相補的な固定手段を受容するようにしている。矢印４３１６は、眼鏡つるを囲んでいるストラップ構造体に向けて収納コードのアームを移動させているのを示している。
【０４８０】
図１８８Ａは、クリップ４３１８から構成されている代替の実施形態が、ボタン４３２０やベルクロ面などのような固定手段を外側面上の眼鏡つるの脇に備えているのを例示している。クリップは、眼鏡のつるに取付ける寸法に設定されているとともに、収納コード側に取付けられたボタンまたはベルクロ面などの組になった固定手段を受容する寸法に設定されている。図１８８Ｂは図１８８Ａによく似ているが、スナップ嵌めボタン４３２２として例示されている固定手段は眼鏡つるの下に配置されている。
【０４８１】
眼鏡に固着されたストラップ状の構造体を利用することにより、どのような寸法の眼鏡つるでも適合させることができ、また、このストラップについて多様な固定手段が利用される。図１８９Ａから図１８９Ｊは、幾つも異なる寸法の眼鏡つるに多様なストラップ構造体が固着されているのを例示している。
【０４８２】
図１８９Ａは、歯４３２４が設けられたストラップが互いに対面して、眼鏡の小型で丸みを帯びたつる４３２６を囲んでいるのを例示している。収納コードの相補形のボタンを受容するためのスナップ嵌めボタン受容部４３２８が外側面に例示されている。図１８９Ｂおよび図１８９Ｃは類似しているが、図１８９Ｂのストラップは中間サイズの眼鏡つる４３３０を囲んでおり、図１８９Ｃでは、ストラップは大きな不規則形状の眼鏡つる４３３２を囲んでいる。
【０４８３】
図１８９Ｄから図１８９Ｆは図１８９Ａから図１８９Ｃに類似しているが、歯はベルクロマジックテープ（登録商標）式固定具４３３４で代用されており、また、図１８９Ｇ、図１８９Ｈ，図１８９Ｊでは、歯はスナップ嵌めボタン４３３６で代用されている。
【０４８４】
図１８９Ｋは、収納コードの左スナップ嵌めボタン４３３８が、眼鏡のつるを囲んでいる左ストラップ構造体の外表面に設けられた組になっているボタン４３４０に向けて移動させているところを例示しており、眼鏡つるはその断面図が例示されている。同じことが右側にも当てはまる。収納コードのボタンはストラップの２個のボタンの間に挟むことができ、この実施形態では、ストラップの外表面にボタンを設ける必要はないものと理解するべきである。
【０４８５】
図１９０はユーザー４３４２が眼鏡を着用しているのを例示している。眼鏡は、眼鏡つる４３４６を囲む構造体４３４４を備えている。構造体４３４４はボタンにより収納コードのアーム４３４６に固定される。収納コードのアームは、イヤホン用のマイク４３４８およびワイヤを備えている。
【０４８６】
図１９０Ａは代替の実施形態を例示しており、ここでは、眼鏡のつるに固着されている構造体はマイク４３５２、イヤホン４３５４、および、電気コネクタ４３５６を備えている。コネクタは収納コードに設けられている電気差込口４３５８に接続されている。図１９０Ｂは、眼鏡つるに固着された構造体に詳細に例示されている。
【０４８７】
図１９１は、本発明の収納コードのまた別な実施形態を例示している。収納コードはアーム４３６０を備えており、アームは、眼鏡のつるまたは何であれロッド状の構造体に固着するのに好適な構成の、調節自在なループ４３６２で終端している。図１９１Ａは図１９１の収納コードの頂面図を例示しており、収納コードから出ているワイヤ４３６４は伸張位置に例示されている。図１９１Ｂは、Ｃ字型構造体４３６６に固定された収納コードに両端４３６８が設けられており、これら両端は収納コードのループを固定するのに適した構成のＴ字型構造体で終端している。
【０４８８】
図１９２Ａは、眼鏡に右ストラップ４３７０および左ストラップ４３７２が設けられているのを例示した頂面図であり、ストラップは各々の外側面にボタン４３７４が設けられて、矢印４３７６によって示されているように、収納コード側に設けられた相補的ボタンを受容している。図１９２Ｂは、収納コードがストラップのボタンに固定されているのを例示した側面図である。この実施形態では、収納コードは機械的ホルダーであり、装具または装置を受容するための受容部４３７８を備えている。収納コードには電気部品は設けられていない。
【０４８９】
図１９２Ｃおよび図１９２Ｄは図１９２Ａおよび図１９２Ｂに類似しているが、収納コードはそこに装具または電子装置を固着するのに、ベルクロマジックテープ（登録商標）面４３８０を備えている。図１９２Ｅは、図１９２Ｃおよび図１９２Ｄの収納コードが電子パッケージ４３８２に固定されている。マイクおよびイヤホンを備えている電子パッケージは、図中では無線ラジオ装置またはブルートゥース装置として例示されており、ベルクロマジックテープ（登録商標）面（図示せず）を備えている。電子パッケージ４３８２は収納コードに取付けられた、組になるベルクロマジックテープ（登録商標）面（図示せず）に固定される。図１９２Ｆは図１９２Ｅの側面図であり、収納コードはストラップ構造体に固定されており、ストラップ構造体は眼鏡のつるに固着されている。
【０４９０】
図１９２Ｇおよび図１９２Ｈは図１９２Ｅおよび図１９２Ｆに類似した図であるが、収納コードは本質的に矩形であり、収納コードを帽子４３８６などのような着用可能な装具に固定するのにボタン４３８４を利用している。図１９２Ｈは、収納コードが帽子４３８６に固定されているのを例示している側面図である。
【０４９１】
図１９２Ｊは図１９２Ｅに類似しているが、収納コードは電子パッケージを受容するためのペグ４３９０を装備したプレート４３８８を備えている。電子パッケージにはイヤホン４３９２およびマイク４３９４が着脱自在に取付けられる。矢印４３９６は、電子パッケージが収納コードに向けて移動しているのを示しているが、矢印４３９８は、眼鏡に取り付けたストラップに向けて収納コードを移動させているのを示している。図１９２Ｋは図１９２Ｊの側面図であり、収納コードはストラップに固定されている。
【０４９２】
図１９２Ｌは、ブルートゥース装置などのような具体的な無線通信装置４４００が着脱自在に接続されるイヤホン４４０２およびマイク４４０４を備えているのを例示している。無線装置は少なくとも１個のコネクタを備えてマイクおよびイヤホン（もしくは、スピーカー）を受容し、２個のコネクタを備えているのが好ましく、更にまた、無線装置は送信機および受信機などのような内部電子部品およびこれに付随する送信機電子回路および受信機電子回路、高周波回路、電池、ポート（ＵＳＢポートなど）、アンテナ、制御ボタン、電池などの電源を備えている。ブルートゥース装置はイヤホンおよびマイクが着脱自在に接続されているのが例示されているが、イヤホン、マイク、または、その両方がブルートゥース装置に恒久的に接続することができるものと理解するべきである。図１９２Ｌに例示されているもののような本発明のブルートゥース装置は、図１９２Ｍおよび図１９２Ｎにおいてユーザーが着用した状態で例示されているように、帽子またはそれ以外の着用可能な装具の背面に着脱自在に、または、恒久的に固着することができる。ブルートゥース装置は例示のために挙がっているが、どのような電子パッケージでも同じような態様で収納コードに固着することができる。
【０４９３】
図１９３は、アーム４４０８を装備したメダル４４０６を例示している。ボタン４４１０は、収納コードに取付けられている相補的ボタンを受容して固定するのに適した構成になっており、アーム４４１０は、収納コードの相補的スリーブを受容するのに適した構成になっている。
【０４９４】
図１９４Ａから図１９４Ｇは、眼鏡のつるに収納コードを固定するための複数のストラップ構造体を例示している。図１９４Ｂは、ストラップの外側面に１個のボタン４４１２が設けられているのを例示しており、図１９４Ａは、複数のボタンが収納コードを異なる高さに位置決めすることができるようにしているのを例示している。図１９４Ｃおよび図１９４Ｄは、ストラップの外側面がベルクロマジックテープ（登録商標）面４４１６を備えているのを例示している。図１９４Ｅは、ストラップ構造体の外側面にペグ４４１８が設けられているのを例示しており、図１９４Ｆは、バックル４４２０が設けられているのを例示しており、図１９４Ｇは、ピン４４２２が設けられているのを例示している。
【０４９５】
眼鏡のつるを囲んでいるストラップ構造体は、ブルートゥース装置などの多様な電子機器類を格納することができる。従って、図１９５は、ブルートゥース装置４４２４を収納して外部装置４４２８から信号４４２６を受信するストラップを例示している。よって、スリップ嵌めおよびクリップに加えて、本発明は、ブルートゥース装置などのような無線通信装置の多様なストラップ式集成体を教示しており、スリップ嵌め、クリップ、および、ストラップは眼鏡のつるに適合させるのに好適な形状および寸法を有している。
【０４９６】
本発明の原理は着用可能な装具ならどのようなものにも適用されるものと理解するべきであり、また、本発明の収納コードはどのような着用可能な装具とでも併用することができるものと理解するべきである。従って、図１９６Ａは、本発明のまた別な収納コードシステムが特殊な靴４４３０およびこれと組になった収納コード４４３２を備えているのを例示している。特化型の靴には２つの互いから離隔された固定手段が設けられており、ここでは靴の表面に設けられたボタン４４３４として例示されており、収納コードの組になった固定手段を受容するように図っている。収納コードは、ブルートゥース装置などのような無線通信機４４３６を備えており、オーディオに耳を傾け、または、スクリーン上の画像を観賞するためのイヤホンまたはスピーカーなどのような遠隔に置かれた装置に信号を送信するようにしている。電子パッケージは収納コードに恒久的に取付けることができ、または、電子パッケージは収納コードに着脱自在に取付けられるのが好ましく、また、電子パッケージは、音声再生装置、ＧＰＳシステム、ＧＰＳシステムに接続された追跡システムなどのような電子装置を備えているとともに、無線インターネット接続部を備えていてもよい。矢印４４３８は、靴にスナップ嵌めボタン４４３４を固定するために収納コードを靴に向けて移動させているのを示している。靴に取付けられたベルクロマジックテープ（登録商標）式固定具またはスナップ嵌めボタンなどの固定手段は靴と一体にされてもよいし、また、これに代わる例として、粘着式スナップ嵌めボタン、または、粘着式ベルクと片が靴の表面に取付けられるとよい。
【０４９７】
図１９６Ｂは、２つの具体的な着脱自在に取付けられた電子装置４４３６がポート接続部４４３８と電子装置を収容する格納庫４４４０とを備えているのを例示している。電子装置はディジタル音楽再生装置、ＧＰＳ装置、携帯電話、無線通信装置（例えば、ラジオまたはブルートゥース装置）、双方向ラジオなどを備えているとよい。電子装置を収容する格納庫は前述の他の格納庫に類似しており、また、機械的ホルダーとして機能するとともに電池を備えており、または、図示されているように、格納庫は電源、送信機、受信機、処理回路、送信回路、受信回路などを備えているとよい。図１９６Ｃは、また別な具体的な着脱自在に取付けられる電子装置にプラグ接続部、および、プラグと嵌合する電子格納庫が設けられている。
【０４９８】
靴として例示されている着用可能な創部に電子格納庫を着脱自在自在に取付けることにより、複数の異なる格納庫を着用可能な装具に取付けることができる。従って、図１９６Ｄは、靴４４４２のべろに電子格納庫４４４４を受容するための開口部が設けられているのを例示している。矢印４４４６は、電子格納庫を靴に向けて移動させているのを示している。靴のべろには空洞またはパウチ４４４８が設けられており、ここに電子格納庫を収容する。電子格納庫は多目的であり、複数の装具に入換えて取付けることができ、図１９６Ｄでは靴に取付けられているものとして具体化されており、図１９２Ｊおよび図１９２Ｋでは収納コードに取付けられるものとして具体化されている。図１９６Ｅは、靴のべろに設けられたパウチ４４５０の電子装置がパウチに格納され（図示せず）てその内部に配置されているのを例示している。波４４５２は無線信号が靴から送信されているのを例示している。着脱自在に取付けられるパウチは靴に固着されて電子格納庫を収容するものと理解するべきである。
【０４９９】
本発明は、電子装置の表面の固定手段または電子装置に接続されている固定手段を利用することにより、電子パッケージまたは電子装置を着用可能な装具と嵌合させて組みにする方法およびシステムを教示しており、電子装置の固定手段は着用可能な装具に取付けられている固定手段と相補的である。本発明は、電子装置がユーザーの感覚および声と相互作用することができるようにする装置および方法を更に教示しているが、ユーザーの感覚とは、例えば、視覚および聴覚のことをいう。
【０５００】
本発明の収納コードシステムは、収納コードと、これと組になる着用可能な装具とを備えている。本発明の収納コードシステムは多目的であり、入換え可能な態様でどのような装具とでも併用することができる。
【０５０１】
収納コードの上記以外の変形例も考えられるが、そのような収納コードは天地反転Ｕ字型構造体として構成された、肩で支える収納装置を備えているものと理解するべきである。肩で支える収納装置はその表面にボタンなどのような固定手段を備えており、衣類に縫い付けられている組になるボタンに嵌合固定する。これに代わる例として、組になる粘着ボタンが衣類の肩領域上に配置されて、肩で支える収納装置を受容する。ボタンなどのような１個の固定手段が衣類の前部に配置され、第２の固定手段が衣類の後部に配置される。天地反転Ｕ字型構造体は可撓性の可塑材またはラバー材から製造することができ、このようなＵ字型構造体はその中心にバネシステムが設けられて、Ｕ字型構造体の２本のアームに張力を供与し、構造体を肩により良好に固着するよう図っている。肩で支える装置は繊維から作られており、従って、衣類に固着されると、天地反転Ｕ字型の形状をとることになる。天地反転Ｕ字型の前面は、電子パッケージを着脱自在に固着するための格納庫を備えている。
【０５０２】
従って、図１９７Ａは、肩で支える天地反転Ｕ字型構造体４４５４の好ましい実施形態を例示した側面図である。この実施形態では、天地反転Ｕ字型の両端４４５６は各々が、可撓性のグースネック構造体などのような、調節自在に位置決めできるアーム４４５８で終端している。調節自在に位置決めできるアームは快適にするためにゴム化され、肩領域を包囲するのに適した構成にするのが好ましい。
【０５０３】
天地反転Ｕ字型の前部には、携帯電話４４６２として例示されている電子パッケージを受容する領域または受容部４４６０が設けられている。矢印４４６４は電子パッケージを受容部に向けて移動させているのを示している。肩で支える装置は収納コードについて前述した部品のどれを備えていてもよく、例えば、安定装置構造、電子パッケージに接続された退避可能なスプール、着脱自在に取付けられるイヤホン、イヤホンに接続された退避可能なスプールなどがある。図１９７Ａでは、退避可能なコードのスプール４４６６および接続用プラグが例示されている。
【０５０４】
図１９７Ｂは、図１９７Ａの実施形態をユーザーが着用しているのを例示しており、ここでは、後身から延びている可撓性アームが前身から延びている可撓性アームと交差して、ユーザーの腋窩（わきの下）領域の下側でＸ字を形成している。天地反転Ｕ字型構造の前部は格納領域と電子装置とを有しているが、電子装置はここで携帯電話として例示されており、格納領域に固着されている。電子装置の退避可能なコードスプール４４６６は、電子装置の格納領域の下に見て取れる。第２の小さいほうの退避可能なスプール４４６８がイヤホンに接続されてから、更に、電子装置の大きいほうのスプールに接続されており、この大きいほうのスプールはコネクタプラグとして収納コード案し、電子装置に接続されている。イヤホンは伸張位置にあるのが見て取れ、また、電子装置は収納領域に固着される静止位置にあるのが分かる。
【０５０５】
携帯電話を肩で支えさせることにより、ユーザーは電話を握らなくても話をするこおｔができるが、これは、マイクが解剖学的に適って口の脇に配置されていると同時、イヤホン（耳の極めて近位にある）が必要な可聴周波搬送システムとして耳に作用している。生物学的に適っている構成により、感覚および発話との相互作用を最適な態様で行えるようになる。図１９７Ｃは、天地反転Ｕ字型構造の底面を例示しており、可撓性のグースネックアーム４４５８が天地反転Ｕ字型構造に固定され、格納領域は裏側にある（破線で示されている）。
【０５０６】
図１９７Ｄは、本発明の特殊なシャツ４４６０をユーザーが着用しているのを例示しているが、肩で支える収納コードを受容する寸法に設定されて、シャツの外側面にスナップ嵌めボタン４４６２として例示されている固定手段が設けられている。前ボタンの正反対位置の、シャツの背面にはまた別なボタン４４６４があるのが好ましい。シャツの背面に取付けられたボタンは破線で例示されている。図１９７Ｅは、肩で支える収納装置４４６６がシャツのボタンに固定されているのが例示されているが、シャツボタンへの固定は、肩で支える収納コード側に取付けられた相補的なボタンによって行われる。図１９７Ｆは、天地反転Ｕ字型構造の底面に２個のスナップ嵌めボタン４４６８が設けられており、その裏側に格納領域がある（破線で図示されている）。
【０５０７】
天地反転Ｕ字型の肩で支える収納コードは外側固定手段を備えている。従って、図１９７Ｇは、収納コード４５０２がボタン４５０４（破線で図示されている）により天地反転Ｕ字型の肩で支える収納装置４５００に固着されているのが例示されている。収納コードから出ているイヤホンは、肩で支える収納装置４５００にフラップ４５０６によって固着されている。
【０５０８】
図１９７Ｈは、肩で支える収納コードが電子装置４５１４を受容する格納領域と、イヤホンおよび電子装置４５０８に接続された退避可能なコード４５１０と、入れ子式伸縮自在アーム４５１４と、入れ子式伸縮自在アームに接続されているとともに電子装置を保持しているプレート４５１６とを備えているのを例示している。電子装置はディジタル視認装置として例示されている。電子装置はプレートに固着され、静止位置から視認位置まで入れ子式伸縮自在アーム４５１４の運動によって移動しているのが例示されているが、これにより、電子装置のスクリーンをユーザーの視野軸４５１８に設置することができるようになる。曲線矢印４５２０で示されているように、視認するためにプレートが回転させられて、更に傾斜させられる。肩で支える収納コードはスナップ嵌めボタン（図示せず）により衣類に固定される。
【０５０９】
図１９７Ｊは、天地反転Ｕ字型の肩で支える収納コードが肩の上に設置され、バネが装填された機構４５２２が幾何学的形状の中心に有しているのを例示している断面図である。この機構は張力を生じるとともに、後アーム４５２４の自由端および前アーム４５２６の自由端を互いに向けて移動させる。水平矢印４５２８により表されているこのような張力により、安定した位置決めが行えるとともに、いろいろ異なる寸法の肩にでもぴったり添わせることができる。
【０５１０】
図１９７Ｋは、天地反転Ｕ字型の肩で支える収納コードが可撓性の構造体４５３０から構成されているのを例示した断面図であり、この構造体は本質的に天地反転Ｕ字型の構造体を有しており、このＵ字型構造体は、その反転Ｕ字型の両アームの端部に配置された２本の調節自在に位置決めできるアーム４５３２に接続されている。反転Ｕ字型の前部は、携帯電話などのような装置を受容して機械的に保持するための収納領域４５３４を備えている。この実施形態では、天地反転Ｕ字型の肩で支える構造体には電気接続部が設けられていない。口に近接しているおかげで、音声起動式ダイアル操作を行うことができ、短いワイヤ（図示せず）を装備している左右別個のイヤホンがユーザーの耳に可聴周波を配信する。天地反転Ｕ字型の構造体は可撓性に富む薄い可塑材、ネオプレン、皮革、繊維などから作られているとよい。反転Ｕ字型構造体の両側で２本のグースネックアームが、肩側につき１本、固定されている。矢印４５３６は装置が収納領域に向けて移動しているのを例示している。
【０５１１】
図１９７Ｌは、天地反転Ｕ字型の肩で支える収納コード４５３８が伸張位置にあるのを例示した頂面図であり、このような収納コードは２つの部分、すなわち、前部および後部から構成されている。前部４５４０には収納領域が設けられている。収納領域は十字型のコネクタ安定装置４５４２と接続用プラグ４５４４を含んでいる。接続用プラグは退避可能なスプール４５４６に接続されており、退避可能なスプールはイヤホン４５４８と接続されている。
【０５１２】
この実施形態においては、天地反転Ｕ字型の収納コードは可撓性の素材から作られているのが好ましい。肩で支える収納コードまたは収納ストラップはその両端の各々に固定手段を備えている。ボタン（破線で示されている）が収納コードの裏面に配置されて、衣類またはそれ以外の着用可能な装具のボタンと嵌合して組みになるように図っている。矢印４５４８は、電子装置４５５０を収納領域に向けて移動させているのを示している。
【０５１３】
図１９７Ｍ−１は、肩で支える収納装置のまた別な実施形態が２本の調節自在に位置決めできるアーム４５５２を備えているのを例示した斜視側面図であるが、そのようなアームは２本のグースネックアームとして例示されており、特化型の関節曲げできる伸縮自在な格納庫４５５４がグースネックアームの端部に固定され、電子装置を受容するのに適した構成にされているが、ここでは電子装置は携帯電話４５５６として例示されている。グースネックアームは２つの部分、すなわち、収納領域に隣接している中間部に比べて高い可撓性を示す両端部が設けられている。前アームは後アームよりも短いのが好ましい。図１９７Ｍ−２は、図１９７Ｍ−１の実施形態をユーザーが着用した場合を例示した側面斜視図であり、２本のアームがユーザーの腋窩の下で交差しているのが図示されている。
【０５１４】
格納庫４５５４は関節交連式ではない集成体を備えていてもよく、電子パッケージを受容するのに適した構成の固定式構造体を備えているものと理解するべきである。
【０５１５】
図１９７Ｍ−３は、関節曲げができる伸縮自在な格納庫が伸張して開いた位置にきて観賞できるようになったのを例示しており、ここでは格納庫は開いた状態のフリップ式携帯電話として例示されている。図１９７Ｍ−４は、関節アームが格納庫を第２位置に設置して、聴取するのに音声伝達がより良好であるのを例示している。好ましい実施形態はグースネックアームを備えているものと理解するべきである。天地反転Ｕ字型の収納コードに取付られているグースネックアームはストラップまたは弾性バンドで代用することができる。
【０５１６】
図１９７Ｎ−１は、本発明の特化型衣類を例示した切取り図であるが、シャツ４５６０の肩の部分の後部にスナップ嵌めボタン４５６２が１個、前部に第２のスナップ嵌めボタン４５６４が１個、設けられており、収納コード装置４５６６を受容する寸法に設定されているのが描かれている。収納コード装置は、ストラップがその係合面４５７０に２個の相補的なボタン４５６８を有しており、裏面４５７２には格納庫４５７４が設けられているものとして例示されているが、格納庫４５７４はコネクタプラグ４５７６と退避可能なコードのスプール４５７８を備えている。矢印４５８０は、収納コードが衣類に取付けられた相補的ボタンのほうに移動しているのを示している。図１９７Ｎ−２は、図１９７Ｎ−１の実施形態をユーザーが着用しているのを例示した斜視図であるが、ここでは、格納庫が携帯電話４５８２を堅持しており、イヤホン４５８４がユーザーの耳に装着され、マイク４５８６が張出し位置にあるのが分かる。
【０５１７】
図１９７Ｐは図１９７Ａの実施形態に類似している実施形態をユーザーが着用しているのを例示しているが、転置反転Ｕ字型構造体４５９０が２個の調節自在に位置決めできるアーム４５９２に接続されており、図１９７Ａでは固定式だった格納庫は関節曲げででる伸縮自在な格納庫４５９４で代用されており、ここでは格納庫は伸張位置にあって開いており観賞を行えるようになっているのが例示されている。
【０５１８】
図１９７Ｑは図１９７Ｐに類似している実施形態を例示しているが、天地反転Ｕ字型構造体がグースネックアームに接続される代わりに収納コード４５９６（可撓性ストラップなど）に接続されているのが正面図で描かれている。収納コードは前身側のボタン４５９８と後身側のボタン４６００（破線で例示されている）を備えており、収納コードは伸縮自在で関節曲げできる収納装置４６０２を保有しているが、ここでは収納装置は伸張位置にあって観賞を行えるようになっているのが描かれている。
【０５１９】
図１９７ＲはＵ字に切り抜いた形状のストラップ４６０４の実施形態を例示した平面図であり、１個のボタン４６０６が後部に配置されているとともに、関節曲げできる伸縮自在な格納庫４６１０に隣接した位置では、第２のボタン４６０８が前部に配置されている。肩に設置した後では、Ｕ字型ストラップは天地反転Ｕ字型形状を呈し、Ｕ字に切り取った形状で尚且つ反転Ｕ字形状の好ましい実施形態ができる。格納庫は伸張位置にあるように図示されており、ディジタル視認装置４６１２を固着しているように例示されており、本発明に従って格納庫はイヤホン４６１４に接続されている。ベルクロマジックテープ（登録商標）式固定具片などのようなボタン以外の固定手段を利用してボタンの代用とするとともに、ボタンとストラップの組合せ、または、複数のボタンを使って代用としてもよいものと理解するべきである。
【０５２０】
図１９８Ａは、本発明の収納コードシステムのまた別な実施形態が２つの部分、すなわち、収納コード４６１６および特化型の電子装置ホルダー４６１８から構成されているのを例示した正面斜視図である。特化型の電子装置ホルダーは、図中では携帯電話４６２０を堅持しているように例示されているが、２本のアーム４６０を備えており、アームはスナップ嵌めボタン４６２２で終端して、収納コード側に取付けられている組になるボタン４６２４を受容するようになっている。特化型の電子装置ホルダーは、コネクタ安定装置および退避可能なコード４６２６はもとより、着脱自在に取付けられるマイク４６２８などのような、本発明により教示されている他の特徴を有しているのが好ましい。矢印４６３０は、収納コードのボタンを特化型の電子装置ホルダーに向けて移動させているのを示している。図１９８Ｂは図１９８Ａの側面図であり、電子装置に接続されているコードが伸張位置にあるのを例示している。アーム４６２０は収納コードのスリーブを受容することができる。
【０５２１】
図１９９Ａは、メモリ制御装置４６５０が制御ボタン４６５２、ダイアル４６５４、表示装置４６５６、内部メモリ、電子回路、および、コネクタ４６８５を備えているのを例示している。メモリ制御装置４６５０は格納庫４６６０に着脱自在に接続される。格納庫４６６６は電子回路、ディジタルオーディオ信号をアナログオーディオ信号に変換するチップ、オーディオシステムに接続された回路を備えており、このような回路は図中ではイヤホン４６６２のポートまたはステレオジャックに接続されたワイヤとして例示されている。矢印４６６４は、メモリ制御装置４６５０が収納コード４６６６の格納庫４６６０に向けて移動しているのを例示している。図１９９Ｂは、収納コードが電子格納庫を備えており、メモリ制御装置が収納コードに固定されているのを例示している。
【０５２２】
使用に際し、メモリ制御装置４６５０は格納庫４６６０との接続部から取外される。制御装置４６５０はユーザーによってプログラムされ、特定の多様な楽曲を準備したり、音量を変えることができる。制御装置４６５０が電子回路を備えている格納庫４６６０に接続されると、装置４６５０により、例えば、音量を変えるといったような特定の態様で作動するようにプログラムされた制御装置が格納庫を支配する。
【０５２３】
本発明の収納コードは有線機能または無線機能として作用するほかにも、情報処理装置および音声配信システムとしても作用し、更に具体的には、図１９９Ａおよび図１９９Ｂに例示されているプロセッサとしても作用する。プロセッサは幾つかのプログラムを実行するが、例えば、本明細書ではメモリ制御装置（または、制御メモリ装置）と呼ばれている着脱自在に取付けられる電子装置と接触することにより或る機能を実行する。この実施形態では、メモリ制御装置は着脱自在な電子装置として作用し、制御ボタンとメモリを備えており、ＭＰフォーマットを利用するのが好ましいが、そのようにして圧縮し、音楽を保存し、メモリ制御装置が収納コードに格納されている電子機器に取付けられると、ファイルが解凍され、音楽が再生される。
【０５２４】
制御ボタンを装備したメモリ制御装置により、楽曲を選択したり音量を変えることができるようになるが、制御情報はメモリ制御装置に保存されている。メモリ制御装置が収納コードの電子回路に接続されると、メモリ制御装置から転送されてきた情報に従ってプログラムが機能を実行し、予めプログラムされたものに従って音量を変更し、更に、メモリ制御装置の制御ボタンによって予めプログラムされたものに従って楽曲を変える。
【０５２５】
本発明の制御ボタンを装備したメモリ制御装置はプロセッサと電源を備えている。これに代わる例として、本発明のメモリ制御装置は、ホストデバイスなどのような別個の装置から得られたエネルギーに拠って作動する。収納コードは、メモリ制御装置からの情報を受信し、保存し、または、受信して保存するためのＵＳＢコネクタまたはそれ以外のコネクタを備えている。収納コードの電子部のソフトウエアは音声ファイルを解凍してから増幅し、音楽聴取できるようにする。本発明のメモリ制御装置は、従来のコンピュータ、スピーカーシステム、オーディオシステム、画像化システム、または、これらの各種組合せに接続するのに好適な構成にされてもよい。
【０５２６】
本発明はまた、新規なブルートゥース（Bluetooth）装置を教示しており、ブルートゥース装置は差込口すなわち本発明の収納コードの雄コネクタに接続するための雌コネクタを備えている。このオーディオポートに加えて、本発明のブルートゥース装置は、耳で支える部分と内蔵スピーカーとを有しており、これらにより従来の態様で耳の周囲に設置することができるようになる。本発明のブルートゥース装置のオーディオポートは可聴周波信号を受信して変換する電子回路に接続されて、変換信号をステレオプラグ（または、何らかの電気プラグ）へ送信するとともに、イヤホンに音声を配信する。オーディオジャックにより、ブルートゥース装置は複数の異なる収納コードをいろいろ入換えて使えるようになるうえに、他のブルートゥース装置も入換えることができるが、このようなブルートゥース装置は本発明のブルートゥース装置の差込口に接続するためのオーディオプラグを装備している。電子装置は、アナログ・ディジタル変換機や増幅器などのような電子装置の共通部品を備えているものと理解することができる。
【０５２７】
本発明のブルートゥース装置は、イヤホン（または、スピーカー）は受信機の電子機器には接続されておらず、ブルートゥース装置のオーディオ転送システムは、先行技術と同様に、ブルートゥース電子機器と物理的には一体化されない。一実施形態においては、単純なブルートゥース装置が実現されるが、この場合、ブルートゥース装置は無線信号を獲得するための電子回路、電源、送信機、受信機、制御装置、入力端、出力端、オーディオジャックなどを有しているに過ぎず、内蔵スピーカーまたは内蔵オーディオ転送システムは装備していない。本発明のまた別な実施形態は、内蔵スピーカーおよび補聴器ホルダーの他にもあらゆる構成部材を備えている。
【０５２８】
図２００Ａは、本発明の好ましい実施形態が本発明の特化型の収納フレームの支持構造体を備えているのを例示しており、支持構造体はコードであるのが好ましく、ここでは収納コード４７００と称する。収納コード４７００はその幾何学的形状の中心４７０１に特化型の収納フレーム４７０２が設けられている。収納コード４７００は本質的に矩形または長円形の形状を呈しており、その両端縁に隣接している右領域および左領域に固定手段を備えているが、そのような固定手段にはボタン、スリーブ、ベルクロ片などがある。図２００Ａにおいては、右ボタン４７０４が１個、左ボタン４７０６が１個、設けられている。
【０５２９】
特化型の収納フレーム４７０２は矩形のコードスプール４７１０を有している箱型構造４７０８を備えている。箱型構造４７０８はステレオプラグ４７１２の端部４７１３を支持するための内側壁と、ワイヤ４７１７に接続されているステレオプラグの端部４７１５を支持するためのもう１つ別な内部壁４７１３とを備えている。
【０５３０】
広く使用されているステレオプラグには２つの部分があり、すなわち、金属部（自由端）と非金属の端部であり、後者は通常はゴム化される部分であり、金属製部分から出ているワイヤに取付けられる。箱体４５０８の内側の壁４５１３は開口部４７１９を備えており、開口部はステレオプラグ４７１２のワイヤ４７１７またはステレオプラグの端部を受容するためのスリットであるのが好ましい。ステレオプラグ４７１２の長軸線に直交して配備された箱状の構造体４７０８の壁４７１１は、ステレオプラグ４７１２を適所に堅固に保持するための開口部４７２１を備えている。
【０５３１】
特化型の格納庫の形状はステレオプラグを安定した確固たる位置に維持することができるようにし、電子装置の差込口または雌コネクタを一貫して受容するように図っている。本発明の構成を利用しなければ、ステレオプラグ４７１２は退避可能なコード４７１０に向けて引張られ、プラグ４７１２の自由端は複数の異なる任意の方向に対面し、従って、電子装置をステレオプラグ４７１２に着脱するのに一貫して整合させることができない。退避可能なコードは雌コネクタに接続されて、このコネクタが着脱自在に取付けられる装置の雄コネクタを受容するようにしているものと理解するべきである。本発明の接続と整合の集成体は電気接続のためのみならず、機械的接続のためにも同様に利用することができるものと、更に理解するべきである。
【０５３２】
ステレオプラグ４７１２は２個の互いに離隔されたアームの間に保持されるのが好ましい。本発明は、ステレオプラグを退避可能なワイヤに接続して、ステレオプラグの自由端（金属部を含んでいる）を露出したままにするとともに、電子装置と整合状態で自由にステレオジャック（または、オーディオジャックであれば何であれ）を一貫して受容することができることを教示している。ステレオプラグはステレオプラグを人が引張るのに加わる力により伸張させることができるとともに、ステレオプラグは退避可能なコードのスプール４７１０に設けられたバネの張力により静止位置まで後退させられる。
【０５３３】
従って、本発明は、ステレオプラグを退避可能なコードに接続し、更に、ステレオプラグの端部を雌コネクタと一貫して整合させるとともに、該端部を雌コネクタに受容させて接続する方法および装置を教示している。特化型の格納庫は限られた寸法の開口部４７１９が設けられた箱体４７０８の内側に壁４７１３を備えているが、プラグ４７１２の両端を支持するこの特化型の格納庫が無ければ、ステレオプラグ４７１２はスプール４７１０の中に引き込まれてしまう。
【０５３４】
箱体４７０８の内側に壁４７１３を設けるのが遥かにずっと好ましいが、本発明は内側壁が無くても機能することができるものと理解するべきである。しかしながら、この代替の実施形態においては、ステレオプラグの端部はスプールに支持載置され、箱体４７０８の壁４７１１に設けられている開口部４７２１はステレオプラグ４７１２の非金属部の中間部に設置される。
【０５３５】
収納コード４７００のこの特殊構造は、ステレオプラグ４７１２から出てスプール４７１０の内側まで延びているワイヤの端部をイヤホン４７２４（または、音声を配信するいずれかの装置）に接続されているワイヤに接続することを更に含んでいる。イヤホンのワイヤはスプール４７１０の中心から出ている。ワイヤは固定点を有しているのが好ましいが、スプールの頂面に半田付けされているのが好ましい。本発明の特殊なワイヤは２個ののうち一方のイヤホン４７２４に接続されているイヤホンワイヤ４７２６を備えており、このワイヤは反対のイヤホン４７２４に接続されているイヤホンワイヤ４７２８に比べて、長さが異なっている。この長さはスプール４７１０の出口点４７３０から測定されるか、または、箱体４７０８の出口点から測定される。
【０５３６】
図２００Ａで分かるように、右イヤホンのワイヤ４７２８は左イヤホンのワイヤ４７２６よりも長い。収納コード４７００の出口点４７３２、４７３４から測定したのであれば、両イヤホンワイヤの長さは同じぐらいであるか、または、互いに等しい。このように長さが異なる特殊な構成により、収納コードの長軸線沿いに電子装置の脇の位置でスプールを解剖学的に最良に位置決めすることができるようになるとともに、見える部分の両ワイヤが同じ長さになるようにすることができる。収納コードに沿ってその中を通るワイヤの領域は、２枚の素材層の間に挟まれて、イヤホンワイヤの同一ではない構成が傍で見ている人の目に付かないようにするのが好ましい。
【０５３７】
ステレオプラグ４７１２の長軸線は収納コード４７００の長軸線に対して平行に設置されるのが好ましく、更に、ここでは右ボタン４７０４として例示されている少なくとも１個の固定手段の方向を先端が指すようにするのが好ましい。ステレオプラグの金属部は目で見ることができ、ステレオプラグは格納庫４７０２のまた別な第２の領域４７３６に配置され、この格納庫は装具を受容して格納するのに好適な構成にされるが、本発明について先に説明したように、格納される装具は電子パッケージであるのが好ましい。格納庫４７０２の空の領域４７３６は、例えば、図７２、図７３Ａ、図７３Ｂに例示されているように、滑り傾斜面構造を有している。垂直方向への引張りを利用することにより電子装置が取出せるが、好ましい方法は水平方向への引張りを含んでいる当業者には多様な変形例が明白である。実験的には、収納フレームは鈍角反転Ｖ字型形状を含んでおり、Ｖ字の一方のアームはスプールを備えており、Ｖ字の他方のアームは電子装置を受容するための格納庫を備えている。この実施形態では、電子装置は地面に関して約45度の角度で斜行する方向を指している。
【０５３８】
電子装置は、引張られると斜行する様式で移動するが、この斜行は、アームが後頭部の装置を掴む場合には、アームの動きに生物学的により適っている。この実施形態では、ステレオプラグのワイヤは一部が45度の角度で折畳まれ、ステレオプラグを固着する２枚壁構造は、電子装置を受容しているＶ字型のアームの格納庫の一部となる。これと反対側のアームはスプールの格納庫を備えている。Ｖ字をなす２本のアームの間のホイール（滑車機構など）が使われれば、角度付けされた位置において移動を容易にすることができる。
【０５３９】
電子装置の差込口がステレオプラグ４７１２に直交して配置されている装置については、代替の実施形態はＬ字型のステレオプラグを備えている。この実施形態では、電子装置を受容する格納庫は傾斜面の上端縁を傾斜面の下端縁に接続する構造を有しており、従って、滑り傾斜面構造から装置を取出す間にワイヤが通過することができるスリットを作ることができる。
【０５４０】
スプールの好ましい直径は12 cmに等しいか、または、それよりも短く、7 cmに等しいか、または、それよりも短く、4 cmに等しいか、または、それよりも短いのが最も好ましく、2 cmに等しいか、または、それよりも短いのが更にもっと好ましい。スプールとステレオプラグの非金属部とを格納する構造体の好ましい長さは90 mmに等しいか、または、それよりも短く、70 mmに等しいか、または、それよりも短いのが好ましく、52 mmに等しいか、または、それより短いのがより好ましく、42 mmに等しいか、または、それより短いのが最も好ましい。
【０５４１】
図２００Ｂは、図２００Ａに類似している収納コードの好ましい実施形態を例示している。図２００Ｂの収納コード４８００の構成部材は全て、ネオプレンまたは布などのような柔軟素材からできており、但し、スプール４８０２およびコネクタ安定装置４８０４は例外である。コネクタ安定装置は２つの機能を有しており、すなわち、ステレオプラグがスプールに向けて引張られるのを阻止し、および、電子装置がステレオプラグから外れるのを阻止する。
【０５４２】
コード４８００の表面に糊付けしてスプール４８０２を包囲している柔軟素材の壁に固着することにより、または、スプール４８０２を包囲している柔軟素材の壁に固着することにより、スプール４８０２を適所に保持することができる。コネクタ安定装置は柔軟素材によって両面が被覆され、スプールの両側に開口４８０６を有している空洞を形成する。開口部の端縁４８０８は湾曲した濃い線として描かれており、この部分はコネクタ安定装置を完全には被覆していない。コネクタ安定装置の端部４８１０は被覆されないまま放置されることで、ユーザーがコネクタ安定装置を掴むことができるようになり、また、コネクタ安定装置によって固着されている電子装置を掴むことができるようになる。矢印４８１２は、コネクタ安定装置が収納コードから取出される時の動きを示している。コネクタ安定装置は、電子装置を受容するのに適した構成にされた構造であって、ステレオプラグに固定されているものであれば、どんな構造であってもよい。コネクタ安定装置はどのような形状であってもよいが、例えば、前述したように、板、十字、フックなどがある。
【０５４３】
図２００Ｃは、図２００Ａに類似している代替の実施形態を例示している。この実施形態においては、滑りガイド傾斜面４９０２が設けられている。ステレオプラグ４９０４は、２個の互いに離隔した傾斜面４９０２の間に固定されている。ユーザーは、前述したのと同じ態様で、電子装置を収納コード４９００から取出すことができる。この装置は、収納コード４９００から取出される時に、電気接続が切断される。
【０５４４】
本発明の実施形態は、図２００Ａから図２００Ｃの収納コードを含め、着用可能な装具などの物品ならどんなものとでも物理的に接続して一体にし、単体構造を形成するものと理解するべきである。
【０５４５】
本発明の熱パックは本願の着用可能な装具のいずれとでも組合わせることができ、また、ヘルメットに装備される熱パックは薄い卵の殻の構成を有しているようにしてもよいものと理解するべきである。
【０５４６】
前段までの説明は本発明の原理の例示にすぎないと解釈するべきである。当業者なら多数の修正と変更が容易に想起するので、図示しながら説明したとおりの厳密な構成および動作に本発明を限定するのは望ましくなく、従って、好適な修正例およびその均等物はいずれも、本発明の範囲に入るものと解釈するべきである。
【図１Ａ】
2014013397.tif 000003
【図１Ｂ】
2014013397.tif 000004
【図１Ｃ】
2014013397.tif 000005
【図１Ｄ】
2014013397.tif 000006
【図１Ｅ】
2014013397.tif 000007
【図１Ｆ】
2014013397.tif 000008
【図１Ｇ】
2014013397.tif 000009
【図１Ｈ】
2014013397.tif 000010
【図１Ｊ】
2014013397.tif 000011
【図２Ａ】
2014013397.tif 000012
【図２Ｂ】
2014013397.tif 000013
【図３】
2014013397.tif 000014
【図４】
2014013397.tif 000015
【図５Ａ】
2014013397.tif 000016
【図５Ｂ】
2014013397.tif 000017
【図５Ｃ】
2014013397.tif 000018
【図５Ｄ】
2014013397.tif 000019
【図５Ｅ】
2014013397.tif 000020
【図６】
2014013397.tif 000021
【図６Ａ】
2014013397.tif 000022
【図６Ｂ】
2014013397.tif 000023
【図６Ｃ】
2014013397.tif 000024
【図６Ｄ】
2014013397.tif 000025
【図６Ｅ】
2014013397.tif 000026
【図６Ｆ】
2014013397.tif 000027
【図７】
2014013397.tif 000028
【図８】
2014013397.tif 000029
【図９】
2014013397.tif 000030
【図１０】
2014013397.tif 000031
【図１０Ａ】
2014013397.tif 000032
【図１０Ｂ】
2014013397.tif 000033
【図１１】
2014013397.tif 000034
【図１１Ａ】
2014013397.tif 000035
【図１２】
2014013397.tif 000036
【図１２Ａ】
2014013397.tif 000037
【図１２Ｂ】
2014013397.tif 000038
【図１３】
2014013397.tif 000039
【図１４Ａ】
2014013397.tif 000040
【図１４Ｂ】
2014013397.tif 000041
【図１４Ｃ】
2014013397.tif 000042
【図１４Ｄ】
2014013397.tif 000043
【図１５Ａ】
2014013397.tif 000044
【図１５Ｂ】
2014013397.tif 000045
【図１６Ａ】
2014013397.tif 000046
【図１６Ｂ】
2014013397.tif 000047
【図１６Ｃ】
2014013397.tif 000048
【図１７Ａ】
2014013397.tif 000049
【図１７Ｂ】
2014013397.tif 000050
【図１８Ａ】
2014013397.tif 000051
【図１８Ｂ】
2014013397.tif 000052
【図１９Ａ】
2014013397.tif 000053
【図１９Ｂ】
2014013397.tif 000054
【図２０】
2014013397.tif 000055
【図２１】
2014013397.tif 000056
【図２２Ａ】
2014013397.tif 000057
【図２２Ｂ】
2014013397.tif 000058
【図２２Ｃ】
2014013397.tif 000059
【図２３】
2014013397.tif 000060
【図２３Ａ】
2014013397.tif 000061
【図２３Ｂ】
2014013397.tif 000062
【図２３Ｃ】
2014013397.tif 000063
【図２４Ａ】
2014013397.tif 000064
【図２４Ｂ】
2014013397.tif 000065
【図２４Ｃ】
2014013397.tif 000066
【図２４Ｄ】
2014013397.tif 000067
【図２５Ａ】
2014013397.tif 000068
【図２５Ｂ】
2014013397.tif 000069
【図２５Ｃ】
2014013397.tif 000070
【図２６Ａ】
2014013397.tif 000071
【図２６Ｂ】
2014013397.tif 000072
【図２６Ｃ】
2014013397.tif 000073
【図２７】
2014013397.tif 000074
【図２８】
2014013397.tif 000075
【図２９】
2014013397.tif 000076
【図３０】
2014013397.tif 000077
【図３０Ａ】
2014013397.tif 000078
【図３１Ａ】
2014013397.tif 000079
【図３１Ｂ】
2014013397.tif 000080
【図３２】
2014013397.tif 000081
【図３２Ａ】
2014013397.tif 000082
【図３３】
2014013397.tif 000083
【図３３Ａ】
2014013397.tif 000084
【図３４】
2014013397.tif 000085
【図３４Ａ】
2014013397.tif 000086
【図３４Ｂ】
2014013397.tif 000087
【図３４Ｃ】
2014013397.tif 000088
【図３４Ｄ】
2014013397.tif 000089
【図３４Ｅ】
2014013397.tif 000090
【図３４Ｆ】
2014013397.tif 000091
【図３４Ｇ】
2014013397.tif 000092
【図３４Ｈ】
2014013397.tif 000093
【図３４Ｊ】
2014013397.tif 000094
【図３４Ｋ】
2014013397.tif 000095
【図３４Ｌ】
2014013397.tif 000096
【図３４Ｍ】
2014013397.tif 000097
【図３４Ｎ】
2014013397.tif 000098
【図３４Ｏ】
2014013397.tif 000099
【図３４Ｐ】
2014013397.tif 000100
【図３４Ｑ】
2014013397.tif 000101
【図３４Ｒ】
2014013397.tif 000102
【図３４Ｓ】
2014013397.tif 000103
【図３４Ｔ】
2014013397.tif 000104
【図３４Ｕ】
2014013397.tif 000105
【図３４Ｖ】
2014013397.tif 000106
【図３５】
2014013397.tif 000107
【図３６】
2014013397.tif 000108
【図３７】
2014013397.tif 000109
【図３７Ａ】
2014013397.tif 000110
【図３７Ｂ】
2014013397.tif 000111
【図３７Ｃ】
2014013397.tif 000112
【図３８】
2014013397.tif 000113
【図３９】
2014013397.tif 000114
【図３９Ａ】
2014013397.tif 000115
【図３９Ｂ】
2014013397.tif 000116
【図４０】
2014013397.tif 000117
【図４１】
2014013397.tif 000118
【図４２Ａ】
2014013397.tif 000119
【図４２Ｂ】
2014013397.tif 000120
【図４３Ａ】
2014013397.tif 000121
【図４３Ｂ】
2014013397.tif 000122
【図４３Ｃ】
2014013397.tif 000123
【図４３Ｄ】
2014013397.tif 000124
【図４３Ｅ】
2014013397.tif 000125
【図４３Ｆ】
2014013397.tif 000126
【図４３Ｇ】
2014013397.tif 000127
【図４３Ｈ】
2014013397.tif 000128
【図４４Ａ】
2014013397.tif 000129
【図４４Ｂ】
2014013397.tif 000130
【図４４Ｃ】
2014013397.tif 000131
【図４４Ｄ】
2014013397.tif 000132
【図４５Ａ】
2014013397.tif 000133
【図４５Ｂ】
2014013397.tif 000134
【図４５Ｃ】
2014013397.tif 000135
【図４５Ｄ】
2014013397.tif 000136
【図４５Ｅ】
2014013397.tif 000137
【図４５Ｆ】
2014013397.tif 000138
【図４５Ｇ】
2014013397.tif 000139
【図４６】
2014013397.tif 000140
【図４７】
2014013397.tif 000141
【図４８】
2014013397.tif 000142
【図４８Ａ】
2014013397.tif 000143
【図４９】
2014013397.tif 000144
【図５０Ａ】
2014013397.tif 000145
【図５０Ｂ】
2014013397.tif 000146
【図５０Ｃ】
2014013397.tif 000147
【図５０Ｄ】
2014013397.tif 000148
【図５０Ｅ】
2014013397.tif 000149
【図５１】
2014013397.tif 000150
【図５１Ａ】
2014013397.tif 000151
【図５２】
2014013397.tif 000152
【図５３】
2014013397.tif 000153
【図５４】
2014013397.tif 000154
【図５４Ａ】
2014013397.tif 000155
【図５４Ｂ】
2014013397.tif 000156
【図５５Ａ】
2014013397.tif 000157
【図５５Ｂ】
2014013397.tif 000158
【図５５Ｃ】
2014013397.tif 000159
【図５５Ｄ】
2014013397.tif 000160
【図５６】
2014013397.tif 000161
【図５６Ａ】
2014013397.tif 000162
【図５７Ａ】
2014013397.tif 000163
【図５７Ｂ】
2014013397.tif 000164
【図５７Ｃ】
2014013397.tif 000165
【図５８】
2014013397.tif 000166
【図５９】
2014013397.tif 000167
【図６０】
2014013397.tif 000168
【図６１】
2014013397.tif 000169
【図６２】
2014013397.tif 000170
【図６３】
2014013397.tif 000171
【図６４】
2014013397.tif 000172
【図６５】
2014013397.tif 000173
【図６６】
2014013397.tif 000174
【図６７】
2014013397.tif 000175
【図６８】
2014013397.tif 000176
【図６９】
2014013397.tif 000177
【図７０】
2014013397.tif 000178
【図７１】
2014013397.tif 000179
【図７２】
2014013397.tif 000180
【図７３Ａ】
2014013397.tif 000181
【図７３Ｂ】
2014013397.tif 000182
【図７４Ａ】
2014013397.tif 000183
【図７４Ｂ】
2014013397.tif 000184
【図７５Ａ】
2014013397.tif 000185
【図７５Ａ１】
2014013397.tif 000186
【図７５Ｂ】
2014013397.tif 000187
【図７５Ｂ１】
2014013397.tif 000188
【図７５Ｂ２】
2014013397.tif 000189
【図７５Ｃ】
2014013397.tif 000190
【図７５Ｄ１】
2014013397.tif 000191
【図７５Ｄ２】
2014013397.tif 000192
【図７５Ｄ３】
2014013397.tif 000193
【図７５Ｄ４】
2014013397.tif 000194
【図７６】
2014013397.tif 000195
【図７６Ａ】
2014013397.tif 000196
【図７７】
2014013397.tif 000197
【図７８】
2014013397.tif 000198
【図７９Ａ】
2014013397.tif 000199
【図７９Ｂ】
2014013397.tif 000200
【図７９Ｃ】
2014013397.tif 000201
【図８０Ａ】
2014013397.tif 000202
【図８０Ｂ】
2014013397.tif 000203
【図８０Ｃ】
2014013397.tif 000204
【図８１Ａ】
2014013397.tif 000205
【図８１Ｂ】
2014013397.tif 000206
【図８１Ｃ】
2014013397.tif 000207
【図８２】
2014013397.tif 000208
【図８３】
2014013397.tif 000209
【図８４Ａ】
2014013397.tif 000210
【図８４Ｂ】
2014013397.tif 000211
【図８４Ｃ】
2014013397.tif 000212
【図８４Ｄ】
2014013397.tif 000213
【図８５Ａ】
2014013397.tif 000214
【図８５Ｂ】
2014013397.tif 000215
【図８５Ｃ】
2014013397.tif 000216
【図８６Ａ】
2014013397.tif 000217
【図８６Ｂ】
2014013397.tif 000218
【図８６Ｃ】
2014013397.tif 000219
【図８６Ｄ】
2014013397.tif 000220
【図８６Ｅ】
2014013397.tif 000221
【図８７Ａ】
2014013397.tif 000222
【図８７Ｂ】
2014013397.tif 000223
【図８７Ｃ】
2014013397.tif 000224
【図８７Ｄ】
2014013397.tif 000225
【図８７Ｅ】
2014013397.tif 000226
【図８７Ｆ】
2014013397.tif 000227
【図８８Ａ】
2014013397.tif 000228
【図８８Ｂ】
2014013397.tif 000229
【図８８Ｃ】
2014013397.tif 000230
【図８９Ａ】
2014013397.tif 000231
【図８９Ｂ】
2014013397.tif 000232
【図８９Ｃ】
2014013397.tif 000233
【図９０】
2014013397.tif 000234
【図９１】
2014013397.tif 000235
【図９１Ａ】
2014013397.tif 000236
【図９１Ｂ】
2014013397.tif 000237
【図９２Ａ】
2014013397.tif 000238
【図９２Ｂ】
2014013397.tif 000239
【図９３】
2014013397.tif 000240
【図９４】
2014013397.tif 000241
【図９５】
2014013397.tif 000242
【図９６Ａ】
2014013397.tif 000243
【図９６Ｂ】
2014013397.tif 000244
【図９７】
2014013397.tif 000245
【図９８】
2014013397.tif 000246
【図９９】
2014013397.tif 000247
【図１００Ａ】
2014013397.tif 000248
【図１００Ｂ】
2014013397.tif 000249
【図１００Ｃ】
2014013397.tif 000250
【図１００Ｄ】
2014013397.tif 000251
【図１００Ｅ】
2014013397.tif 000252
【図１００Ｆ】
2014013397.tif 000253
【図１０１Ａ】
2014013397.tif 000254
【図１０１Ｂ】
2014013397.tif 000255
【図１０１Ｃ】
2014013397.tif 000256
【図１０１Ｄ】
2014013397.tif 000257
【図１０２Ａ】
2014013397.tif 000258
【図１０２Ｂ】
2014013397.tif 000259
【図１０２Ｃ】
2014013397.tif 000260
【図１０３】
2014013397.tif 000261
【図１０４Ａ】
2014013397.tif 000262
【図１０４Ｂ】
2014013397.tif 000263
【図１０４Ｃ】
2014013397.tif 000264
【図１０４Ｄ】
2014013397.tif 000265
【図１０５】
2014013397.tif 000266
【図１０６】
2014013397.tif 000267
【図１０６Ａ】
2014013397.tif 000268
【図１０６Ｂ】
2014013397.tif 000269
【図１０７】
2014013397.tif 000270
【図１０８Ａ】
2014013397.tif 000271
【図１０８Ｂ】
2014013397.tif 000272
【図１０９】
2014013397.tif 000273
【図１１０】
2014013397.tif 000274
【図１１１】
2014013397.tif 000275
【図１１２】
2014013397.tif 000276
【図１１３】
2014013397.tif 000277
【図１１４】
2014013397.tif 000278
【図１１５】
2014013397.tif 000279
【図１１６】
2014013397.tif 000280
【図１１７Ａ】
2014013397.tif 000281
【図１１７Ｂ】
2014013397.tif 000282
【図１１８】
2014013397.tif 000283
【図１１９】
2014013397.tif 000284
【図１２０】
2014013397.tif 000285
【図１２１Ａ】
2014013397.tif 000286
【図１２１Ｂ】
2014013397.tif 000287
【図１２１Ｃ】
2014013397.tif 000288
【図１２１Ｄ】
2014013397.tif 000289
【図１２１Ｅ】
2014013397.tif 000290
【図１２２Ａ】
2014013397.tif 000291
【図１２２Ｂ】
2014013397.tif 000292
【図１２２Ｃ】
2014013397.tif 000293
【図１２２Ｄ】
2014013397.tif 000294
【図１２３Ａ】
2014013397.tif 000295
【図１２３Ｂ】
2014013397.tif 000296
【図１２４Ａ】
2014013397.tif 000297
【図１２４Ｂ】
2014013397.tif 000298
【図１２４Ｃ】
2014013397.tif 000299
【図１２５】
2014013397.tif 000300
【図１２６Ａ】
2014013397.tif 000301
【図１２６Ｂ】
2014013397.tif 000302
【図１２６Ｃ】
2014013397.tif 000303
【図１２７Ａ】
2014013397.tif 000304
【図１２７Ｂ】
2014013397.tif 000305
【図１２７Ｃ】
2014013397.tif 000306
【図１２７Ｄ】
2014013397.tif 000307
【図１２８Ａ】
2014013397.tif 000308
【図１２８Ｂ】
2014013397.tif 000309
【図１２８Ｃ】
2014013397.tif 000310
【図１２８Ｄ】
2014013397.tif 000311
【図１２８Ｅ】
2014013397.tif 000312
【図１２８Ｆ】
2014013397.tif 000313
【図１２８Ｇ】
2014013397.tif 000314
【図１２８Ｈ】
2014013397.tif 000315
【図１２８Ｉ】
2014013397.tif 000316
【図１２８Ｊ】
2014013397.tif 000317
【図１２８Ｋ】
2014013397.tif 000318
【図１２９Ａ】
2014013397.tif 000319
【図１２９Ｂ】
2014013397.tif 000320
【図１２９Ｃ】
2014013397.tif 000321
【図１３０】
2014013397.tif 000322
【図１３１】
2014013397.tif 000323
【図１３２Ａ】
2014013397.tif 000324
【図１３２Ｂ】
2014013397.tif 000325
【図１３３】
2014013397.tif 000326
【図１３４】
2014013397.tif 000327
【図１３５】
2014013397.tif 000328
【図１３６Ａ】
2014013397.tif 000329
【図１３６Ｂ】
2014013397.tif 000330
【図１３６Ｃ】
2014013397.tif 000331
【図１３７】
2014013397.tif 000332
【図１３８】
2014013397.tif 000333
【図１３９】
2014013397.tif 000334
【図１４０】
2014013397.tif 000335
【図１４１】
2014013397.tif 000336
【図１４２】
2014013397.tif 000337
【図１４３】
2014013397.tif 000338
【図１４４】
2014013397.tif 000339
【図１４５】
2014013397.tif 000340
【図１４６Ａ】
2014013397.tif 000341
【図１４６Ｂ】
2014013397.tif 000342
【図１４７】
2014013397.tif 000343
【図１４８】
2014013397.tif 000344
【図１４９】
2014013397.tif 000345
【図１５０】
2014013397.tif 000346
【図１５１】
2014013397.tif 000347
【図１５２】
2014013397.tif 000348
【図１５３】
2014013397.tif 000349
【図１５４】
2014013397.tif 000350
【図１５５】
2014013397.tif 000351
【図１５６】
2014013397.tif 000352
【図１５７】
2014013397.tif 000353
【図１５８】
2014013397.tif 000354
【図１５９】
2014013397.tif 000355
【図１６０】
2014013397.tif 000356
【図１６１】
2014013397.tif 000357
【図１６２】
2014013397.tif 000358
【図１６３】
2014013397.tif 000359
【図１６４】
2014013397.tif 000360
【図１６５】
2014013397.tif 000361
【図１６６】
2014013397.tif 000362
【図１６７Ａ】
2014013397.tif 000363
【図１６７Ｂ】
2014013397.tif 000364
【図１６７Ｃ】
2014013397.tif 000365
【図１６８】
2014013397.tif 000366
【図１６９Ａ】
2014013397.tif 000367
【図１６９Ｂ】
2014013397.tif 000368
【図１７０】
2014013397.tif 000369
【図１７１Ａ】
2014013397.tif 000370
【図１７１Ｂ】
2014013397.tif 000371
【図１７１Ｃ】
2014013397.tif 000372
【図１７１Ｄ】
2014013397.tif 000373
【図１７２Ａ】
2014013397.tif 000374
【図１７２Ｂ】
2014013397.tif 000375
【図１７２Ｃ】
2014013397.tif 000376
【図１７３Ａ】
2014013397.tif 000377
【図１７３Ｂ】
2014013397.tif 000378
【図１７４】
2014013397.tif 000379
【図１７５Ａ】
2014013397.tif 000380
【図１７５Ｂ】
2014013397.tif 000381
【図１７６Ａ】
2014013397.tif 000382
【図１７６Ｂ】
2014013397.tif 000383
【図１７７Ａ】
2014013397.tif 000384
【図１７７Ｂ】
2014013397.tif 000385
【図１７８】
2014013397.tif 000386
【図１７９Ａ】
2014013397.tif 000387
【図１７９Ｂ】
2014013397.tif 000388
【図１７９Ｃ】
2014013397.tif 000389
【図１７９Ｄ】
2014013397.tif 000390
【図１８０Ａ】
2014013397.tif 000391
【図１８０Ｂ】
2014013397.tif 000392
【図１８１】
2014013397.tif 000393
【図１８２Ａ】
2014013397.tif 000394
【図１８２Ｂ】
2014013397.tif 000395
【図１８２Ｃ】
2014013397.tif 000396
【図１８２Ｄ】
2014013397.tif 000397
【図１８２Ｅ】
2014013397.tif 000398
【図１８２Ｆ】
2014013397.tif 000399
【図１８２Ｇ】
2014013397.tif 000400
【図１８２Ｈ】
2014013397.tif 000401
【図１８２Ｊ】
2014013397.tif 000402
【図１８３Ａ】
2014013397.tif 000403
【図１８３Ｂ】
2014013397.tif 000404
【図１８３Ｃ】
2014013397.tif 000405
【図１８３Ｄ】
2014013397.tif 000406
【図１８３Ｅ】
2014013397.tif 000407
【図１８４Ａ】
2014013397.tif 000408
【図１８４Ｂ】
2014013397.tif 000409
【図１８４Ｃ】
2014013397.tif 000410
【図１８４Ｄ】
2014013397.tif 000411
【図１８４Ｅ】
2014013397.tif 000412
【図１８４Ｆ】
2014013397.tif 000413
【図１８５】
2014013397.tif 000414
【図１８６Ａ】
2014013397.tif 000415
【図１８６Ｂ】
2014013397.tif 000416
【図１８７Ａ】
2014013397.tif 000417
【図１８７Ｂ】
2014013397.tif 000418
【図１８８】
2014013397.tif 000419
【図１８８Ａ】
2014013397.tif 000420
【図１８８Ｂ】
2014013397.tif 000421
【図１８９Ａ】
2014013397.tif 000422
【図１８９Ｂ】
2014013397.tif 000423
【図１８９Ｃ】
2014013397.tif 000424
【図１８９Ｄ】
2014013397.tif 000425
【図１８９Ｅ】
2014013397.tif 000426
【図１８９Ｆ】
2014013397.tif 000427
【図１８９Ｇ】
2014013397.tif 000428
【図１８９Ｈ】
2014013397.tif 000429
【図１８９Ｊ】
2014013397.tif 000430
【図１８９Ｋ】
2014013397.tif 000431
【図１９０】
2014013397.tif 000432
【図１９０Ａ】
2014013397.tif 000433
【図１９０Ｂ】
2014013397.tif 000434
【図１９１】
2014013397.tif 000435
【図１９１Ａ】
2014013397.tif 000436
【図１９１Ｂ】
2014013397.tif 000437
【図１９２Ａ】
2014013397.tif 000438
【図１９２Ｂ】
2014013397.tif 000439
【図１９２Ｃ】
2014013397.tif 000440
【図１９２Ｄ】
2014013397.tif 000441
【図１９２Ｅ】
2014013397.tif 000442
【図１９２Ｆ】
2014013397.tif 000443
【図１９２Ｇ】
2014013397.tif 000444
【図１９２Ｈ】
2014013397.tif 000445
【図１９２Ｊ】
2014013397.tif 000446
【図１９２Ｋ】
2014013397.tif 000447
【図１９２Ｌ】
2014013397.tif 000448
【図１９２Ｍ】
2014013397.tif 000449
【図１９２Ｎ】
2014013397.tif 000450
【図１９３】
2014013397.tif 000451
【図１９４Ａ】
2014013397.tif 000452
【図１９４Ｂ】
2014013397.tif 000453
【図１９４Ｃ】
2014013397.tif 000454
【図１９４Ｄ】
2014013397.tif 000455
【図１９４Ｅ】
2014013397.tif 000456
【図１９４Ｆ】
2014013397.tif 000457
【図１９４Ｇ】
2014013397.tif 000458
【図１９５】
2014013397.tif 000459
【図１９６Ａ】
2014013397.tif 000460
【図１９６Ｂ】
2014013397.tif 000461
【図１９６Ｃ】
2014013397.tif 000462
【図１９６Ｄ】
2014013397.tif 000463
【図１９６Ｅ】
2014013397.tif 000464
【図１９７Ａ】
2014013397.tif 000465
【図１９７Ｂ】
2014013397.tif 000466
【図１９７Ｃ】
2014013397.tif 000467
【図１９７Ｄ】
2014013397.tif 000468
【図１９７Ｅ】
2014013397.tif 000469
【図１９７Ｆ】
2014013397.tif 000470
【図１９７Ｇ】
2014013397.tif 000471
【図１９７Ｈ】
2014013397.tif 000472
【図１９７Ｊ】
2014013397.tif 000473
【図１９７Ｋ】
2014013397.tif 000474
【図１９７Ｌ】
2014013397.tif 000475
【図１９７Ｍ−１】
2014013397.tif 000476
【図１９７Ｍ−２】
2014013397.tif 000477
【図１９７Ｍ−３】
2014013397.tif 000478
【図１９７Ｍ−４】
2014013397.tif 000479
【図１９７Ｎ−１】
2014013397.tif 000480
【図１９７Ｎ−２】
2014013397.tif 000481
【図１９７Ｐ】
2014013397.tif 000482
【図１９７Ｑ】
2014013397.tif 000483
【図１９７Ｒ】
2014013397.tif 000484
【図１９８Ａ】
2014013397.tif 000485
【図１９８Ｂ】
2014013397.tif 000486
【図１９９Ａ】
2014013397.tif 000487
【図１９９Ｂ】
2014013397.tif 000488
【図２００Ａ】
2014013397.tif 000489
【図２００Ｂ】
2014013397.tif 000490
【図２００Ｃ】
2014013397.tif 000491
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
電子眼鏡であって、
電子眼鏡は、２本のつると２本のつるを相互接続している２個のレンズ枠部とを有しているフレームを備えており、２個のレンズ枠部のうちの一方のみに表示装置が設けられており、表示装置は使用者の通常の視線から外れた位置でレンズ枠部の上部に隣接して配備されており、表示装置はその上に画像を表示してフレームを装着している使用者に見せるよう構成されており、
フレームは多数の構成部から成り、多数の構成部のうちの１つはカメラであり、カメラは表示装置に画像を送信するよう構成されており、
電子眼鏡はマイクロフォンを更に備えており、マイクロフォンはフレームに設けられており音声を捕獲するよう構成されている、電子眼鏡。
【請求項２】
前記マイクロフォンは音声指令認識マイクロフォンであり、音声指令認識マイクロフォンは音声指令により前記多数の構成部のうち少なくとも１つの構成部を起動させることを特徴とする、請求項１に記載の電子眼鏡。
【請求項３】
前記電子眼鏡は無線装置を更に備えており、無線装置は前記フレームに設けられており遠隔電波源と連絡する、請求項１に記載の電子眼鏡。
【請求項４】
電子眼鏡はトランシーバ装置を更に備えており、トランシーバ装置は前記フレームに設けられており、電子眼鏡は前記フレームと電子接続する計算装置を更に備えている、請求項１に記載の電子眼鏡。
【請求項５】
前記電子接続の一例として無線接続が挙げられることを特徴とする、請求項４に記載の電子眼鏡。
【請求項６】
前記計算装置の一例として携帯電話機が挙げられることを特徴とする、請求項４に記載の電子眼鏡。
【請求項７】
使用者の位置を同定する構成の地球規模測位システムを更に備えている、請求項１に記載の電子眼鏡。
【請求項８】
前記フレームはゴーグルであることを特徴とする、請求項１に記載の電子眼鏡。
【請求項９】
前記フレームは眼鏡フレームであることを特徴とする、請求項１に記載の電子眼鏡。
【請求項１０】
前記多数の構成部のうちの１つの構成部は無線受信装置であり、無線受信装置は遠隔発信源から少なくとも１つのメッセージを受信する構成であることを特徴とする、請求項１に記載の電子眼鏡。
【請求項１１】
前記表示装置は前記無線受信装置から少なくとも１つのメッセージを受信することを特徴とする、請求項１０に記載の電子眼鏡。
【請求項１２】
前記フレームと無線接続する遠隔携帯電話装置を更に備えている、請求項１に記載の電子眼鏡。
【請求項１３】
前記表示装置の一例として折り畳み自在式の表示装置が挙げられ、前記無線受信装置からメッセージを受信する際には広げて使用することを特徴とする、請求項１０に記載の電子眼鏡。
【請求項１４】
メモリを更に備えている、請求項１に記載の電子眼鏡。
【請求項１５】
前記音声指令認識マイクロフォンは特定言語認識装置であり、特定言語認識装置は使用者の特定言語指令によって前記多数の構成部のうちの少なくとも１つの構成部を起動させることを特徴とする、請求項２に記載の電子眼鏡。
【請求項１６】
前記電子眼鏡は受信器を更に備えており、受信器は前記フレームに設けられており遠隔信号源から信号を受信し、受信された信号には少なくとも１つの画像が含まれており、前記電子眼鏡は送信器を更に備えており、送信器は前記フレームに設けられており遠隔装置に信号を送信し、送信された信号には少なくとも１つの画像が含まれている、請求項１に記載の電子眼鏡。
【請求項１７】
前記電子眼鏡はセンサーを更に備えており、センサーは前記フレームに設けられておりセンシング動作を行う、請求項１に記載の電子眼鏡。
【請求項１８】
電子眼鏡システムであって、
電子眼鏡システムは多数の構成部を有しているフレームを備えており、多数の構成部のうちの１つの構成部は無線受信装置であり、無線受信装置は遠隔発信源から少なくとも１つのメッセージを受信する構成であり、メッセージは画像もしくは音声またはその両方であり、
フレームは２本のつると、２本のつるを相互接続している２個のレンズ枠部とを有しており、
２個のレンズ枠部のうちの一方のみに表示装置が設けられており、表示装置はレンズ枠部の上部に隣接して配備されており、表示装置はその上に画像を表示してフレームを装着している使用者に見せるよう構成されており、表示装置上の画像は使用者の通常の視線から外れた位置に配備されており、表示装置は無線受信装置が受信した少なくとも１つのメッセージを表示するよう構成されており、
電子眼鏡システムは、
フレームに設けられており使用者の発する音声を捕獲するよう構成されたマイクロフォンと、
使用者の特定音声指令により前記多数の構成部のうち少なくとも１つの構成部を起動させる特定言語認識装置と、
フレームに設けられており少なくとも１つの画像を取得し、取得した少なくとも１つの画像を表示装置に送信するよう構成されたカメラと、
フレームに設けられており遠隔装置に音声もしくは画像またはその両方を送信する構成の無線送信機であって、送信される画像にはカメラが取得した少なくとも１つの画像が含まれている無線送信器と、
フレームに設けられており使用者の接触作用により起動させられて、多数の構成部のうちの少なくとも１つを起動させるタッチ感応装置と、
フレームに設けられており、フレームが有している多数の構成部のうち少なくとも１つの構成部を制御するプロセッサと、
フレームに設けられているメモリと、
フレームと無線接続する携帯電話装置とを更に備えている、電子眼鏡システム。
【請求項１９】
前記２本のつるのうちの一方が前記多数の構成部を収納しているとともに３つまたはそれ以上の互いに寸法が異なっている部位から成り、３つまたはそれ以上の部位は一方のつるの自由端の終端部、前記レンズ枠部に接続されている前部、および、終端部と前部の間に位置している中間部を含んでおり、中間部の寸法が最も短いことを特徴とする、請求項１８に記載の電子眼鏡システム。
【請求項２０】
地球規模測位システムを更に備えている、請求項１８に記載の電子眼鏡システム。
【請求項２１】
前記２本のつるの一方または両方が前記多数の構成部を収納しているとともに３つまたはそれ以上の別個の部位から成り、３つまたはそれ以上の別個の部位はつるの自由端の終端部、前記レンズ枠部に隣接して終端している前部、および、終端部と前部の間に位置している中間部を含んでおり、つるの別個の部位のうち中間部の体積が最も小さいことを特徴とする、請求項１８に記載の電子眼鏡システム。
【請求項２２】
前記２本のつるの一方または両方の上端面は平坦面を形成していることを特徴とする、請求項２１に記載の電子眼鏡システム。
【請求項２３】
前記２本のつるの一方または両方の下端面の前記前部と前記終端部との間には陥凹部が設けられていることを特徴とする、請求項２１に記載の電子眼鏡システム。
【請求項２４】
前記終端部は前記中間部よりも長いことを特徴とする、請求項２３に記載の電子眼鏡システム。
【請求項２５】
前記終端部は前記前部よりも高さがあることを特徴とする、請求項２４に記載の電子眼鏡システム。
【請求項２６】
前記下端面は前記中間部と前記終端部の間に必然あるべき遷移域である陥凹域が設けられていることを特徴とする、請求項２３に記載の電子眼鏡システム。
【請求項２７】
電子眼鏡システムであって、
電子眼鏡システムは２本のつると２本のつるを相互接続している２個のレンズ枠部とを有しているフレームを備えており、２個のレンズ枠部のうちの一方のみに表示装置が設けられており、
２本のつるの一方または両方が多数の電子構成部を収納しているとともに３つまたはそれ以上の別個の部位から成り、３つまたはそれ以上の別個の部位はつるの自由端の終端部、レンズ枠部に隣接して終端している前部、および、終端部と前部の間に位置している中間部を含んでおり、つるの別個の部位のうち中間部の体積が最も小さい、電子眼鏡システム。
【請求項２８】
前記２本のつるの一方または両方の上端面は平坦面を形成していることを特徴とする、請求項２７に記載の電子眼鏡システム。
【請求項２９】
前記２本のつるの一方または両方の下端面の前記前部と前記終端部との間には陥凹部が設けられていることを特徴とする、請求項２７に記載の電子眼鏡システム。
【請求項３０】
前記終端部は前記中間部よりも長いことを特徴とする、請求項２９に記載の電子眼鏡システム。
【請求項３１】
前記終端部は前記前部よりも高さがあることを特徴とする、請求項３０に記載の電子眼鏡システム。
【請求項３２】
前記下端面は前記中間部と前記終端部の間に必然あるべき遷移域である陥凹域が設けられていることを特徴とする、請求項２９に記載の電子眼鏡システム。
【請求項３３】
前記表示装置は前記レンズ枠部の上部に隣接して配備されており、前記表示装置はその上に画像を表示して前記フレームを装着している使用者に見せるよう構成されており、前記表示装置は使用者の通常の視線から外れた位置に配備されていることを特徴とする、請求項２７に記載の電子眼鏡システム。
【請求項３４】
電子眼鏡システムであって、
電子眼鏡システムは多数の構成部を有しているフレームを備えており、多数の構成部のうちの１つの構成部は無線受信装置であり、無線受信装置は遠隔発信源から少なくとも１つのメッセージを受信する構成であり、メッセージは画像もしくは音声またはその両方であり、フレームは地球規模測位システムを有しており、
フレームは２個のレンズ枠部を更に有しており、２個のレンズ枠部のうちの一方のみに表示装置が設けられており、表示装置は無線受信装置が受信した少なくとも１つのメッセージを表示するよう構成されており、
電子眼鏡システムは、
フレームに設けられており少なくとも１つの画像を取得し、取得した少なくとも１つの画像を表示装置に送信するよう構成されたカメラと、
フレームに設けられており遠隔装置に音声もしくは画像またはその両方を送信する構成の無線送信機であって、送信される画像にはカメラが取得した少なくとも１つの画像が含まれている無線送信器と、
無線受信装置によりフレームと無線接続する携帯電話装置とを更に備えている、電子眼鏡システム。